(57)【要約】無線デバイスは、第１の帯域幅部分に関する半永続的ＣＳＩレポートに対する半永続的ＣＳＩレポート構成のアクティブ化を示す媒体アクセス制御制御要素を受信する。半永続的なＣＳＩレポート構成がアクティブ化される。半永続的ＣＳＩレポートは、半永続的ＣＳＩレポート構成の１つ以上のパラメータに基づいて伝送される。第１のダウンリンク制御情報が受信される。第１のダウンリンク制御情報は、アクティブな帯域幅部分として第１の帯域幅部分から第２の帯域幅部分への切り替えを示す。半永続的ＣＳＩレポートの伝送は、第１のダウンリンク制御情報を受信した後または受信することに応答して中断される。第２のダウンリンク制御情報が受信される。第２のダウンリンク制御情報は、アクティブな帯域幅部分として第１の帯域幅部分への切り替えを示す。半永続的ＣＳＩレポートは、第２のダウンリンク制御情報を受信した後または受信することに応答して伝送される。【選択図】図４０
2021503231.tif 000002
【特許請求の範囲】
【請求項１】
方法であって、
無線デバイスによって、第１の帯域幅部分に関する半永続的ＣＳＩレポートのための半永続的チャネル状態情報（ＣＳＩ）レポート構成のアクティブ化を示す媒体アクセス制御制御要素を受信することと、
前記半永続的ＣＳＩレポート構成をアクティブ化することと、
前記半永続的ＣＳＩレポート構成のうちの１つ以上のパラメータに基づいて前記半永続的ＣＳＩレポートを伝送することと、
アクティブな帯域幅部分として前記第１の帯域幅部分から第２の帯域幅部分への切り替えを示す第１のダウンリンク制御情報を受信することと、
前記第１のダウンリンク制御情報を受信した後、または受信することに応答して、前記半永続的ＣＳＩレポートの前記伝送を中断することと、
前記アクティブな帯域幅部分として前記第１の帯域幅部分への切り替えを示す第２のダウンリンク制御情報を受信することと、
前記第２のダウンリンク制御情報を受信した後、または受信することに応答して、前記半永続的ＣＳＩレポートを伝送することと、を含む方法。
【請求項２】
前記無線デバイスが、物理アップリンク共有チャネルを介して、前記半永続的ＣＳＩレポート構成の前記１つ以上のパラメータのうちの少なくとも１つによって示される少なくとも１つの基準信号リソースに関して測定された前記半永続的ＣＳＩレポートを伝送する、請求項１に記載の方法。
【請求項３】
前記半永続的ＣＳＩレポートが、
チャネル品質インジケータの値、
プリコーディング行列インデックスの値、
ランクインジケータの値、および
レイヤ１基準信号受信電力の値、のうちの少なくとも１つを含む、請求項１〜２のいずれかに記載の方法。
【請求項４】
前記アクティブな帯域幅部分として前記第１の帯域幅部分から前記第２の帯域幅部分への切り替えを示す前記第１のダウンリンク制御情報を受信することに応答して、タイマ値でＢＷＰ非アクティビティタイマを開始することをさらに含む、請求項１〜３のいずれかに記載の方法。
【請求項５】
前記第２のダウンリンク制御情報が、前記半永続的ＣＳＩレポート構成のアクティブ化または非アクティブ化を示すフィールドを含まない、請求項１〜４のいずれかに記載の方法。
【請求項６】
セルの複数の帯域幅部分の構成パラメータを含む無線リソース制御メッセージを受信することをさらに含み、前記構成パラメータは、
前記複数の帯域幅部分が前記第１の帯域幅部分および前記第２の帯域幅部分を含むことと、
帯域幅部分非アクティビティタイマのタイマ値と、
前記半永続的ＣＳＩレポート構成を構成する複数の半永続的ＣＳＩレポート構成と、を示す、請求項１〜５のいずれかに記載の方法。
【請求項７】
前記セルがプライマリセルまたはセカンダリセルを含む、請求項６に記載の方法。
【請求項８】
前記第１の帯域幅部分のうちの１つ以上の帯域幅部分パラメータが、
周波数位置のパラメータ、
第１の帯域幅の値、
サブキャリア間隔の値、および
サイクリックプレフィックスの値、のうちの少なくとも１つを含む、請求項１〜６のいずれかに記載の方法。
【請求項９】
前記第１の帯域幅部分の前記第１の帯域幅の前記値が、セルの第２の帯域幅の値以下である、請求項８に記載の方法。
【請求項１０】
前記第２の帯域幅部分のうちの１つ以上の帯域幅部分パラメータが、
周波数位置のパラメータ、
第１の帯域幅の値、
サブキャリア間隔の値、および
サイクリックプレフィックスの値、のうちの少なくとも１つを含む、請求項１〜６または請求項８のいずれかに記載の方法。
【請求項１１】
前記第２の帯域幅部分の前記第１の帯域幅の前記値が、セルの第２の帯域幅の値以下である、請求項１０に記載の方法。
【請求項１２】
前記無線デバイスが、前記半持続的ＣＳＩレポート構成のうちの１つ以上のパラメータのうちの少なくとも１つによって示される物理アップリンク制御チャネルリソースを介して前記半永続的ＣＳＩレポートを伝送する、請求項１〜６、請求項８、または請求項１０のいずれかに記載の方法。
【請求項１３】
前記物理アップリンク制御チャネルが、前記半永続的ＣＳＩレポート構成に関連付けられる、請求項１２に記載の方法。
【請求項１４】
前記アクティブな帯域幅部分として前記第１の帯域幅部分から前記第２の帯域幅部分への切り替えを示す前記第１のダウンリンク制御情報を受信することに応答して、タイマ値でＢＷＰ非アクティビティタイマを始動することをさらに含む、請求項１〜６、請求項８、請求項１０、または請求項１２のいずれかに記載の方法。
【請求項１５】
前記第２の帯域幅部分で第３のダウンリンク制御情報を受信することと、
前記第３のダウンリンク制御情報に基づいてデータパケットを受信することと、をさらに含む、請求項１４に記載の方法。
【請求項１６】
前記半永続的ＣＳＩレポート構成のうちの１つ以上のパラメータが、
周期的、半永続的、または非周期的レポート構成を示すＣＳＩレポート構成タイプインジケータ、
１つ以上の基準信号リソース構成パラメータ、
１つ以上のレポート量パラメータ、
１つ以上のレポート周波数領域構成パラメータ、
１つ以上の物理アップリンク制御チャネルリソース、および
１つ以上のレポート時間領域構成パラメータ、のうちの少なくとも１つを含む、請求項１〜６、請求項８、請求項１０、請求項１２、または請求項１４のいずれかに記載の方法。
【請求項１７】
前記半永続的ＣＳＩレポートが、
前記１つ以上の基準信号リソース構成パラメータによって示される１つ以上の基準信号時間リソースと、
前記１つ以上のレポート周波数領域構成パラメータによって示される１つ以上の基準信号周波数リソースと、に基づいて取得される、請求項１６に記載の方法。
【請求項１８】
前記１つ以上のレポート量パラメータが、
チャネル品質インジケータ
プリコーディング行列インデックス、
ランクインジケータ、および
レイヤ１基準信号受信電力、のうちの少なくとも１つを含む１つ以上のレポート量を示す、請求項１６に記載の方法。
【請求項１９】
前記無線デバイスが、前記半永続的ＣＳＩレポート構成の前記１つ以上のレポート量パラメータによって示される１つ以上のレポート量を含む前記半永続的ＣＳＩレポートを伝送する、請求項１６に記載の方法。
【請求項２０】
前記無線デバイスが、前記半持続的ＣＳＩレポート構成の１つ以上の物理アップリンク制御チャネルリソースの物理アップリンク制御チャネルリソースを介して前記半永続的ＣＳＩレポートを伝送する、請求項１６に記載の方法。
【請求項２１】
無線デバイスであって、
１つ以上のプロセッサと、
命令を記憶するメモリと、を備え、前記命令は、前記１つ以上のプロセッサによって実行されると、前記無線デバイスに、
第１の帯域幅部分に関する半永続的ＣＳＩレポートのための半永続的チャネル状態情報（ＣＳＩ）レポート構成のアクティブ化を示す媒体アクセス制御制御要素を受信することと、
前記媒体アクセス制御制御要素を受信した後、または受信することに応答して、前記半永続的ＣＳＩレポートを伝送することと、
アクティブな帯域幅部分として前記第１の帯域幅部分から第２の帯域幅部分への切り替えを示す第１のダウンリンク制御情報を受信することと、
前記第１のダウンリンク制御情報の前記受信後、または前記受信に応答して、前記半永続的ＣＳＩレポートの前記伝送を中断することと、
前記アクティブな帯域幅部分として前記第１の帯域幅部分への切り替えを示す第２のダウンリンク制御情報を受信することと、
前記第２のダウンリンク制御情報の前記受信後、または前記受信に応答して、前記半永続的ＣＳＩレポートを伝送することと、を行わせる、無線デバイス。
【請求項２２】
方法であって、
基地局によって、無線デバイスの第１の帯域幅部分での半永続的ＣＳＩレポートのための半永続的ＣＳＩレポート構成のアクティブ化を示す媒体アクセス制御制御要素を伝送することと、
前記媒体アクセス制御制御要素を受信した後、または受信することに応答して、前記無線デバイスから前記半永続的ＣＳＩレポートを受信することと、
前記無線デバイスに対して第２の帯域幅部分をアクティブ状態に切り替えることを示す第１のダウンリンク制御情報を伝送することと、
前記第１のダウンリンク制御情報を伝送した後、または伝送することに応答して、前記半永続的ＣＳＩレポートの前記受信を中断することと、
前記無線デバイスに対して前記第１の帯域幅部分をアクティブ状態に切り替えることを示す第２のダウンリンク制御情報を伝送することと、
前記第２のダウンリンク制御情報を伝送した後、または伝送することに応答して、前記半永続的ＣＳＩレポートを受信することと、を含む方法。
【請求項２３】
前記基地局が、前記無線デバイスから、かつ物理アップリンク共有チャネルを介して、前記半永続的ＣＳＩレポート構成のうちの１つ以上のパラメータのうちの少なくとも１つによって示される少なくとも１つの基準信号リソースに関して測定された前記半永続的ＣＳＩレポートを受信する、請求項２２に記載の方法。
【請求項２４】
前記半永続的ＣＳＩレポートが、
チャネル品質インジケータの値、
プリコーディング行列インデックスの値、
ランクインジケータの値、および
レイヤ１基準信号受信電力の値、のうちの少なくとも１つを含む、請求項２２〜２３のいずれかに記載の方法。
【請求項２５】
アクティブな帯域幅部分として前記第１の帯域幅部分から前記第２の帯域幅部分への切り替えを示す前記第１のダウンリンク制御情報を伝送することに応答して、前記無線デバイスに対するタイマ値でＢＷＰ非アクティビティタイマを始動することをさらに含む、請求項２２〜２４のいずれかに記載の方法。
【請求項２６】
前記第２のダウンリンク制御情報が、前記半永続的ＣＳＩレポート構成のアクティブ化または非アクティブ化を示すフィールドを含まない、請求項２２〜２５のいずれかに記載の方法。
【請求項２７】
セルの複数の帯域幅部分の構成パラメータを含む無線リソース制御メッセージを伝送することをさらに含み、前記構成パラメータが、
前記複数の帯域幅部分が前記第１の帯域幅部分および前記第２の帯域幅部分を含むことと、
帯域幅部分非アクティビティタイマのタイマ値と、
前記半永続的ＣＳＩレポート構成を含む複数の半永続的ＣＳＩレポート構成と、を示す、請求項２２〜２６のいずれかに記載の方法。
【請求項２８】
前記セルがプライマリセルまたはセカンダリセルを含む、請求項２７に記載の方法。
【請求項２９】
前記第１の帯域幅部分のうちの１つ以上の帯域幅部分パラメータが、
周波数位置のパラメータ、
第１の帯域幅の値、
サブキャリア間隔の値、および
サイクリックプレフィックスの値、のうちの少なくとも１つを含む、請求項２２〜２７のいずれかに記載の方法。
【請求項３０】
前記第１の帯域幅部分の前記第１の帯域幅の前記値が、セルの第２の帯域幅の値以下である、請求項２９に記載の方法。
【請求項３１】
前記第２の帯域幅部分のうちの１つ以上の帯域幅部分パラメータが、
周波数位置のパラメータ、
第２の帯域幅の値、
サブキャリア間隔の値、および
サイクリックプレフィックスの値、のうちの少なくとも１つを含む、請求項２２〜２７または請求項２９のいずれかに記載の方法。
【請求項３２】
前記第２の帯域幅部分の前記第２の帯域幅の前記値は、セルの第２の帯域幅の値以下である、請求項３１に記載の方法。
【請求項３３】
前記基地局が、前記半永続的ＣＳＩレポート構成のうちの１つ以上のパラメータのうちの少なくとも１つによって示される物理アップリンク制御チャネルリソースを介して前記半永続的ＣＳＩレポートを受信する、請求項２２〜２７、請求項２９、または請求項３１のいずれかに記載の方法。
【請求項３４】
前記物理アップリンク制御チャネルリソースが、前記半永続的ＣＳＩレポート構成に関連付けられる、請求項３３に記載の方法。
【請求項３５】
アクティブな帯域幅部分として前記第１の帯域幅部分から前記第２の帯域幅部分への切り替えを示す前記第１のダウンリンク制御情報を伝送することに応答して、タイマ値でＢＷＰ非アクティビティタイマを始動することをさらに含む、請求項２２〜２７、請求項２９、請求項３１、または請求項３３のいずれかに記載の方法。
【請求項３６】
前記第２の帯域幅部分で第３のダウンリンク制御情報を伝送することと、
前記第３のダウンリンク制御情報に基づいてデータパケットを伝送することと、をさらに含む、請求項３５に記載の方法。
【請求項３７】
前記半永続的ＣＳＩレポート構成のうちの１つ以上のパラメータが、
周期的、半永続的、または非周期的レポート構成を示すＣＳＩレポート構成タイプインジケータ、
１つ以上の基準信号リソース構成パラメータ、
１つ以上のレポート量パラメータ、
１つ以上のレポート周波数領域構成パラメータ、
１つ以上の物理アップリンク制御チャネルリソース、および
１つ以上のレポート時間領域構成パラメータ、のうちの少なくとも１つを含む、請求項２２〜２７、請求項２９、請求項３１、請求項３３、または請求項３５のいずれかに記載の方法。
【請求項３８】
前記半永続的ＣＳＩレポートが、
前記１つ以上の基準信号リソース構成パラメータによって示される１つ以上の基準信号時間リソースと、
前記１つ以上のレポート周波数領域構成パラメータによって示される１つ以上の基準信号周波数リソースと、に基づいて取得される、請求項３７に記載の方法。
【請求項３９】
前記１つ以上のレポート量パラメータが、
チャネル品質インジケータ
プリコーディング行列インデックス、
ランクインジケータ、および
レイヤ１基準信号受信電力、のうちの少なくとも１つを含む１つ以上のレポート量を示す、請求項３７に記載の方法。
【請求項４０】
前記基地局が、前記半永続的ＣＳＩレポート構成の前記１つ以上のレポート量パラメータによって示される１つ以上のレポート量を含む前記半永続的ＣＳＩレポートを受信する、請求項３７に記載の方法。
【請求項４１】
前記基地局が、前記半持続的ＣＳＩレポート構成のうちの１つ以上の物理アップリンク制御チャネルリソースの物理アップリンク制御チャネルリソースを介して前記半永続的ＣＳＩレポートを受信する、請求項３７に記載の方法。
【請求項４２】
方法であって、
第１の帯域幅部分に関する半永続的ＣＳＩレポートのための半永続的チャネル状態情報（ＣＳＩ）レポート構成のアクティブ化を示す媒体アクセス制御制御要素を受信することと、
前記媒体アクセス制御制御要素を受信した後、または受信することに応答して、前記半永続的ＣＳＩレポート構成のうちの１つ以上のパラメータに基づいて前記半永続的ＣＳＩレポートを伝送することと、
アクティブな帯域幅部分として前記第１の帯域幅部分から第２の帯域幅部分への切り替えを示す第１のダウンリンク制御情報を受信することと、
前記第１のダウンリンク制御情報を受信した後、または受信することに応答して、前記半永続的ＣＳＩレポートの前記伝送を中断することと、を含む方法。
【請求項４３】
方法であって、
第１の帯域幅部分で半永続的ＣＳＩレポート構成の半永続的ＣＳＩレポートを伝送することと、
アクティブな帯域幅部分として前記第１の帯域幅部分から第２の帯域幅部分への切り替えを示す第１のダウンリンク制御情報を受信することと、
前記第１のダウンリンク制御情報を受信した後、または受信することに応答して、前記半永続的ＣＳＩレポートの前記伝送を中断することと、
前記アクティブな帯域幅部分として前記第１の帯域幅部分への切り替えを示す第２のダウンリンク制御情報を受信することと、
前記第２のダウンリンク制御情報を受信した後、または受信することに応答して、前記半永続的ＣＳＩレポートを伝送することと、を含む方法。
【請求項４４】
前記前記半永続的ＣＳＩレポート構成のアクティブ化を示す媒体アクセス制御制御要素を受信することと、
前記媒体アクセス制御制御要素を受信した後、または受信することに応答して、前記半永続的ＣＳＩレポート構成をアクティブ化することと、をさらに含む、請求項４３に記載の方法。
【請求項４５】
方法であって、
アクティブな帯域幅部分として第１の帯域幅部分から第２の帯域幅部分への切り替えを示す第１のダウンリンク制御情報を受信することと、
前記第１のダウンリンク制御情報を受信した後、または受信することに応答して、前記第１の帯域幅部分に関する半永続的ＣＳＩレポートの伝送を中断することと、
前記アクティブな帯域幅部分として前記第１の帯域幅部分への切り替えを示す第２のダウンリンク制御情報を受信することと、
前記第２のダウンリンク制御情報を受信した後、または受信することに応答して、前記第１の帯域幅部分に関する前記半永続的ＣＳＩレポートを伝送することと、を含む方法。
【請求項４６】
半永続的ＣＳＩレポート構成のアクティブ化を示す媒体アクセス制御制御要素を受信することと、
前記媒体アクセス制御制御要素を受信した後、または受信することに応答して、前記半永続的ＣＳＩレポート構成をアクティブ化することと、
前記半永続的ＣＳＩレポート構成に基づいて前記半永続的ＣＳＩレポートを伝送することと、をさらに含む、請求項４５に記載の方法。
【請求項４７】
方法であって、
セルの構成パラメータを含む１つ以上のメッセージを受信することであって、前記構成パラメータが、第１のＢＷＰで１つ以上の半永続的ＣＳＩレポート構成を示す、受信することと、
前記１つ以上の半永続的ＣＳＩレポート構成のうちの１つのアクティブ化を示す媒体アクセス制御制御要素を受信することと、
前記媒体アクセス制御制御要素を受信した後、または受信することに応答して、前記１つ以上の半永続的ＣＳＩレポート構成のうちの前記１つをアクティブ化することと、
前記第１のＢＷＰで、前記１つ以上の半永続的ＣＳＩレポート構成のうちの前記１つに基づいて半永続的ＣＳＩレポートを伝送することと、
アクティブなＢＷＰとして前記第１のＢＷＰから第２のＢＷＰへの切り替えを示すダウンリンク制御情報を受信することと、
前記ダウンリンク制御情報を受信した後、または受信することに応答して、前記半永続的ＣＳＩレポートの前記伝送を中断することと、を含む方法。
【請求項４８】
前記アクティブなＢＷＰとして前記第１のＢＷＰへの切り替えを示す第２のダウンリンク制御情報を受信することと、
前記第２のダウンリンク制御情報を受信した後、または受信することに応答して、前記第１のＢＷＰに関する前記半永続的ＣＳＩレポートを伝送することと、をさらに含む、請求項４７に記載の方法。
【請求項４９】
方法であって、
無線デバイスによって、第１の帯域幅部分の半永続的ＣＳＩレポート構成のアクティブ化を示す第１のダウンリンク制御情報を受信することと、
前記第１のダウンリンク制御情報を受信した後、または受信することに応答して、前記半永続的ＣＳＩレポート構成をアクティブ化することと、
前記第１の帯域幅部分で、前記半永続的ＣＳＩレポート構成に基づいてＣＳＩレポートを伝送することと、
アクティブな帯域幅部分として前記第１の帯域幅部分から第２の帯域幅部分への切り替えを示す第２のダウンリンク制御情報を受信することと、
前記第１のダウンリンク制御情報を受信した後、または受信することに応答して、前記ＣＳＩレポートの前記伝送を停止することと、
少なくとも第３のダウンリンク制御情報を受信することであって、前記第３のダウンリンク制御情報が、
前記アクティブな帯域幅部分として前記第２の帯域幅部分から前記第１の帯域幅部分へ切り替えること、および
前記半永続的ＣＳＩレポート構成の前記アクティブ化を示す、受信することと、
前記少なくとも前記第３のダウンリンク制御情報を受信した後、または受信することに応答して、前記第１の帯域幅部分に関する前記ＣＳＩレポートを伝送することと、を含む、方法。
【請求項５０】
方法であって、
無線デバイスによって、第１の帯域幅部分の半永続的ＣＳＩレポート構成のアクティブ化を示す第１のダウンリンク制御情報を受信することと、
前記第１のダウンリンク制御情報を受信した後、または受信することに応答して、前記半永続的ＣＳＩレポート構成をアクティブ化することと、
前記第１の帯域幅部分で、前記半永続的ＣＳＩレポート構成に基づいてＣＳＩレポートを伝送することと、
アクティブな帯域幅部分として前記第１の帯域幅部分から第２の帯域幅部分への切り替えを示す第２のダウンリンク制御情報を受信することと、
前記第１のダウンリンク制御情報を受信した後、または受信することに応答して、前記第１の帯域幅部分に対する前記ＣＳＩレポートの前記伝送を停止することと、
少なくとも第３のダウンリンク制御情報を受信することであって、前記第３のダウンリンク制御情報が、
前記アクティブな帯域幅部分として前記第２の帯域幅部分から前記第１の帯域幅部分へ切り替えること、および
前記半永続的ＣＳＩレポート構成の前記アクティブ化を示す、受信することと、
前記少なくとも前記第３のダウンリンク制御情報を受信した後、または受信することに応答して、前記第１の帯域幅部分に対する前記ＣＳＩレポートを伝送することと、を含む、方法。
【請求項５１】
方法であって、
第１の帯域幅部分の半永続的ＣＳＩレポート構成のアクティブ化を示す第１のダウンリンク制御情報を受信することと、
第１のダウンリンク制御情報を受信した後、または受信することに応答して、前記第１の帯域幅部分を介して、前記半永続的ＣＳＩレポート構成に基づいて半永続的ＣＳＩレポートを伝送することと、
アクティブな帯域幅部分として前記第１の帯域幅部分から第２の帯域幅部分への切り替えを示す第２のダウンリンク制御情報を受信することと、
前記第２のダウンリンク制御情報を受信した後、または受信することに応答して、前記第１の帯域幅部分を介した前記半永続的ＣＳＩレポートの前記伝送を非アクティブ化することと、を含む方法。
【請求項５２】
前記アクティブな帯域幅部分として前記第１の帯域幅部分への切り替えを示す第３のダウンリンク制御情報を受信することと、
前記半永続的ＣＳＩレポート構成の再アクティブ化を示す第４のダウンリンク制御情報を受信することと、
前記第３のダウンリンク制御情報および前記第４のダウンリンク制御情報に応答して、前記第１の帯域幅部分を介して前記半永続的ＣＳＩレポートを伝送することと、をさらに含む、請求項５１に記載の方法。
【請求項５３】
少なくとも第３のダウンリンク制御情報を受信することであって、前記第３のダウンリンク制御情報が、
前記アクティブな帯域幅部分として前記第１の帯域幅部分へ切り替えること、および
前記半永続的ＣＳＩレポート構成の前記アクティブ化、を示す、受信することと、
前記少なくとも前記第３のダウンリンク制御情報を受信した後、または受信することに応答して、前記第１の帯域幅部分を介して前記半永続的ＣＳＩレポートを伝送することと、をさらに含む、請求項５１〜５２に記載の方法。
【請求項５４】
方法であって、
セルの構成パラメータを含む１つ以上のメッセージを受信することであって、
前記セルが、第１のダウンリンク帯域幅部分（ＢＷＰ）、第２のダウンリンクＢＷＰ、および少なくとも１つのアップリンクＢＷＰを含み、
前記構成パラメータが、
前記第１のダウンリンクＢＷＰの第１のチャネル状態情報レポートのための、前記少なくとも１つのアップリンクＢＷＰ上の第１のアップリンク制御チャネルリソースの第１のパラメータと、
前記第２のダウンリンクＢＷＰの第２のチャネル状態情報レポートのための、前記少なくとも１つのアップリンクＢＷＰ上の第２のアップリンク制御チャネルリソースの第２のパラメータと、を含む、受信することと、
前記少なくとも１つのアップリンクＢＷＰのアップリンクＢＷＰ上の前記第１のアップリンク制御チャネルリソースを介して、前記第１のダウンリンクＢＷＰの前記第１のチャネル状態情報レポートを伝送することと、
アクティブＢＷＰとして前記第１のダウンリンクＢＷＰから前記第２のダウンリンクＢＷＰへ切り替えることと、
前記切り替え後、前記少なくとも１つのアップリンクＢＷＰの前記アップリンクＢＷＰ上の前記第２のアップリンク制御チャネルリソースを介して前記第２のダウンリンクＢＷＰの前記第２のチャネル状態情報レポートを伝送することと、を含む方法。
【請求項５５】
前記構成パラメータが、前記第１のダウンリンクＢＷＰのうちの１つ以上のＢＷＰパラメータをさらに含み、前記１つ以上のＢＷＰパラメータが、
周波数位置のパラメータ、
帯域幅の値、
サブキャリア間隔の値、および
サイクリックプレフィックスの値、のうちの少なくとも１つを含む、請求項５４に記載の方法。
【請求項５６】
前記構成パラメータが、前記第２のダウンリンクＢＷＰのうちの１つ以上のＢＷＰパラメータをさらに含み、前記１つ以上のＢＷＰパラメータが、
周波数位置のパラメータ、
帯域幅の値、
サブキャリア間隔の値、および
サイクリックプレフィックスの値、のうちの少なくとも１つを含む、請求項５４〜５５のいずれかに記載の方法。
【請求項５７】
前記第１のダウンリンクＢＷＰを前記アクティブなＢＷＰとしてアクティブ化することをさらに含む、請求項５４〜５６のいずれかに記載の方法。
【請求項５８】
前記第１のチャネル状態情報レポートが、前記第１のダウンリンクＢＷＰを示すＢＷＰ識別子を含む、請求項５４〜５７のいずれかに記載の方法。
【請求項５９】
前記第２のチャネル状態情報レポートが、前記第２のダウンリンクＢＷＰを示すＢＷＰ識別子を含む、請求項５４〜５８のいずれかに記載の方法。
【請求項６０】
少なくとも１つの前記第１のチャネル状態情報レポートまたは前記第２のチャネル状態情報レポートが、
チャネル品質インジケータの値、
プリコーディング行列インデックスの値、
ランクインジケータの値、または
レイヤ１基準信号受信電力の値、のうちの少なくとも１つを含む、請求項５４〜５９のいずれかに記載の方法。
【請求項６１】
前記アクティブＢＷＰとして前記第２のダウンリンクＢＷＰへの切り替えを示すダウンリンク制御情報を受信することに応答して、前記第２のダウンリンクＢＷＰのダウンリンク制御チャネルを監視することをさらに含む、請求項５４〜６０のいずれかに記載の方法。
【請求項６２】
前記第１のチャネル状態情報レポートが、
前記第１のダウンリンクＢＷＰの１つ以上の基準信号時間リソース構成と、
前記第１のダウンリンクＢＷＰの１つ以上の基準信号周波数リソース構成と、に基づく、請求項５４〜６１のいずれかに記載の方法。
【請求項６３】
前記第２のチャネル状態情報レポートが、
前記第２のダウンリンクＢＷＰの１つ以上の基準信号時間リソース構成と、
前記第２のダウンリンクＢＷＰの１つ以上の基準信号周波数リソース構成と、に基づく、請求項５４〜６２のいずれかに記載の方法。
【請求項６４】
前記切り替えが、前記アクティブなＢＷＰとして前記第１のダウンリンクＢＷＰから前記第２のダウンリンクＢＷＰへの切り替えを示すダウンリンク制御情報を受信することに応答する、請求項５４〜６３のいずれかに記載の方法。
【請求項６５】
第１のチャネル状態情報レポート構成のアクティブ化を示すコマンドを受信することと、
前記コマンドに応答して、前記第１のチャネル状態情報レポートに対する前記第１のチャネル状態情報レポート構成をアクティブ化することと、をさらに含む、請求項５４〜６４のいずれかに記載の方法。
【請求項６６】
前記コマンドが、少なくとも媒体アクセス制御制御要素を含む、請求項６５に記載の方法。
【請求項６７】
前記コマンドが、少なくともダウンリンク制御情報を含む、請求項６５に記載の方法。
【請求項６８】
前記切り替えが、前記セルのＢＷＰ非アクティビティタイマの満了に応答する、請求項５４〜６５のいずれかに記載の方法。
【請求項６９】
前記第２のダウンリンクＢＷＰが、デフォルトのＢＷＰである、請求項６８に記載の方法。
【請求項７０】
前記ＢＷＰ非アクティビティタイマが、ＲＲＣメッセージで構成される、請求項６８に記載の方法。
【請求項７１】
第２のチャネル状態情報レポート構成のアクティブ化を示すコマンドを受信することと、
前記コマンドを受信することに応答して、前記第２のチャネル状態情報レポートに対する前記第２のチャネル状態情報レポート構成をアクティブ化することと、をさらに含む、請求項５４〜６５または請求項６８のいずれかに記載の方法。
【請求項７２】
前記コマンドが、少なくとも媒体アクセス制御制御要素を含む、請求項７１に記載の方法。
【請求項７３】
前記コマンドが、少なくともダウンリンク制御情報を含む、請求項７１に記載の方法。
【請求項７４】
無線デバイスであって、
１つ以上のプロセッサと、
命令を記憶するメモリと、を備え、前記命令は、前記１つ以上のプロセッサによって実行されると、前記無線デバイスに、
セルの構成パラメータを含む１つ以上のメッセージを受信することであって、
前記セルが、第１のダウンリンクＢＷＰ、第２のダウンリンクＢＷＰ、および少なくとも１つのアップリンクＢＷＰを含み、
前記構成パラメータが、
前記第１のダウンリンクＢＷＰの第１のチャネル状態情報レポートのための、前記少なくとも１つのアップリンクＢＷＰ上の第１のアップリンク制御チャネルリソースの第１のパラメータと、
前記第２のダウンリンクＢＷＰの第２のチャネル状態情報レポートのための、前記少なくとも１つのアップリンクＢＷＰ上の第２のアップリンク制御チャネルリソースの第２のパラメータと、を含む、受信することと、
前記少なくとも１つのアップリンクＢＷＰのアップリンクＢＷＰ上の前記第１のアップリンク制御チャネルリソースを介して、前記第１のダウンリンクＢＷＰの前記第１のチャネル状態情報レポートを伝送することと、
アクティブＢＷＰとして前記第１のダウンリンクＢＷＰから前記第２のダウンリンクＢＷＰへ切り替えることと、
前記切り替え後、前記少なくとも１つのアップリンクＢＷＰの前記アップリンクＢＷＰ上の前記第２のアップリンク制御チャネルリソースを介して前記第２のダウンリンクＢＷＰの前記第２のチャネル状態情報レポートを伝送することと、を行わせる、無線デバイス。
【請求項７５】
方法であって、
基地局から無線デバイスに、セルの構成パラメータを含む１つ以上のメッセージを伝送することであって、
前記セルが、第１のダウンリンク帯域幅部分（ＢＷＰ）、第２のダウンリンクＢＷＰ、および少なくとも１つのアップリンクＢＷＰを含み、
前記構成パラメータが、
前記第１のダウンリンクＢＷＰの第１のチャネル状態情報レポートのための、前記少なくとも１つのアップリンクＢＷＰ上の第１のアップリンク制御チャネルリソースの第１のパラメータと、
前記第２のダウンリンクＢＷＰの第２のチャネル状態情報レポートのための、前記少なくとも１つのアップリンクＢＷＰ上の第２のアップリンク制御チャネルリソースの第２のパラメータと、を含む、伝送することと、
前記無線デバイスから、前記少なくとも１つのアップリンクＢＷＰのアップリンクＢＷＰ上の前記第１のアップリンク制御チャネルリソースを介して、前記第１のダウンリンクＢＷＰの前記第１のチャネル状態情報レポートを受信することと、
前記無線デバイスに対して前記第２のダウンリンクＢＷＰをアクティブ状態に切り替えることと、
前記無線デバイスから、前記切り替え後、前記少なくとも１つのアップリンクＢＷＰの前記アップリンクＢＷＰ上の前記第２のアップリンク制御チャネルリソースを介して前記第２のダウンリンクＢＷＰの前記第２のチャネル状態情報レポートを受信することと、を含む方法。
【請求項７６】
前記構成パラメータが、前記第１のダウンリンクＢＷＰの１つ以上のＢＷＰパラメータをさらに含み、前記１つ以上のＢＷＰパラメータが、
周波数位置のパラメータ、
帯域幅の値、
サブキャリア間隔の値、および
サイクリックプレフィックスの値、のうちの少なくとも１つを含む、請求項７５に記載の方法。
【請求項７７】
前記構成パラメータが、前記第２のダウンリンクＢＷＰの１つ以上のＢＷＰパラメータをさらに含み、前記１つ以上のＢＷＰパラメータが、
周波数位置のパラメータ、
帯域幅の値、
サブキャリア間隔の値、および
サイクリックプレフィックスの値、のうちの少なくとも１つを含む、請求項７５〜７６のいずれかに記載の方法。
【請求項７８】
前記無線デバイスに対して前記アクティブなＢＷＰとして前記第１のダウンリンクＢＷＰをアクティブ化することをさらに含む、請求項７５〜７７のいずれかに記載の方法。
【請求項７９】
前記第１のチャネル状態情報レポートが、前記第１のダウンリンクＢＷＰを示すＢＷＰ識別子を含む、請求項７５〜７８のいずれかに記載の方法。
【請求項８０】
前記第２のチャネル状態情報レポートが、前記第２のダウンリンクＢＷＰを示すＢＷＰ識別子を含む、請求項７５〜７９のいずれかに記載の方法。
【請求項８１】
前記第１のチャネル状態情報レポートまたは前記第２のチャネル状態情報レポートのうちの少なくとも１つが、
チャネル品質インジケータの値、
プリコーディング行列インデックスの値、
ランクインジケータの値、または
レイヤ１基準信号受信電力の値、のうちの少なくとも１つを含む、請求項７５〜８０のいずれかに記載の方法。
【請求項８２】
アクティブＢＷＰとして前記第２のダウンリンクＢＷＰへの切り替えを示すダウンリンク制御情報を伝送することに応答して、前記第２のダウンリンクＢＷＰのダウンリンク制御チャネルを伝送することをさらに含む、請求項７５〜８１のいずれかに記載の方法。
【請求項８３】
前記第１のチャネル状態情報レポートが、
前記第１のダウンリンクＢＷＰの１つ以上の基準信号時間リソース構成と、
前記第１のダウンリンクＢＷＰの１つ以上の基準信号周波数リソース構成と、に基づく、請求項７５〜８２のいずれかに記載の方法。
【請求項８４】
前記第２のチャネル状態情報レポートが、
前記第２のダウンリンクＢＷＰの１つ以上の基準信号時間リソース構成と、
前記第２のダウンリンクＢＷＰの１つ以上の基準信号周波数リソース構成と、に基づく、請求項７５〜８３のいずれかに記載の方法。
【請求項８５】
前記切り替えが、アクティブなＢＷＰとして前記第１のダウンリンクＢＷＰから前記第２のダウンリンクＢＷＰへの切り替えを示すダウンリンク制御情報を伝送することに応答する、請求項７５〜８４のいずれかに記載の方法。
【請求項８６】
第１のチャネル状態情報レポートのための第１のチャネル状態情報レポート構成のアクティブ化を示すコマンドを伝送することと、
前記コマンドに応答して、前記第１のチャネル状態情報レポートに対する前記第１のチャネル状態情報レポート構成をアクティブ化することと、のうちの少なくとも１つをさらに含む、請求項７５〜８５のいずれかに記載の方法。
【請求項８７】
前記コマンドが、少なくとも媒体アクセス制御制御要素を含む、請求項８６に記載の方法。
【請求項８８】
前記コマンドが、少なくともダウンリンク制御情報を含む、請求項８６に記載の方法。
【請求項８９】
前記切り替えが、前記セルのＢＷＰ非アクティビティタイマの満了に応答する、請求項７５〜８６のいずれかに記載の方法。
【請求項９０】
前記第２のダウンリンクＢＷＰが、デフォルトのＢＷＰである、請求項８９に記載の方法。
【請求項９１】
前記ＢＷＰ非アクティビティタイマが、ＲＲＣメッセージで構成される、請求項８９に記載の方法。
【請求項９２】
前記無線デバイスに対する前記第２のチャネル状態情報レポートに対する第２のチャネル状態情報レポート構成のアクティブ化を示すコマンドを伝送することと、
前記コマンドを伝送することに応答して、前記第２のチャネル状態情報レポートに対する前記第２のチャネル状態情報レポート構成をアクティブ化することと、のうちの少なくとも１つをさらに含む、請求項７５〜８６または請求項８９のいずれかに記載の方法。
【請求項９３】
前記コマンドが、少なくとも媒体アクセス制御制御要素を含む、請求項９２に記載の方法。
【請求項９４】
前記コマンドが、少なくともダウンリンク制御情報を含む、請求項９２に記載の方法。
【請求項９５】
方法であって、
無線デバイスによって、セルの第１のダウンリンクＢＷＰの第１の半永続的ＣＳＩ構成、および前記セルの第２のダウンリンクＢＷＰの第２の半永続的ＣＳＩ構成をアクティブ化することと、
アップリンクＢＷＰ上の第１のアップリンク制御チャネルリソースを介して、前記第１のダウンリンクＢＷＰの前記第１の半永続的ＣＳＩ構成に対する第１の半永続的ＣＳＩレポートを伝送することと、
アクティブなＢＷＰとして前記第１のダウンリンクＢＷＰから第２のダウンリンクＢＷＰへ切り替えることと、
前記切り替え後、前記アップリンクＢＷＰ上の第２のアップリンク制御チャネルリソースを介して、前記第２のダウンリンクＢＷＰの前記第２の半永続的ＣＳＩ構成に対する第２の半永続的ＣＳＩレポートを伝送することと、を含む方法。
【請求項９６】
方法であって、
無線デバイスによって、アップリンクＢＷＰ上の第１のアップリンク制御チャネルリソースを介して、セルの第１のダウンリンクＢＷＰに対する第１の半永続的ＣＳＩレポートを伝送することと、
アクティブなＢＷＰとして前記第１のダウンリンクＢＷＰから前記セルの第２のダウンリンクＢＷＰへ切り替えることと、
前記切り替え後、前記アップリンクＢＷＰ上の第２のアップリンク制御チャネルリソースを介して、前記第２のダウンリンクＢＷＰに対する第２の半永続的ＣＳＩレポートを伝送することと、を含む方法。
【発明の詳細な説明】
【技術分野】
【０００１】
関連出願の相互参照
本出願は、２０１７年１１月１６日に出願された米国仮特許出願第６２／５８７，０７４号、および２０１７年１１月１６日に出願された米国仮特許出願第６２／５８７，１６５号の利益を主張し、これらは参照によりその全体が本明細書に組み込まれる。
【発明の概要】
【課題を解決するための手段】
【０００２】
本発明の例示的な実施形態は、キャリアアグリゲーションの動作を可能にする。本明細書で開示される技術の実施形態は、マルチキャリア通信システムの技術分野で用いられてもよい。より具体的には、本明細書で開示される技術の実施形態は、マルチキャリア通信システムにおける信号伝送に関連し得る。
【図面の簡単な説明】
【０００３】
本発明の様々な実施形態のうちのいくつかの例が、図面を参照して本明細書に記載される。
【０００４】
【図１】本開示の一実施形態の一局面によるＯＦＤＭサブキャリアの例示的なセットを示す図である。
【図２】本開示の一実施形態の一局面によるキャリアグループ内の２つのキャリアに関する例示的な伝送時間および受信時間を示す図である。
【図３】本開示の一実施形態の一態様によるＯＦＤＭ無線リソースを描写する図である。
【図４】本開示の一実施形態の一態様による基地局および無線デバイスのブロック図である。
【図５Ａ】本開示の一実施形態の一局面によるアップリンクおよびダウンリンク信号伝送の例示的な図である。
【図５Ｂ】本開示の一実施形態の一局面によるアップリンクおよびダウンリンク信号伝送の例示的な図である。
【図５Ｃ】本開示の一実施形態の一局面によるアップリンクおよびダウンリンク信号伝送の例示的な図である。
【図５Ｄ】本開示の一実施形態の一局面によるアップリンクおよびダウンリンク信号伝送の例示的な図である。
【図６】本開示の一実施形態の一態様による、マルチ接続性を有するプロトコル構造の例示的な図である。
【図７】本開示の一実施形態の一局面によるＣＡおよびＤＣを用いたプロトコル構成の例示的な図である。
【図８】本開示の一実施形態の一局面による例示的なＴＡＧ構造を示している。
【図９】本開示の一実施形態の一局面によるセカンダリＴＡＧにおけるランダムアクセスプロセスの例示的なメッセージフローである。
【図１０Ａ】本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１０Ｂ】本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１１Ａ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｂ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｃ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｄ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｅ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｆ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１２Ａ】本開示の一実施形態の一態様による、緊密なインターワーキングベアラの無線プロトコル構造の例示的な図である。
【図１２Ｂ】本開示の一実施形態の一態様による、緊密なインターワーキングベアラの無線プロトコル構造の例示的な図である。
【図１２Ｃ】本開示の一実施形態の一態様による、緊密なインターワーキングベアラの無線プロトコル構造の例示的な図である。
【図１３Ａ】本開示の一実施形態の一態様によるｇＮＢ展開シナリオの例示的な図である。
【図１３Ｂ】本開示の一実施形態の一態様によるｇＮＢ展開シナリオの例示的な図である。
【図１４】本開示の一実施形態の一態様による、集中型ｇＮＢ展開シナリオの機能分割オプション例に対する例示的な図である。
【図１５】本開示の一実施形態の一態様による、同期信号ブロック伝送に対する例示的な図である。
【図１６Ａ】本開示の一実施形態の一態様による、ランダムアクセスプロシージャの例示的な図である。
【図１６Ｂ】本開示の一実施形態の一態様による、ランダムアクセスプロシージャの例示的な図である。
【図１７】本開示の一実施形態の一態様による、ＲＡＲを含むＭＡＣ  ＰＤＵの例示的な図である。
【図１８Ａ】は、本開示の実施形態の態様による、ＲＡＲ  ＭＡＣ  ＣＥの例示的な図である。
【図１８Ｂ】は、本開示の実施形態の態様による、ＲＡＲ  ＭＡＣ  ＣＥの例示的な図である。
【図１８Ｃ】は、本開示の実施形態の態様による、ＲＡＲ  ＭＡＣ  ＣＥの例示的な図である。
【図１９】本開示の一実施形態の一態様による、マルチビームを用いて構成されたときのランダムアクセスプロシージャの例示的な図である。
【図２０】本開示の一実施形態の一態様による、マルチビームを用いて構成されたときのチャネル状態情報基準信号伝送の実施例である。
【図２１】本開示の一実施形態の一態様による、マルチビームを用いて構成されたときのチャネル状態情報基準信号伝送の実施例である。
【図２２】本開示の一実施形態の一態様による、様々なビーム管理プロシージャの実施例である。
【図２３Ａ】本開示の一実施形態の一態様による伝送受信ポイント（ＴＲＰ）におけるダウンリンクビーム障害シナリオの例示的な図である。
【図２３Ｂ】本開示の一実施形態の一態様による複数のＴＲＰにおけるダウンリンクビーム障害シナリオの例示的な図である。
【図２４Ａ】本開示の一実施形態の一態様による、セカンダリアクティブ化／非アクティブ化媒体アクセス制御制御要素（ＭＡＣ  ＣＥ）の例示的な図である。
【図２４Ｂ】本開示の一実施形態の一態様による、セカンダリアクティブ化／非アクティブ化ＭＡＣ  ＣＥの例示的な図である。
【図２５Ａ】は、本開示の一実施形態の一態様による、セカンダリセルのアクティブ化時のＣＳＩレポートのタイミングの例示的な図である。
【図２５Ｂ】は、本開示の一実施形態の一態様による、セカンダリセルのアクティブ化時のＣＳＩレポートのタイミングの例示的な図である。
【図２６】本開示の一実施形態の一態様による、ダウンリンク制御情報（ＤＣＩ）フォーマットの例示的な図である。
【図２７】本開示の一実施形態の一態様による、バンド幅部分（ＢＷＰ）構成の例示的な図である。
【図２８】本開示の一実施形態の一態様による、セカンダリセルにおけるＢＷＰ動作の例示的な図である。
【図２９】本開示の一実施形態の一態様による、様々なＣＳＩレポートメカニズムの例示的な図である。
【図３０】本開示の一実施形態の一態様による、半永続的ＣＳＩレポートメカニズムの例示的な図である。
【図３１】本開示の一実施形態の一態様による、半永続的ＣＳＩレポートメカニズムの例示的な図である。
【図３２】本開示の一実施形態の一態様による、半永続的ＣＳＩレポートメカニズムの例示的な図である。
【図３３】本開示の一実施形態の一態様による、半永続的ＣＳＩレポートメカニズムの例示的な図である。
【図３４】本開示の一実施形態の一態様による、半永続的ＣＳＩレポートおよびＣＳＩ−ＲＳ伝送メカニズムの例示的な図である。
【図３５】本開示の一実施形態の一態様による、半永続的ＣＳＩレポートおよびＣＳＩ−ＲＳ伝送メカニズムの例示的な図である。
【図３６】本開示の一実施形態の一態様による、半永続的ＣＳＩレポートメカニズムの例示的な図である。
【図３７】本開示の一実施形態の一態様による、半永続的ＣＳＩレポートメカニズムの例示的な図である。
【図３８】本開示の一実施形態の一態様による、ＢＷＰ切り替えを実行するときの半永続的ＣＳＩレポートメカニズムの例示的な図である。
【図３９】本開示の一実施形態の一態様による、ＢＷＰ切り替えを実行するときの半永続的ＣＳＩレポートメカニズムの例示的な図である。
【図４０】本開示の一実施形態の一態様による、ＢＷＰ切り替えを実行するときの半永続的ＣＳＩレポートメカニズムの例示的な図である。
【図４１】は、本開示の実施形態の態様による、ＢＷＰ切り替えを実行するときの半永続的ＣＳＩレポートメカニズムの例示的な図である。
【図４２】本開示の一実施形態の一態様の流れ図である。
【図４３】本開示の一実施形態の一態様の流れ図である。
【図４４】本開示の一実施形態の一態様の流れ図である。
【図４５】本開示の一実施形態の一態様の流れ図である。
【図４６】本開示の一実施形態の一態様の流れ図である。
【図４７】本開示の一実施形態の一態様の流れ図である。
【図４８】本開示の一実施形態の一態様の流れ図である。
【図４９】本開示の一実施形態の一態様の流れ図である。
【図５０】本開示の一実施形態の一態様の流れ図である。
【図５１】本開示の一実施形態の一態様の流れ図である。
【図５２】本開示の一実施形態の一態様の流れ図である。
【図５３】本開示の一実施形態の一態様の流れ図である。
【図５４】本開示の一実施形態の一態様の流れ図である。
【発明を実施するための形態】
【０００５】
以下の頭字語は、本開示全体で使用される。
【表１−１】
2021503231.tif 000003
【表１−２】
2021503231.tif 000004
【表１−３】
2021503231.tif 000005
【０００６】
本発明の例示的な実施形態は、様々な物理レイヤ変調および伝送メカニズムを使用して実装されてもよい。例示的な伝送メカニズムには、ＣＤＭＡ、ＯＦＤＭ、ＴＤＭＡ、ウェーブレット技術などが含まれるが、これらに限定されない。ＴＤＭＡ／ＣＤＭＡ、およびＯＦＤＭ／ＣＤＭＡなどのハイブリッド伝送メカニズムも用いられ得る。物理レイヤでの信号伝送には、様々な変調方式を適用することができる。変調方式の例としては、位相、振幅、コード、これらの組み合わせ、および／または同様のものが挙げられるが、これらに限定されない。例示的な無線伝送方法が、ＢＰＳＫ、ＱＰＳＫ、１６−ＱＡＭ、６４−ＱＡＭ、２５６−ＱＡＭ、１０２４−ＱＡＭおよび／または同等物を使用して、ＱＡＭを実装してもよい。物理的な無線伝送は、伝送要件と無線条件に応じて変調およびコーディング方式を動的または半動的に変更することにより強化することができる。
【０００７】
図１は、本発明の実施形態の一局面による、ＯＦＤＭサブキャリアの例示的セットを描写する略図である。本実施例に図示されるように、図内の矢印が、マルチキャリアＯＦＤＭシステム内のサブキャリアを示してもよい。ＯＦＤＭシステムは、ＯＦＤＭ技術、ＤＦＴＳ−ＯＦＤＭ、ＳＣ−ＯＦＤＭ技術などの技術を使用してもよい。例えば、矢印１０１は、サブキャリア伝送情報シンボルを示す。図１は、例解目的であり、典型的なマルチキャリアＯＦＤＭシステムは、キャリア内により多くのサブキャリアを含んでもよい。例えば、キャリア内のサブキャリアの数は、１０〜１０，０００サブキャリアの範囲内であってもよい。図１は、伝送バンド内の２つのガードバンド１０６および１０７を示す。図１に図示されるように、ガードバンド１０６は、サブキャリア１０３とサブキャリア１０４との間にある。サブキャリアＡ１０２の例示的なセットは、サブキャリア１０３と、サブキャリア１０４と、を含む。図１はまた、サブキャリアＢ１０５の例示的なセットを例解する。図示されるように、サブキャリアＢ１０５の例示的セット内には、任意の２つのサブキャリアの間にガードバンドが存在しない。マルチキャリアＯＦＤＭ通信システムのキャリアは、連続キャリア、非連続キャリア、または連続キャリアと非連続キャリアの両方の組み合わせであってもよい。
【０００８】
図２は、本開示の実施形態の一局面による、２つのキャリアに関する例示的な伝送時間および受信時間を示す図である。マルチキャリアＯＦＤＭ通信システムが、例えば、１〜１０の範囲のキャリアに及ぶ、１つ以上のキャリアを含んでもよい。キャリアＡ２０４およびキャリアＢ２０５は、同じまたは異なるタイミング構造を有してもよい。図２は、２つの同期されたキャリアを示すが、キャリアＡ２０４およびキャリアＢ２０５は、相互に同期されても、またはされなくてもよい。複数の異なる無線フレーム構造が、ＦＤＤおよびＴＤＤ複信メカニズムに対してサポートされてもよい。図２は、例示的なＦＤＤフレームタイミングを示す。ダウンリンクおよびアップリンク伝送が、無線フレーム２０１の中に編成されてもよい。この例では、無線フレーム継続期間は１０ミリ秒である。例えば、１〜１００ミリ秒の範囲の他のフレーム継続期間もサポートされ得る。この例では、各１０ミリ秒無線フレーム２０１は、１０個の同じサイズのサブフレーム２０２に分割されてもよい。０．５ミリ秒、１ミリ秒、２ミリ秒、および５ミリ秒などの、その他のサブフレーム継続時間もまた、サポートされてもよい。サブフレーム（複数可）は、２つ以上のスロット（例えば、スロット２０６および２０７）を含んでもよい。ＦＤＤの実施例の場合には、各１０ミリ秒間隔において、１０個のサブフレームが、ダウンリンク伝送のために利用可能であってもよく、１０個のサブフレームが、アップリンク伝送のために利用可能であってもよい。アップリンクとダウンリンクの伝送は、周波数領域で分離されてもよい。スロットは、通常のＣＰで最大６０ｋＨｚの同じサブキャリア間隔で７または１４ＯＦＤＭシンボルとすることができる。スロットは、通常のＣＰで６０ｋＨｚを超える同じサブキャリア間隔で１４ＯＦＤＭシンボルとすることができる。スロットには、全てのダウンリンク、全てのアップリンク、またはダウンリンク部分とアップリンク部分などを含めることができる。スロットアグリゲーションをサポートでき、例えば、１つまたは複数のスロットにまたがるようにデータ伝送をスケジュールすることができる。一実施例では、ミニスロットはサブフレーム内のＯＦＤＭシンボルで開始することができる。ミニスロットは、１つ以上のＯＦＤＭシンボルの継続期間を有することができる。スロットは、複数のＯＦＤＭシンボル２０３を含むことができる。スロット２０６内のＯＦＤＭシンボル２０３の数は、サイクリックプレフィックス長およびサブキャリア間隔に依存してもよい。
【０００９】
図３は、本開示の実施形態の一局面による、ＯＦＤＭ無線リソースを示す図である。時間３０４および周波数３０５におけるリソースグリッド構造が、図３に例解されている。ダウンリンクサブキャリアまたはＲＢの量は、セル内で構成されたダウンリンク伝送バンド幅３０６に、少なくとも部分的に依存し得る。最小無線リソースユニットが、リソース要素（例えば、３０１）と呼ばれてもよい。リソース要素は、リソースブロック（例えば、３０２）にグループ化され得る。リソースブロックは、リソースブロックグループ（ＲＢＧ）（例えば、３０３）と呼ばれるより大きい無線リソースにグループ化され得る。スロット２０６内で伝送される信号は、複数のサブキャリアおよび複数のＯＦＤＭシンボルのうちの１つまたはいくつかのリソースグリッドによって記述され得る。リソースブロックを使用して、特定の物理チャネルからリソース要素へのマッピングを記述することができる。物理リソース要素の他の事前定義されたグループ化は、無線技術に応じてシステムに実装することができる。例えば、２４のサブキャリアは、５ミリ秒の継続期間、無線ブロックとしてグループ化することができる。例示的な例では、リソースブロックは、時間領域の１つのスロットと周波数領域の１８０ｋＨｚに対応してもよい（１５ｋＨｚのサブキャリア帯域幅と１２のサブキャリアの場合）。
【００１０】
例示的な実施形態では、複数の数秘学がサポートされ得る。一実施例では、数秘学は、基本サブキャリア間隔を整数Ｎによりスケーリングすることによって導出され得る。一実施例では、スケーリング可能な数秘学は、少なくとも１５ｋＨｚ〜４８０ｋＨｚのサブキャリア間隔を可能にすることができる。１５ｋＨｚの数秘学と同じＣＰオーバーヘッドを持つ異なるサブキャリア間隔のスケーリングされた数秘学は、ＮＲキャリアで１ミリ秒ごとにシンボル境界に整合してもよい。
【００１１】
図５Ａ、図５Ｂ、図５Ｃ、および図５Ｄは、本開示の実施形態の一局面による、アップリンクおよびダウンリンク信号伝送のための例示的な図である。図５Ａは、例示的なアップリンク物理チャネルを示す。物理アップリンク共有チャネルを表すベースバンド信号は、以下のプロセスを実行することができる。これらの機能は、例として例解されており、他のメカニズムが様々な実施形態において実装され得ることが想定される。機能は、スクランブリング、複素数値シンボルを生成するためのスクランブリングされたビットの変調、１つまたはいくつかの伝送レイヤ上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＤＦＴＳ−ＯＦＤＭ／ＳＣ−ＦＤＭＡ信号の生成、および／または同等物を含んでもよい。
【００１２】
アンテナポート用の複素数値ＤＦＴＳ−ＯＦＤＭ／ＳＣ−ＦＤＭＡベースバンド信号および／または複素数値ＰＲＡＣＨベースバンド信号のキャリア周波数に対する例示的な変調およびアップコンバージョンが、図５Ｂに示されている。伝送前にフィルタリングを用いることができる。
【００１３】
ダウンリンク伝送のための例示的構造が、図５Ｃに示される。ダウンリンク物理チャネルを表すベースバンド信号は、以下のプロセスを実行し得る。これらの機能は、例として例解されており、他のメカニズムが様々な実施形態において実装され得ることが想定される。この機能は、物理チャネル上で伝送されるべきコードワード内の符号化されたビットのスクランブリング、複素数値変調シンボルを生成するためのスクランブルされたビットの変調、複素数値変調シンボルの１つまたはいくつかの伝送層上へのマッピング、アンテナポート上で伝送するために層上にある複素数値変調シンボルのプリコーディング、アンテナポートの複素数値変調シンボルのリソース要素へのマッピング、アンテナポート毎の複素数値時間領域ＯＦＤＭ信号の生成、および／または同様のものを含む。
【００１４】
アンテナポートの複素数値ＯＦＤＭベースバンド信号のキャリア周波数に対する例示的な変調およびアップコンバージョンが、図５Ｄに示されている。伝送前にフィルタリングを用いることができる。
【００１５】
図４は、本開示の実施形態の一局面による、基地局４０１および無線デバイス４０６の例示的ブロック図である。通信ネットワーク４００は、少なくとも１つの基地局４０１と、少なくとも１つの無線デバイス４０６とを含んでもよい。基地局４０１は、少なくとも１つの通信インターフェース４０２、少なくとも１つのプロセッサ４０３、および非一時的メモリ４０４に記憶され、少なくとも１つのプロセッサ４０３によって実行可能なプログラムコード命令４０５の少なくとも１つのセットを含むことができる。無線デバイス４０６は、少なくとも１つの通信インターフェース４０７、少なくとも１つのプロセッサ４０８、および非一時的メモリ４０９に記憶され、少なくとも１つのプロセッサ４０８によって実行可能なプログラムコード命令４１０の少なくとも１つのセットを含むことができる。基地局４０１の通信インターフェース４０２は、少なくとも１つの無線リンク４１１を含む通信経路を介して無線デバイス４０６の通信インターフェース４０７と通信するように構成されてもよい。無線リンク４１１は、双方向リンクとすることができる。無線デバイス４０６の通信インターフェース４０７は、基地局４０１の通信インターフェース４０２との通信に従事するように構成されてもよい。基地局４０１および無線デバイス４０６は、複数の周波数キャリアを使用して無線リンク４１１を介してデータを送受信するように構成されてもよい。実施形態の様々な態様のうちのいくつかによれば、送受信機が用いられてもよい。送受信機は、トランスミッタと受信機の両方を含むデバイスである。送受信機が、無線デバイス、基地局、中継ノード、および／または同等物等のデバイス内で用いられてもよい。通信インターフェース４０２、４０７、および無線リンク４１１において実装される無線技術に関する例示的な実施形態が、例解され、図１、図２、図３、図５、および関連するテキストである。
【００１６】
インターフェースは、ハードウェアインターフェース、ファームウェアインターフェース、ソフトウェアインターフェース、および／またはそれらの組み合わせであってもよい。ハードウェアインターフェースは、コネクタ、ワイヤ、ドライバなどの電子デバイス、アンプなどを含むことができる。ソフトウェアインターフェースは、プロトコル、プロトコル層、通信ドライバ、デバイスドライバ、それらの組み合わせなどを実装するためにメモリデバイスに記憶されたコードを含んでもよい。ファームウェアインターフェースには、接続、電子デバイス動作、プロトコル、プロトコル層、通信ドライバ、デバイスドライバ、ハードウェア動作、それらの組み合わせなどを実装するために、メモリデバイスに記憶された、および／またはメモリデバイスと通信して埋め込まれたハードウェアとコードの組み合わせを含んでもよい。
【００１７】
用語「構成された」は、デバイスが動作状態にあるか非動作状態にあるかにかかわらず、デバイスの容量に関連する場合がある。「構成された」とは、デバイスが動作状態にあるか非動作状態にあるかにかかわらず、デバイスの動作特性に影響するデバイスの特定の設定を指す場合もある。換言すれば、ハードウェア、ソフトウェア、ファームウェア、レジスタ、メモリ値などは、デバイスが特定の特性を提供するために、デバイスが動作状態または非動作状態にあるかどうかにかかわらず、デバイス内で「構成」され得る。「デバイスで発生する制御メッセージ」などの用語は、デバイスが動作状態か非動作状態かにかかわらず、制御メッセージにデバイスの特定の特性を構成するために使用することができるパラメータがあることを意味する場合がある。
【００１８】
実施形態の様々な態様のいくつかによれば、５Ｇネットワークは多数の基地局を含むことができ、無線デバイスに向けてユーザプレーンＮＲ  ＰＤＣＰ／ＮＲ  ＲＬＣ／ＮＲ  ＭＡＣ／ＮＲ  ＰＨＹおよび制御プレーン（ＮＲ  ＲＲＣ）プロトコル終端を提供する。基地局（複数可）は、他の基地局（複数可）と相互接続されてもよい（例えば、Ｘｎインターフェースを使用する）。基地局はまた、例えば、ＮＧインターフェースを使用して、ＮＧＣに接続され得る。図１０Ａおよび図１０Ｂは、本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。例えば、基地局は、ＮＧ−Ｃインターフェースを使用するＮＧＣ制御プレーン（例えば、ＮＧ  ＣＰ）に、およびＮＧ−Ｕインターフェースを使用するＮＧＣユーザプレーン（例えば、ＵＰＧＷ）に相互接続されてもよい。ＮＧインターフェースは、５Ｇコアネットワークと基地局間の多対多の関係をサポートすることができる。
【００１９】
基地局には、例えば、１、２、３、４、または６つのセクタなど、多くのセクタが含まれる場合がある。基地局は、例えば１〜５０個以上のセルの範囲の多くのセルを含むことができる。セルは、例えば、プライマリセルまたはセカンダリセルとして、分類され得る。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。このセルは、プライマリセル（ＰＣｅｌｌ）と呼ばれることがある。ダウンリンクでは、ＰＣｅｌｌに対応するキャリアはダウンリンクプライマリコンポーネントキャリア（ＤＬ  ＰＣＣ）とし、アップリンクでは、アップリンクプライマリコンポーネントキャリア（ＵＬ  ＰＣＣ）とすることができる。無線デバイスの機能に応じて、セカンダリセル（ＳＣｅｌｌ）は、ＰＣｅｌｌとサービングセルのセットを一緒に形成するように構成することができる。ダウンリンクでは、ＳＣｅｌｌに対応するキャリアはダウンリンクセカンダリコンポーネントキャリア（ＤＬ  ＳＣＣ）であり、アップリンクではアップリンクセカンダリコンポーネントキャリア（ＵＬ  ＳＣＣ）である。ＳＣｅｌｌには、アップリンクキャリアを有する場合と有しない場合がある。
【００２０】
ダウンリンクキャリアとオプションのアップリンクキャリアを含むセルには、物理セルＩＤとセルインデックスを割り当てることができる。キャリア（ダウンリンクまたはアップリンク）は１つのセルにのみ属することができる。セルＩＤまたはセルインデックスは、セルのダウンリンクキャリアまたはアップリンクキャリアも（使用されるコンテキストに応じて）識別することができる。本明細書では、セルＩＤは、キャリアＩＤと等しく呼ばれてもよく、セルインデックスは、キャリアインデックスと呼ばれてもよい。実装態様では、物理セルＩＤまたはセルインデックスをセルに割り当てることができる。セルＩＤは、ダウンリンクキャリアで伝送される同期信号を使用して決定されてもよい。セルインデックスは、ＲＲＣメッセージを使用して決定されてもよい。例えば、仕様が第１のダウンリンクキャリアの第１の物理セルＩＤを指す場合、仕様は、第１のダウンリンクキャリアを含むセルの第１の物理セルＩＤを意味する場合がある。同じ概念が、例えば、キャリアのアクティブ化に適用される場合がある。仕様が第１のキャリアがアクティブになっていることを示している場合、その仕様は、第１のキャリアを含むセルがアクティブになっていることを等しく意味する場合がある。
【００２１】
実施形態は、必要に応じて動作するように構成されてもよい。開示されたメカニズムは、例えば、無線デバイス、基地局、無線環境、ネットワーク、上記の組み合わせなどで、特定の基準が満たされたときに実行され得る。例示的な基準は、例えば、トラフィック負荷、初期システム設定、パケットサイズ、トラフィック特性、上記の組み合わせなどに少なくとも部分的に基づいてもよい。１つ以上の基準が満たされると、様々な例示的な実施形態が適用され得る。したがって、開示されたプロトコルを選択的に実装する例示的な実施形態を実装することが可能であり得る。
【００２２】
基地局は、様々な無線デバイスと通信することができる。無線デバイスは、複数のテクノロジー、および／または同じテクノロジーの複数のリリースをサポートすることができる。無線デバイスは、その無線デバイスのカテゴリおよび／または機能に応じて、特定の機能を有してもよい。基地局は、複数のセクタを含んでもよい。本開示が複数の無線デバイスと通信する基地局に言及する場合、本開示は、カバレッジエリア内の全無線デバイスのサブセットに言及し得る。本開示は、例えば、所定の能力を備え、基地局の所定のセクタにある、所定のＬＴＥまたは５Ｇリリースの複数の無線デバイスに言及し得る。本開示における複数の無線デバイスは、選択された複数の無線デバイス、および／または開示された方法などに従って実行するカバレッジエリア内の全無線デバイスのサブセットを指し得る。例えば、それらの無線デバイスは、ＬＴＥまたは５Ｇ技術の古いリリースに基づいて実行されるため、開示された方法に準拠しない場合があるカバレッジエリアに複数の無線デバイスが存在し得る。
【００２３】
図６および図７は、本開示の一実施形態の一態様による、ＣＡおよびマルチコネクティビティを用いたプロトコル構造の例示的な図である。ＮＲは、マルチコネクティビティ動作をサポートすることができ、それによって、ＲＲＣ＿ＣＯＮＮＥＣＴＥＤ内の複数のＲＸ／ＴＸＵＥは、Ｘｎインターフェース上の非理想的または理想的バックホールを介して接続された複数のｇＮＢ内に置かれた複数のスケジューラによって提供される無線リソースを利用するように構成され得る。特定のＵＥに対してマルチコネクティビティ内で必要とされるｇＮＢは、２つの異なる役割を引き受けることができ、すなわち、ｇＮＢは、マスタｇＮＢとして、またはセカンダリｇＮＢとしてのどちらかの役割を果たすことができる。マルチコネクティビティでは、各ＵＥは、１つのマスタｇＮＢ、および１つ以上のセカンダリｇＮＢに接続され得る。図７は、マスタセルグループ（ＭＣＧ）およびセカンダリセルグループ（ＳＣＧ）が構成された場合に、ＵＥ側ＭＡＣエンティティの１つの例示的な構造を例解しており、その構造は、実装態様を限定しなくてもよい。メディアブロードキャストマルチキャストサービス（ＭＢＭＳ）受信は、簡単にするためにこの図には示されていない。
【００２４】
マルチ接続では、特定のベアラが使用する無線プロトコルアーキテクチャは、ベアラの設定によって異なる場合がある。図６に示されるように、ＭＣＧベアラ、ＳＣＧベアラ、および分割ベアラの３つの実施例が含まれる。ＮＲ  ＲＲＣは、マスタｇＮＢ内に配置されてもよく、ＳＲＢは、ＭＣＧベアラタイプとして構成されてもよく、マスタｇＮＢの無線リソースを使用してもよい。マルチコネクティビティはまた、セカンダリｇＮＢにより提供される無線リソースを使用するように構成された少なくとも１つのベアラを有するものとして、説明されることができる。マルチコネクティビティは、本開示の例示的な実施形態では、構成／実装されても、されなくてもよい。
【００２５】
マルチ接続の場合、ＵＥは、複数のＮＲ  ＭＡＣエンティティ（マスタｇＮＢの１つのＮＲ  ＭＡＣエンティティ、およびセカンダリｇＮＢのその他のＮＲ  ＭＡＣエンティティ）で構成することができる。マルチコネクティビティでは、ＵＥのために構成されたサービングセルのセットは、２つのサブセット、すなわち、マスタｇＮＢのサービングセルを収容するマスタセルグループ（ＭＣＧ）、およびセカンダリｇＮＢのサービングセルを収容するセカンダリセルグループ（ＳＣＧ）から構成され得る。ＳＣＧの場合、以下のうちの１つ以上が、適用されてもよく、すなわち、ＳＣＧ内の少なくとも１つのセルが、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）  ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止され、マスタ基地局は、ＳＣＧ故障タイプについてＵＥによって通知されてもよく、分割ベアラの場合には、マスタｇＮＢにわたるＤＬデータ転送が、維持され、ＮＲ  ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更、またはＳＣＧおよび分割ベアラの同時構成は、サポートされても、されなくてもよい。
【００２６】
マルチコネクティビティの場合のマスタｇＮＢとセカンダリｇＮＢ間の相互作用に関しては、以下の原理のうちの１つ以上が、適用されてもよく、すなわち、マスタｇＮＢは、ＵＥのＲＲＭ測定構成を維持してもよく、（例えば、受信された測定レポート、またはトラフィック条件、またはベアラ型に基づいて）、ＵＥのための追加のリソース（サービングセル）を提供するように、セカンダリｇＮＢに依頼することを決定してもよく、マスタｇＮＢからの要求を受信する際、セカンダリｇＮＢが、ＵＥのために追加したサービングセルの構成に結果としてなり得るコンテナを作り出す（またはそのように作り出すのに利用可能なリソースを有していないことを判定する）ことができ、ＵＥ機能と連係するために、マスタｇＮＢは、ＡＳ構成およびＵＥ機能（の一部）をセカンダリｇＮＢに提供してもよく、マスタｇＮＢおよびセカンダリｇＮＢは、Ｘｎメッセージ内で搬送されるＮＲ  ＲＲＣコンテナ（ノード間メッセージ）の採用によって、ＵＥ構成についての情報を交換してもよく、セカンダリｇＮＢは、その既存のサービングセル（例えば、セカンダリｇＮＢに向かうＰＵＣＣＨ）の再構成を開始してもよく、セカンダリｇＮＢが、どのセルが、ＳＣＧ内のＰＳＣｅｌｌであるかを決定してもよく、マスタｇＮＢは、セカンダリｇＮＢによって提供されたＮＲ  ＲＲＣ構成の内容を変更しても、しなくてもよく、ＳＣＧ追加およびＳＣＧ  ＳＣｅｌｌ追加の場合には、マスタｇＮＢは、ＳＣＧセル（複数可）のための最新の測定結果を提供してもよく、マスタｇＮＢおよびセカンダリｇＮＢの両方が、ＯＡＭ（例えば、測定ギャップのＤＲＸアライメントおよび識別）により、互いのＳＦＮおよびサブフレームオフセットを認識してもよい。一実施例では、新しいＳＣＧ  ＳＣｅｌｌを追加するとき、ＳＣＧのＰＳＣｅｌｌのＭＩＢから取得したＳＦＮを除いて、ＣＡに関してセルの必要なシステム情報を送信するために専用ＮＲ  ＲＲＣシグナリングを使用できる。
【００２７】
一実施例では、サービングセルは、ＴＡグループ（ＴＡＧ）にグループ化することができる。１つのＴＡＧのサービングセルは、同じタイミング基準を使用できる。所定のＴＡＧについて、ユーザ機器（ＵＥ）は少なくとも１つのダウンリンクキャリアをタイミング基準として使用できる。所定のＴＡＧについて、ＵＥは同じＴＡＧに属するアップリンクキャリアのアップリンクサブフレームとフレーム伝送タイミングを同期させることができる。一実施例では、同じＴＡが適用されるアップリンクを有するサービングセルは、同じ受信機によってホストされるサービングセルに対応してもよい。複数のＴＡをサポートするＵＥは、２つ以上のＴＡグループをサポートすることができる。１つのＴＡグループにはＰＣｅｌｌが含まれ、プライマリＴＡＧ（ｐＴＡＧ）と呼ばれる場合がある。複数のＴＡＧ構成では、少なくとも１つのＴＡグループにＰＣｅｌｌが含まれず、セカンダリＴＡＧ（ｓＴＡＧ）と呼ばれる場合がある。一実施例では、同じＴＡグループ内のキャリアは、同じＴＡ値および／または同じタイミング基準を使用してもよい。ＤＣが構成されている場合、セルグループ（ＭＣＧまたはＳＣＧ）に属するセルは、ｐＴＡＧと１つ以上のｓＴＡＧを含む複数のＴＡＧにグループ化することができる。
【００２８】
図８は、本開示の実施形態の一局面による例示的なＴＡＧ構成を示す。実施例１では、ｐＴＡＧは、ＰＣｅｌｌを含み、ｓＴＡＧは、ＳＣｅｌｌ１を含む。例２では、ｐＴＡＧはＰＣｅｌｌとＳＣｅｌｌ１を含み、ｓＴＡＧはＳＣｅｌｌ２とＳＣｅｌｌ３を含む。例３では、ｐＴＡＧはＰＣｅｌｌとＳＣｅｌｌ１を含み、ｓＴＡＧ１はＳＣｅｌｌ２とＳＣｅｌｌ３を含み、ｓＴＡＧ２はＳＣｅｌｌ４を含む。セルグループ（ＭＣＧまたはＳＣＧ）で最大４つのＴＡＧをサポートすることができ、他のＴＡＧ構成の例も提供することができる。本開示の様々な例では、例示的なメカニズムがｐＴＡＧおよびｓＴＡＧについて説明されている。メカニズムの例のいくつかは、複数のｓＴＡＧを有する構成に適用することができる。
【００２９】
一実施例では、ｅＮＢは、アクティブ化されたＳＣｅｌｌに対するＰＤＣＣＨ指令を介してＲＡプロシージャを開始することができる。このＰＤＣＣＨ指令は、このＳＣｅｌｌのスケジューリングセル上で送信することができる。セルにクロスキャリアスケジューリングが構成されている場合、スケジューリングセルはプリアンブル伝送に用いられるセルとは異なる場合があり、ＰＤＣＣＨ指令にはＳＣｅｌｌインデックスが含まれる場合がある。少なくとも非競合ベースのＲＡプロシージャは、ｓＴＡＧに割り当てられたＳＣｅｌｌでサポートされ得る。
【００３０】
図９は、本発明の一実施形態の一局面による、セカンダリＴＡＧ内のランダムアクセスプロセスにおける例示的メッセージフローである。ｅＮＢは、アクティブ化コマンド９００を伝送し、ＳＣｅｌｌをアクティブ化する。プリアンブル９０２（Ｍｓｇ１）が、ｓＴＡＧに属するＳＣｅｌｌ上のＰＤＣＣＨ順序９０１に応答して、ＵＥによって送信されてもよい。例示的な実施形態では、ＳＣｅｌｌに関するプリアンブル伝送は、ＰＤＣＣＨフォーマット１Ａを使用して、ネットワークによって制御され得る。ＳＣｅｌｌ上のプリアンブル伝送に応答したＭｓｇ２メッセージ９０３（ＲＡＲ：ランダムアクセス応答）は、ＰＣｅｌｌ共通検索空間（ＣＳＳ）内のＲＡ−ＲＮＴＩにアドレス指定され得る。アップリンクパケット９０４が、プリアンブルが伝送されたＳＣｅｌｌ上で伝送されてもよい。
【００３１】
実施形態の様々な態様のいくつかによれば、ランダムアクセスプロシージャを通じて初期タイミングアライメントを達成することができる。これには、ランダムアクセスプリアンブルを伝送するＵＥと、ランダムアクセス応答ウィンドウ内で、初期ＴＡコマンドＮＴＡ（タイミングアドバンスの量）で応答するｅＮＢが含まれる。ランダムアクセスプリアンブルの開始は、ＮＴＡ＝０と仮定して、ＵＥでの対応するアップリンクサブフレームの開始と整合させることができる。ｅＮＢは、ＵＥによって伝送されたランダムアクセスプリアンブルからアップリンクタイミングを推定することができる。ＴＡコマンドは、所望のＵＬタイミングと実際のＵＬタイミング間の差の推定に基づいてｅＮＢによって導出されてもよい。ＵＥは、プリアンブルが伝送されるｓＴＡＧの対応するダウンリンクに対する初期アップリンク伝送タイミングを決定することができる。
【００３２】
サービングセルのＴＡＧへのマッピングは、ＲＲＣシグナリングを備えたサービングｅＮＢによって構成することができる。ＴＡＧ構成および再構成のメカニズムは、ＲＲＣシグナリングに基づいてもよい。実施形態の様々な態様のうちのいくつかによれば、ｅＮＢがＳＣｅｌｌ追加構成を実行するとき、関連するＴＡＧ構成がＳＣｅｌｌ用に構成されてもよい。例示的な実施形態では、ｅＮＢは、ＳＣｅｌｌを除去（解放）し、更新されたＴＡＧ  ＩＤで新しいＳＣｅｌｌ（同じ物理セルＩＤおよび周波数を有する）を追加（構成）することにより、ＳＣｅｌｌのＴＡＧ構成を修正することができる。更新されたＴＡＧ  ＩＤを持つ新しいＳＣｅｌｌは、更新されたＴＡＧ  ＩＤが割り当てられた後、最初は非アクティブであってもよい。ｅＮＢは、更新された新しいＳＣｅｌｌをアクティブ化し、アクティブ化されたＳＣｅｌｌ上でパケットのスケジューリングを開始することができる。例示的実装態様では、ＳＣｅｌｌに関連付けられているＴＡＧを変更できない場合があるが、ＳＣｅｌｌを削除し、新しいＳＣｅｌｌを他のＴＡＧに追加する必要があり得る。例えば、ＳＣｅｌｌをｓＴＡＧからｐＴＡＧに移動する必要がある場合、少なくとも１つのＲＲＣメッセージ、例えば少なくとも１つのＲＲＣ再構成メッセージをＵＥに送信して、ＳＣｅｌｌを解放することによってＴＡＧ構成を再構成し、次に、ＳＣｅｌｌをｐＴＡＧの一部として構成することができる（ＴＡＧインデックスなしでＳＣｅｌｌを追加／構成する場合、ＳＣｅｌｌをｐＴＡＧに明示的に割り当てることができる）。ＰＣｅｌｌはそのＴＡグループを変更せず、ｐＴＡＧのメンバーである場合がある。
【００３３】
ＲＲＣ接続再構成プロシージャの目的は、ＲＲＣ接続を修正すること（例えば、ＲＢを確立、修正、および／または解放すること、ハンドオーバを実行すること、測定値を設定、修正、および／または解放すること、ＳＣｅｌｌを追加、修正、および／または解放すること）であり得る。受信されたＲＲＣ接続再構成メッセージが、ｓＣｅｌｌＴｏＲｅｌｅａｓｅＬｉｓｔを含む場合、ＵＥが、ＳＣｅｌｌ解放を行ってもよい。受信したＲＲＣ接続再構成メッセージにｓＣｅｌｌＴｏＡｄｄＭｏｄＬｉｓｔが含まれている場合、ＵＥはＳＣｅｌｌの追加または修正を実行することができる。
【００３４】
ＬＴＥ  リリース−１０およびリリース−１１  ＣＡでは、ＰＵＣＣＨはＰＣｅｌｌ（ＰＳＣｅｌｌ）でのみｅＮＢに伝送される。ＬＴＥ−リリース１２以前では、ＵＥは１つのセル（ＰＣｅｌｌまたはＰＳＣｅｌｌ）上でＰＵＣＣＨ情報を所定のｅＮＢに伝送することができる。
【００３５】
ＣＡ対応ＵＥの数および集約されたキャリアの数も増加すると、ＰＵＣＣＨの数およびＰＵＣＣＨペイロードサイズも増加する可能性がある。ＰＣｅｌｌでＰＵＣＣＨ伝送に対応すると、ＰＣｅｌｌで高いＰＵＣＣＨ負荷が発生する可能性がある。ＳＣｅｌｌ上のＰＵＣＣＨを導入して、ＰＣｅｌｌからＰＵＣＣＨリソースをオフロードすることができる。例えば、ＰＣｅｌｌ上のＰＵＣＣＨとＳＣｅｌｌ上の他のＰＵＣＣＨなど、２つ以上のＰＵＣＣＨを構成することができる。例示的な実施形態では、ＣＳＩ／ＡＣＫ／ＮＡＣＫを基地局に伝送するためのＰＵＣＣＨリソースで１つ、２つ、またはそれより多くのセルを構成することができる。セルは複数のＰＵＣＣＨグループにグループ化することができ、グループ内の１つ以上のセルはＰＵＣＣＨで構成することができる。構成例では、１つのＳＣｅｌｌが１つのＰＵＣＣＨグループに属する場合がある。基地局に伝送される構成されたＰＵＣＣＨを有するＳＣｅｌｌは、ＰＵＣＣＨ  ＳＣｅｌｌと呼ばれる場合があり、同じ基地局に伝送された共通のＰＵＣＣＨリソースを有するセルグループは、ＰＵＣＣＨグループと呼ばれる場合がある。
【００３６】
例示的な実施形態では、ＭＡＣエンティティは、ＴＡＧごとに構成可能なタイマｔｉｍｅＡｌｉｇｎｍｅｎｔＴｉｍｅｒを有することができる。ｔｉｍｅＡｌｉｇｎｍｅｎｔＴｉｍｅｒは、ＭＡＣエンティティが関連するＴＡＧに属するサービングセルをアップリンクの時間整合されていると見なす時間を制御するために使用することができる。ＭＡＣエンティティは、タイミングアドバンスコマンドのＭＡＣ制御要素を受信すると、指定されたＴＡＧにタイミングアドバンスコマンドを適用して、指定されたＴＡＧに関連付けられたｔｉｍｅＡｌｉｇｎｍｅｎｔＴｉｍｅｒを開始または再起動することができる。ＭＡＣエンティティは、ＴＡＧに属するサービングセルのランダムアクセス応答メッセージでタイミングアドバンスコマンドを受信した場合、および／またはランダムアクセスプリアンブルがＭＡＣエンティティによって選択されなかった場合、このＴＡＧにタイミングアドバンスコマンドを適用して、このＴＡＧに関連付けられたｔｉｍｅＡｌｉｇｎｍｅｎｔＴｉｍｅｒを開始または再起動することができる。そうではなく、このＴＡＧに関連付けられたｔｉｍｅＡｌｉｇｎｍｅｎｔＴｉｍｅｒが実行されていない場合、このＴＡＧのタイミングアドバンスコマンドが適用され、このＴＡＧに関連付けられたｔｉｍｅＡｌｉｇｎｍｅｎｔＴｉｍｅｒが開始され得る。競合解決が成功しなかったと見なされると、このＴＡＧに関連付けられたｔｉｍｅＡｌｉｇｎｍｅｎｔＴｉｍｅｒが停止する場合がある。そうでない場合、ＭＡＣエンティティは受信したタイミングアドバンスコマンドを無視する場合がある。
【００３７】
例示的な実施形態では、タイマは、開始されると、停止されるか期限切れになるまで実行されるか、そうでない場合、実行されていない場合がある。タイマは、実行されていない場合は開始でき、実行中の場合は再起動することができる。例えば、タイマは、初期値から開始または再起動することができる。
【００３８】
本開示の例示的実施形態は、マルチキャリア通信を実行可能としてもよい。他の例示的実施形態は、マルチキャリア通信を実行させるために、１つ以上のプロセッサによって実行可能な複数の命令を備える、非一時的な有形のコンピュータ可読媒体を備えてもよい。さらに他の例示的な実施形態は、プログラマブルハードウェアが、デバイス（例えば、無線通信機、ＵＥ、基地局など）にマルチキャリア通信を行わせることを可能にする命令がコード化されている非一時的な有形のコンピュータ可読機械アクセス可能媒体を備える製品を含んでもよい。デバイスは、プロセッサ、メモリ、インターフェース、および／または同等物を含み得る。他の例示的な実施形態は、基地局、無線デバイス（またはユーザ機器：ＵＥ）、サーバ、スイッチ、アンテナなどのデバイスを含む通信ネットワークを含むことができる。
【００３９】
図１１Ａ、図１１Ｂ、図１１Ｃ、図１１Ｄ、図１１Ｅ、および図１１Ｆは、本開示の一実施形態の一態様による、５Ｇ  ＲＡＮとＬＴＥ  ＲＡＮとの間の緊密なインターワーキングのアーキテクチャの例示的な図である。この緊密なインターワーキングにより、ＲＲＣ＿ＣＯＮＮＥＣＴＥＤ内の複数のＲＸ／ＴＸＵＥが、ＬＴＥ  ｅＮＢとｇＮＢとの間のＸｘインターフェース、またはｅＬＴＥ  ｅＮＢとｇＮＢとの間のＸｎインターフェース上の非理想的もしくは理想的バックホールを介して接続された２つの基地局（例えば（ｅ）ＬＴＥ  ｅＮＢおよびｇＮＢ）内に置かれた２つのスケジューラによって提供される無線リソースを利用するように構成されることを可能にすることができる。特定のＵＥに関する緊密なインターワーキングで使用される基地局は、２つの異なる役割を引き受けることができ、すなわち、基地局は、マスタ基地局として、またはセカンダリ基地局としてのどちらかの役割をも果たすことができる。緊密な相互作用では、ＵＥは１つのマスタ基地局と１つのセカンダリ基地局に接続される。緊密な相互作用で実装されるメカニズムは、３つ以上の基地局をカバーするように拡張されてもよい。
【００４０】
図１１Ａおよび図１１Ｂでは、マスタ基地局は、ＬＴＥ  ｅＮＢとしてもよく、当該ＬＴＥ  ｅＮＢは、ＥＰＣノード（例えば、Ｓ１−Ｃインターフェースを介してＭＭＥに、およびＳ１−Ｕインターフェースを介してＳ−ＧＷに）に接続されてもよく、セカンダリ基地局は、ｇＮＢとしてもよく、当該ｇＮＢは、Ｘｘ−Ｃインターフェースを介した、ＬＴＥ  ｅＮＢへの制御プレーン接続を有するノンスタンドアローンノードであってもよい。図１１Ａの緊密なインターワーキングアーキテクチャでは、ｇＮＢに関するユーザプレーンは、ＬＴＥ  ｅＮＢとｇＮＢとの間のＸｘ−Ｕインターフェース、およびＬＴＥ  ｅＮＢとＳ−ＧＷとの間のＳ１−Ｕインターフェースを介して、ＬＴＥ  ｅＮＢを通ってＳ−ＧＷに接続されてもよい。図１１Ｂのアーキテクチャでは、ｇＮＢに関するユーザプレーンは、ｇＮＢとＳ−ＧＷとの間のＳ１−Ｕインターフェースを介してＳ−ＧＷに直接接続されてもよい。
【００４１】
図１１Ｃおよび図１１Ｄでは、マスタ基地局は、ｇＮＢであってもよく、当該ｇＮＢは、ＮＧＣノードに（例えば、ＮＧ−Ｃインターフェースを介して制御プレーンコアノードに、およびＮＧ−Ｕインターフェースを介してユーザプレーンコアノードに）接続されてもよく、セカンダリ基地局は、ｅＬＴＥ  ｅＮＢであってもよく、当該ｅＬＴＥ  ｅＮＢは、Ｘｎ−Ｃインターフェースを介した、ｇＮＢへの制御プレーン接続を有するノンスタンドアローンノードであってもよい。図１１Ｃの緊密なインターワーキングアーキテクチャでは、ｅＬＴＥ  ｅＮＢに関するユーザプレーンは、ｅＬＴＥ  ｅＮＢとｇＮＢとの間のＸｎ−Ｕインターフェース、およびｇＮＢとユーザプレーンコアノードとの間のＮＧ−Ｕインターフェースを介して、ｇＮＢを通るユーザプレーンコアノードに接続されてもよい。図１１Ｄのアーキテクチャでは、ｅＬＴＥ  ｅＮＢに関するユーザプレーンは、ｅＬＴＥ  ｅＮＢとユーザプレーンコアノードとの間のＮＧ−Ｕインターフェースを介してユーザプレーンコアノードに直接接続されてもよい。
【００４２】
図１１Ｅおよび図１１Ｆでは、マスタ基地局は、ｅＬＴＥ  ｅＮＢであってもよく、当該ｅＬＴＥ  ｅＮＢは、ＮＧＣノード（例えば、ＮＧ−Ｃインターフェースを介して制御プレーンコアノードに、およびＮＧ−Ｕインターフェースを介してユーザプレーンコアノード）に接続されてもよく、セカンダリ基地局は、ｇＮＢであってもよく、当該ｇＮＢは、Ｘｎ−Ｃインターフェースを介したｅＬＴＥ  ｅＮＢへの制御プレーン接続を有するノンスタンドアローンノードであってもよい。図１１Ｅの緊密なインターワーキングアーキテクチャでは、ｇＮＢに関するユーザプレーンは、ｅＬＴＥ  ｅＮＢとｇＮＢとの間のＸｎ−Ｕインターフェース、およびｅＬＴＥ  ｅＮＢとユーザプレーンコアノードとの間のＮＧ−Ｕインターフェースを介して、ｅＬＴＥ  ｅＮＢを通るユーザプレーンコアノードに接続されてもよい。図１１Ｆのアーキテクチャでは、ｇＮＢに関するユーザプレーンは、ｇＮＢとユーザプレーンコアノードとの間のＮＧ−Ｕインターフェースを介して、ユーザプレーンコアノードに直接接続されてもよい。
【００４３】
図１２Ａ、図１２Ｂ、および図１２Ｃは、本開示の一実施形態の一態様による、緊密なインターワーキングベアラの無線プロトコル構造の例示的な図である。図１２Ａでは、ＬＴＥ  ｅＮＢが、マスタ基地局であってもよく、ｇＮＢが、セカンダリ基地局であってもよい。図１２Ｂでは、ｇＮＢが、マスタ基地局であってもよく、ｅＬＴＥ  ｅＮＢが、セカンダリ基地局であってもよい。図１２Ｃでは、ｅＬＴＥ  ｅＮＢが、マスタ基地局であってもよく、ｇＮＢが、セカンダリ基地局であってもよい。５Ｇネットワークでは、特定のベアラが使用する無線プロトコルアーキテクチャは、ベアラがどのように設定されるかに依存し得る。図１２Ａ、図１２Ｂ、および図１２Ｃに示されるように、ＭＣＧベアラ、ＳＣＧベアラ、および分割ベアラのベアラの３つの実施例が含まれる。ＮＲ  ＲＲＣは、マスタ基地局内に配置されてもよく、ＳＲＢは、ＭＣＧベアラタイプとして構成されてもよく、マスタ基地局の無線リソースを使用してもよい。緊密なインターワーキングはまた、セカンダリ基地局によって提供された無線リソースを使用するように構成された少なくとも１つのベアラを有するものとしても説明され得る。緊密なインターワーキングは、本開示の例示的な実施形態では、構成／実装されても、されなくてもよい。
【００４４】
緊密な相互作用の場合、ＵＥは２つのＭＡＣエンティティで構成することができ、１つのＭＡＣエンティティはマスタ基地局用であり、もう１つのＭＡＣエンティティは、セカンダリ基地局用である。緊密なインターワーキングでは、ＵＥのために構成されたサービングセルのセットは、２つのサブセット、すなわちマスタ基地局のサービングセルを収容するマスタセルグループ（ＭＣＧ）、およびセカンダリ基地局のサービングセルを収容するセカンダリセルグループ（ＳＣＧ）から成り得る。ＳＣＧの場合、以下のうちの１つ以上が、適用されてもよく、すなわち、ＳＣＧ内の少なくとも１つのセルは、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）  ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャが、トリガされなくてもよく、ＳＣＧのセルに向かうＵＬ伝送が、停止され、マスタ基地局が、ＳＣＧ故障タイプについてＵＥによって通知されてもよく、分割ベアラの場合には、マスタ基地局にわたるＤＬデータ転送が、維持され、ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更も、またはＳＣＧおよび分割ベアラの同時構成もまた、サポートされない。
【００４５】
マスタ基地局とセカンダリ基地局間の相互作用に関して、次の原則のうちの１つ以上、すなわち、マスタ基地局は、ＵＥのＲＲＭ測定構成を維持し、（例えば、受信した測定レポート、トラフィック状態、またはベアラタイプに基づいて）、セカンダリ基地局にＵＥに追加のリソース（サービングセル）を提供するよう依頼することを決定する、マスタ基地局から要求を受信すると、セカンダリ基地局は、ＵＥの追加のサービングセルの構成をもたらすコンテナを作成する（または、利用可能なリソースがないと判断する）ことができる、ＵＥ機能調整の場合、マスタ基地局はＡＳ構成とＵＥ機能（およびそれらの一部）をセカンダリ基地局に提供することができる、マスタ基地局とセカンダリ基地局は、ＸｎまたはＸｘメッセージで搬送されるＲＲＣコンテナ（ノード間メッセージ）を用いることにより、ＵＥ構成に関する情報を交換することができる、セカンダリ基地局は、その既存のサービングセルの再構成を開始することができる（例えば、セカンダリ基地局へのＰＵＣＣＨ）、セカンダリ基地局は、どのセルがＳＣＧ内のＰＳＣｅｌｌであるかを決定することができる、マスタ基地局は、セカンダリ基地局によって提供されるＲＲＣ構成の内容を変更しない場合がある、ＳＣＧの追加およびＳＣＧ  ＳＣｅｌｌの追加の場合、マスタ基地局はＳＣＧセルの最新の測定結果を提供することができる、マスタ基地局およびセカンダリ基地局の両方が、ＯＡＭによって互いのＳＦＮとサブフレームオフセットを知っている場合がある（例えば、ＤＲＸアライメントと測定ギャップの識別のため）、を適用することができる。一実施例では、新しいＳＣＧ  ＳＣｅｌｌを追加するとき、ＳＣＧのＰＳＣｅｌｌのＭＩＢから取得したＳＦＮを除いて、ＣＡの場合にセルの必要なシステム情報を送信するために専用ＲＲＣシグナリングを使用することができる。
【００４６】
図１３Ａおよび図１３Ｂは、本開示の一実施形態の一態様によるｇＮＢ展開シナリオの例示的な図である。図１３Ａの非集中型展開シナリオでは、全プロトコルスタック（例えば、ＮＲ  ＲＲＣ、ＮＲ  ＰＤＣＰ、ＮＲ  ＲＬＣ、ＮＲ  ＭＡＣ、およびＮＲ  ＰＨＹ）は、１つのノードでサポートされ得る。図１３Ｂの集中型展開シナリオでは、ｇＮＢの上位レイヤは、集約基地局（ＣＵ）に配置されてもよく、ｇＮＢの下位レイヤは、分散基地局（ＤＵ）に配置されてもよい。ＣＵおよびＤＵを接続するＣＵ−ＤＵインターフェース（例えば、Ｆｓインターフェース）は、理想的または非理想的であってもよい。Ｆｓ−Ｃは、Ｆｓインターフェース上に制御プレーン接続を提供してもよく、Ｆｓ−Ｕは、Ｆｓインターフェース上にユーザプレーン接続を提供してもよい。中央型配備では、ＣＵとＤＵで異なるプロトコル層（ＲＡＮ機能）を位置づけることにより、ＣＵとＤＵ間で異なる機能スプリットオプションが可能になる場合がある。機能スプリットは、サービス要件やネットワーク環境に応じて、ＣＵとＤＵとの間でＲＡＮ機能を移動する柔軟性をサポートすることができる。機能スプリットオプションは、Ｆｓインターフェースの設定プロシージャ後の動作中に変更される場合があり、または、Ｆｓ設定プロシージャ（つまり、Ｆｓ設定プロシージャ後の動作中の静的）中でのみ変更される場合がある。
【００４７】
図１４は、本開示の一実施形態の一態様による、集中型ｇＮＢ展開シナリオの異なる機能分割オプション例に関する例示的な図である。分割オプション例１では、ＮＲ  ＲＲＣは、ＣＵ内にあってもよく、ＮＲ  ＰＤＣＰ、ＮＲ  ＲＬＣ、ＮＲ  ＭＡＣ、ＮＲ  ＰＨＹ、およびＲＦは、ＤＵ内にあってもよい。スプリットオプションの例２では、ＮＲ  ＲＲＣおよびＮＲ  ＰＤＣＰはＣＵにあり得、ＮＲ  ＲＬＣ、ＮＲ  ＭＡＣ、ＮＲ  ＰＨＹ、およびＲＦはＤＵにあり得る。スプリットオプションの例３では、ＮＲ  ＲＲＣ、ＮＲ  ＰＤＣＰ、およびＮＲ  ＲＬＣの部分的な機能はＣＵにあり得、ＮＲ  ＲＬＣ、ＮＲ  ＭＡＣ、ＮＲ  ＰＨＹ、およびＲＦの他の部分的な機能はＤＵにあり得る。スプリットオプションの例４では、ＮＲ  ＲＲＣ、ＮＲ  ＰＤＣＰ、およびＮＲ  ＲＬＣはＣＵにあり得、ＮＲ  ＭＡＣ、ＮＲ  ＰＨＹ、およびＲＦはＤＵにあり得る。スプリットオプション例の５では、ＮＲ  ＲＲＣ、ＮＲ  ＰＤＣＰ、ＮＲ  ＲＬＣ、およびＮＲ  ＭＡＣの部分的な機能はＣＵにあり得、ＮＲ  ＭＡＣ、ＮＲ  ＰＨＹ、およびＲＦの他の部分的な機能はＤＵにあり得る。スプリットオプションの例６では、ＮＲ  ＲＲＣ、ＮＲ  ＰＤＣＰ、ＮＲ  ＲＬＣ、およびＮＲ  ＭＡＣはＣＵにあり得、ＮＲ  ＰＨＹおよびＲＦはＤＵにあり得る。スプリットオプションの例７では、ＮＲ  ＲＲＣ、ＮＲ  ＰＤＣＰ、ＮＲ  ＲＬＣ、ＮＲ  ＭＡＣ、およびＮＲ  ＰＨＹの部分的な機能がＣＵにあり得、ＮＲ  ＰＨＹおよびＲＦの他の部分的な機能がＤＵにあり得る。スプリットオプションの例８では、ＮＲ  ＲＲＣ、ＮＲ  ＰＤＣＰ、ＮＲ  ＲＬＣ、ＮＲ  ＭＡＣ、およびＮＲ  ＰＨＹはＣＵにあり得、ＲＦはＤＵにあり得る。
【００４８】
機能スプリットは、ＣＵごと、ＤＵごと、ＵＥごと、ベアラごと、スライスごと、または他の粒度で構成されてもよい。ＣＵ毎の分割では、ＣＵは、固定された分割を有してもよく、ＤＵは、ＣＵの分割オプションに一致するように構成されてもよい。ＤＵ毎の分割では、ＤＵは、異なる分割で構成されてもよく、ＣＵは、異なるＤＵに対して異なる分割オプションを提供してもよい。ＵＥ毎の分割では、ｇＮＢ（ＣＵおよびＤＵ）は、異なるＵＥに対して異なる分割オプションを提供してもよい。ベアラごとのスプリットでは、異なるベアラタイプに異なるスプリットオプションを使用することができる。スライスごとのスプライスでは、異なるスライスに異なるスプリットオプションを適用することができる。
【００４９】
例示的な実施形態では、新無線アクセスネットワーク（新ＲＡＮ）は異なるネットワークスライスをサポートし、エンドツーエンドスコープで異なるサービス要件をサポートするようにカスタマイズされた差別化された処理を可能にし得る。新しいＲＡＮは、事前に構成され得る異なるネットワークスライスのために、差別化されたトラフィック処理を提供することができ、シングルＲＡＮノードが複数のスライスをサポートすることを可能にし得る。新ＲＡＮは、ＵＥまたはＮＧＣ（例えば、ＮＧ  ＣＰ）により提供される１つ以上のスライスＩＤ（複数可）またはＮＳＳＡＩ（複数可）によって、所与のネットワークスライスに対するＲＡＮ部分の選択をサポートし得る。スライスＩＤ（複数可）またはＮＳＳＡＩ（複数可）は、ＰＬＭＮ内の事前に構成されたネットワークスライスのうちの１つ以上を識別することができる。初期アタッチの場合、ＵＥは、スライスＩＤおよび／またはＮＳＳＡＩを提供することができ、ＲＡＮノード（例えば、ｇＮＢ）は、初期ＮＡＳ信号伝達をＮＧＣ制御プレーン機能（例えば、ＮＧ  ＣＰ）にルーティングするために、スライスＩＤまたはＮＳＳＡＩを使用することができる。ＵＥが、いずれのスライスＩＤまたはＮＳＳＡＩも提供しない場合、ＲＡＮノードは、ＮＡＳ信号伝達をデフォルトのＮＧＣ制御プレーン機能に送信することができる。後続のアクセスでは、ＵＥはスライス識別用の一時ＩＤを提供することができ、スライス識別はＮＧＣ制御プレーン機能によって割り当てられ、ＲＡＮノードがＮＡＳメッセージを関連するＮＧＣ制御プレーン機能にルーティングすることができるようにする。新ＲＡＮは、スライス間のリソース分離をサポートすることができる。ＲＡＮリソース分離は、１つのスライス内の共有リソースの不足が他のスライスのサービスレベルアグリーメントに違反することを回避することで実現することができる。
【００５０】
セルラネットワークを介して搬送されるデータトラフィックの量は、今後何年も増加すると予想されている。ユーザ／デバイスの数は、増大しており、各ユーザ／デバイスは、益々多くなる様々なサービス、例えば、ビデオ配信、大きなファイル、画像にアクセスする。これにより、ネットワークの大容量だけでなく、双方向性および応答性に関する消費者の期待に応える超高速データレートの提供が要求される。したがって、携帯電話事業者が増加する需要を満たすためには、より多くのスペクトルが必要である。シームレスなモビリティとともに高いデータレートに対するユーザの期待を考慮すると、セルラシステムのスモールセルと同様にマクロセルを展開するためにより多くのスペクトルを利用できるようにすることが有益である。
【００５１】
市場の需要に応えるために、無認可スペクトルを利用してトラフィックの増加に対応する補完的なアクセスを展開することに、事業者からの関心が高まっている。この例が、通信事業者が展開する多数のＷｉ−Ｆｉネットワークと、ＬＴＥ／ＷＬＡＮインターワーキングソリューションの３ＧＰＰ標準化とに見られる。この関心は、ホットスポットエリアのようないくつかのシナリオにおいて、無認可スペクトルが存在する場合に、無認可スペクトルは、携帯電話事業者の認可スペクトルを効果的に補完してトラフィック急増への対処に役立ち得ることを示している。ＬＡＡは、事業者が１つの無線ネットワークを管理しながら、無認可スペクトルを利用するための代替手段を提供し、ネットワークの効率を最適化する新しい可能性を提供する。
【００５２】
例示的な実施形態では、ＬＡＡセルでの伝送のためにリッスンビフォアトーク（クリアチャネルアセスメント）を実装することができる。リッスンビフォアトーク（ＬＢＴ）プロシージャでは、チャネルを使用する前に、機器がクリアチャネルアセスメント（ＣＣＡ）チェックを適用する場合がある。例えば、ＣＣＡは、少なくともエネルギ検出を利用して、チャネル上の他の信号の有無を判断し、チャネルが占有されているか、クリアであるかをそれぞれ判断する。例えば、ヨーロッパと日本の規制では、無認可帯域でのＬＢＴの使用が義務付けられている。規制要件とは別に、ＬＢＴを介したキャリアセンシングは、無認可スペクトルを公平に共有するための１つの方法である。
【００５３】
例示的な実施形態では、最大伝送継続期間が制限された無認可キャリアでの不連続伝送が有効にされてもよい。これらの機能の一部は、不連続ＬＡＡダウンリンク伝送の開始から伝送される１つ以上の信号によってサポートされる場合がある。チャネル予約は、成功したＬＢＴ動作を介してチャネルアクセスを取得した後、ＬＡＡノードによる信号の伝送によって有効になり、特定の閾値を超えるエネルギで伝送信号を受信する他のノードが占有されるチャネルを感知することができるようにする。不連続なダウンリンク伝送を伴うＬＡＡ動作のために、１つ以上の信号によってサポートされる必要があり得る機能は、無線デバイスによるＬＡＡダウンリンク伝送の検出（セル識別を含む）、無線デバイスの時間および周波数同期のうちの１つ以上を含んでもよい。
【００５４】
例示的な実施形態では、ＤＬ  ＬＡＡ設計は、ＣＡによって集約されたサービングセルにわたるＬＴＥ−Ａキャリアアグリゲーションタイミング関係に従ってサブフレーム境界アライメントを用いてもよい。これは、基地局の伝送がサブフレーム境界でのみ開始し得ることを意味しない場合がある。ＬＡＡは、ＬＢＴに従ってサブフレーム内の全てのＯＦＤＭシンボルを伝送することができるわけではない場合、ＰＤＳＣＨの伝送をサポートする場合がある。ＰＤＳＣＨに必要な制御情報の配信もサポートされる場合がある。
【００５５】
ＬＢＴプロシージャは、ＬＡＡと他の事業者および無認可スペクトルで動作する技術との公正且つ友好的な共存のために用いられる場合がある。無認可スペクトルにおけるキャリアで伝送しようとするノードでのＬＢＴプロシージャでは、ノードがクリアチャネルアセスメントを実行して、チャネルが使用することができるかどうかを判断する必要がある。ＬＢＴプロシージャには、チャネルが使用されているかどうかを判断するための少なくともエネルギ検出が含まれる場合がある。例えば、ヨーロッパなど一部の地域の規制要件では、ノードがこの閾値を超えるエネルギを受け取る場合、ノードはチャネルが空いていないと仮定するように、エネルギ検出閾値を指定する。ノードはこのような規制要件に従ってもよく、オプションで、規制要件で指定された閾値よりも低い閾値をエネルギ検出に使用してもよい。一実施例では、ＬＡＡは、エネルギ検出閾値を適応的に変更するメカニズムを用いてもよく、例えば、ＬＡＡは、上限からエネルギ検出閾値を適応的に低下させるメカニズムを用いてもよい。適応メカニズムは、閾値の静的または半静的な設定を妨げない場合がある。一実施例では、カテゴリ４ＬＢＴメカニズムまたは他のタイプのＬＢＴメカニズムを実装することができる。
【００５６】
様々な例のＬＢＴメカニズムを実装することができる。一実施例では、いくつかの信号の場合、いくつかの実装態様シナリオにおいて、いくつかの状況では、および／またはいくつかの周波数では、ＬＢＴプロシージャは、伝送エンティティによっては実行されない場合がある。一実施例では、カテゴリ２（例えば、ランダムバックオフなしのＬＢＴ）が、実装されてもよい。伝送エンティティが伝送する前にチャネルがアイドル状態であると検知される継続期間は、決定論的であり得る。一実施例では、カテゴリ３（例えば、一定サイズのコンテンションウィンドウを有するランダムバックオフを用いたＬＢＴ）が実装されてもよい。ＬＢＴプロシージャは、その構成要素の１つとして以下のプロシージャを有することができる。伝送エンティティは、コンテンションウィンドウ内で乱数Ｎを描画することができる。コンテンションウィンドウのサイズは、Ｎの最小値と最大値で指定することができる。コンテンションウィンドウのサイズは、固定とすることができる。乱数ＮをＬＢＴプロシージャにおいて使用して、伝送エンティティがチャネル上で伝送する前にチャネルがアイドル状態であると検知される継続期間を決定することができる。一実施例では、カテゴリ４（例えば、可変サイズのコンテンションウィンドウを有するランダムバックオフ  を用いたＬＢＴ）が、実装されてもよい。伝送エンティティは、コンテンションウィンドウ内で乱数Ｎを描画することができる。コンテンションウィンドウのサイズは、Ｎの最小値および最大値によって指定することができる。伝送エンティティは、乱数Ｎを描画するときにコンテンションウィンドウのサイズを変更することができる。乱数Ｎは、伝送エンティティがチャネルで伝送する前に、チャネルがアイドルであると感知される継続期間を決定するためにＬＢＴプロシージャで使用される。
【００５７】
ＬＡＡは、無線デバイスにおいてアップリンクＬＢＴを使用することができる。ＵＬ  ＬＢＴ方式は、ＤＬ  ＬＢＴ方式と異なってもよく（例えば、異なるＬＢＴメカニズムまたはパラメータを使用することによって）、例えば、その理由は、ＬＡＡ  ＵＬが、無線デバイスのチャネル競合機会に影響を及ぼす、スケジューリングされたアクセスに基づくからである。異なるＵＬ  ＬＢＴ方式を動機付ける他の配慮としては、以下に限定されないが、シングルサブフレーム内の複数の無線デバイスの多重化が挙げられる。
【００５８】
一実施例では、ＤＬ伝送バーストは、同じＣＣ上の同じノードからの直前または直後に伝送がないＤＬ伝送ノードからの連続伝送とすることができる。無線デバイスの観点からのＵＬ伝送バーストは、同じＣＣ上の同じ無線デバイスからの前後にはすぐに伝送しない無線デバイスからの連続伝送であってもよい。一実施例では、ＵＬ伝送バーストは、無線デバイスの観点から定義される。一実施例では、ＵＬ伝送バーストは、基地局の観点から定義されてもよい。一実施例では、基地局が、同じ無認可キャリア上でＤＬ＋ＵＬ  ＬＡＡを動作させる場合に、ＬＡＡ上のＤＬ伝送バースト（複数可）およびＵＬ伝送バースト（複数可）は、同じ無認可キャリア上のＴＤＭ方式でスケジューリングされてもよい。例えば、ある瞬間は、ＤＬ伝送バーストまたはＵＬ伝送バーストの一部とすることができる。
【００５９】
Ｎｅｗ  Ｒａｄｉｏ（ＮＲ）システムは、シングルビームとマルチビームの両方の操作をサポートし得る。マルチビームシステムでは、基地局（例えば、ｇＮＢ）は、ダウンリンクビーム掃引を実行して、ダウンリンク同期信号（ＳＳ）および共通制御チャネルのカバレッジを提供し得る。ユーザ機器（ＵＥ）は、アップリンク方向のアップリンクビーム掃引を実行して、セルにアクセスすることができる。シングルビームシナリオでは、ｇＮＢは、１つのＳＳブロックの時間反復伝送を設定することができる。これは、少なくともプライマリ同期信号（ＰＳＳ）、セカンダリ同期信号（ＳＳＳ）、および物理ブロードキャストチャネル（ＰＢＣＨ）を、ワイドビームで含むことができる。マルチビームのシナリオでは、ｇＮＢは、これらの信号と物理チャネルの少なくとも一部を複数のビームで構成することができる。ＵＥは、少なくともＯＦＤＭシンボルインデックス、無線フレーム内のスロットインデックス、およびＳＳブロックからの無線フレーム番号を識別し得る。
【００６０】
一実施例では、ＲＲＣ＿ＩＮＡＣＴＩＶＥ状態またはＲＲＣ＿ＩＤＬＥ状態では、ＵＥは、ＳＳブロックがＳＳバーストを形成し、ＳＳバーストセットを形成すると想定する場合がある。ＳＳバーストセットには、一定の周期性がある場合がある。マルチビームシナリオでは、ＳＳブロックは、複数のビームで伝送され、一緒にＳＳバーストを形成することができる。１つ以上のＳＳブロックが、１つのビームで伝送され得る。ビームは、ステアリング方向を有する。複数のＳＳバーストがビームで伝送される場合、これらのＳＳバーストは、図１５に示されるようにＳＳバーストセットを一緒に形成してもよい。基地局１５０１（例えば、ＮＲのｇＮＢ）は、期間１５０３中にＳＳバースト１５０２Ａ〜１５０２Ｈを伝送することができる。複数のこれらのＳＳバーストは、ＳＳバーストセット１５０４（例えば、ＳＳバースト１５０２Ａおよび１５０２Ｅ）などのＳＳバーストセットを含み得る。ＳＳバーストセットは、任意の数の複数のＳＳバースト１５０２Ａ〜１５０２Ｈを含むことができる。ＳＳバーストセット内の各ＳＳバーストは、期間１５０３中に固定または可変の周期で伝送され得る。
【００６１】
ＳＳは、巡回プレフィックス直交周波数分割多重化（ＣＰ−ＯＦＤＭ）に基づく場合がある。ＳＳは、少なくとも２つのタイプの同期信号（ＮＲ−ＰＳＳ（プライマリ同期信号）およびＮＲ−ＳＳＳ（セカンダリ同期信号））を含んでいてもよい。ＮＲ−ＰＳＳは、少なくともＮＲセルへの初期シンボル境界同期のために定義され得る。ＮＲ−ＳＳＳは、ＮＲセルＩＤまたはＮＲセルＩＤの少なくとも一部の検出用に定義され得る。ＮＲ−ＳＳＳ検出は、少なくとも所与の周波数範囲およびＣＰオーバーヘッド内のデュプレックスモードおよびビーム操作タイプに関係なく、ＮＲ−ＰＳＳリソース位置との固定時間／周波数関係に基づいている場合がある。ＮＲ−ＰＳＳおよびＮＲ−ＳＳＳでは、通常のＣＰがサポートされ得る。
【００６２】
ＮＲは、少なくとも１つの物理ブロードキャストチャネル（ＮＲ−ＰＢＣＨ）を含み得る。ｇＮＢがＮＲ−ＰＢＣＨを伝送（またはブロードキャスト）する場合、ＵＥは、少なくとも所与の周波数範囲およびＣＰオーバーヘッド内のデュプレックスモードおよびビーム操作タイプに関係なく、ＮＲ−ＰＳＳおよび／またはＮＲ−ＳＳＳリソース位置との固定関係に基づいてＮＲ−ＰＢＣＨをデコードし得る。ＮＲ−ＰＢＣＨは、キャリア周波数範囲に応じて仕様で事前定義された固定ペイロードサイズおよび周期性を備えた最小システム情報の少なくとも一部を伝送する、スケジュールされていないブロードキャストチャネルであり得る。
【００６３】
シングルビームおよびマルチビームのシナリオでは、ＮＲは、ＮＲ−ＰＳＳ、ＮＲ−ＳＳＳ、およびＮＲ−ＰＢＣＨの時間（周波数、および／または空間）分割多重化をサポートし得る、ＳＳブロックを含むことができる。ｇＮＢは、ＳＳブロック内でＮＲ−ＰＳＳ、ＮＲ−ＳＳＳおよび／またはＮＲ−ＰＢＣＨを伝送し得る。所定の周波数帯域では、ＳＳブロックは、デフォルトのサブキャリア間隔に基づいてＮ個のＯＦＤＭシンボルに対応する場合があり、Ｎは定数である場合がある。信号多重化構造は、ＮＲで固定され得る。無線デバイスは、例えば、ＳＳブロックから、ＯＦＤＭシンボルインデックス、無線フレーム内のスロットインデックス、およびＳＳブロックからの無線フレーム番号を識別してもよい。
【００６４】
ＮＲは、１つ以上のＳＳブロックを含むＳＳバーストをサポートし得る。ＳＳバーストセットは、１つ以上のＳＳバーストを含み得る。例えば、ＳＳバーストセット内のＳＳバーストの数は、有限である場合がある。物理層の仕様の観点から、ＮＲは、ＳＳバーストセットの少なくとも１つの周期性をサポートすることができる。ＵＥの観点から、ＳＳバーストセット伝送は、定期的であり得、ＵＥは、ＳＳバーストセット周期性で所与のＳＳブロックが繰り返されると仮定し得る。
【００６５】
ＳＳバーストセットの周期性内で、１つ以上のＳＳブロックで繰り返されるＮＲ−ＰＢＣＨが変更される場合がある。可能なＳＳブロックの時間位置のセットは、ＲＲＣメッセージの周波数帯域ごとに指定され得る。ＳＳバーストセット内のＳＳブロックの最大数は、キャリア周波数に依存する場合がある。実際に伝送されたＳＳブロックの位置（複数可）は、少なくともＣＯＮＮＥＣＴＥＤ／ＩＤＬＥモードの測定を支援するため、ＣＯＮＮＥＣＴＥＤモードＵＥが１つ以上のＳＳブロックでダウンリンク（ＤＬ）データ／制御を受信することを支援するため、またはＩＤＬＥモードＵＥが１つ以上のＳＳブロックでＤＬデータ／制御を受信することを支援するために通知され得る。ＵＥは、ｇＮＢが同じ数の物理ビーム（複数可）を伝送すると想定しない場合がある。ＵＥは、ＳＳバーストセット内の異なるＳＳブロックにわたる同じ物理ビーム（複数可）を想定しない場合がある。初期セル選択では、ＵＥは、ＲＲＣメッセージを介してブロードキャストされ、周波数帯域に依存し得る、デフォルトのＳＳバーストセットの周期性を想定し得る。少なくともマルチビーム動作の場合では、ＳＳブロックの時間インデックスをＵＥに示すことができる。
【００６６】
ＣＯＮＮＥＣＴＥＤおよびＩＤＬＥモードのＵＥの場合、ＮＲは、ＳＳバーストセットの周期性および情報のネットワーク表示をサポートして、測定のタイミング／継続期間（ＮＲ−ＳＳ検出の時間ウィンドウなど）を導き出すことができる。ｇＮＢは、（例えば、ＲＲＣメッセージのブロードキャストを介して）周波数キャリアごとに１つのＳＳバーストセット周期性情報をＵＥに提供し得、可能であれば測定タイミング／継続時間を導出するための情報を提供し得る。１つのＳＳバーストセットの周期性、およびタイミング／継続時間に関する１つの情報が示されている場合、ＵＥは、同じキャリア上の全てのセルの周期性およびタイミング／継続時間を想定することができる。ｇＮＢがＳＳバーストセット周期性の表示および測定タイミング／継続時間を導出するための情報を提供しない場合、ＵＥは、ＳＳバーストセット周期性として既定の周期性、例えば、５ミリ秒を想定し得る。ＮＲは、適応およびネットワーク表示のためにＳＳバーストセットの周期値のセットをサポートし得る。
【００６７】
初期アクセスの場合、ＵＥは、ＮＲ仕様によって与えられた所与の周波数帯域内のＮＲ−ＰＳＳ／ＳＳＳの特定のサブキャリア間隔に対応する信号を想定することができる。ＮＲ−ＰＳＳの場合、Ｚａｄｏｆｆ−Ｃｈｕ（ＺＣ）シーケンスを、ＮＲ−ＰＳＳのシーケンスとして用いることができる。ＮＲは、シーケンスベースのＳＳ設計の場合、ＳＳの少なくとも１つの基本シーケンス長を定義することができる。ＮＲ−ＰＳＳのアンテナポートの数は、１であり得る。ＮＲ−ＰＢＣＨ伝送の場合、ＮＲは、固定数のアンテナポート（複数可）をサポートすることができる。ＵＥは、ＮＲ−ＰＢＣＨ伝送方式またはアンテナポートの数のブラインド検出には必要ない場合がある。ＵＥは、ＮＲ−ＳＳと同じＰＢＣＨ数秘学を想定する場合がある。最小限のシステム情報配信のために、ＮＲ−ＰＢＣＨは、最小限のシステム情報の一部を含む場合がある。ＮＲ−ＰＢＣＨコンテンツは、ＳＦＮ（システムフレーム番号）またはＣＲＣの少なくとも一部を含むことができる。ｇＮＢは、ＮＲ−ＰＤＳＣＨを介して共有ダウンリンクチャネルで残りの最小システム情報を伝送し得る。
【００６８】
マルチビームの例では、例えばセル選択、セル再選択、および／または初期アクセスプロシージャをサポートするために、セルに対してＰＳＳ、ＳＳＳ、またはＰＢＣＨ信号のうちの１つ以上を繰り返すことができる。ＳＳバーストの場合、関連付けられたＰＢＣＨまたは物理ダウンリンク共有チャネル（ＰＤＳＣＨ）スケジューリングシステム情報は、基地局によって複数の無線デバイスにブロードキャストされ得る。ＰＤＳＣＨは、共通検索空間内の物理ダウンリンク制御チャネル（ＰＤＣＣＨ）によって示され得る。システム情報は、ビームの物理ランダムアクセスチャネル（ＰＲＡＣＨ）構成を含むことができる。ビームに関して、基地局（例えば、ＮＲのｇＮＢ）は、ＰＲＡＣＨプリアンブルプール、時間および／または周波数無線リソース、ならびに他の電力関連パラメータを含み得る、ＲＡＣＨ構成を有してもよい。無線デバイスは、ＲＡＣＨ構成からのＰＲＡＣＨプリアンブルを使用して、競合ベースのＲＡＣＨプロシージャまたは競合のないＲＡＣＨプロシージャを開始することができる。無線デバイスは、競合ベースのＲＡＣＨプロシージャまたは競合のないＲＡＣＨプロシージャであり得る、４ステップＲＡＣＨプロシージャを実行することができる。無線デバイスは、最良の受信信号品質を有する可能性のある、ＳＳブロックと関連付けられたビームを選択してもよい。無線デバイスは、セルと関連付けられたセル識別子を正常に検出し、かつＲＡＣＨ構成を使用してシステム情報をデコードすることができる。無線デバイスは、１つのＰＲＡＣＨプリアンブルを使用し、選択されたビームと関連付けられたシステム情報によって示されるＲＡＣＨリソースから１つのＰＲＡＣＨリソースを選択し得る。ＰＲＡＣＨリソースは、ＰＲＡＣＨプリアンブルを示すＰＲＡＣＨインデックス、ＰＲＡＣＨフォーマット、ＰＲＡＣＨ数秘学、時間および／または周波数無線リソース割り当て、ＰＲＡＣＨ伝送の電力設定、ならびに／または他の無線リソースパラメータのうちの少なくとも１つを含み得る。競合のないＲＡＣＨプロシージャの場合、ＰＲＡＣＨプリアンブルおよびリソースは、ＤＣＩまたは他の高層シグナリングで示される場合がある。
【００６９】
シングルビームシステムでの例示的なランダムアクセスプロシージャ
一実施例では、ＵＥは、セル選択／再選択および／または初期アクセスプロシージャのために１つ以上のＰＳＳ／ＳＳＳ／ＰＢＣＨを検出し得る。システム情報ブロックタイプ２（ＳＩＢ２）などのシステム情報をスケジュールする、共通検索空間の物理ダウンリンク制御チャネル（ＰＤＣＣＨ）で示されるＰＢＣＨ、または物理ダウンリンク共有チャネル（ＰＤＳＣＨ）は、複数のＵＥにブロードキャストすることができる。一実施例では、ＳＩＢ２は、１つ以上の物理ランダムアクセスチャネル（ＰＲＡＣＨ）構成を搬送することができる。一実施例では、ｇＮＢは、ＰＲＡＣＨプリアンブルプール、時間／周波数無線リソース、および他の電力関連パラメータを含み得る１つ以上のランダムアクセスチャネル（ＲＡＣＨ）構成を有し得る。ＵＥは、ＲＡＣＨ構成からのＰＲＡＣＨプリアンブルを選択して、競合ベースのＲＡＣＨプロシージャ、または競合のないＲＡＣＨプロシージャを開始することができる。
【００７０】
一実施例では、ＵＥは、競合ベースまたは競合のないＲＡＣＨプロシージャであり得る４ステップのＲＡＣＨプロシージャを実行し得る。４ステップランダムアクセス（ＲＡ）プロシージャには、図１６に示すように、第１のステップでのＲＡプリアンブル（ＲＡＰ）伝送、第２のステップでのランダムアクセス応答（ＲＡＲ）伝送、第３のステップでの１つ以上のトランスポートブロック（ＴＢ）のスケジュール伝送、第４のステップでの競合解決が含まれ得る。具体的には、図１６Ａは、競合ベースの４ステップＲＡプロシージャを示し、図１６Ｂは、競合のないＲＡプロシージャを示す。
【００７１】
第１のステップでは、ＵＥは、構成されたＲＡプリアンブルフォーマットを使用してＴｘビームでＲＡＰを伝送することができる。ＲＡチャネル（ＲＡＣＨ）リソースは、ＲＡＰを伝送する時間周波数リソースとして定義されてもよい。ブロードキャストシステム情報は、ＲＡＣＨリソースのサブセット内でＵＥが１つ以上の／反復されるプリアンブルを伝送する必要があるかどうかを通知し得る。
【００７２】
基地局は、第２のステップでダウンリンク（ＤＬ）伝送を決定するために、ＤＬ信号／チャネルと、ＲＡＣＨリソースのサブセットおよび／またはＲＡＰインデックスのサブセットとの間の関連付けを構成することができる。ＤＬ測定および対応する関連付けに基づいて、ＵＥは、ＲＡＣＨリソースのサブセットおよび／またはＲＡＰインデックスのサブセットを選択し得る。一実施例では、ブロードキャストシステム情報によって通知される２つのＲＡＰグループがあり得、１つはオプションであり得る。基地局が４ステップＲＡプロシージャで２つのグループを構成する場合、ＵＥは、第３のステップでＵＥが伝送するメッセージのパスロスおよびサイズに基づいて、どのグループからＵＥがＲＡＰを選択するかを決定し得る。基地局は、第３のステップでのメッセージサイズとＵＥの無線状態との指標として、ＲＡＰが属するグループタイプを使用し得る。基地局は、システム情報に関する１つ以上の閾値とともに、ＲＡＰグループ化情報をブロードキャストすることができる。
【００７３】
４ステップＲＡプロシージャの第２のステップでは、基地局は、ＵＥが伝送するＲＡＰの受信に応答して、ＲＡ応答（ＲＡＲ）をＵＥに伝送し得る。ＵＥは、ＤＣＩを搬送するＰＤＣＣＨを監視して、ＲＡ応答ウィンドウ内のＰＤＳＣＨ上で伝送されたＲＡＲを検出することができる。ＤＣＩは、ＲＡ−ＲＮＴＩ（ランダムアクセス−無線ネットワーク一時識別子）によってＣＲＣスクランブルされる場合がある。ＲＡ−ＲＮＴＩは、ランダムアクセス応答メッセージが伝送されるときにＰＤＣＣＨ上で使用される場合がある。ＲＡ−ＲＮＴＩは、ランダムアクセスプリアンブルを伝送するために、ＭＡＣエンティティがどの時間周波数リソースを使用しているかを明確に識別し得る。ＲＡ応答ウィンドウは、ＲＡＰ伝送の終了に３つのサブフレームを加えたものを含むサブフレームから開始し得る。ＲＡ応答ウィンドウは、ｒａ−ＲｅｓｐｏｎｓｅＷｉｎｄｏｗＳｉｚｅで示される長さを有し得る。ＵＥは、ＲＡ−ＲＮＴＩ＝１＋ｔ＿ｉｄ＋１０＊ｆ＿ｉｄのようにＵＥがＲＡＰを伝送するＰＲＡＣＨに関連付けられたＲＡ−ＲＮＴＩを計算することができ、ここで、ｔ＿ｉｄは、指定されたＰＲＡＣＨの第１のサブフレームのインデックスであり（０≦ｔ＿ｉｄ＜１０）、ｆ＿ｉｄは、周波数領域の昇順（０≦ｆ＿ｉｄ＜６）での、サブフレーム内の指定されたＰＲＡＣＨのインデックスである。一実施例では、異なるタイプのＵＥ、例えば、ＮＢ−ＩｏＴ、ＢＬ−ＵＥ、またはＵＥ−ＥＣは、ＲＡ−ＲＮＴＩ計算のために異なる式を使用してもよい。
【００７４】
ＵＥは、ＵＥによって伝送されたＲＡＰに一致するＲＡＰ識別子（ＲＡＰＩＤ）を含むＲＡＲ用のＭＡＣパケットデータユニット（ＰＤＵ）のデコード後、ＲＡＲの監視を停止してもよい。ＭＡＣ  ＰＤＵは、１つ以上のＭＡＣ  ＲＡＲと、バックオフインジケータ（ＢＩ）を有するサブヘッダを含むことができるＭＡＣヘッダと、ＲＡＰＩＤを含む１つ以上のサブヘッダとを含むことができる。
【００７５】
図１７は、４ステップＲＡプロシージャのためのＭＡＣヘッダおよびＭＡＣ  ＲＡＲを含むＭＡＣ  ＰＤＵの実施例を示す。ＲＡＲが、ＵＥが伝送するＲＡＰに対応するＲＡＰＩＤを含む場合、ＵＥは、ＲＡＲ内の、タイミングアドバンス（ＴＡ）コマンド、ＵＬ許可、およびＴｅｍｐｏｒａｒｙ  Ｃ−ＲＮＴＩ（ＴＣ−ＲＮＴＩ）などのデータを処理し得る。
【００７６】
図１８Ａ、図１８Ｂ、および図１８Ｃは、ＭＡＣ  ＲＡＲの内容を示す。具体的には、図１８Ａは、通常のＵＥのＭＡＣ  ＲＡＲの内容を示し、図１８Ｂは、ＭＴＣ  ＵＥのＭＡＣ  ＲＡＲの内容を示し、図１８Ｃは、ＮＢ−ＩＯＴ  ＵＥのＭＡＣ  ＲＡＲの内容を示す。
【００７７】
４ステップＲＡプロシージャの第３のステップでは、ＵＥは、第２のステップでの受信されたＲＡＲのＴＡコマンドに対応するＴＡ値を使用してＵＬタイムアライメントを調整することができ、受信されたＲＡＲのＵＬ許可で割り当てられたＵＬリソースを使用して、１つ以上のＴＢを基地局に伝送することができる。ＵＥが第３のステップで伝送するＴＢは、ＲＲＣ接続要求、ＲＲＣ接続再確立要求、またはＲＲＣ接続再開要求、ＵＥ  ＩＤなどのＲＲＣシグナリングを含むことができる。第３のステップで伝送されたＩＤは、第４のステップで競合解決メカニズムの一部として使用される。
【００７８】
４ステップＲＡプロシージャの第４のステップは、競合解決のためのＤＬメッセージを含むことができる。一実施例では、１つ以上のＵＥは、第１のステップで同じＲＡＰを選択する同時ＲＡ試行を実行し、第２のステップで同じＴＣ−ＲＮＴＩで同じＲＡＲを受信することができる。第４のステップにおける競合解決は、ＵＥが別のＵＥ  ＩＤを誤って使用しないことを確実にすることであり得る。競合解決メカニズムは、ＵＥがＣ−ＲＮＴＩを有するかどうかに応じて、ＰＤＣＣＨのＣ−ＲＮＴＩまたはＤＬ−ＳＣＨのＵＥ競合解決ＩＤのいずれかに基づき得る。ＵＥがＣ−ＲＮＴＩを有する場合、ＰＤＣＣＨ上でＣ−ＲＮＴＩを検出すると、ＵＥはＲＡプロシージャの成功を判定することができる。ＵＥにＣ−ＲＮＴＩが事前に割り当てられていない場合、ＵＥは、基地局が第２のステップのＲＡＲで伝送するＴＣ−ＲＮＴＩに関連付けられたＤＬ−ＳＣＨを監視し、第４のステップでＤＬ−ＳＣＨ上で基地局によって伝送されたデータのＩＤを、ＵＥが第３のステップで伝送するＩＤと比較する。２つのＩＤが同一である場合、ＵＥはＲＡプロシージャの成功を判定し、ＴＣ−ＲＮＴＩをＣ−ＲＮＴＩにプロモートし得る。
【００７９】
４ステップＲＡプロシージャの第４のステップは、ＨＡＲＱ再伝送を可能にし得る。ＵＥは、第３のステップでＵＥが１つ以上のＴＢを基地局に伝送するときにｍａｃ−ＣｏｎｔｅｎｔｉｏｎＲｅｓｏｌｕｔｉｏｎＴｉｍｅｒを始動することができ、ＨＡＲＱ再伝送のたびにｍａｃ−ＣｏｎｔｅｎｔｉｏｎＲｅｓｏｌｕｔｉｏｎＴｉｍｅｒを再始動することができる。ＵＥが第４のステップでＣ−ＲＮＴＩまたはＴＣ−ＲＮＴＩによって識別されたＤＬリソースでデータを受信すると、ＵＥはｍａｃ−ＣｏｎｔｅｎｔｉｏｎＲｅｓｏｌｕｔｉｏｎＴｉｍｅｒを停止し得る。ＵＥが、第３のステップでＵＥによって伝送されたＩＤに一致する競合解決ＩＤを検出しない場合、ＵＥは、ＲＡプロシージャの失敗を判定し、ＴＣ−ＲＮＴＩを破棄することができる。ｍａｃ−ＣｏｎｔｅｎｔｉｏｎＲｅｓｏｌｕｔｉｏｎＴｉｍｅｒが満了すると、ＵＥはＲＡプロシージャの失敗を判定し、ＴＣ−ＲＮＴＩを破棄し得る。競合解決に失敗した場合、ＵＥはＭＡＣ  ＰＤＵの伝送に使用されるＨＡＲＱバッファをフラッシュすることができ、４ステップＲＡプロシージャを第１のステップから再始動し得る。ＵＥは、０とＲＡＲ用のＭＡＣ  ＰＤＵ内のＢＩに対応するバックオフパラメータ値との間の均一な分布に従ってランダムに選択されたバックオフ時間だけ後続のＲＡＰ伝送を遅延させることができる。
【００８０】
４ステップＲＡプロシージャでは、最初の２つのステップの使用法は、ＵＥのＵＬタイムアライメントを取得し、アップリンク許可を取得することであり得る。第３および第４のステップを使用して、ＲＲＣ接続をセットアップし、および／または異なるＵＥからの競合を解決し得る。
【００８１】
マルチビームシステムでの例示的なランダムアクセスプロシージャ
図１９は、基地局による１つ以上のＳＳブロックの送信を含むことができる、ランダムアクセスプロシージャ（例えば、ＲＡＣＨを介した）の実施例を示している。無線デバイス１９２０（例えば、ＵＥ）は、１つ以上のプリアンブルを基地局１９２１（例えば、ＮＲのｇＮＢ）に伝送することができる。無線デバイスによる各プリアンブル伝送は、図１９に示されるような別個のランダムアクセスプロシージャと関連付けられ得る。ランダムアクセスプロシージャは、基地局１９２１（例えばＮＲのｇＮＢ）が第１のＳＳブロックを無線デバイス１９２１（例えば、ＵＥ）に送信するステップ１９０１で開始することができる。ＳＳブロックのいずれかは、ＰＳＳ、ＳＳＳ、三次同期信号（ＴＳＳ）、またはＰＢＣＨ信号のうちの１つ以上を含み得る。ステップ１９０１の第１のＳＳブロックは、第１のＰＲＡＣＨ構成と関連付けられ得る。ステップ１９０２で、基地局１９２１は、第２のＰＲＡＣＨ構成と関連付けられ得る第２のＳＳブロックを、無線デバイス１９２０に送信し得る。ステップ１９０３で、基地局１９２１は、第３のＰＲＡＣＨ構成と関連付けられ得る第３のＳＳブロックを、無線デバイス１９２０に送信し得る。ステップ１９０４で、基地局１９２１は、第４のＰＲＡＣＨ構成と関連付けられ得る第４のＳＳブロックを、無線デバイス１９２０に送信し得る。任意の数のＳＳブロックが、ステップ１９０３および１９０４に加えて、またはそれらと置換して、同じ様式で送信されてもよい。ＳＳバーストは、任意の数のＳＳブロックを含み得る。例えば、ＳＳバースト１９１０は、ステップ１９０２〜１９０４の間に送信された３つのＳＳブロックを含む。
【００８２】
無線デバイス１９２０は、ステップ１９０５で、例えば、１つ以上のＳＳブロックまたはＳＳバーストを受信した後またはそれに応答して、基地局１９２１にプリアンブルを送信してもよい。プリアンブルは、ＰＲＡＣＨプリアンブルを含んでもよく、ＲＡ  Ｍｓｇ１と呼ばれてもよい。ＰＲＡＣＨプリアンブルは、最良のＳＳブロックビームであると判定され得るＳＳブロック（例えば、ステップ１９０１〜１９０４からのＳＳブロックのうちの１つ）で受信され得るＰＲＡＣＨ構成に従って、またはそれに基づいて、ステップ１９０５で伝送され得る。無線デバイス１９２０は、ＰＲＡＣＨプリアンブルを送信する前に受信し得るＳＳブロックの中から最良のＳＳブロックビームを判定し得る。基地局１９２１は、ステップ１９０６で、例えば、ＰＲＡＣＨプリアンブルを受信した後、またはそれに応答して、ＲＡ  Ｍｓｇ２と呼ばれ得るランダムアクセス応答（ＲＡＲ）を送信することができる。ＲＡＲは、ステップ１９０６で、ＰＲＡＣＨ構成と関連付けられたＳＳブロックビームに対応するＤＬビームを介して伝送され得る。基地局１９２１は、ＰＲＡＣＨプリアンブルを受信する前に以前に送信したＳＳブロックの中から最良のＳＳブロックビームを判定し得る。基地局１６２１は、最良のＳＳブロックビームと関連付けられたＰＲＡＣＨ構成に従って、またはそれに基づいてＰＲＡＣＨプリアンブルを受信することができる。
【００８３】
無線デバイス１９２０は、ステップ１９０７で、例えば、ＲＡＲを受信した後、またはそれに応答して、ＲＡ  Ｍｓｇ３と呼ばれ得るＲＲＣ接続要求および／またはＲＲＣ接続再開要求メッセージを、基地局１９２１に送信し得る。基地局１９２１は、例えば、ＲＲＣ接続要求および／またはＲＲＣ接続再開要求メッセージを受信した後、またはそれに応答して、ステップ１９０８で、ＲＡ  Ｍｓｇ４と呼ばれ得るＲＲＣ接続設定および／またはＲＲＣ接続再開メッセージを、無線デバイス１９２０に送信し得る。無線デバイス１９２０は、ステップ１９０９で、例えば、ＲＲＣ接続設定および／またはＲＲＣ接続再開を受信した後またはそれに応答して、ＲＡ  Ｍｓｇ５と呼ばれ得るＲＲＣ接続設定完了および／またはＲＲＣ接続再開完了メッセージを、基地局１９２１に送信し得る。無線デバイス１９２０と基地局１９２１との間にＲＲＣ接続を確立することができ、ランダムアクセスプロシージャは、例えば、ＲＲＣ接続設定完了および／またはＲＲＣ接続再開完了メッセージの受信後またはそれに応答して終了することができる。
【００８４】
チャネル状態情報基準信号の伝送および受信の実施例
最良のＳＳブロックビームを含むがこれに限定されない最良のビームは、チャネル状態情報基準信号（ＣＳＩ−ＲＳ）に基づいて判定され得る。無線デバイスは、無線デバイスと基地局との間のリンクのビーム品質を推定するためにマルチビームシステムでＣＳＩ−ＲＳを使用してもよい。例えば、ＣＳＩ−ＲＳの測定に基づいて、無線デバイスは、ダウンリンクチャネル適応のＣＳＩをレポートすることができる。ＣＳＩパラメータは、プリコーディング行列インデックス（ＰＭＩ）、チャネル品質インデックス（ＣＱＩ）値、および／またはランクインジケータ（ＲＩ）を含み得る。無線デバイスは、ＣＳＩ−ＲＳでの基準信号受信電力（ＲＳＲＰ）測定に基づいてビームインデックスをレポートすることができる。無線デバイスは、ダウンリンクビーム選択のためにＣＳＩリソース表示（ＣＲＩ）でビームインデックスをレポートしてもよい。基地局は、１つ以上のアンテナポートを介して、または１つ以上の時間および／もしくは周波数無線リソースを介してなど、ＣＳＩ−ＲＳリソースを介してＣＳＩ−ＲＳを伝送することができる。ビームは、ＣＳＩ−ＲＳと関連付けることができる。ＣＳＩ−ＲＳは、ビーム方向の表示を含み得る。複数のビームの各々は、複数のＣＳＩ−ＲＳのうちの１つと関連付けられ得る。ＣＳＩ−ＲＳリソースは、セル固有の方法で、例えば、共通のＲＲＣシグナリングを介して設定され得る。追加または代替として、ＣＳＩ−ＲＳリソースは、例えば、専用ＲＲＣシグナリングならびに／または層１および／もしくは層２（Ｌ１／Ｌ２）シグナリングを介して、無線デバイス固有の方法で構成され得る。セル内の、またはセルによって提供される複数の無線デバイスは、セル固有のＣＳＩ−ＲＳリソースを測定することができる。セル内の、またはセルによって提供される無線デバイスの専用サブセットは、無線デバイス固有のＣＳＩ−ＲＳリソースを測定することができる。基地局は、非定期的な伝送を使用して、またはマルチショットもしくは半永続的な伝送を使用して、ＣＳＩ−ＲＳリソースを定期的に伝送し得る。定期的伝送では、基地局は、時間領域で設定された周期性を使用して、設定されたＣＳＩ−ＲＳリソースを伝送することができる。非定期的伝送では、基地局は、構成されたＣＳＩ−ＲＳリソースを専用タイムスロットで伝送することができる。マルチショットまたは半永続的伝送では、基地局は、設定された期間に設定されたＣＳＩ−ＲＳリソースを伝送することができる。基地局は、様々な目的のために、様々な用語で様々なＣＳＩ−ＲＳリソースを構成することができる。異なる用語には、例えば、セル固有、デバイス固有、定期的、非定期的、マルチショット、または他の用語が含まれ得る。様々な目的には、例えば、ビーム管理、ＣＱＩレポート、またはその他の目的が含まれ得る。
【００８５】
図２０は、ビームに対して定期的にＣＳＩ−ＲＳを伝送する実施例を示している。基地局２００１は、期間２００３の間になど、時間領域で所定の順序でビームを伝送することができる。伝送２００２Ｃおよび／または２００３ＥのＣＳＩ−ＲＳ２００４などのＣＳＩ−ＲＳ伝送のために使用されるビームは、ＳＳブロック２００２Ａ、２００２Ｂ、２００２Ｄ、および２００２Ｆ〜２００２ＨなどのＳＳブロック伝送のビーム幅に対して異なるビーム幅を有する場合がある。追加的または代替的に、ＣＳＩ−ＲＳ伝送のために使用されるビームのビーム幅は、ＳＳブロックのビーム幅と同じ値を有し得る。１つ以上のＣＳＩ−ＲＳの一部または全ては、１つ以上のビームに含まれてもよい。ＳＳブロックは、同期シーケンス信号を搬送する、いくつかのＯＦＤＭシンボル（例えば、４）、およびいくつかのサブキャリア（例えば、２４０）を占有し得る。同期シーケンス信号は、セルを識別することができる。
【００８６】
図２１は、時間領域および周波数領域にマッピングされ得るＣＳＩ−ＲＳの実施例を示している。図２１に示される各正方形は、セルの帯域幅内のリソースブロックを表し得る。各リソースブロックは、いくつかのサブキャリアを含んでもよい。セルは、いくつかのリソースブロックで構成される帯域幅を有することができる。基地局（例えば、ＮＲのｇＮＢ）は、１つ以上のＣＳＩ−ＲＳについてのＣＳＩ−ＲＳリソース構成パラメータを含む、１つ以上の無線リソース制御（ＲＲＣ）メッセージを伝送してもよい。各ＣＳＩ−ＲＳリソース構成についての上位層シグナリングによって、以下のパラメータ：ＣＳＩ−ＲＳリソース構成識別、ＣＳＩ−ＲＳポートの数、ＣＳＩ−ＲＳ構成（例えば、サブフレーム内のシンボルおよびＲＥの位置）、ＣＳＩ−ＲＳサブフレーム構成（例えば、無線フレーム内のサブフレームの位置、オフセット、および周期性）、ＣＳＩ−ＲＳ電力パラメータ、ＣＳＩ−ＲＳシーケンスパラメータ、ＣＤＭタイプのパラメータ、周波数密度、伝送コム、ＱＣＬパラメータ（例えば、ＱＣＬ−ｓｃｒａｍｂｌｉｎｇｉｄｅｎｔｉｔｙ、ｃｒｓ−ｐｏｒｔｓｃｏｕｎｔ、ｍｂｓｆｎ−ｓｕｂｆｒａｍｅｃｏｎｆｉｇｌｉｓｔ、ｃｓｉ−ｒｓ−ｃｏｎｆｉｇＺＰｉｄ、ｑｃｌ−ｃｓｉ−ｒｓ−ｃｏｎｆｉｇＮＺＰｉｄ）、および／またはその他の無線リソースパラメータ、のうちの１つ以上を構成することができる。
【００８７】
図２１は、例えば、無線デバイス固有の構成で、無線デバイス用に構成され得る３つのビームを示している。任意の数の追加のビーム（例えば、空白の正方形の列で表される）またはより少ないビームが、含まれてもよい。ビーム１には、第１のシンボルのリソースブロック（ＲＢ）内のいくつかのサブキャリアで伝送され得るＣＳＩ−ＲＳ１が、割り振られ得る。ビーム２には、第２のシンボルのＲＢのいくつかのサブキャリアで伝送され得るＣＳＩ−ＲＳ２が、割り振られ得る。ビーム３には、第３のシンボルのＲＢ内のいくつかのサブキャリアで伝送され得るＣＳＩ−ＲＳ３が、割り振られ得る。ＲＢ内の全てのサブキャリアが、そのＣＳＩ−ＲＳの関連付けられたビーム（例えば、ビーム１）で特定のＣＳＩ−ＲＳ（例えば、ＣＳＩ−ＲＳ１）を伝送するために必ずしも使用されない場合がある。周波数分割多重化（ＦＤＭ）を使用することにより、同じＲＢの無線デバイスについてのビーム１に使用されない他のサブキャリアを、他の無線デバイスについての異なるビームと関連付けられた他のＣＳＩ−ＲＳ伝送のために使用することができる。追加または代替として、時間領域多重化（ＴＤＭ）を使用することにより、無線デバイスのために使用されるビームは、無線デバイスについての異なるビーム（例えば、ビーム１、ビーム２、およびビーム３）が他の無線デバイスのビームとは異なるいくつかのシンボルを使用して伝送され得るように構成されてもよい。
【００８８】
ビーム管理では、デバイス固有の構成済みＣＳＩ−ＲＳを使用することができる。ビーム管理プロシージャにおいて、無線デバイスは、基地局（例えば、ＮＲのｇＮＢ）による伝送ビーム、および無線デバイス（例えば、ＵＥ）による受信ビームを含む、ビームペアリンクのチャネル品質を監視することができる。複数のビームと関連付けられた複数のＣＳＩ−ＲＳが構成されている場合、無線デバイスは、基地局と無線デバイスとの間の複数のビームペアリンクを監視することができる。
【００８９】
無線デバイスは、１つ以上のビーム管理レポートを基地局に伝送することができる。ビーム管理レポートは、例えば、構成されたビームのサブセットの１つ以上のビーム識別、ＲＳＲＰ、ＰＭＩ、ＣＱＩ、および／またはＲＩを含む、１つ以上のビームペア品質パラメータを示し得る。
【００９０】
基地局および／または無線デバイスは、ダウンリンクＬ１／Ｌ２ビーム管理プロシージャを実行してもよい。図２３Ａおよび図２３Ｂにそれぞれ示すように、１つ以上のダウンリンクＬ１／Ｌ２ビーム管理プロシージャは、１つまたは複数の伝送および受信ポイント（ＴＲＰ）内で実行され得る。
【００９１】
図２２は、３つのビーム管理プロシージャ、Ｐ１、Ｐ２、およびＰ３の実施例を示している。プロシージャＰ１を使用して、ＴＲＰ（または複数のＴＲＰ）の異なる伝送（Ｔｘ）ビームでの無線デバイス測定を可能にし、それにより、例えば、Ｔｘビームおよび／または無線デバイス受信（Ｒｘ）ビーム（複数可）（Ｐ１の上の行と下の行にそれぞれ陰影の楕円として表示されている）の選択をサポートすることができる。ＴＲＰ（または複数のＴＲＰ）でのビームフォーミングには、例えば、１組の異なるビームからのＴＲＰ内および／またはＴＲＰ間のＴｘビームスイープ（Ｐ１およびＰ２の上の行で、破線の矢印で示される反時計回りの方向に回転する楕円として示されている）が含まれてもよい。無線デバイス２２０１でのビームフォーミングには、例えば、１組の異なるビームからの無線デバイスＲｘビームスイープ（Ｐ１およびＰ３の下の行で、破線の矢印で示される時計回りの方向に回転する楕円として示されている）が含まれてもよい。プロシージャＰ２を使用して、例えば、ＴＲＰ間および／またはＴＲＰ内Ｔｘビーム（複数可）を変更し得る、ＴＲＰ（または複数のＴＲＰ）の異なるＴｘビーム（Ｐ２の上の行で、破線の矢印で示される反時計回りの方向に回転する楕円として示されている）での無線デバイス測定を可能にすることができる。プロシージャＰ２は、例えば、プロシージャＰ１よりもビーム洗練化のためのより小さな１組のビームで実行されてもよい。Ｐ２は、Ｐ１の特定の実施例であり得る。プロシージャＰ３を使用して、例えば、無線デバイス２２０１がビームフォーミングを使用する場合に無線デバイスＲｘビームを変更するために、同じＴｘビーム（Ｐ３において楕円として示される）での無線デバイス測定を可能にすることができる。
【００９２】
無線デバイス２２０１（例えば、ＵＥ）および／または基地局２２０２（例えば、ｇＮＢ）は、ビーム障害回復メカニズムをトリガしてもよい。無線デバイス２２０１は、例えば、ビーム障害イベントが発生した場合に、ビーム障害回復（ＢＦＲ）要求伝送をトリガしてもよい。ビーム障害イベントには、例えば、関連付けられた制御チャネルのビームペアリンク（複数可）の品質が不十分であるという判定が含まれる場合がある。関連付けられたチャネルのビームペアリンク（複数可）の不十分な品質の判定は、品質が閾値を下回ることおよび／またはタイマの満了に基づいてもよい。
【００９３】
無線デバイス２２０１は、１つ以上の基準信号（ＲＳ）を使用してビームペアリンク（複数可）の品質を測定し得る。１つ以上のＳＳブロック、１つ以上のＣＳＩ−ＲＳリソース、および／またはＰＢＣＨの１つ以上の復調基準信号（ＤＭ−ＲＳ）は、ビームペアリンクの品質を測定するためのＲＳとして使用され得る。１つ以上のＣＳＩ−ＲＳリソースの各々は、ＣＳＩ−ＲＳリソースインデックス（ＣＲＩ）と関連付けられ得る。ビームペアリンクの品質は、ＲＳリソースで測定されたＲＳＲＰ値、基準信号受信品質（ＲＳＲＱ）値、および／またはＣＳＩ値のうちの１つ以上に基づいてもよい。基地局２２０２は、例えば、ビームペアリンク品質を測定するために使用され得るＲＳリソースが、制御チャネルの１つ以上のＤＭ−ＲＳと準共配置される（ＱＣＬｅｄ）ことを示し得る。ＲＳを介した無線デバイス２２０１への伝送からのチャネル特性、および制御チャネルを介した無線デバイスへの伝送からのチャネル特性が、設定された基準の下で類似または同じである場合、制御チャネルのＲＳリソースおよびＤＭ−ＲＳは、ＱＣＬされ得る。
【００９４】
図２３Ａは、単一のＴＲＰが関与するビーム障害イベントの実施例を示している。基地局２３０１などの単一のＴＲＰは、無線デバイス２３０２に、第１のビーム２３０３および第２のビーム２３０４を伝送することができる。例えば、第２のビーム２３０４などのサービングビームが移動車両２３０５またはその他の障害物（例えば、建物、樹木、土地、または任意の物体）によってブロックされている場合、およびサービングビームを含む構成されたビーム（例えば、第１のビーム２３０３および／または第２のビーム２３０４）が単一のＴＲＰから受信されている場合に、ビーム障害イベントは発生し得る。無線デバイス２３０２は、ビーム障害が発生したときに、ビーム障害から回復するためのメカニズムをトリガすることができる。
【００９５】
図２３Ｂは、複数のＴＲＰが関与するビーム障害イベントの実施例を示している。第１の基地局２３０６および第２の基地局２３０９などでの複数のＴＲＰは、無線デバイス２３０８に、第１のビーム２３０７（例えば、第１の基地局２３０６からの）および第２のビーム２３１０（例えば、第２の基地局２３０９からの）を伝送することができる。例えば、第２のビーム２３１０などのサービングビームが移動車両２３１１またはその他の障害物（例えば、建物、樹木、土地、または任意の物体）によってブロックされている場合、および構成されたビーム（例えば、第１のビーム２３０７および／または第２のビーム２３１０）が複数のＴＲＰから受信されている場合に、ビーム障害イベントは発生し得る。無線デバイス２００８は、ビーム障害が発生したときに、ビーム障害から回復するためのメカニズムをトリガすることができる。
【００９６】
無線デバイスは、ＭビームペアリンクでＮｅｗ  Ｒａｄｉｏ  ＰＤＣＣＨ（ＮＲ−ＰＤＣＣＨ）などのＰＤＣＣＨを同時に監視することができ、ここで、Ｍ≧１であり、かつＭの最大値は、少なくとも無線デバイスの機能に依存し得る。このような監視は、ビームペアリンクのブロッキングに対するロバスト性を向上することができる。基地局は、異なるビームペアリンク（複数可）での、および／または異なるＮＲ−ＰＤＣＣＨ  ＯＦＤＭシンボルにおけるＮＲ−ＰＤＣＣＨを無線デバイスに監視させるように構成された１つ以上のメッセージを、伝送することができ、かつ無線デバイスは、それを受信することができる。
【００９７】
基地局は、複数のビームペアリンクでＮＲ−ＰＤＣＣＨを監視するための無線デバイスのＲｘビーム設定に関連するパラメータを含み得る、上位層シグナリングおよび／またはＭＡＣ制御要素（ＭＡＣ  ＣＥ）を伝送してもよい。基地局は、第１のＤＬ  ＲＳアンテナポート（複数可）と第２のＤＬ  ＲＳアンテナポート（複数可）との間の空間ＱＣＬ仮定の１つ以上の表示を伝送してもよい。第１のＤＬ  ＲＳアンテナポート（複数可）は、セル固有のＣＳＩ−ＲＳ、デバイス固有のＣＳＩ−ＲＳ、ＳＳブロック、ＰＢＣＨのＤＭ−ＲＳを伴うＰＢＣＨ、および／またはＰＢＣＨのＤＭ−ＲＳを伴わないＰＢＣＨのうちの１つ以上のためのものであり得る。第２のＤＬ  ＲＳアンテナポート（複数可）は、ＤＬ制御チャネルの復調のためのものであり得る。ＮＲ−ＰＤＣＣＨについてのビーム表示のシグナリング（ＮＲ−ＰＤＣＣＨを監視するための構成など）は、ＭＡＣ  ＣＥシグナリング、ＲＲＣシグナリング、ＤＣＩシグナリング、または仕様透過的および／もしくは暗黙的方法、ならびにそれらの任意の組み合わせを介して行われ得る。
【００９８】
ユニキャストＤＬデータチャネルの受信の場合、基地局は、ＤＬデータチャネルのＤＬ  ＲＳアンテナポート（複数可）とＤＭ−ＲＳアンテナポート（複数可）との間の空間ＱＣＬパラメータを示すことができる。基地局は、ＲＳアンテナポート（複数可）を示す情報を含むＤＣＩ（例えば、ダウンリンク許可）を伝送することができる。情報は、ＤＭ−ＲＳアンテナポート（複数可）でＱＣＬされ得る、ＲＳアンテナポート（複数可）を示している場合がある。ＤＬデータチャネルについてのＤＭ−ＲＳアンテナポート（複数可）の異なるセットは、ＲＳアンテナポート（複数可）の異なるセットを用いてＱＣＬとして示され得る。
【００９９】
基地局がＰＤＣＣＨについてのＣＳＩ−ＲＳとＤＭ−ＲＳとの間の空間ＱＣＬパラメータを示す信号を伝送する場合、無線デバイスは、ＰＤＣＣＨについてのＤＭ−ＲＳでＱＣＬされたＣＳＩ−ＲＳを使用して、ビームペアリンクの品質を監視することができる。ビーム障害イベントが発生した場合、無線デバイスは、判定された構成などによって、ビーム障害回復要求を伝送することができる。
【０１００】
無線デバイスが、例えば、アップリンク物理チャネルまたは信号を介してビーム障害回復要求を伝送する場合、基地局は、アップリンク物理チャネルまたは信号を監視することによって、無線デバイスに対するビーム障害イベントがあることを検出し得る。基地局は、基地局と無線デバイスとの間でＰＤＣＣＨを伝送するためのビームペアリンクを回復するために、ビーム回復メカニズムを開始してもよい。基地局は、例えば、ビーム障害回復要求の受信後または受信に応じて、１つ以上の制御信号を、無線デバイスに伝送してもよい。ビーム回復メカニズムは、例えば、Ｌ１スキーム、またはより上位層のスキームであり得る。
【０１０１】
基地局は、例えば、アップリンク物理チャネルの構成パラメータおよび／またはビーム障害回復要求を伝送するための信号を含む、１つ以上のメッセージを伝送することができる。アップリンク物理チャネルおよび／または信号は、他のＰＲＡＣＨ伝送のリソースに直交するリソースを使用し得る、非競合ベースのＰＲＡＣＨ（例えば、ビーム障害回復ＰＲＡＣＨまたはＢＦＲ−ＰＲＡＣＨ）、ＰＵＣＣＨ（例えば、ビーム障害回復ＰＵＣＣＨまたはＢＦＲ−ＰＵＣＣＨ）、および／または競合ベースのＰＲＡＣＨリソースのうちの少なくとも１つに基づいてもよい。これらの候補信号および／またはチャネルの組み合わせは、基地局によって構成されてもよい。
【０１０２】
ｇＮＢは、１つ以上のＢＦＲ要求を受信した後、ＵＥに確認メッセージを応答し得る。確認メッセージは、ＵＥが１つ以上のＢＦＲ要求で示す候補ビームに関連付けられたＣＲＩを含み得る。確認メッセージは、Ｌ１制御情報であり得る。
【０１０３】
例示的なキャリアアグリゲーション（ＣＡ）動作
キャリアアグリゲーション（ＣＡ）では、２つ以上のコンポーネントキャリア（ＣＣ）が集約され得る。無線デバイスは、ＣＡの技術を使用して、無線デバイスの機能に応じて、１つ以上のＣＣで同時に受信または伝送し得る。一実施例では、無線デバイスは、隣接するＣＣおよび／または隣接しないＣＣに対してＣＡをサポートし得る。ＣＣはセルに編成され得る。例えば、ＣＣは１つのプライマリセル（ＰＣｅｌｌ）と１つ以上のセカンダリセル（ＳＣｅｌｌ）とに編成され得る。
【０１０４】
ＣＡを用いて構成されると、無線デバイスはネットワークとの１つのＲＲＣ接続を有し得る。ＲＲＣ接続の確立／再確立／ハンドオーバ中、ＮＡＳモビリティ情報を提供するセルはサービングセルであり得る。ＲＲＣ接続の再確立／ハンドオーバプロシージャ中、セキュリティ入力を提供するセルはサービングセルであり得る。一実施例では、サービングセルはＰＣｅｌｌを示し得る。一実施例では、ｇＮＢは、無線デバイスの機能に応じて、複数の１つ以上のＳＣｅｌｌの構成パラメータを含む１つ以上のメッセージを無線デバイスに伝送し得る。
【０１０５】
ＣＡを用いて構成されると、基地局および／または無線デバイスは、無線デバイスのバッテリまたは電力消費を改善するために、ＳＣｅｌｌのアクティブ化／非アクティブ化メカニズムを使用してもよい。無線デバイスが１つ以上のＳＣｅｌｌを用いて構成されると、ｇＮＢは１つ以上のＳＣｅｌｌのうちの少なくとも１つをアクティブ化または非アクティブ化することができる。ＳＣｅｌｌの構成時に、ＳＣｅｌｌに関連付けられたＳＣｅｌｌ状態が「アクティブ化」または「休止」に設定されていない限り、ＳＣｅｌｌを非アクティブ化し得る。
【０１０６】
一実施例では、無線デバイスは、ＳＣｅｌｌアクティブ化／非アクティブ化ＭＡＣ  ＣＥを受信することに応じてＳＣｅｌｌをアクティブ化／非アクティブ化することができる。
【０１０７】
一実施例では、ｇＮＢは、無線デバイスに、ＳＣｅｌｌタイマ（例えば、ｓＣｅｌｌＤｅａｃｔｉｖａｔｉｏｎＴｉｍｅｒ）を含む１つ以上のメッセージを伝送し得る。一実施例では、無線デバイスは、ＳＣｅｌｌタイマの満了に応答してＳＣｅｌｌを非アクティブ化し得る。
【０１０８】
無線デバイスがＳＣｅｌｌをアクティブ化するＳＣｅｌｌアクティブ化／非アクティブ化ＭＡＣ  ＣＥを受信すると、無線デバイスはＳＣｅｌｌをアクティブ化し得る。ＳＣｅｌｌのアクティブ化に応答して、無線デバイスは、ＳＣｅｌｌ上でのＳＲＳ伝送、ＳＣｅｌｌのＣＱＩ／ＰＭＩ／ＲＩ／ＣＲＩレポート、ＳＣｅｌｌでのＰＤＣＣＨ監視、ＳＣｅｌｌのＰＤＣＣＨ監視、および／またはＳＣｅｌｌでのＰＵＣＣＨ伝送を含む動作を実行し得る。
【０１０９】
一実施例では、ＳＣｅｌｌのアクティブ化に応答して、無線デバイスは、ＳＣｅｌｌに関連付けられた第１のＳＣｅｌｌタイマ（例えば、ｓＣｅｌｌＤｅａｃｔｉｖａｔｉｏｎＴｉｍｅｒ）を始動または再始動してもよい。無線デバイスは、ＳＣｅｌｌをアクティブ化するＳＣｅｌｌアクティブ化／非アクティブ化ＭＡＣ  ＣＥが受信されると、スロット内の第１のＳＣｅｌｌタイマを始動または再始動し得る。一実施例では、ＳＣｅｌｌのアクティブ化に応答して、無線デバイスは、記憶された構成に従って、ＳＣｅｌｌに関連付けられた構成された許可タイプ１の１つ以上の中断された構成済みアップリンク許可を（再）初期化することができる。一実施例では、ＳＣｅｌｌのアクティブ化に応答して、無線デバイスはＰＨＲをトリガしてもよい。
【０１１０】
無線デバイスが、アクティブ化されたＳＣｅｌｌを非アクティブ化するＳＣｅｌｌアクティブ化／非アクティブ化ＭＡＣ  ＣＥを受信すると、無線デバイスはアクティブ化されたＳＣｅｌｌを非アクティブ化し得る。一実施例では、アクティブ化されたＳＣｅｌｌに関連付けられた第１のＳＣｅｌｌタイマ（例えば、ｓＣｅｌｌＤｅａｃｔｉｖａｔｉｏｎＴｉｍｅｒ）が満了すると、無線デバイスはアクティブ化されたＳＣｅｌｌを非アクティブ化し得る。アクティブ化されたＳＣｅｌｌの非アクティブ化に応答して、無線デバイスは、アクティブ化されたＳＣｅｌｌに関連付けられた第１のＳＣｅｌｌタイマを停止してもよい。一実施例では、アクティブ化されたＳＣｅｌｌの非アクティブ化に応答して、無線デバイスは、アクティブ化されたＳＣｅｌｌに関連付けられた構成済みアップリンク許可タイプ２の１つ以上の構成済みダウンリンク割り当ておよび／または１つ以上の構成済みアップリンク許可をクリアし得る。一実施例では、アクティブ化されたＳＣｅｌｌの非アクティブ化に応答して、無線デバイスは、アクティブ化されたＳＣｅｌｌに関連付けられた構成済みアップリンク許可タイプ１の１つ以上の構成済みアップリンク許可を中断し得る、および／またはアクティブ化されたＳＣｅｌｌに関連付けられたＨＡＲＱバッファをフラッシュし得る。
【０１１１】
一実施例では、ＳＣｅｌｌが非アクティブ化されると、無線デバイスは、ＳＣｅｌｌ上でＳＲＳを伝送すること、ＳＣｅｌｌのＣＱＩ／ＰＭＩ／ＲＩ／ＣＲＩをレポートすること、ＳＣｅｌｌ上のＵＬ−ＳＣＨで伝送すること、ＳＣｅｌｌ上のＲＡＣＨで伝送すること、ＳＣｅｌｌ上の少なくとも１つの第１のＰＤＣＣＨを監視すること、ＳＣｅｌｌの少なくとも１つの第２のＰＤＣＣＨを監視すること、および／またはＳＣｅｌｌ上でＰＵＣＣＨを伝送すること、を含む動作を実行しないことが可能である。
【０１１２】
一実施例では、アクティブ化されたＳＣｅｌｌ上の少なくとも１つの第１のＰＤＣＣＨがアップリンク許可またはダウンリンク割り当てを示すと、無線デバイスは、アクティブ化されたＳＣｅｌｌに関連付けられた第１のＳＣｅｌｌタイマ（例えば、ｓＣｅｌｌＤｅａｃｔｉｖａｔｉｏｎＴｉｍｅｒ）を再始動し得る。一実施例では、アクティブ化されたＳＣｅｌｌをスケジューリングしているサービングセル（例えば、ＰＣｅｌｌまたはＰＵＣＣＨを用いて構成されたＳＣｅｌｌ、すなわちＰＵＣＣＨ  ＳＣｅｌｌ）上の少なくとも１つの第２のＰＤＣＣＨが、アクティブ化されたＳＣｅｌｌのアップリンク許可またはダウンリンク割り当てを示す場合、無線デバイスは、アクティブ化されたＳＣｅｌｌに関連付けられた第１のＳＣｅｌｌタイマ（例えば、ｓＣｅｌｌＤｅａｃｔｉｖａｔｉｏｎＴｉｍｅｒ）を再始動し得る。
【０１１３】
一実施例では、ＳＣｅｌｌが非アクティブ化されると、ＳＣｅｌｌ上に進行中のランダムアクセスプロシージャがある場合、無線デバイスはＳＣｅｌｌ上の進行中のランダムアクセスプロシージャを中止してもよい。
【０１１４】
図２４Ａは、１オクテットのＳＣｅｌｌアクティブ化／非アクティブ化ＭＡＣ  ＣＥの実施例を示す。第１のＬＣＩＤ（例えば、「１１１０１０」）を有する第１のＭＡＣ  ＰＤＵサブヘッダは、１オクテットのＳＣｅｌｌアクティブ化／非アクティブ化ＭＡＣ  ＣＥを識別することができる。１オクテットのＳＣｅｌｌアクティブ化／非アクティブ化ＭＡＣ  ＣＥのサイズは一定であってもよい。１オクテットのＳＣｅｌｌアクティブ化／非アクティブ化ＭＡＣ  ＣＥは、単一のオクテットを含んでもよい。単一のオクテットは、第１の数のＣフィールド（例えば、７）と第２の数のＲフィールド（例えば１）とを含むことができる。
【０１１５】
図２４Ｂは、４オクテットのＳＣｅｌｌアクティブ化／非アクティブ化ＭＡＣ  ＣＥの実施例を示す。第２のＬＣＩＤ（例えば、「１１１００１」）を有する第２のＭＡＣ  ＰＤＵサブヘッダは、４オクテットのＳＣｅｌｌアクティブ化／非アクティブ化ＭＡＣ  ＣＥを識別することができる。４オクテットのＳＣｅｌｌアクティブ化／非アクティブ化ＭＡＣ  ＣＥのサイズは一定であってもよい。４オクテットのＳＣｅｌｌアクティブ化／非アクティブ化ＭＡＣ  ＣＥは、４オクテットを含むことができる。４つのオクテットは、第３の数のＣフィールド（例えば、３１）と第４の数のＲフィールド（例えば、１）とを含むことができる。
【０１１６】
図２４Ａおよび／または図２４Ｂにおいて、Ｓセルインデックスｉを有するＳセルｉが構成される場合、Ｃｉフィールドが、Ｓセルインデックスｉを有するＳセルのアクティブ化／非アクティブ化ステータスを示し得る。一実施例では、Ｃｉフィールドが１に設定されると、ＳＣｅｌｌインデックスｉを有するＳＣｅｌｌがアクティブ化され得る。一実施例では、Ｃｉフィールドがゼロに設定されると、ＳＣｅｌｌインデックスｉを有するＳＣｅｌｌが非アクティブ化され得る。一実施例では、ＳＣｅｌｌインデックスｉを用いて構成されたＳＣｅｌｌがない場合、無線デバイスはＣｉフィールドを無視し得る。図２４Ａおよび図２４Ｂにおいて、Ｒフィールドが予約ビットを示し得る。Ｒフィールドはゼロに設定され得る。
【０１１７】
図２５Ａおよび図２５Ｂは、ＵＥがＭＡＣアクティブ化コマンドを受信するタイムラインを示す。ＵＥがサブフレームｎにおけるセカンダリセルのＭＡＣアクティブ化コマンドを受信すると、ＭＡＣレイヤにおける対応するアクションは、ＣＳＩレポートに関連するアクションと、サブフレームｎ＋８で適用される、セカンダリセルに関連付けられたｓＣｅｌｌＤｅａｃｔｉｖａｔｉｏｎＴｉｍｅｒに関連するアクションと、を除いて、３ＧＰＰ  ＴＳ３６．１３３またはＴＳ３８．１３３で定義された最小要件以前かつサブフレームｎ＋８以後に適用される。ＵＥがセカンダリセルのＭＡＣ非アクティブ化コマンドを受信するか、またはセカンダリセルに関連付けられたｓＣｅｌｌＤｅａｃｔｉｖａｔｉｏｎＴｉｍｅｒがサブフレームｎで満了すると、ＭＡＣレイヤの対応するアクションが、サブフレームｎ＋８で適用されることとなる、ＣＳＩレポートに関連するアクションを除いて、３ＧＰＰ  ＴＳ３６．１３３またはＴＳ３８．１３３で定義された最小要件以前に適用されることとなる。
【０１１８】
ＵＥがサブフレームｎでセカンダリセルのＭＡＣアクティブ化コマンドを受信すると、ＣＳＩレポートに関連するアクションとセカンダリセルに関連付けられたｓＣｅｌｌＤｅａｃｔｉｖａｔｉｏｎＴｉｍｅｒに関連するアクションとが、サブフレームｎ＋８で適用される。ＵＥがセカンダリフレームのＭＡＣ非アクティブ化コマンドを受信するか、またはサブフレームｎで他の非アクティブ化条件が満たされる（例えば、セカンダリセルに関連付けられたｓＣｅｌｌＤｅａｃｔｉｖａｔｉｏｎＴｉｍｅｒが満了する）と、ＣＳＩレポートに関連するアクションがサブフレームｎ＋８で適用される。ＵＥは、（ｎ＋８）番目のサブフレームでＳｃｅｌｌの無効または有効なＣＳＩのレポートを開始し、ｎ番目のサブフレームでＳＣｅｌｌをアクティブ化するＭＡＣ  ＣＥを受信すると、ｓＣｅｌｌＤｅａｃｔｉｖａｔｉｏｎＴｉｍｅｒを始動または再始動する。アクティブ化が遅いＵＥについて、ＵＥは（ｎ＋８）番目のサブフレームで無効なＣＳＩ（範囲外のＣＳＩ）をレポートする場合があり、アクティブ化が速いＵＥについて、ＵＥは（ｎ＋８）番目のサブフレームで有効なＣＳＩをレポートし得る。
【０１１９】
ＵＥがサブフレームｎでＳＣｅｌｌのＭＡＣアクティブ化コマンドを受信すると、ＵＥはサブフレームｎ＋８でＳＣｅｌｌのＣＱＩ／ＰＭＩ／ＲＩ／ＰＴＩのレポートを開始し、サブフレームｎ＋８でＳＣｅｌｌに関連付けられたｓＣｅｌｌＤｅａｃｔｉｖａｔｉｏｎＴｉｍｅｒを始動または再始動する。ＵＥとｅＮＢとの両方についてのこれらのアクションのタイミングを定義することは重要である。例えば、ｓＣｅｌｌＤｅａｃｔｉｖａｔｉｏｎＴｉｍｅｒがｅＮＢとＵＥとの両方で維持され、ＵＥとｅＮＢとの両方が同じＴＴＩでこのタイマを停止、始動、および／または再始動することが重要である。そうでない場合、ＵＥのｓＣｅｌｌＤｅａｃｔｉｖａｔｉｏｎＴｉｍｅｒは、ｅＮＢの対応するｓＣｅｌｌＤｅａｃｔｉｖａｔｉｏｎＴｉｍｅｒと同期していない可能性がある。また、ｅＮＢは、同じＴＴＩ内の事前定義されたタイミングに従って、および／またはＵＥがＣＳＩの伝送を開始した後に、ＣＳＩ（ＣＱＩ／ＰＭＩ／ＲＩ／ＰＴＩ）の監視および受信を開始する。ＵＥおよびｅＮＢのＣＳＩタイミングが共通の標準またはエアインターフェースシグナリングに基づいて協調されない場合、ネットワーク動作は非効率的な動作および／またはエラーをもたらし得る。
【０１２０】
例示的なダウンリンク制御情報（ＤＣＩ）の伝送および受信
図２６は、基地局で２つのＴｘアンテナを用い、かつＬＴＥシステムにキャリアアグリゲーションを用いない、２０ＭＨｚのＦＤＤ動作の実施例のＤＣＩフォーマットを示す。ＮＲシステムでは、ＤＣＩフォーマットは、セル内のＰＵＳＣＨのスケジューリングを示すＤＣＩフォーマット０＿０／０＿１、セル内のＰＤＳＣＨのスケジューリングを示すＤＣＩフォーマット１＿０／１＿１、ＵＥのグループにスロットフォーマットを通知するＤＣＩフォーマット２＿０、ＵＥが伝送を意図していないとＵＥが想定し得るＰＲＢ（複数可）およびＯＦＤＭシンボル（複数可）をＵＥのグループに通知するＤＣＩフォーマット２＿１、ＰＵＣＣＨおよびＰＵＳＣＨのＴＰＣコマンドの伝送を示すＤＣＩフォーマット２＿２、および／または１つ以上のＵＥによるＳＲＳ伝送のためのＴＰＣコマンドのグループの伝送を示すＤＣＩフォーマット２＿３、とのうちの少なくとも１つを含んでもよい。一実施例では、ｇＮＢは、スケジューリング決定および電力制御の依頼のために、ＰＤＣＣＨを介してＤＣＩを伝送し得る。より具体的には、ＤＣＩは、ダウンリンクスケジューリング割り当て、アップリンクスケジューリング許可、電力制御コマンド、のうちの少なくとも１つを含み得る。ダウンリンクスケジューリング割り当ては、ＰＤＳＣＨリソース表示、トランスポートフォーマット、ＨＡＲＱ情報、マルチアンテナスキームに関連する制御情報、ダウンリンクスケジューリング割り当てに応答するＡＣＫ／ＮＡＣＫの伝送に使用されるＰＵＣＣＨの電力制御のためのコマンド、のうちの少なくとも１つを含むことができる。アップリンクスケジューリング許可は、ＰＵＳＣＨリソース表示、トランスポートフォーマット、ＨＡＲＱ関連情報、ＰＵＳＣＨの電力制御コマンド、のうちの少なくとも１つを含み得る。
【０１２１】
一実施例では、種々のタイプの制御情報が、種々のＤＣＩペイロードサイズに対応し得る。例えば、周波数領域においてＲＢの非連続アロケーションで空間多重化をサポートするには、周波数連続アロケーションのみを可能とし得るアップリンク許可と比較して、より大きなスケジューリングメッセージが必要となり得る。フォーマットが特定のメッセージサイズおよび使用法に対応する場合に、ＤＣＩは種々のＤＣＩフォーマットに分類されてもよい。
【０１２２】
一実施例では、ＵＥは、１つ以上のＤＣＩフォーマットを有する１つ以上のＤＣＩを検出するために、１つ以上のＰＤＣＣＨを監視してもよい。１つ以上のＰＤＣＣＨは、共通検索空間またはＵＥ固有の検索空間で伝送され得る。ＵＥは、電力消費を節減するために、限られた１組のＤＣＩフォーマットのみを有するＰＤＣＣＨを監視してもよい。例えば、通常のＵＥは、ｅＭＴＣ  ＵＥに使用されるＤＣＩフォーマット６を有するＤＣＩを検出する必要がない場合がある。検出されるべきＤＣＩフォーマットが多いほど、ＵＥでより多くの電力が消費される。
【０１２３】
一実施例では、ＵＥは、１つ以上のＤＣＩフォーマットを有する１つ以上のＤＣＩを検出するために、１つ以上のＰＤＣＣＨ候補を監視してもよい。１つ以上のＰＤＣＣＨは、共通検索空間またはＵＥ固有の検索空間で伝送され得る。ＵＥは、電力消費を節減するために、限られた１組のＤＣＩフォーマットのみを有するＰＤＣＣＨを監視してもよい。例えば、通常のＵＥは、ｅＭＴＣ  ＵＥに使用されるＤＣＩフォーマット６を有するＤＣＩを検出する必要がない場合がある。検出されるべきＤＣＩフォーマットが多いほど、ＵＥでより多くの電力が消費される。
【０１２４】
一実施例では、ＵＥが監視する１つ以上のＰＤＣＣＨ候補は、ＰＤＣＣＨ  ＵＥ固有の検索空間に関して定義され得る。ＣＣＥアグリゲーションレベルＬ∈｛１，２，４，８｝のＰＤＣＣＨ  ＵＥ固有の検索空間は、ＣＣＥアグリゲーションレベルＬのＰＤＣＣＨ候補のセットによって定義されてもよい。一実施例では、ＤＣＩフォーマットの場合、ＵＥは、ＣＣＥ集約レベルＬごとの多数のＰＤＣＣＨ候補の１つ以上の上位層パラメータによってサービングセルごとに構成され得る。
【０１２５】
一実施例では、非ＤＲＸモード動作では、ＵＥは、制御リソースセットｑの１つ以上の上位層パラメータによって構成され得るＷＰＤＣＣＨ，ｑシンボルの周期性に従って、制御リソースセットｑの１つ以上のＰＤＣＣＨ候補を監視し得る。
【０１２６】
一実施例では、ＵＥが上位層パラメータ、例えばｃｉｆ−ＩｎＳｃｈｅｄｕｌｉｎｇＣｅｌｌを用いて構成される場合、キャリアインジケータフィールド値はｃｉｆ−ＩｎＳｃｈｅｄｕｌｉｎｇＣｅｌｌに対応し得る。
【０１２７】
一実施例では、ＵＥ固有の検索空間でＵＥが１つ以上のＰＤＣＣＨ候補を監視し得るサービングセルについて、ＵＥがキャリアインジケータフィールドを用いて構成されていない場合、ＵＥは、キャリアインジケータフィールドを有しない１つ以上のＰＤＣＣＨ候補を監視し得る。一実施例では、ＵＥ固有の検索空間でＵＥが１つ以上のＰＤＣＣＨ候補を監視し得るサービングセルについて、ＵＥがキャリアインジケータフィールドを用いて構成される場合、ＵＥは、キャリアインジケータフィールドを有する１つ以上のＰＤＣＣＨ候補を監視し得る。
【０１２８】
一実施例では、ＵＥは、別のサービングセル内のセカンダリセルに対応するキャリアインジケータフィールドを有する１つ以上のＰＤＣＣＨ候補を監視するようにＵＥが構成される場合、セカンダリセル上の１つ以上のＰＤＣＣＨ候補を監視しなくてもよい。例えば、ＵＥが１つ以上のＰＤＣＣＨ候補を監視し得るサービングセルについて、ＵＥは、少なくとも同じサービングセルについて１つ以上のＰＤＣＣＨ候補を監視し得る。
【０１２９】
一実施例では、ダウンリンクスケジューリングに使用されるＤＣＩフォーマットの情報は、ＤＣＩフォーマット間で相違して存在するフィールドを有する異なるグループに編成でき、キャリアインジケータ（０または３ビット）、ＲＢアロケーションからなるリソース情報と、ＨＡＲＱプロセス番号と、ＭＣＳ、ＮＤＩ、およびＲＶ（第１のＴＢに対する）と、ＭＣＳ、ＮＤＩ、およびＲＶ（第２のＴＢに対する）と、ＭＩＭＯ関連情報と、ＰＤＳＣＨリソース要素マッピングおよびＱＣＩと、ダウンリンク割り当てインデックス（ＤＡＩ）と、ＰＵＣＣＨのＴＰＣと、ＳＲＳ要求（１ビット）と、ワンショットＳＲＳ伝送のトリガと、ＡＣＫ／ＮＡＣＫオフセットと、ＤＣＩフォーマット１ＡとＤＣＩフォーマット０とを区別するために使用されるＤＣＩフォーマット０／１Ａ表示と、必要に応じたパディングと、のうちの少なくとも１つを含む。ＭＩＭＯ関連情報は、ＰＭＩ、プリコーディング情報、トランスポートブロックスワップフラグ、ＰＤＳＣＨと基準信号との間の電力オフセット、基準信号スクランブルシーケンス、レイヤ数、および／または伝送用アンテナポート、のうちの少なくとも１つを含み得る。
【０１３０】
一実施例では、アップリンクスケジューリングに使用されるＤＣＩフォーマットの情報は、ＤＣＩフォーマット間で相違して存在するフィールドを有する異なるグループに編成でき、キャリアインジケータ、リソースアロケーションタイプ、ＲＢアロケーションからなるリソース情報と、ＭＣＳ、ＮＤＩ（第１のＴＢに対する）と、ＭＣＳ、ＮＤＩ（第２のＴＢに対する）と、アップリンクＤＭＲＳの位相回転と、プリコーディング情報と、非周期的なＣＳＩレポートを要求するＣＳＩリクエストと、最大３つの事前構成された設定のうちの１つを使用して非周期的なＳＲＳ伝送をトリガするために使用されるＳＲＳ要求（２ビット）と、アップリンクインデックス／ＤＡＩと、ＰＵＳＣＨのＴＰＣと、ＤＣＩフォーマット０／１Ａ表示と、必要に応じたパディングと、のうちの少なくとも１つを含む。
【０１３１】
一実施例では、ｇＮＢは、ＰＤＣＣＨを介してＤＣＩを伝送する前に、ＤＣＩに対してＣＲＣスクランブリングを実行し得る。ｇＮＢは、ＤＣＩのＣＲＣビットを有する少なくとも１つの無線デバイス識別子（例えば、Ｃ−ＲＮＴＩ、ＣＳ−ＲＮＴＩ、ＴＰＣ−ＣＳ−  ＲＮＴＩ、ＴＰＣ−ＰＵＣＣＨ−ＲＮＴＩ、ＴＰＣ−ＰＵＳＣＨ−ＲＮＴＩ、ＳＰ  ＣＳＩ  Ｃ−ＲＮＴＩ、ＳＲＳ−ＴＰＣ−ＲＮＴＩ、ＩＮＴ−ＲＮＴＩ、ＳＦＩ−ＲＮＴＩ、Ｐ−ＲＮＴＩ、ＳＩ−ＲＮＴＩ、ＲＡ−ＲＮＴＩ、および／またはＭＣＳ−Ｃ−ＲＮＴＩ）の複数のビットのビットごとの加算（または、法２の加算または排他的ＯＲ（ＸＯＲ）演算）によってＣＲＣを実行し得る。無線デバイスは、ＤＣＩを検出すると、ＤＣＩのＣＲＣビットを検査し得る。無線デバイスは、少なくとも１つの無線デバイス識別子と同じであるビットシーケンスによってＣＲＣがスクランブルされると、ＤＣＩを受信し得る。
【０１３２】
ＮＲシステムでは、広帯域幅動作をサポートするために、ｇＮＢは異なる制御リソースセットで１つ以上のＰＤＣＣＨを伝送し得る。ｇＮＢは、１つ以上の制御リソースセットの構成パラメータを含む１つ以上のＲＲＣメッセージを伝送し得る。１つ以上の制御リソースセットのうちの少なくとも１つは、最初のＯＦＤＭシンボル、連続的なＯＦＤＭシンボルの数、リソースブロックのセット、ＣＣＥからＲＥＧへのマッピング、インターリーブされたＣＣＥからＲＥＧへのマッピングの場合のＲＥＧバンドルサイズ、のうちの少なくとも１つを含み得る。
【０１３３】
物理アップリンク制御チャネル（ＰＵＣＣＨ）伝送の実施例
一実施例では、無線デバイスは、１つ以上のＰＵＣＣＨリソースを介して１つ以上のアップリンク制御情報（ＵＣＩ）を基地局に伝送し得る。１つ以上のＵＣＩは、ＨＡＲＱ−ＡＣＫ情報、スケジューリング要求（ＳＲ）、および／またはＣＳＩレポートのうちの少なくとも１つを含み得る。一実施例では、ＰＵＣＣＨリソースは、少なくとも、周波数位置（例えば、ＰＲＢを開始する）、および／または基本シーケンスの初期循環シフトおよび時間領域位置（例えば、開始シンボルインデックス）に関連付けられたＰＵＣＣＨフォーマットによって識別され得る。一実施例では、ＰＵＣＣＨフォーマットは、ＰＵＣＣＨフォーマット０、ＰＵＣＣＨフォーマット１、ＰＵＣＣＨフォーマット２、ＰＵＣＣＨフォーマット３、またはＰＵＣＣＨフォーマット４であり得る。ＰＵＣＣＨフォーマット０は、１または２個のＯＦＤＭシンボルの長さを有し、２ビット以下であり得る。ＰＵＣＣＨフォーマット１は、４〜１４個の数のＯＦＤＭシンボルを占有し、２ビット以下であり得る。ＰＵＣＣＨフォーマット２は、１または２個のＯＦＤＭシンボルを占有し、２ビットを超える大きさであり得る。ＰＵＣＣＨフォーマット３は、４〜１４個の数のＯＦＤＭシンボルを占め、２ビットを超える大きさであり得る。ＰＵＣＣＨフォーマット４は、４〜１４個の数のＯＦＤＭシンボルを占め、２ビットを超える大きさであり得る。ＰＵＣＣＨリソースは、ＰＣｅｌｌ上、またはＰＵＣＣＨセカンダリセル上で構成され得る。
【０１３４】
一実施例では、複数のアップリンクＢＷＰで構成されるとき、基地局は、無線デバイスに、１つ以上のＰＵＣＣＨリソースセット（例えば、最大４つのセット）の構成パラメータを含む１つ以上のＲＲＣメッセージを、複数のアップリンクＢＷＰのアップリンクＢＷＰで伝送し得る。各ＰＵＣＣＨリソースセットは、ＰＵＣＣＨリソースセットインデックス、各ＰＵＣＣＨリソースがＰＵＣＣＨリソース識別子（例えば、ｐｕｃｃｈ−Ｒｅｓｏｕｒｃｅｉｄ）によって識別されるＰＵＣＣＨリソースのリスト、および／または無線デバイスがＰＵＣＣＨリソースセット内の複数のＰＵＣＣＨリソースのうちの１つを使用して伝送し得るＵＣＩ情報ビットの最大数を用いて構成され得る。
【０１３５】
一実施例では、１つ以上のＰＵＣＣＨリソースセットを用いて構成されるとき、無線デバイスは、無線デバイスが伝送し得るＵＣＩ情報ビット（例えば、ＨＡＲＱ−ＡＲＱビット、ＳＲ、および／またはまたはＣＳＩ）の総ビット長に基づいて、１つ以上のＰＵＣＣＨリソースセットのうちの１つを選択し得る。一実施例では、ＵＣＩ情報ビットの総ビット長が２以下であるとき、無線デバイスは、「０」に等しいＰＵＣＣＨリソースセットインデックスを有する第１のＰＵＣＣＨリソースセットを選択し得る。一実施例では、ＵＣＩ情報ビットの総ビット長が２より大きく、第１の構成値以下であるとき、無線デバイスは、ＰＵＣＣＨリソースセットインデックスが「１」に等しい第２のＰＵＣＣＨリソースセットを選択し得る。一実施例では、ＵＣＩ情報ビットの総ビット長が第１の構成値より大きく、第２の構成値以下であるとき、無線デバイスは、ＰＵＣＣＨリソースセットインデックスが「２」に等しい第３のＰＵＣＣＨリソースセットを選択し得る。一実施例では、ＵＣＩ情報ビットの総ビット長が第２の構成値より大きく、第３の値（例えば、１７０６）以下であるとき、無線デバイスは、ＰＵＣＣＨリソースセットが「３」に等しい第４のＰＵＣＣＨリソースセットを選択し得る。
【０１３６】
一実施例では、無線デバイスは、ＵＣＩ伝送のアップリンクシンボルの数およびＵＣＩビットの数に基づいて、ＰＵＣＣＨフォーマット０、ＰＵＣＣＨフォーマット１、ＰＵＣＣＨフォーマット２、ＰＵＣＣＨフォーマット３、および／またはＰＵＣＣＨフォーマット４を含む複数のＰＵＣＣＨフォーマットからのＰＵＣＣＨフォーマットを決定し得る。一実施例では、伝送が１個のシンボルまたは２個のシンボルを超え、かつ正または負のＳＲ（ＨＡＲＱ−ＡＣＫ／ＳＲビット）を有するＨＡＲＱ−ＡＣＫ情報ビットの数が１または２である場合、無線デバイスは、ＰＵＣＣＨフォーマット０を使用するＰＵＣＣＨでＵＣＩを伝送し得る。一実施例では、伝送が４個以上のシンボルであり、かつＨＡＲＱ−ＡＣＫ／ＳＲビットの数が１または２である場合、無線デバイスは、ＰＵＣＣＨフォーマット１を使用するＰＵＣＣＨでＵＣＩを伝送し得る。一実施例では、伝送が１個のシンボルまたは２個のシンボルを超え、かつＵＣＩビットの数が２より多い場合、無線デバイスは、ＰＵＣＣＨフォーマット２を使用するＰＵＣＣＨでＵＣＩを伝送し得る。一実施例では、伝送が４個以上のシンボルであり、かつＵＣＩビットの数が２より多く、かつＰＵＣＣＨリソースが直交カバー符号を含まない場合、無線デバイスは、ＰＵＣＣＨフォーマット３を使用するＰＵＣＣＨでＵＣＩを伝送し得る。一実施例では、伝送が４個以上のシンボルであり、ＵＣＩビットの数が２より多く、ＰＵＣＣＨリソースが直交カバーコードを含む場合、無線デバイスは、ＰＵＣＣＨフォーマット４を使用するＰＵＣＣＨでＵＣＩを伝送し得る。
【０１３７】
一実施例では、ＰＵＣＣＨリソース上でＨＡＲＱ−ＡＣＫ情報を伝送するために、無線デバイスは、ＰＵＣＣＨリソースセットからＰＵＣＣＨリソースを決定し得る。ＰＵＣＣＨリソースセットは、上述のように決定され得る。無線デバイスは、ＰＤＣＣＨで受信されたＤＣＩ（例えば、ＤＣＩフォーマット１＿０または１＿１に対するＤＣＩを有する）におけるＰＵＣＣＨリソースインジケータフィールドに基づいてＰＵＣＣＨリソースを決定し得る。ＤＣＩ内の３ビットＰＵＣＣＨリソースインジケータフィールドは、ＰＵＣＣＨリソースセット内の８個のＰＵＣＣＨリソースのうちの１つを示し得る。無線デバイスは、ＤＣＩの３ビットＰＵＣＣＨリソースインジケータフィールドによって示されるＰＵＣＣＨリソースでＨＡＲＱ−ＡＣＫ情報を伝送し得る。
【０１３８】
一実施例では、無線デバイスは、ＰＣｅｌｌまたはＰＵＣＣＨセカンダリセルのアクティブなアップリンクＢＷＰのＰＵＣＣＨリソースを介して１つ以上のＵＣＩビットを伝送し得る。セル内の最大１つのアクティブなアップリンクＢＷＰが無線デバイスに対してサポートされるため、ＤＣＩに示されるＰＵＣＣＨリソースは、当然、セルのアクティブなアップリンクＢＷＰ上のＰＵＣＣＨリソースである。
【０１３９】
帯域幅部分の管理の実施例
図２７は、複数のＢＷＰ構成の実施例を示す。ｇＮＢは、セルの１つ以上の帯域幅部分（ＢＷＰ）の構成パラメータを含む１つ以上のメッセージを伝送し得る。セルは、ＰＣｅｌｌまたはＳＣｅｌｌであり得る。１つ以上のメッセージは、ＲＲＣ接続再構成メッセージ（例えば、ＲＲＣＲｅｃｏｎｆｉｇｕｒａｔｉｏｎ）、ＲＲＣ接続再確立メッセージ（例えば、ＲＲＣＲｅｓｔａｂｌｉｓｈｍｅｎｔ）、および／またはＲＲＣ接続セットアップメッセージ（例えば、ＲＲＣＳｅｔｕｐ）を含むことができる。１つ以上のＢＷＰは、異なるニューメロロジを有してもよい。ｇＮＢは、クロスＢＷＰスケジューリングのための１つ以上の制御情報を、ＵＥに伝送してもよい。周波数領域では、１つのＢＷＰが別のＢＷＰと重複し得る。
【０１４０】
一実施例では、ｇＮＢは、アクティブなＤＬまたはＵＬ  ＢＷＰとして少なくとも１つのＢＷＰ、およびデフォルトのＤＬまたはＵＬ  ＢＷＰとして０または１つのＢＷＰを有する、セルの１つ以上のＤＬおよび／またはＵＬ  ＢＷＰの構成パラメータを含む１つ以上のメッセージを伝送し得る。ＰＣｅｌｌの場合、アクティブなＤＬ  ＢＷＰは、ＵＥが１つ以上のＰＤＣＣＨを監視し、および／またはＰＤＳＣＨを受信し得るＤＬ  ＢＷＰであり得る。アクティブなＵＬ  ＢＷＰは、ＵＥがアップリンク信号を伝送し得るＵＬ  ＢＷＰである。セカンダリセル（ＳＣｅｌｌ）が構成される場合、アクティブなＤＬ  ＢＷＰは、ＭＡＣアクティブ化／非アクティブ化ＣＥを受信することによりＳＣｅｌｌがアクティブ化されると、ＵＥが１つ以上のＰＤＣＣＨを監視してＰＤＳＣＨを受信し得るＤＬ  ＢＷＰであり得る。アクティブなＵＬ  ＢＷＰは、ＭＡＣアクティブ化／非アクティブ化ＣＥを受信することによりＳＣｅｌｌがアクティブ化されると、ＵＥがＰＵＣＣＨ（構成される場合）および／またはＰＵＳＣＨを伝送し得るＵＬ  ＢＷＰである。複数のＢＷＰの構成を使用して、ＵＥの電力消費を節減し得る。アクティブなＢＷＰとデフォルトのＢＷＰとを用いて構成されると、アクティブなＢＷＰにアクティビティがない場合、ＵＥはデフォルトのＢＷＰへ切り替わり得る。例えば、デフォルトのＢＷＰは狭い帯域幅を用いて構成されてもよく、アクティブなＢＷＰは広い帯域幅を用いて構成されてもよい。信号の伝送または受信がない場合、ＵＥはＢＷＰを、消費電力を低減し得るデフォルトのＢＷＰへ切り替えることができる。
【０１４１】
一実施例では、それぞれＤＬ  ＢＷＰまたはＵＬ  ＢＷＰのセット内の各ＤＬ  ＢＷＰまたはＵＬ  ＢＷＰについて、無線デバイスは、サービングセルのために、上位層パラメータによって提供されるサブキャリア間隔（例えば、ｓｕｂｃａｒｒｉｅｒＳｐａｃｉｎｇ）と、上位層パラメータによって提供されるサイクリックプレフィックス（例えば、ｃｙｃｌｉｃＰｒｅｆｉｘ）と、ＲＩＶとして解釈される上位層パラメータ（例えば、ｌｏｃａｔｉｏｎＡｎｄＢａｎｄｗｉｄｔｈ）によって示される最初のＰＲＢおよび連続するＰＲＢの数であって、最初のＰＲＢは、上位層パラメータ（例えば、ｏｆｆｓｅｔＴｏＣａｒｒｉｅｒおよびｓｕｂｃａｒｒｉｅｒＳｐａｃｉｎｇ）によって示されるＰＲＢに対するＰＲＢオフセットである、最初のＰＲＢおよび連続するＰＲＢの数と、それぞれの上位層パラメータ（例えば、ｂｗｐ−Ｉｄ）によるＤＬ  ＢＷＰまたはＵＬ  ＢＷＰのセット内のインデックスと、ＢＷＰ共通のセット、および上位層パラメータによるＢＷＰ専用パラメータのセット（例えば、ｂｗｐ−Ｃｏｍｍｏｎおよびｂｗｐ−Ｄｅｄｉｃａｔｅｄ）と、のパラメータを用いて構成され得る。
【０１４２】
一実施例では、ＢＷＰの切り替えは、ＤＣＩまたはタイマによってトリガされ得る。ＵＥがアクティブなＢＷＰから新たなＢＷＰへのＤＬ  ＢＷＰ切り替えを示すＤＣＩを受信すると、ＵＥはＰＤＣＣＨを監視し、および／または新たなＢＷＰでＰＤＳＣＨを受信し得る。ＵＥが、アクティブなＢＷＰから新たなＢＷＰへのＵＬ  ＢＷＰ切り替えを示すＤＣＩを受信すると、ＵＥは、新たなＢＷＰでＰＵＣＣＨ（構成される場合）および／またはＰＵＳＣＨを伝送し得る。ｇＮＢは、ＢＷＰ非アクティビティタイマを含む１つ以上のメッセージをＵＥに伝送し得る。ＵＥは、ＵＥがＵＥのアクティブなＤＬ  ＢＷＰをデフォルトのＤＬ  ＢＷＰ以外のＤＬ  ＢＷＰへ切り替えると、タイマを始動する。ＵＥは、ＵＥのアクティブなＤＬ  ＢＷＰでＰＤＳＣＨ（複数可）をスケジュールするためにＤＣＩを正常にデコードすると、タイマを初期値に再始動し得る。ＵＥは、ＢＷＰタイマが満了すると、アクティブなＤＬ  ＢＷＰをデフォルトのＤＬ  ＢＷＰへ切り替え得る。
【０１４３】
一実施例では、ＢＷＰは、サブキャリア間隔、サイクリックプレフィックス、連続するＰＲＢの数、最初のＰＲＢに対する連続するＰＲＢの数の最初のＰＲＢのオフセット、またはＢＷＰがＤＬ  ＢＷＰである場合のＱ個の制御リソースセットを用いて、構成され得る。
【０１４４】
一実施例では、ＳＣｅｌｌ上に、初期アクセスがＰｃｅｌｌ上で実行されるため、初期のアクティブなＢＷＰがない場合がある。例えば、最初にアクティブ化されたＤＬ  ＢＷＰおよび／またはＵＬ  ＢＷＰは、Ｓｃｅｌｌがアクティブ化されると、ＲＲＣシグナリングによって構成または再構成され得る。一実施例では、また、ＲＲＣシグナリングによってＳＣｅｌｌのデフォルトのＢＷＰが構成または再構成され得る。
【０１４５】
一実施例では、ｇＮＢは、例えばロードバランシングの目的で、ＲＲＣ接続後の初期のアクティブなＢＷＰ以外のＵＥ固有のデフォルトのＤＬ  ＢＷＰを構成し得る。デフォルトのＢＷＰは、フォールバックおよび／または接続モードのページングなど、他の接続モード動作（初期のアクティブなＢＷＰでサポートされる動作に加えて）をサポートし得る。この場合、デフォルトのＢＷＰは、共通検索空間、例えば、少なくとも、プリエンプション表示を監視するために必要な検索空間を含み得る。
【０１４６】
一実施例では、最初のアクティブなＤＬ  ＢＷＰ以外のＤＬ  ＢＷＰは、デフォルトＤＬ  ＢＷＰとしてＵＥに構成されてもよい。デフォルトのＤＬ  ＢＷＰの再構成は、アクティブなＤＬ  ＢＷＰと初期のアクティブなＤＬ  ＢＷＰに使用されるロードバランシングおよび／または異なるニューメロロジに起因し得る。
【０１４７】
一実施例では、対スペクトルの場合、ＤＬおよびＵＬ  ＢＷＰが独立してアクティブ化され得る一方、不対スペクトルの場合、ＤＬおよびＵＬ  ＢＷＰＳは一緒にアクティブ化される。アクティブなダウンリンクＢＷＰの帯域幅を変更することができる帯域幅適応の場合に、不対スペクトルの場合、新たなダウンリンクＢＷＰと新たなアップリンクＢＷＰとの同時アクティブ化があり得る。例えば、アップリンクＢＷＰの帯域幅が同じであり得る新たなＤＬ／ＵＬ  ＢＷＰ対（例えば、アップリンクＢＷＰの変更なし）。
【０１４８】
例示的な実施形態では、ＤＬ  ＢＷＰとＵＬ  ＢＷＰとの間の関連付けを行うことにより、１つのアクティブ化／非アクティブ化コマンドがＤＬおよびＵＬ  ＢＷＰの両方を一度に切り替え得ることを可能にし得る。そうでない場合は、個別のＢＷＰ切り替えコマンドが必要になり得る。
【０１４９】
一実施例では、ＰＵＣＣＨリソースは、構成済みＵＬ  ＢＷＰ、デフォルトのＵＬ  ＢＷＰ、および／または両方で構成され得る。例えば、ＰＵＣＣＨリソースがデフォルトのＵＬ  ＢＷＰで構成される場合、ＵＥはＳＲを伝送するためにデフォルトのＵＬ  ＢＷＰに再同調することができ、例えば、ＰＵＣＣＨリソースは、ＢＷＰごと、またはデフォルトのＢＷＰ以外のＢＷＰごとに構成され、ＵＥは、現在のアクティブなＢＷＰで再同調せずにＳＲを伝送し得る。
【０１５０】
一実施例では、サービングセルについて、所与の時間に最大で１つのアクティブなＤＬ  ＢＷＰと、最大で１つのアクティブなＵＬ  ＢＷＰと、が存在し得る。セルのＢＷＰは、特定の数秘学／ＴＴＩを用いて構成され得る。一実施例では、無線デバイスが１つのアクティブなＢＷＰで動作する間にＳＲ伝送をトリガする論理チャネルおよび／または論理チャネルグループ、対応するＳＲは、ＢＷＰ切り替えに応答してトリガされたままであり得る。
【０１５１】
一実施例では、新たなＢＷＰがアクティブ化されると、構成済みダウンリンク割り当ては、ＰＤＣＣＨを使用して、初期化され得る（アクティブでない場合）、または再初期化され得る（既にアクティブな場合）。一実施例では、１つ以上のＲＲＣメッセージ／シグナリングを介して、無線デバイスは、少なくとも１つのＵＬ  ＢＷＰ、少なくとも１つのＤＬ  ＢＷＰ、およびセルに対する１つ以上の構成された許可を用いて構成され得る。１つ以上の構成された許可は、半永続的スケジューリング（ＳＰＳ）、タイプ１許可なし（ＧＦ）伝送／スケジューリング、および／またはタイプ２ＧＦ伝送／スケジューリングであり得る。一実施例では、ＵＬ  ＢＷＰごとに１つ以上の構成された許可が構成され得る。例えば、１つ以上の構成された許可に関連付けられた１つ以上の無線リソースは、２つ以上のＵＬ  ＢＷＰにわたって定義／割り当て／割り振られない場合がある。
【０１５２】
一実施例では、ＢＷＰは、ＢＷＰ非アクティビティタイマが作動している期間中にアクティブであり得る。例えば、基地局は、無線デバイスに制御メッセージを伝送して、ＢＷＰ非アクティビティタイマの第１のタイマ値を構成してもよい。第１のタイマ値は、ＢＷＰ非アクティビティタイマが作動する長さ、例えば、ＢＷＰ非アクティビティタイマが作動する期間を決定してもよい。例えば、ＢＷＰ非アクティビティタイマは、第１のタイマ値から値（例えば、ゼロ）までのカウントダウンタイマとして実装されてもよい。例示的な実施形態では、ＢＷＰ非アクティビティタイマは、値（例えば、ゼロ）から第１のタイマ値に至るまでのカウントアップタイマとして実装されてもよい。例示的な実施形態では、ＢＷＰ非アクティビティタイマは、第１のタイマ値から値（例えば、ゼロ）に至るまでのダウンカウンタとして実装されてもよい。例示的な実施形態では、ＢＷＰ非アクティビティタイマは、値（例えば、ゼロ）から第１のタイマ値に至るまでのカウントアップカウンタとして実装されてもよい。例えば、無線デバイスは、無線デバイスがＤＣＩを受信（および／またはデコード）して、無線デバイスのアクティブなＢＷＰ（例えば、無線デバイスのアクティブなＵＬ  ＢＷＰ、無線デバイスのアクティブなＤＬ  ＢＷＰ、および／またはＵＬ／ＤＬ  ＢＷＰ対）でＰＤＳＣＨ（複数可）をスケジュールすると、ＢＷＰ非アクティビティタイマ（例えば、ＵＬ  ＢＷＰおよび／またはＤＬ  ＢＷＰ非アクティビティタイマ）を再始動し得る。
【０１５３】
図２８は、ＢＷＰ切り替えメカニズムの実施例を示す。ＵＥは、ＳＣｅｌｌのパラメータと、ＳＣｅｌｌに関連付けられた１つ以上のＢＷＰ構成と、を含むＲＲＣメッセージを受信することができる。１つ以上のＢＷＰのうち、少なくとも１つのＢＷＰが第１のアクティブＢＷＰ（例えば、図２８のＢＷＰ１）として、１つのＢＷＰがデフォルトのＢＷＰ（例えば、図２８のＢＷＰ０）として、構成され得る。ＵＥは、ＭＡＣ  ＣＥを受信して、ｎ番目のスロットでＳＣｅｌｌをアクティブ化することができる。ＵＥは、（ｎ＋ｘ）番目のスロットで、ｓＣｅｌｌＤｅａｃｔｉｖａｔｉｏｎＴｉｍｅｒを始動し、ＳＣｅｌｌについてのＣＳＩ関連アクションを開始し、および／またはＳＣｅｌｌの第１のアクティブなＢＷＰについてのＣＳＩ関連アクションを開始し得る。ＵＥは、ＢＷＰをＢＷＰ１からＢＷＰ２へ切り替えることを示すＤＣＩの受信に応答して、（ｎ＋ｘ＋ｋ）番目のスロットでＢＷＰ非アクティビティタイマを始動し得る。例えば、（ｎ＋ｘ＋ｋ＋ｍ）番目のスロットで、ＢＷＰ２のＤＬスケジューリングを示すＰＤＣＣＨを受信すると、ＵＥはＢＷＰ非アクティブタイマを再始動し得る。ＵＥは、（ｎ＋ｘ＋ｋ＋ｍ＋ｌ）番目のスロットで、ＢＷＰ非アクティブタイマが満了すると、アクティブなＢＷＰとしてデフォルトのＢＷＰ（例えば、ＢＷＰ０）に再度切り替わり得る。ＵＥは、ｓＣｅｌｌＤｅａｃｔｉｖａｔｉｏｎＴｉｍｅｒが満了すると、ＳＣｅｌｌを非アクティブ化し得る。
【０１５４】
一実施例では、ＢＷＰ非アクティビティタイマがＰＣｅｌｌに適用され得る。基地局は、ＢＷＰ非アクティビティタイマを含む１つ以上のＲＲＣメッセージを無線デバイスに伝送し得る。無線デバイスが無線デバイスのアクティブなＤＬ  ＢＷＰをＰＣｅｌｌ上のデフォルトのＤＬ  ＢＷＰ以外のＤＬ  ＢＷＰへ切り替える場合、無線デバイスはＢＷＰ非アクティブタイマを始動し得る。無線デバイスは、ＤＣＩを正常にデコードして、無線デバイスのアクティブなＤＬ  ＢＷＰでＰＤＳＣＨ（複数可）をスケジュールする場合、ＢＷＰ非アクティブタイマを再始動し得る。無線デバイスは、ＢＷＰ非アクティビティタイマが満了すると、アクティブなＤＬ  ＢＷＰをデフォルトのＤＬ  ＢＷＰへ切り替え得る。
【０１５５】
一実施例では、ＵＥがセル（ＰＣｅｌｌまたはＳＣｅｌｌ）上の複数のＢＷＰを用いて構成される場合、ＢＷＰ非アクティビティタイマを使用することにより、ＵＥの電力消費を低減し得る。ＵＥは、アクティブなＢＷＰでのアクティビティがないとき（例えば、ＢＷＰの非アクティビティタイマが満了したとき）、ＰＣｅｌｌまたはＳＣｅｌｌのデフォルトのＢＷＰへ切り替わり得る。
【０１５６】
セルの複数のＢＷＰでのＣＳＩ伝送トリガの実施例
一実施例では、ｇＮＢは、少なくとも、１つ以上のＣＳＩ−ＲＳリソース設定と、１つ以上のＣＳＩレポート設定と、１つのＣＳＩ測定設定と、を含む１つ以上のＣＳＩ構成パラメータを含む１つ以上のＲＲＣメッセージを伝送し得る。
【０１５７】
一実施例では、ＣＳＩ−ＲＳリソース設定は、１つ以上のＣＳＩ−ＲＳリソースセットを含み得る。一実施例では、周期的なＣＳＩ−ＲＳ、または半永続的（ＳＰ）ＣＳＩ−ＲＳ用の１つのＣＳＩ−ＲＳリソースセットが存在し得る。一実施例では、ＣＳＩ−ＲＳリソースセットは、１つのＣＳＩ−ＲＳタイプ（例えば、周期的、非周期的、または半永続的）と、ＣＳＩ−ＲＳリソース構成ＩＤ（またはインデックス）、ＣＳＩ−ＲＳポートの数、ＣＳＩ−ＲＳ構成（サブフレーム内のシンボルとＲＥとの位置）、ＣＳＩ−ＲＳサブフレーム構成（サブフレームの位置、オフセット、および／または無線フレームの周期性）、ＣＳＩ−ＲＳ電力パラメータ、ＣＳＩ−ＲＳシーケンスパラメータ、ＣＤＭタイプパラメータ、周波数密度、トランスミッションコーム、および／またはＱＣＬパラメータ、のうちの少なくとも１つを含む１つ以上のＣＳＩ−ＲＳリソースと、のうちの少なくとも１つを含み得る。
【０１５８】
一実施例では、１つ以上のＣＳＩ−ＲＳリソースは、周期的に、非周期的伝送を使用して、マルチショット伝送を使用して、および／またはＳＰ伝送を使用して、伝送され得る。周期的伝送では、構成されたＣＳＩ−ＲＳリソースは、時間領域の構成定された周期性を使用して伝送され得る。非周期的伝送では、構成されたＣＳＩ−ＲＳリソースは、専用タイムスロットまたはサブフレームで伝送され得る。マルチショットまたはＳＰ伝送では、構成されたＣＳＩ−ＲＳリソースは、構成された期間内に伝送され得る。一実施例では、ｇＮＢは、周期性を有する１つ以上のＳＰ  ＣＳＩ−ＲＳを伝送し得る。ＣＳＩ−ＲＳが伝送継続期間を用いて構成される場合、ｇＮＢは、１つ以上のＳＰ  ＣＳＩ−ＲＳの伝送を停止し得る。ｇＮＢは、１つ以上のＳＰ  ＣＳＩ−ＲＳを非アクティブ化する（またはその伝送を停止する）ためのＭＡＣ  ＣＥまたはＤＣＩを伝送することに応答して、１つまたはＳＰ  ＣＳＩ−ＲＳの伝送を停止し得る。
【０１５９】
一実施例では、ＣＳＩレポート設定は、１つのレポートタイプ、１つ以上のレポートされたＣＳＩパラメータ（複数可）、１つ以上のＣＳＩタイプ（例えば、タイプＩまたはタイプＩＩ）、１つ以上のコードブック構成パラメータ、時間領域の挙動を示す１つ以上のパラメータ、ＣＱＩおよびＰＭＩの周波数劉度、および／または測定制限構成、のうちの少なくとも１つを含み得る。レポートタイプは、レポートの時間領域の挙動（非周期的、ＳＰ、または周期的）を示し得る。レポートタイプが周期的またはＳＰレポートの場合、ＣＳＩレポート設定は、１つの周期性パラメータ、１つの継続期間パラメータ、および／または１つのオフセット（例えば、スロット単位）。周期性パラメータは、ＣＳＩレポートの周期性を示し得る。継続期間パラメータは、ＣＳＩレポート伝送の継続期間を示し得る。オフセットパラメータは、ＣＳＩレポートのタイミングオフセットの値を示し得る。
【０１６０】
一実施例では、ＣＳＩ測定設定は、１つ以上のリンクパラメータを含む１つ以上のリンクを含み得る。リンクパラメータは、１つのＣＳＩレポート設定表示、ＣＳＩ−ＲＳリソース設定表示、および１つ以上の測定パラメータのうちの少なくとも１つを含み得る。
【０１６１】
図２９は、様々なＣＳＩレポートトリガメカニズムの実施例を示す。一実施例では、図２９に示すように、ｇＮＢは、ＲＲＣメッセージ、またはＭＡＣ  ＣＥ、またはＤＣＩを伝送することによってＣＳＩレポートをトリガし得る。一実施例では、ＵＥは、ＲＲＣメッセージおよび１つ以上の周期的なＣＳＩ−ＲＳに基づいて、周期的なＣＳＩレポート（例えば、図２９のＰ−ＣＳＩレポート）を実行し得る。一実施例では、ＵＥは、１つ以上の非周期的ＣＳＩ−ＲＳおよび／または１つ以上のＳＰ  ＣＳＩ−ＲＳに基づいて周期的なＣＳＩレポートを実行することを許可され（または要求され）ないことがことが可能である。一実施例では、ＵＥは、ＭＡＣ  ＣＥおよび／またはＤＣＩに基づいて、かつ１つ以上の周期的またはＳＰ  ＣＳＩ−ＲＳに基づいて、ＳＰ  ＣＳＩレポート（例えば、図２９のＳＰ−ＣＳＩレポート）を実行し得る。一実施例では、ＵＥは、１つ以上の非周期的ＣＳＩ−ＲＳに基づいてＳＰ  ＣＳＩレポートを実行することを許可され（または要求され）ないことが可能である。一実施例では、ＵＥは、ＤＣＩに基づいて、かつ１つ以上の周期的ＳＰまたは非周期的ＣＳＩ−ＲＳに基づいて、非周期的ＣＳＩレポート（例えば、図２９のＡｐ−ＣＳＩレポート）を実行し得る。一実施例では、無線デバイスは、ＳＰ  ＣＳＩレポートがＭＡＣ  ＣＥによってアクティブ化される（またはトリガされる）ことに応答して、ＰＵＣＣＨに関するＳＰ  ＣＳＩレポートを実行し得る。無線デバイスは、ＳＰ  ＣＳＩレポートがアクティブ化される（またはトリガされる）ことに応答して、ＰＵＳＣＨに関するＳＰ  ＣＳＩレポートを実行し得る。一実施例では、基地局は、コンパクトなＣＳＩ（例えば、少量のレポートコンテンツ）が基地局によって必要とされるとき、またはＤＣＩ伝送が基地局にとって都合がよくないとき、および／またはＣＳＩが基地局によって緊急に必要とされないとき、ＰＵＣＣＨに関するＳＰ  ＣＳＩレポートを実行するように（例えば、ＭＡＣ  ＣＥを伝送することによって）無線デバイスに指示し得る。一実施例では、基地局は、基地局によって大型のＣＳＩ（例えば、大量のレポートコンテンツ）が必要とされるとき、またはＤＣＩ伝送が基地局にとって都合がよいとき、および／またはＣＳＩが基地局によって緊急に必要とされるとき、ＰＵＳＣＨに関するＳＰ  ＣＳＩレポートを実行するように（例えば、ＤＣＩを伝送することによって）無線デバイスに指示する。
【０１６２】
図３０は、セルにおけるＳＰ  ＣＳＩレポートの実施例を示す。一実施例では、基地局（例えば、図３０のｇＮＢ）は、１つ以上のＳＰ  ＣＳＩレポート構成の構成パラメータを含む１つ以上のＲＲＣメッセージを無線デバイス（例えば、図３０のＵＥ）に伝送することができる。基地局は、スロット（またはサブフレーム）ｎで、１つ以上のＳＰ  ＣＳＩレポート構成のＳＰ  ＣＳＩレポート構成のアクティブ化を示す第１のＭＡＣ  ＣＥまたはＤＣＩを無線デバイスに伝送し得る。基地局は、スロット（またはサブフレーム）ｎ＋ｋで１つ以上のＳＰ  ＣＳＩ−ＲＳの伝送を開始し得る。一実施例では、ｋは、ゼロまたはゼロより大きい整数であり得、ＲＲＣメッセージによって構成され得るか、または固定値として事前定義され得る。
【０１６３】
図３０に示すように、第１のＭＡＣ  ＣＥまたは第１のＤＣＩを受信した後に、または受信することに応答して、無線デバイスは、アクティブ化されたＳＰ  ＣＳＩレポート構成に応じて１つ以上のＣＳＩ−ＲＳに対するＣＳＩ測定を実行し得る。一実施例では、第１のＭＡＣ  ＣＥまたは第１のＤＣＩを受信した後に、または受信することに応答して、無線デバイスは、スロット／サブフレームｎ＋ｋ＋ｍ、ｎ＋ｋ＋ｍ＋ｌ、ｎ＋ｋ＋ｍ＋２＊ｌなどで、ｌ個のサブフレーム（またはスロット）の周期性を有して、（例えば、ＣＳＩ測定に基づいて）１つ以上のＳＰ  ＣＳＩレポートを伝送し得る。周期性はＲＲＣメッセージで構成され得る。一実施例では、ＵＥは、ＳＰ  ＣＳＩレポート構成の非アクティブ化を示す第２のＭＡＣ／ＤＣＩを受信し得る。第２のＭＡＣ／ＤＣＩを受信した後、または第２のＭＡＣ／ＤＣＩに応答して、ＵＥは、１つ以上のＳＰ  ＣＳＩレポートの伝送を停止し得る。一実施例では、ｋはゼロであり得る（構成され得る、または事前定義され得る）。一実施例では、ｍ（例えば、ｋ＝０のとき）は、無線デバイスがＳＰ  ＣＳＩレポートに対するアクティブ化のための第１のＭＡＣ  ＣＥ／ＤＣＩを受信するのと、無線デバイスが１つ以上のＳＰ  ＣＳＩレポートの第１のＳＰ  ＣＳＩレポートを伝送するのとの間の時間オフセットであり得る。一実施例では、ｍは、ＲＲＣメッセージによって構成され得るか、または固定値として事前定義され得る。ｍの値は、ＵＥおよび／またはネットワークの能力に依存し得る。
【０１６４】
図３０に示すように、無線デバイスは、ＳＰ  ＣＳＩレポート構成のアクティブ化のための第１のＭＡＣ  ＣＥ／ＤＣＩに応答して、アクティブ化されたＳＰ  ＣＳＩレポート構成の１つ以上の構成パラメータに基づいて、ＣＳＩ−ＲＳ伝送期間（例えば、図３０のＣＳＩ−ＲＳ伝送ウィンドウ）を仮定し得る。基地局は、アクティブ化されたＳＰ  ＣＳＩレポート構成に基づいて、少なくともＣＳＩ−ＲＳ伝送期間中に１つ以上のＣＳＩ−ＲＳを伝送し得る。一実施例では、無線デバイスは、ＣＳＩ−ＲＳ伝送期間中に伝送された１つ以上のＣＳＩ−ＲＳに対するＣＳＩ測定を実行し得る。
【０１６５】
図３１は、セルにおけるＳＰ  ＣＳＩレポートの実施例を示す。一実施例では、基地局（例えば、図３１のｇＮＢ）は、１つ以上のＳＰ  ＣＳＩレポート構成の構成パラメータを含む１つ以上のＲＲＣメッセージを無線デバイス（例えば、図３１のＵＥ）に伝送することができる。構成パラメータは、ＳＰ  ＣＳＩレポート継続期間の値を含み得る。基地局は、スロット（またはサブフレーム）ｎで、１つ以上のＳＰ  ＣＳＩレポート構成のＳＰ  ＣＳＩレポート構成のアクティブ化を示すＭＡＣ  ＣＥまたはＤＣＩを無線デバイスに伝送し得る。基地局は、スロット（またはサブフレーム）ｎ＋ｋで１つ以上のＳＰ  ＣＳＩ−ＲＳの伝送を開始し得る。一実施例では、ｋは、ゼロまたはゼロより大きい整数であり得、ＲＲＣメッセージによって構成され得るか、または固定値として事前定義され得る。
【０１６６】
図３１に示すように、ＭＡＣ  ＣＥまたはＤＣＩを受信した後、または受信することに応答して、無線デバイスは、アクティブ化されたＳＰ  ＣＳＩレポート構成に従って１つ以上のＣＳＩ−ＲＳに対するＣＳＩ測定を実行し得る。一実施例では、ＭＡＣ  ＣＥまたはＤＣＩを受信した後、または受信することに応答して、無線デバイスは、スロット／サブフレームｎ＋ｋ＋ｍ、ｎ＋ｋ＋ｍ＋ｌ、ｎ＋ｋ＋ｍ＋２＊ｌなどで、ｌ個のサブフレーム（またはスロット）の周期性を有して、（例えば、ＣＳＩ測定に基づいて）１つ以上のＳＰ  ＣＳＩレポートを伝送し得る。周期性（１の値）は、ＲＲＣメッセージで構成され得る。一実施例では、ＵＥは、ＳＰ  ＣＳＩレポート継続期間（例えば、図３１のＳＰ  ＣＳＩレポート継続期間）の周期性を有して１つ以上のＳＰ  ＣＳＩレポートを伝送し続け得る。一実施例では、ＵＥは、ＳＰ  ＣＳＩレポート継続期間（例えば、ＳＰ  ＣＳＩレポート継続期間に関連付けられたタイマが満了した）の後、１つ以上のＳＰ  ＣＳＩレポートの伝送を停止し得る。
【０１６７】
一実施例では、ＳＰ  ＣＳＩレポート継続期間（例えば、図３１に示すプロシージャ）を構成することによってＳＰ  ＣＳＩレポートを暗黙的に非アクティブ化すると、シグナリングのオーバーヘッドを低減し得るが、柔軟性がない可能性がある。一実施例では、非アクティブ化を示すＭＡＣ  ＣＥまたはＤＣＩを伝送することによってＳＰ  ＣＳＩレポートを明示的に非アクティブ化すると、基地局が動的にＳＰ  ＣＳＩレポートを非アクティブ化することができるようになり得るが、信号オーバーヘッドが増加する可能性がある。
【０１６８】
図３２は、セルのＢＷＰに関するＳＰ  ＣＳＩレポートの実施例を示す。一実施例では、基地局（例えば、図３２のｇＮＢ）は、無線デバイス（例えば、図３２のＵＥ）に、１つ以上のＳＰ  ＣＳＩレポート構成とセルの１つ以上のＢＷＰ（例えば、図３２のＢＷＰ０、ＢＷＰ１、ＢＷＰ２など）との構成パラメータを含む１つ以上のＲＲＣメッセージを伝送し得る。ＵＥは、アクティブなＤＬ  ＢＷＰ（例えば、ＢＷＰ０）で１つ以上のＰＤＣＣＨ／ＰＤＳＣＨを受信し得る。
【０１６９】
図３２に示すように、サブフレームｎにおいて、ｇＮＢは、無線デバイスに、（例えば、ＢＷＰ０からＢＷＰ２への）アクティブなＤＬ  ＢＷＰの切り替えを示すＤＣＩを伝送し得る。無線デバイスは、ＤＣＩに応答して、アクティブなＤＬ  ＢＷＰをＢＷＰ０からＢＷＰ２へ切り替え得る。一実施例では、ｇＮＢは、非周期的ＣＳＩレポートのために、１つ以上のＣＳＩ−ＲＳリソースセットのアクティブ化／非アクティブ化を示す１つ以上のパラメータを含む１つ以上のＭＡＣ  ＣＥを伝送し得る。一実施例では、ｇＮＢは、ＳＰ  ＣＳＩレポートアクティブ化／非アクティブ化ＭＡＣ  ＣＥ、または非周期的ＣＳＩレポートアクティブ化／非アクティブ化ＭＡＣ  ＣＥを伝送する前に、ＤＬ  ＢＷＰ切り替えＤＣＩを伝送し得る。
【０１７０】
一実施例では、ｇＮＢは、アクティブなＤＬ  ＢＷＰ切り替えのためのＤＣＩを伝送した後に、ＳＰ  ＣＳＩレポートアクティブ化のためのＭＡＣ  ＣＥを伝送し得る。図３２に示すように、ｇＮＢは、サブフレームｎ＋ｋで、ＢＷＰ２に対するＳＰ  ＣＳＩレポート構成のアクティブ化を示すＭＡＣ  ＣＥを伝送し得る。ｇＮＢは、ＢＷＰ２での動的スケジューリングに対するＢＷＰ２のＣＳＩレポートを無線デバイスから取得するために、無線デバイスにＭＡＣ  ＣＥを伝送し得る。一実施例では、ＨＡＲＱベースの再伝送メカニズムが、ＭＡＣ  ＣＥの伝送のためにｇＮＢおよび／またはＵＥによって使用され得る。再伝送メカニズムは、ＵＥがＭＡＣ  ＣＥを正しく受信することを保証し得る。
【０１７１】
一実施例では、ＵＥは、サブフレームｎ＋ｋ＋ｍで、アクティブ化されたＳＰ  ＣＳＩレポート構成に対してＢＷＰ２の第１のＳＰ  ＣＳＩレポートを伝送し得る。一実施例では、ｍは、ＵＥがＳＰ  ＣＳＩレポートアクティブ化のためのＭＡＣ  ＣＥを受信するのと、ＵＥが第１のＳＰ  ＣＳＩレポートを伝送するのと、の間の時間オフセットであり得る。ｍは、ＵＥおよび／またはネットワークの能力に基づいて構成され得るか、または事前定義された値として固定され得る。一実施例では、ｍの値は、起こり得る再伝送がＨＡＲＱメカニズムを使用するＭＡＣ  ＣＥの受信に使用される時間、ＵＥの受信機でのＲＦチェーンの再調整に使用される時間、および／または１つ以上のＣＳＩ−ＲＳを測定するために使用される時間、に基づいて決定され得る。
【０１７２】
図３２に示すように、ＭＡＣ  ＣＥ（例えば、スロットｎ＋ｋ）を受信した後、または受信することに応答して、無線デバイスは、スロット／サブフレームｎ＋ｋ＋ｍ、ｎ＋ｋ＋ｍ＋ｌ、ｎ＋ｋ＋ｍ＋２＊ｌなどで、ｌ個のサブフレーム（またはスロット）の周期性を有して、１つ以上のＳＰ  ＣＳＩレポートを伝送し得る。周期性（１の値）は、ＲＲＣメッセージで構成され得る。一実施例では、ＵＥは、（例えば、図３０に示すように）ＳＰ  ＣＳＩレポート構成の非アクティブ化を示す第２のＭＡＣを受信するまで、周期性を有して１つ以上のＳＰ  ＣＳＩレポートを伝送し続け得る。一実施例では、ＵＥは、（例えば、図３１に示すように）ＳＰ  ＣＳＩレポート継続期間に関連付けられたタイマの満了まで、周期性を有して１つ以上のＳＰ  ＣＳＩレポートを伝送し続け得る。
【０１７３】
一実施例では、複数のＢＷＰで構成されるとき、ＵＥは、アクティブなＤＬ  ＢＷＰが第１のＤＬ  ＢＷＰに切り替わることを示すＤＣＩを受信する場合、アクティブなＤＬ  ＢＷＰを第１のＤＬ  ＢＷＰへ切り替え得る。ＵＥは、ＤＣＩに応答してＢＷＰ非アクティビティタイマを開始し得る。ＵＥは、第１のＤＬ  ＢＷＰで、ダウンリンク割り当てまたはアップリンク許可を示す第２のＤＣＩを受信し得る。ＵＥは、第２のＤＣＩに応答して、ＢＷＰ非アクティビティタイマを再始動し得る。ＵＥは、ＢＷＰ非アクティビティタイマの満了後、または満了に応答して、デフォルトのＤＬ  ＢＷＰへ切り替わり得る。
【０１７４】
一実施例では、ＲＲＣ構成に応じて、ＤＬ  ＢＷＰ上の１つ以上のＣＳＩ−ＲＳが伝送されることが可能であるか、または伝送されないことが可能である。一実施例では、基地局が１つ以上の非周期的ＣＳＩ−ＲＳのＤＣＩトリガ伝送を伝送しない場合、基地局は１つ以上の非周期的ＣＳＩ−ＲＳを伝送しないことが可能である。一実施例では、基地局は、第１のＭＡＣ  ＣＥまたは第１のＤＣＩによってトリガされた場合、１つ以上のＳＰ  ＣＳＩ−ＲＳを伝送し得る。基地局は、ＲＲＣメッセージによって構成された伝送継続期間の後、または第２のＭＡＣ  ＣＥまたは第２のＤＣＩの後、または第２のＭＡＣ  ＣＥまたは第２のＤＣＩに応答して、１つ以上のＳＰ  ＣＳＩ−ＲＳの伝送を停止し得る。一実施例では、ＤＬ  ＢＷＰがＵＥのアクティブなＢＷＰでない場合、ｇＮＢは、ＵＥに対してＤＬ  ＢＷＰでＣＳＩ−ＲＳ（非周期的、周期的、または半永続的）を伝送しないことが可能である。ＵＥに対してＣＳＩ−ＲＳ（非周期的、周期的、または半永続的）を伝送しないことは、ｇＮＢの伝送電力を節減し、および／または他のチャネルまたは他のｇＮＢへの干渉を低減し得る。
【０１７５】
図３３は、セルのＢＷＰに関するＳＰ  ＣＳＩレポートの実施例を示す。一実施例では、基地局（例えば、図３３のｇＮＢ）は、１つ以上のＳＰ  ＣＳＩレポート構成とセルの１つ以上のＢＷＰ（例えば、図３３のＢＷＰ０、ＢＷＰ１、ＢＷＰ２など）との構成パラメータを含む１つ以上のＲＲＣメッセージを無線デバイス（例えば、図３３のＵＥ）に伝送し得る。ＵＥは、アクティブなＤＬ  ＢＷＰ（例えば、ＢＷＰ１）で１つ以上のＰＤＣＣＨ／ＰＤＳＣＨを受信し得る。
【０１７６】
一実施例では、ｇＮＢは、ＢＷＰ切り替えのためのＤＣＩを伝送する前に、ＳＰ  ＣＳＩレポートアクティブ化のためのＭＡＣ  ＣＥを伝送し得る。図３３に示すように、サブフレーム／スロットｎにおいて、ｇＮＢは、ＢＷＰ２のためのＳＰ  ＣＳＩレポート構成のアクティブ化を示すＭＡＣ  ＣＥを伝送し得る。ｇＮＢは、ＢＷＰ２での動的スケジューリングに対するＢＷＰ２のＣＳＩレポートを無線デバイスから取得するために、無線デバイスにＭＡＣ  ＣＥを伝送し得る。一実施例では、ＨＡＲＱベースの再伝送メカニズムが、ＭＡＣ  ＣＥの伝送のためにｇＮＢおよび／またはＵＥによって使用され得る。再伝送メカニズムは、ＵＥがＭＡＣ  ＣＥを正しく受信することを保証し得る。
【０１７７】
図３３に示すように、ｇＮＢは、スロット／サブフレームｎ＋ｋで（例えば、ＢＷＰ１からＢＷＰ２への）アクティブなＤＬ  ＢＷＰ切り替えを示すＤＣＩをＵＥに伝送し得る。ＵＥは、ＤＣＩに応答して、アクティブなＤＬ  ＢＷＰをＢＷＰ１からＢＷＰ  ２へ切り替え得る。
【０１７８】
一実施例では、ＳＰ  ＣＳＩレポートのアクティブ化のためのＭＡＣ  ＣＥとアクティブなＢＷＰ切り替えのためのＤＣＩとの後、またはそれに応答して、ＵＥは、サブフレームｎ＋ｋ＋ｍでＢＷＰ  ２に対する第１のＳＰ  ＣＳＩレポートを伝送し得る。一実施例では、ｍは、ＵＥがアクティブなＢＷＰ切り替えのためのＤＣＩを受信するのと、ＵＥが第１のＳＰ  ＣＳＩレポートを伝送するのと、の間の時間オフセットであり得る。ｍの値は、ＵＥおよび／またはネットワークの能力に基づいて構成され得るか、または事前定義された値として固定され得る。一実施例では、ｍの値は、ＤＣＩを検出するために使用される時間、ＲＦチェーンの再調整に使用される時間、および／または１つ以上のＣＳＩ−ＲＳを測定するために使用される時間、に基づいて決定され得る。
【０１７９】
既存の３ＧＰＰ標準仕様では、ＵＥは、複数のＢＷＰを用いて構成されるとき、ＢＷＰ非アクティブタイマの期限切れに応答してデフォルトのＤＬ  ＢＷＰに切り替わり得る。ＢＷＰ非アクティビティタイマの満了は、無線デバイスが、アクティブなＤＬ  ＢＷＰ（例えば、デフォルトのＤＬ  ＢＷＰ以外のＤＬ  ＢＷＰ）でのＤＬスケジューリングのための１つ以上のＤＣＩが欠落していることに起因し得る。この場合、ｇＮＢには、ＵＥに１つ以上のＤＣＩが欠落していることに関する情報がない可能性がある。一実施例では、ｇＮＢは、ＵＥが動作しているＢＷＰ（例えば、アクティブなＢＷＰまたはデフォルトのＢＷＰ）を決定することができない場合がある。既存の技術の実装態様は、ＤＬ  ＢＷＰの状態に関するｇＮＢとＵＥの間の不整合に起因する通信途絶を引き起こし得る。既存の技術の実装態様は、ｇＮＢのシグナリングオーバーヘッドおよび／またはＵＥの電力消費を増加させて通信途絶を回復させ得る。既存の技術の実装態様は、セル内の複数のＢＷＰを用いて構成されるとき、ｇＮＢとＵＥとの間の伝送遅延を増加させ得る。通信途絶を低減するために、ＢＷＰ切り替えメカニズムを拡張する必要がある。例示的な実施形態は、ＤＬ  ＢＷＰの状態に関してｇＮＢとＵＥとの間のアライメントを改善し得る。例示的な実施形態は、（例えば、ＤＣＩまたはＢＷＰ非アクティビティタイマの満了によってトリガされる）アクティブなＢＷＰ切り替えが発生したとき、ｇＮＢとＵＥとの間の途絶されない通信を維持するために信号オーバーヘッドおよび電力消費を低減し得る。例示的な実施形態は、セル内の複数のＢＷＰを用いて構成されるとき、ｇＮＢとＵＥとの間の伝送遅延を改善し得る。例示的な実施形態は、ＵＥがＢＷＰを切り替えるときの拡張されたＣＳＩレポートを含む拡張されたＢＷＰ切り替えを含み得る。例示的な実施形態を実装する基地局は、拡張されたＢＷＰ  ＣＳＩレポートに基づいてＢＷＰ切り替えのタイミングを決定し得る。
【０１８０】
図３４は、拡張されたＣＳＩレポートメカニズムを含むＢＷＰ切り替えの例示的な実施形態を示す。一実施例では、基地局（例えば、図３４のｇＮＢ）は、無線デバイス（例えば、図３４のＵＥ）に、セルの１つ以上のＢＷＰの１つ以上のＢＷＰ構成パラメータを含む１つ以上のＲＲＣメッセージを伝送し得る。１つ以上のＲＲＣメッセージは、ＢＷＰ非アクティビティタイマのＢＷＰタイマ値をさらに示し得る。１つ以上のＢＷＰは、デフォルトのＢＷＰを含み得る。セルは、ＰＣｅｌｌまたはＳＣｅｌｌであり得る。１つ以上のＢＷＰのＢＷＰの１つ以上のＢＷＰ構成パラメータは、１つ以上のＲＳ（例えば、ＳＳＢおよび／またはＣＳＩ−ＲＳ）のリソース設定、１つ以上のＣＳＩレポート設定、および１つのＣＳＩ測定設定、のうちの少なくとも１つを含み得る。
【０１８１】
図３４に示すように、ｇＮＢは、アクティブなＢＷＰ（例えば、ＢＷＰ１）でＵＥと通信し得る。ｇＮＢは、ＢＷＰ１で１つ以上のＣＳＩ−ＲＳ（例えば、Ｐ／ＳＰ  ＣＳＩ−ＲＳ）を伝送し得る。ＵＥは、例えば、ｇＮＢでの動的ダウンリンクスケジューリングのために、ＢＷＰ１の１つ以上のＣＳＩ−ＲＳに基づいて１つ以上のＣＳＩレポートをｇＮＢに伝送し得る。一実施例では、ＢＷＰ１で、１つ以上のＣＳＩ−ＲＳリソース設定の少なくとも第１の設定が１つ以上の周期的ＣＳＩ−ＲＳを含む場合、ｇＮＢは、１つ以上のＣＳＩ−ＲＳリソース設定によって示される１つ以上の周期的ＣＳＩ−ＲＳを伝送し得る。一実施例では、ＢＷＰ１で、１つ以上のＣＳＩ−ＲＳリソース設定の少なくとも第２の設定が１つ以上の周期的ＣＳＩ−ＲＳを含む場合、ｇＮＢは、１つ以上のＣＳＩ−ＲＳリソース設定によって示される１つ以上のＳＰ  ＣＳＩ−ＲＳを伝送し得る。ｇＮＢは、ＳＰ  ＣＳＩレポート構成のアクティブ化を示すＭＡＣ  ＣＥを伝送した後、または伝送することに応答して、１つ以上のＳＰ  ＣＳＩ−ＲＳを伝送し得る。
【０１８２】
図３４に示すように、ｇＮＢは、サブフレーム／スロットｎにおいてアクティブなＢＷＰ切り替え（例えば、ＢＷＰ１→２）を示すＤＣＩをＵＥに伝送し得る。ＵＥは、ＤＣＩに応答して、アクティブなＢＷＰとしてＢＷＰ１からＢＷＰ２に切り替わり得る。ＵＥは、ＤＣＩに応答して、ＢＷＰ非アクティビティタイマを始動（または再始動）させ得る。
【０１８３】
一実施例では、ＤＣＩがＢＷＰ１からＢＷＰ２へのアクティブなＢＷＰの切り替えを示した後、またはそれに応答して、ＵＥは、ＢＷＰ１の１つ以上のＣＳＩ−ＲＳに対する測定を停止し、および／または古いＢＷＰ（例えば、１）に対する１つ以上のＣＳＩ測定のレポートを停止し得る。一実施例では、ＵＥは、サブフレーム／スロットｎ＋ｋで、ＢＷＰ２で伝送された１つ以上のＣＳＩ−ＲＳに対して測定された１つ以上のＣＳＩレポート（例えば、Ｐ／ＳＰ／Ａ  ＣＳＩ）を伝送し得る。ｋの値は、ＲＲＣメッセージによって構成され得るか、または事前定義された値であり得る。ＵＥは、（例えば、サブフレーム／スロットｎ＋ｋ＋ｍ、ｎ＋ｋ＋２＊ｍなどで）ｍの周期性を有して１つ以上のＣＳＩレポートを伝送し得る。周期性（ｍの値）は、ＲＲＣメッセージで構成され得る。
【０１８４】
一実施例では、ｇＮＢは、ＢＷＰ１からＢＷＰ２へのアクティブなＢＷＰの切り替えを示すＤＣＩを伝送することに応答して、ＢＷＰ２で１つ以上の第１のＲＳ（例えば、Ｐ／ＳＰ／Ａ  ＳＳＢ／ＣＳＩ−ＲＳ）を伝送し得る。ｇＮＢは、ＢＷＰ切り替えのためのＤＣＩを伝送した後でも、デフォルトのＢＷＰ（例えば、ＢＷＰ０）で１つ以上の第２のＲＳ（例えば、Ｐ／ＳＰ  ＳＳＢ／ＣＳＩ−ＲＳ）を伝送し続け得る。例示的な実施形態では、アクティブなＢＷＰでのＤＣＩの誤検出に起因してＵＥがデフォルトのＢＷＰに切り替わった場合に、デフォルトのＢＷＰで１のつ以上の第２のＲＳの伝送を維持することにより、ＣＳＩ測定エラーを低減し得る。例示的な実施形態では、デフォルトのＢＷＰでの１つ以上の第２のＲＳの伝送を維持することにより、デフォルトのＢＷＰへのＢＷＰ切り替えを実行するときに、ＵＥが正しくかつ適時にＣＳＩレポートを伝送することが可能になり得る。例示的な実施形態は、（例えば、ＤＣＩまたはＢＷＰ非アクティビティタイマの満了によってトリガされる）ＢＷＰ切り替えが発生したとき、ｇＮＢとＵＥとの間の途絶されない通信を維持するために信号オーバーヘッドおよび電力消費を低減し得る。例示的な実施形態は、セル内の複数のＢＷＰを用いて構成されるとき、ｇＮＢとＵＥとの間の伝送遅延を改善し得る。例示的な実施形態は、ＣＳＩレポート（例えば、周期的、非周期的、または半永続的）に基づく拡張されたＢＷＰ切り替えメカニズムを含み得る。
【０１８５】
一実施例では、ＢＷＰ非アクティビティタイマがサブフレーム／スロットｘで満了すると、ＵＥは、アクティブなＢＷＰをＢＷＰ２からデフォルトのＢＷＰ（例えば、ＢＷＰ０）へ切り替え得る。一実施例では、ＢＷＰ非アクティビティタイマが動作している間に受信された（例えば、ダウンリンクスケジューリングまたはアップリンク許可のための）ＤＣＩがないことに応答して、ＢＷＰ非アクティビティタイマが満了し得る。
【０１８６】
一実施例では、図３４に示すように、ＵＥは、ＢＷＰ非アクティブタイマの満了に応答して、サブフレーム／スロットｘ＋ｙで、デフォルトのＢＷＰ（例えば、ＢＷＰ０）に対する１つ以上のＣＳＩレポート（例えば、Ｐ／ＳＰ／Ａ  ＣＳＩ）の伝送を開始し得る。ｙの値は、ＲＲＣメッセージによって構成され得るか、または事前定義値であり得る。一実施例では、ｙの値は、異なるＣＳＩレポート（例えば、Ｐ／ＳＰ／Ａ  ＣＳＩ）に対して異なり得る。
【０１８７】
例示的な実施形態では、ｇＮＢがデフォルトのＢＷＰ上の１つ以上のＲＳを伝送し続ける場合、ＵＥは、デフォルトのＢＷＰ上の１つ以上のＲＳ（例えば、ＳＳＢ／ＣＳＩ−ＲＳ）に対するＣＳＩ測定を実行し得る。ＵＥは、デフォルトのＢＷＰに対するＣＳＩ測定に基づいてＣＳＩレポート（例えば、有効）を伝送し得る。ＣＳＩレポートを受信することに応答して、ｇＮＢは、ＣＳＩレポートに基づいて、適切な伝送フォーマット（例えば、ＭＣＳ、プリコーディング、ランク）を用いて動的データスケジューリングを示す１つ以上のＤＣＩをデフォルトのＢＷＰで伝送し得る。例示的な実施形態では、デフォルトのＢＷＰ上のＲＳを伝送することにより（例えば、デフォルトのＤＬ  ＢＷＰがアクティブなＢＷＰではない場合でも）、デフォルトのＢＷＰに切り替わるとき、ＣＳＩを取得するための時間遅延を低減し得る。例示的な実施形態は、セル内の複数のＢＷＰを用いて構成されるとき、ｇＮＢとＵＥとの間の伝送遅延を改善し得る。例示的な実施形態は、ＢＷＰ切り替えの遅延を改善し得る。
【０１８８】
一実施例では、デフォルトのＢＷＰを用いて構成されたＳＣｅｌｌが非アクティブ化されると、ＳＣｅｌｌのデフォルトのＢＷＰ上の１つ以上のＲＳの伝送が停止され得る。
【０１８９】
図３５は、実施形態の一実施例を示している。一実施例では、基地局（例えば、図３５のｇＮＢ）は、サブフレーム／スロットｎで（例えば、ＢＷＰ１からＢＷＰ２への）アクティブなＢＷＰの切り替えを示すＤＣＩを無線デバイス（例えば、図３５のＵＥ）に伝送し得る。ｇＮＢは、（例えば、サブフレームまたはスロットの単位の）タイマ値を用いてＲＳ伝送タイマを始動し得る。ＲＳ伝送タイマが実行されている間、ｇＮＢは、デフォルトのＢＷＰ上の１つ以上のＲＳ（例えば、ＳＳＢ／ＣＳＩ−ＲＳ）を伝送し続け得る。ＲＳ伝送タイマが満了すると、ｇＮＢは、デフォルトのＢＷＰ上の１つ以上のＲＳの伝送を停止し得る。一実施例では、ＲＳ伝送タイマは、デフォルトのＢＷＰに対する１つ以上のＣＳＩレポートを示すＤＣＩまたはＭＡＣ  ＣＥをＵＥに伝送しないことに応答して満了し得る。タイマ値は、ＲＲＣメッセージで構成され得るか、または事前定義値であり得る。
【０１９０】
図３５に示すように、サブフレームｎでＢＷＰ１からＢＷＰ２へのアクティブなＢＷＰの切り替えを示すＤＣＩを受信すると、ＵＥは、ＢＷＰ非アクティビティタイマを始動（または再始動）させ得る。ＵＥは、ＤＣＩの後、またはＤＣＩに応答して、ＲＳ伝送タイマを始動し得る。一実施例では、ＵＥは、ＲＳ伝送タイマが満了するまで、デフォルトのＢＷＰ上のＲＳが利用可能であり得る（またはｇＮＢによって伝送され得る）と仮定し得る。一実施例では、ＵＥは、ＢＷＰ２からＢＷＰ０へのアクティブなＢＷＰの切り替えを示す第２のＤＣＩを受信すると、またはＢＷＰ非アクティビティタイマが満了すると、ＢＷＰ２からデフォルトのＢＷＰ（例えば、ＢＷＰ０）に切り替わり得る。
【０１９１】
例示的な実施形態では、ＵＥは、実行中のＢＷＰ非アクティビティタイマおよびＲＳ伝送タイマの満了に応答して、デフォルトのＢＷＰ上の１つ以上のＲＳ（例えば、ＳＳＢ／ＣＳＩ−ＲＳ）に対するＣＳＩ測定を実行し得る。ＵＥは、デフォルトのＢＷＰに対するＣＳＩ測定に基づいて１つ以上のＣＳＩレポートを伝送し得る。
【０１９２】
例示的な実施形態では、構成された期間で（例えば、ＵＥのアクティブなＢＷＰがデフォルトのＢＷＰではない場合でも）デフォルトのＢＷＰ上の１つ以上のＲＳを伝送すると、例えばＢＷＰの切り替えが頻繁に行われる場合に、ＣＳＩ−ＲＳのアクティブ化／非アクティブ化のＭＡＣ  ＣＥオーバーヘッドを低減し得る。構成された期間を用いてデフォルトのＢＷＰ上の１つ以上のＲＳを伝送すると、例えばＢＷＰの切り替えが頻繁に行われる場合に、ＣＳＩレポートの遅延を低減し得る得。例示的な実施形態を実装することにより、ＵＥは、構成された期間を用いて伝送された１つ以上のＲＳに基づいて、デフォルトのＢＷＰに対する（有効な）ＣＳＩレポートを迅速に伝送することが可能になり得る。
【０１９３】
一実施例では、ｇＮＢは、ネットワーク構成に応じて、無制限の継続期間（例えば、ＲＳ伝送時にタイマが構成されない）、または構成された継続期間（例えば、ＲＳ伝送タイマがタイマ値を用いて構成されるとき）を用いてデフォルトのＢＷＰ（例えば、アクティブなＢＷＰであってもなくてもよい）上の１つ以上のＲＳ（例えば、ＳＳＢ／ＣＳＩ−ＲＳ）を伝送し得る。ｇＮＢは、ＢＷＰ切り替え速度パラメータ（例えば、遅いＢＷＰ切り替え、または速いＢＷＰ切り替え）、ＢＷＰ切り替え頻度パラメータ（例えば、頻繁なＢＷＰ切り替え、またはまれなＢＷＰ切り替え）、頻繁なＢＷＰ切り替え、またはまれなＢＷＰ切り替え、および／またはＵＥの機能のうちの少なくとも１つに基づいて、ＲＳ伝送タイマ値を決定し得る。
【０１９４】
一実施例では、ｇＮＢは、１つ以上のＲＳ（例えば、ＳＳＢ／ＣＳＩ−ＲＳ）がデフォルトのＢＷＰで伝送される期間を示す１つ以上のパラメータを含む１つ以上のＲＲＣメッセージをＵＥに伝送し得る。例示的な実施形態は、（例えば、ＤＣＩまたはＢＷＰ非アクティビティタイマの満了によってトリガされる）ＢＷＰ切り替えが発生したとき、ｇＮＢとＵＥとの間の途絶されない通信を維持するために信号オーバーヘッドおよび電力消費を低減し得る。例示的な実施形態は、セル内の複数のＢＷＰを用いて構成されるとき、ｇＮＢとＵＥとの間の伝送遅延を改善し得る。
【０１９５】
既存の技術では、第１のＢＷＰから第２のＢＷＰへのアクティブなＢＷＰの切り替えを示すＤＣＩを受信すると、ＵＥは、例えばＤＣＩの受信を確認するために、ｇＮＢに１つ以上のＣＳＩレポートを伝送し得る。１つ以上のＣＳＩレポートは、ＤＣＩに示される第２のＢＷＰ上の１つ以上のＲＳ（例えば、ＳＳＢ／ＣＳＩ−ＲＳ）の１つ以上のＣＳＩ測定に基づき得る。１つ以上のＣＳＩレポートを受信すると、ｇＮＢは、ＵＥがＤＣＩを受信し、および／またはＵＥがアクティブなＢＷＰの切り替えを完了することを決定し得る。一実施例では、１つ以上のＣＳＩレポートを受信した後、ｇＮＢは、第２のＢＷＰでＵＥと通信し得る。
【０１９６】
一実施例では、ＵＥは、第１のＢＷＰから第２のＢＷＰへのアクティブなＢＷＰの切り替えを示すＤＣＩを誤検出し得る。一実施例では、ＵＥは、ＤＣＩの誤検出に起因して、第１のＢＷＰに対する１つ以上のＣＳＩレポートを伝送し続け得る。この場合、１つ以上のＣＳＩレポートを受信することに応答して、ｇＮＢは、ＵＥが、ＤＣＩを受信し、第２のＤＬ  ＢＷＰへのアクティブなＢＷＰの切り替えを完了すると誤って判定し得る。既存の技術は、ＤＣＩの誤検出に起因する通信途絶を引き起こし得る。既存の技術は、通信途絶を回復するために遅延を導入し得る。既存の技術は、第２のＤＬ  ＢＷＰでの通信をセットアップするために、電力消費および／または信号オーバーヘッドを増加させ得る。ＢＷＰ切り替えのためのＣＳＩレポートメカニズムを拡張する必要がある。例示的な実施形態は、ＤＣＩの誤検出に起因する通信途絶を低減し得る。例示的な実施形態は、ＢＷＰ切り替えに対する伝送遅延、電力消費、および／または信号オーバーヘッドを低減し得る。
【０１９７】
一実施例では、ｇＮＢは、少なくとも、１つ以上のＤＬ  ＢＷＰに対する１つ以上のＢＷＰ構成パラメータ、第１のアクティブなＤＬ  ＢＷＰを示す第１のＢＷＰ識別子、デフォルトのＤＬ  ＢＷＰを示す第２のＢＷＰ識別子、を含む１つ以上のパラメータを含む１つ以上のＲＲＣメッセージを伝送し得る。一実施例では、第１のＤＬ  ＢＷＰ識別子に示されるＤＬ  ＢＷＰは、１つ以上のＲＲＣメッセージに第２のＤＬ  ＢＷＰ識別子が存在しないことに応答して、デフォルトのＤＬ  ＢＷＰであり得る。一実施例では、ＤＬ  ＢＷＰに対する１つ以上のＢＷＰ構成パラメータは、１つ以上のＣＳＩ−ＲＳリソース設定、１つ以上のＣＳＩレポート設定、および１つのＣＳＩ測定設定、の少なくとも１つを含み得る。
【０１９８】
一実施例では、ｇＮＢは、セルの第１のＢＷＰでＵＥと通信し得る。ｇＮＢは、第１のＢＷＰから第２のＢＷＰへのアクティブなＢＷＰの切り替えを示すＤＣＩをＵＥに伝送し得る。第１のＢＷＰおよび第２のＢＷＰは、セル（例えば、ＰＣｅｌｌまたはＳＣｅｌｌ）上で構成され得る。一実施例では、ＵＥは、アクティブなＢＷＰの切り替えのためのＤＣＩを受信してもしなくてもよい。
【０１９９】
一実施例では、（例えば、第１のＢＷＰから第２のＢＷＰへの）アクティブなＢＷＰの切り替えのためのＤＣＩを受信することに応答して、ＵＥは、第２のＢＷＰに対する１つ以上のＣＳＩレポート（例えば、Ｐ／Ａ／ＳＰ  ＣＳＩレポート）を伝送し得る。一実施例では、第２のＢＷＰに対する１つ以上のＣＳＩレポートの伝送は、ＲＲＣメッセージ、ＭＡＣ  ＣＥ、および／または第２のＤＣＩによってトリガされ得る。一実施例では、ＵＥは、（例えば、図３２に示すように）アクティブなＢＷＰの切り替えのためのＤＣＩを受信した後に、第２のＢＷＰに対する１つ以上のＣＳＩ（例えば、非周期的または半永続的）レポートをトリガするＭＡＣ  ＣＥを受信し得る。ＵＥは、（例えば、図３３に示すように）アクティブなＢＷＰの切り替えのためのＤＣＩを受信する前に、第２のＢＷＰに対する１つ以上のＣＳＩ（例えば、非周期的または半永続的）レポートをトリガするＭＡＣ  ＣＥを受信し得る。１つ以上のＣＳＩレポートは、ＤＬ  ＢＷＰインジケータ、ＰＭＩ、ＣＱＩ、干渉、ＲＩ、ＲＳＲＰ、および／またはＣＲＩ、のうちの少なくとも１つを含み得る。ＤＬ  ＢＷＰインジケータは、ＵＥが１つ以上のＲＳ（例えば、ＳＳＢ／ＣＳＩ−ＲＳ）を測定するＤＬ  ＢＷＰを示し得る。一実施例では、第２のＢＷＰへのＢＷＰ切り替えを示すＤＣＩを検出することに応答して、１つ以上のＣＳＩレポート内のＤＬ  ＢＷＰインジケータは、第２のＢＷＰを示し得る。
【０２００】
一実施例では、（例えば、第１のＢＷＰから第２のＢＷＰへの）アクティブなＢＷＰの切り替えのためのＤＣＩを受信しないことに応答して、ＵＥは、第１のＢＷＰに対する１つ以上のＣＳＩレポート（例えば、Ｐ／Ａ／ＳＰ  ＣＳＩレポート）を伝送し（または伝送し続け）得る。一実施例では、第１のＢＷＰに対する１つ以上のＣＳＩレポートの伝送は、ＲＲＣメッセージ、ＭＡＣ  ＣＥ、および／または第２のＤＣＩによってトリガされ得る。１つ以上のＣＳＩレポートは、ＤＬ  ＢＷＰインジケータ、ＰＭＩ、ＣＱＩ、干渉、ＲＩ、ＲＳＲＰ、および／またはＣＲＩ、のうちの少なくとも１つを含み得る。ＤＬ  ＢＷＰインジケータは、ＵＥが１つ以上のＣＳＩ−ＲＳを測定するＤＬ  ＢＷＰを示し得る。一実施例では、第２のＢＷＰへのＢＷＰ切り替えを示すＤＣＩを受信しないことに応答して、１つ以上のＣＳＩレポート中のＤＬ  ＢＷＰインジケータは、第１のＢＷＰを示し得る。
【０２０１】
一実施例では、１つ以上のＣＳＩレポートを受信することに応答して、ｇＮＢは、ＵＥがアクティブなＢＷＰの切り替えを示すＤＣＩを受信するかどうか、および／またはＵＥが１つ以上のＣＳＩレポートに含まれるＤＬ  ＢＷＰインジケータをチェックすることによってアクティブなＢＷＰの切り替えを完了するかどうかを決定し得る。一実施例では、１つ以上のＣＳＩレポート内のＤＬ  ＢＷＰインジケータが第２のＢＷＰを示す場合、ｇＮＢは、ＵＥがアクティブなＢＷＰの切り替えを示すＤＣＩを受信し、および／またはＵＥがアクティブなＢＷＰの切り替えを完了すると判定し得る。第２のＢＷＰを示すＤＬ  ＢＷＰインジケータに応答して、ｇＮＢは、例えば、第２のＢＷＰでのデータパケットまたはダウンリンク制御伝送のために、第２のＢＷＰでＵＥとの通信を開始し得る。一実施例では、１つ以上のＣＳＩレポート内のＤＬ  ＢＷＰインジケータが第１のＢＷＰを示す場合、ｇＮＢは、ＵＥがアクティブなＢＷＰの切り替えを示すＤＣＩを受信しないと判定し得る。ｇＮＢは、第１のＢＷＰを示すＤＬ  ＢＷＰインジケータに応答して、ＤＣＩを再伝送するか、または第１のＢＷＰでＵＥと通信し続け得る。
【０２０２】
既存の３ＧＰＰ標準仕様では、ＣＳＩレポートは、ＢＷＰまたはセルを示すフィールドを含まないことが可能である。対照的に、例示的な実施形態では、ＣＳＩレポートにＤＬ  ＢＷＰ識別子を有することは、ＵＥがアクティブなＢＷＰの切り替えのためのＤＣＩを受信するかどうかをｇＮＢが迅速に判定することを可能にし得る。例示的な実施形態では、ＣＳＩレポートにＤＬ  ＢＷＰ識別子を有することは、ＢＷＰ切り替えがトリガされたときにＵＥがどのＢＷＰで動作しているかをｇＮＢが迅速に判定することを可能にし得る。例示的な実施形態は、ＤＣＩの誤検出に起因する通信途絶を低減し得る。例示的な実施形態は、ＢＷＰ切り替えに対する伝送遅延、電力消費、および／または信号オーバーヘッドを低減し得る。
【０２０３】
図３６は、ＢＷＰ切り替えのための拡張されたＣＳＩレポートメカニズムの例示的な実施形態を示す。一実施例では、基地局（例えば、図３６のｇＮＢ）は、第１の複数のＤＬ  ＢＷＰ例えば、ＤＬ  ＢＷＰ０、１、２、３）と第２の複数のＵＬ  ＢＷＰ（例えば、ＵＬ  ＢＷＰ０、１、２、３）との１つ以上のＢＷＰパラメータを含む１つ以上のＲＲＣメッセージを無線デバイス（例えば、図３６のＵＥ）に伝送し得る。第１の複数のＤＬ  ＢＷＰおよび第２の複数のＵＬ  ＢＷＰは、セルまたは異なるセル上で構成され得る。１つ以上のＢＷＰパラメータは、例えば、第２の複数のＵＬ  ＢＷＰを含むセルがＰＣｅｌｌまたはＰＵＣＣＨセカンダリセルである場合に、第２の複数のＵＬ  ＢＷＰのうちの少なくとも１つ上の、１つ以上のＣＳＩレポート（例えば、周期的、非周期的、半永続的）に対する、１つ以上のＰＵＣＣＨリソースをさらに示し得る。
【０２０４】
一実施例では、第１の複数のＤＬ  ＢＷＰの第１のＤＬ  ＢＷＰは、第２の複数のＵＬ  ＢＷＰの第１のＵＬ  ＢＷＰに関連付けられ（例えば、リンクされ）得る。一実施例では、第１のＤＬ  ＢＷＰと第１のＵＬ  ＢＷＰとの間の関連付けは、１つ以上のＲＲＣメッセージで構成され得る。一実施例では、関連付けは、１対１のリンケージであり得る。例えば、ＤＬ  ＢＷＰ０はＵＬ  ＢＷＰ０にリンクされ得る。ＤＬ  ＢＷＰ１は、ＵＬ  ＢＷＰ１（例えば、ＵＬ  ＢＷＰ０とは異なる）などにリンクされ得る。この例では、異なるＤＬ  ＢＷＰは、異なるＵＬ  ＢＷＰに関連付けられる。
【０２０５】
一実施例では、例えば、ＵＬ  ＢＷＰを含むセルがＰＣｅｌｌまたはＰＵＣＣＨセカンダリセルである場合、第２の複数のＢＷＰのＵＬ  ＢＷＰ（例えば、ＵＬ  ＢＷＰ０、１、２、または３）の１つ以上のＢＷＰパラメータは、ＵＬ  ＢＷＰ上の１つ以上のＰＵＣＣＨ（またはＰＵＳＣＨ）リソースを示し得る。一実施例では、第１の複数のＤＬ  ＢＷＰの第１のＤＬ  ＢＷＰは、ＵＬ  ＢＷＰ上の１つ以上のＰＵＣＣＨリソースの第１のＰＵＣＣＨリソースに関連付けられ得、第１の複数のＤＬ  ＢＷＰの第２のＤＬ  ＢＷＰは、ＵＬ  ＢＷＰ上の１つ以上のＰＵＣＣＨの第２のＰＵＣＣＨリソースに関連付けられ得る。例えば、ＤＬ  ＢＷＰ１は、ＵＬ  ＢＷＰ上の第１のＰＵＣＣＨに関連付けられ得、ＤＬ  ＢＷＰ２は、ＵＬ  ＢＷＰ上の第２のＰＵＣＣＨに関連付けられ得る、などである。
【０２０６】
一実施例では、第１のＤＬ  ＢＷＰに対する第１のＣＳＩレポート（例えば、周期的、非周期的、半永続的）は、ＵＬ  ＢＷＰ上の第１のＰＵＣＣＨリソースに関連付けられ得、第２ののＤＬ  ＢＷＰに対する第２のＣＳＩレポート（例えば、周期的、非周期的、半永続的）は、ＵＬ  ＢＷＰ上の第２のＰＵＣＣＨリソースに関連付けられ得る。例えば、図３６に示すように、ＤＬ  ＢＷＰ１に対する第１のＣＳＩレポートは、ＵＬ  ＢＷＰ上の第１のＰＵＣＣＨに関連付けられ得、ＤＬ  ＢＷＰ２に対する第２のＣＳＩレポートは、ＵＬ  ＢＷＰ上の第２のＰＵＣＣＨに関連付けられ得る、などである。一実施例では、ＣＳＩレポートは、周期的ＣＳＩレポート、非周期的ＣＳＩレポート、および／または半永続的ＣＳＩレポートのうちの少なくとも１つを含み得る。一実施例では、ＣＳＩレポート（例えば、ＤＬ  ＢＷＰ１に対する第１のＣＳＩレポート、および／またはＤＬ  ＢＷＰ２に対する第２のＣＳＩレポート）は、ＲＲＣメッセージ、ＭＡＣ  ＣＥ、および／またはＤＣＩによってトリガされ得る。
【０２０７】
一実施例では、ｇＮＢは、第１のＤＬ  ＢＷＰおよび第１のＵＬ  ＢＷＰでＵＥと通信し得る。ＵＥは、第１のＵＬ  ＢＷＰの第１のＰＵＣＣＨリソースを介して、第１のＤＬ  ＢＷＰに対する１つ以上の第１のＣＳＩレポートを伝送し得る。一実施例では、１つ以上の第１のＣＳＩレポートは、周期的ＣＳＩレポート、非周期的ＣＳＩレポート、および／または半永続的ＣＳＩレポートのうちの少なくとも１つを含み得る。一実施例では、１つ以上の第１のＣＳＩレポートは、ＲＲＣメッセージ、ＭＡＣ  ＣＥ、および／またはＤＣＩによってトリガされ得る。
【０２０８】
一実施例では、図３６に示すように、ＵＥは、第１のＤＬ  ＢＷＰ（例えば、図３６のＤＬ  ＢＷＰ１）から第２のＤＬ  ＢＷＰ（例えば、図３６のＤＬ  ＢＷＰ２）へのアクティブなＢＷＰの切り替えを示すＤＣＩを受信し得る。一実施例では、ＤＣＩを受信した後、または受信することに応答して、ＵＥは、アクティブなＢＷＰを第２のＤＬ  ＢＷＰへ切り替え得る。ＵＥは、切り替え後、または切り替えに応答して、ＵＬ  ＢＷＰの第２のＰＵＣＣＨリソースを介して第２のＤＬ  ＢＷＰに対する１つ以上の第２のＣＳＩレポートを伝送し得る。
【０２０９】
一実施」例では、ＵＥは、第１のＤＬ  ＢＷＰから第２のＤＬ  ＢＷＰへのアクティブなＢＷＰの切り替えを示すＤＣＩを受信しない（または検出し損なう）可能性がある。ＤＣＩを受信しないことに応答して、ＵＥは、ＵＬ  ＢＷＰの第１のＰＵＣＣＨリソースを介して第１のＤＬ  ＢＷＰに対する１つ以上の第１のＣＳＩレポートを伝送し続け得る。
【０２１０】
一実施例では、ｇＮＢは、例えば、アクティブなＢＷＰの切り替えを示すＤＣＩを伝送した後、または伝送することに応答して、ＵＬ  ＢＷＰの１つ以上のＰＵＣＣＨリソースのうちの１つ以上を監視し得る。一実施例では、ｇＮＢがＵＬ  ＢＷＰ上の第１のＰＵＣＣＨリソースに関する１つ以上の第１のＣＳＩレポートを受信すると、ｇＮＢは、ＵＥがＤＣＩを受信しないと判定し得る。ｇＮＢは、第１のＰＵＣＣＨリソースに関する１つ以上の第１のＣＳＩレポートを受信することに応答して、ＤＣＩの再伝送、および／または第１のＤＬ  ＢＷＰでのＵＥとの通信の維持、のうちの少なくとも１つを含むさらなるアクションを実行し得る。一実施例では、ｇＮＢがＵＬ  ＢＷＰ上の第２のＰＵＣＣＨリソースに関する１つ以上の第２のＣＳＩレポートを受信すると、ｇＮＢは、ＵＥがＤＣＩを受信し、および／またはＵＥが第１のＤＬ  ＢＷＰから第２のＤＬ  ＢＷＰへのアクティブなＢＷＰの切り替えを完了すると決定し得る。ｇＮＢは、第２のＰＵＣＣＨリソースに関する第２のＣＳＩレポートを受信することに応答して、例えば、データパケットおよび／または制御情報伝送のために、第２のＤＬ  ＢＷＰでＵＥと通信し得る。既存の技術では、基地局が、複数のＤＬ  ＢＷＰに対するＣＳＩレポートにＵＬ  ＢＷＰの１つのＰＵＣＣＨリソースを割り当て得、ＰＵＣＣＨリソースは複数のＤＬ  ＢＷＰに対するＣＳＩレポートに共有される。対照的に、例示的な実施形態では、異なるＤＬ  ＢＷＰに対するＣＳＩレポートにＵＬ  ＢＷＰの異なるＰＵＣＣＨリソースを割り当てると、ｇＮＢは、ＵＥがアクティブなＢＷＰの切り替えのためのＤＣＩを受信するかどうかを迅速に判定することが可能になり得る。例示的な実施形態では、異なるＤＬ  ＢＷＰに対するＣＳＩレポートにＵＬ  ＢＷＰの異なるＰＵＣＣＨリソースを割り当てると、ＢＷＰ切り替えがトリガされたときにＵＥがどのＢＷＰ上で動作しているかをｇＮＢが迅速に判定することが可能になり得る。例示的な実施形態は、ＤＣＩの誤検出に起因する通信途絶を低減し得る。例示的な実施形態は、ＢＷＰ切り替えに対する伝送遅延、電力消費、および／または信号オーバーヘッドを低減し得る。
【０２１１】
図３７は、ＢＷＰ切り替えのための拡張されたＣＳＩレポートメカニズムの例示的な実施形態を示す。一実施例では、基地局（例えば、図３７のｇＮＢ）は、無線デバイス（例えば、図３７のＵＥ）に、第１の複数のＤＬ  ＢＷＰ（例えば、ＤＬ  ＢＷＰ０、１、２、および／または３）とＵＬ  ＢＷＰとの１つ以上のＢＷＰパラメータを含む１つ以上のＲＲＣメッセージを伝送し得る。１つ以上のＢＷＰパラメータは、例えば、ＵＬ  ＢＷＰを含むセルがＰＣｅｌｌまたはＰＵＣＣＨセカンダリセルである場合、１つ以上のＣＳＩレポート（例えば、周期的、非周期的、半永続的）に対して、ＵＬ  ＢＷＰ上の１つ以上のＰＵＣＣＨリソースをさらに示し得る。
【０２１２】
一実施例では、第１のＤＬ  ＢＷＰに対する第１のＣＳＩレポートは、ＵＬ  ＢＷＰ上の第１のＰＵＣＣＨリソースに関連付けられ得、第２のＤＬ  ＢＷＰに関する第２のＣＳＩレポートは、ＵＬ  ＢＷＰ上の第２のＰＵＣＣＨリソースに関連付けられ得る。図３７に示すように、例えば、ＤＬ  ＢＷＰ  １に対する第１のＣＳＩレポートは、ＵＬ  ＢＷＰ上の第１のＰＵＣＣＨに関連付けられ得、ＤＬ  ＢＷＰ  ２に対する第２のＣＳＩレポートは、ＵＬ  ＢＷＰ上の第２のＰＵＣＣＨに関連付けられ得る、などである。
【０２１３】
一実施例では、ｇＮＢは、第１のＤＬ  ＢＷＰおよびＵＬ  ＢＷＰでＵＥと通信し得る。一実施例では、ｇＮＢは、第１のＤＬ  ＢＷＰに対する第１のＳＰ  ＣＳＩレポート構成と、第２のＤＬ  ＢＷＰに対する第２のＳＰ  ＣＳＩレポート構成と、をアクティブ化する１つ以上のＭＡＣ  ＣＥを伝送し得る。ｇＮＢは、１つ以上のＭＡＣ  ＣＥを異なる時間に伝送し得る。ｇＮＢは、第２のＤＬ  ＢＷＰに対する第２のＳＰ  ＣＳＩレポート構成をアクティブ化する第２のＭＡＣ  ＣＥをｇＮＢが伝送する前または後に、第１のＤＬ  ＢＷＰに対する第１のＳＰ  ＣＳＩレポート構成をアクティブ化する第１のＭＡＣ  ＣＥを伝送し得る。１つ以上のＭＡＣ  ＣＥを受信した後、または受信することに応答して、ＵＥは、例えば、第１のＤＬ  ＢＷＰがアクティブなＤＬ  ＢＷＰであるとき、第１のＤＬ  ＢＷＰに対する１つ以上の第１のＳＰ  ＣＳＩレポートを伝送し得る。一実施例では、１つ以上の第１のＳＰ  ＣＳＩレポートは、アクティブ化された第１のＳＰ  ＣＳＩレポート構成に関連付けられた第１のＤＬ  ＢＷＰの１つ以上のＣＳＩ−ＲＳに基づいて測定され得る。一実施例では、１つ以上の第１のＳＰ  ＣＳＩレポートは、アクティブ化された第１のＳＰ  ＣＳＩレポート構成の１つ以上の構成パラメータによって示される、ＰＭＩ、ＣＱＩ、ＲＩ、ＣＲＩ、および／またはＬ１−ＲＳＲＰ値、のうちの少なくとも１つを含み得る。一実施例では、１つ以上の第１のＳＰ  ＣＳＩレポートの伝送は、アクティブ化された第１のＳＰ  ＣＳＩレポート構成に関連付けられた周期性を有して実行され得る。
【０２１４】
一実施例では、図３７に示すように、ＵＥは、第１のＤＬ  ＢＷＰ（例えば、図３７のＤＬ  ＢＷＰ１）から第２のＤＬ  ＢＷＰ（例えば、図３７のＤＬ  ＢＷＰ２）へのアクティブなＢＷＰの切り替えを示すＤＣＩを受信し得る。一実施例では、ＤＣＩの後、またはＤＣＩに応答して、ＵＥは、アクティブなＢＷＰを第２のＤＬ  ＢＷＰへ切り替え得る。ＵＥは、例えば１つ以上の第２のＳＰ  ＣＳＩレポートに関連付けられた第２のＳＰ  ＣＳＩレポート構成がアクティブ化されると、切り替え後、または切り替えに応答して、ＵＬ  ＢＷＰの第２のＰＵＣＣＨリソースを介して、第２のＤＬ  ＢＷＰに対する１つ以上の第２のＳＰ  ＣＳＩレポートを伝送し得る。１つ以上の第２のＳＰ  ＣＳＩレポートは、アクティブ化された第２のＳＰ  ＣＳＩレポート構成に基づき得る。一実施例では、ＵＥは、第１のＤＬ  ＢＷＰから第２のＤＬ  ＢＷＰへのアクティブなＢＷＰの切り替えを示すＤＣＩを受信しない（または検出し損なう）可能性がある。ＤＣＩを受信しないことに応答して、ＵＥは、ＵＬ  ＢＷＰの第１のＰＵＣＣＨリソースを介して第１のＤＬ  ＢＷＰに対する１つ以上の第１のＳＰ  ＣＳＩレポートを伝送し続け得る。
【０２１５】
例示的な実施形態では、異なるＤＬ  ＢＷＰに対するＳＰ  ＣＳＩレポートにＵＬ  ＢＷＰの異なるＰＵＣＣＨリソースを割り当てると、ｇＮＢは、ＵＥがアクティブなＢＷＰの切り替えのためのＤＣＩを受信するかどうかを迅速に判定することが可能になり得る。例示的な実施形態では、異なるＤＬ  ＢＷＰに対するＳＰ  ＣＳＩレポートにＵＬ  ＢＷＰの異なるＰＵＣＣＨリソースを割り当てると、ＢＷＰ切り替えがトリガされたときにＵＥがどのＢＷＰ上で動作しているかをｇＮＢが迅速に判定することが可能になり得る。例示的な実施形態は、ＤＣＩの誤検出に起因する通信途絶を低減し得る。例示的な実施形態は、ＢＷＰ切り替えに対する伝送遅延、電力消費、および／または信号オーバーヘッドを低減し得る。
【０２１６】
一実施例では、無線デバイスは、１つ以上のＤＬ  ＢＷＰの１つ以上の構成パラメータを少なくとも含む１つ以上のパラメータを含む１つ以上のＲＲＣメッセージを受信し得る。ＤＬ  ＢＷＰの１つ以上の構成パラメータは、１つ以上のＲＳ（例えば、ＳＳＢ／ＣＳＩ−ＲＳ）のリソース設定、１つ以上のＣＳＩレポート設定、および／または１つのＣＳＩ測定設定、のうちの少なくとも１つを含み得る。無線デバイスは、第１のＢＷＰへのアクティブなＢＷＰの切り替えを示す１つ以上のパラメータを含むダウンリンク制御情報（ＤＣＩ）に対するＰＤＣＣＨを監視し得る。一実施例では、ＤＣＩの後、またはＤＣＩに応答して、無線デバイスは、第１のＢＷＰを示すＢＷＰ識別子と、ＣＱＩ、ＰＭＩ、ＲＳＲＰ、ＲＩ、ＣＲＩのうちの少なくとも１つを含む１つ以上のＣＳＩ測定と、を含む１つ以上のＣＳＩレポートを伝送し得る。一実施例では、１つ以上のＣＳＩ測定は、第２のＢＷＰ識別子によって示されるＤＬ  ＢＷＰに対して使用され得る。
【０２１７】
一実施例では、無線デバイスは、セルの構成パラメータを含む１つ以上のメッセージを受信し得る。セルは、第１のＤＬ  ＢＷＰ、第２のＤＬ  ＢＷＰ、および少なくともＵＬ  ＢＷＰを含み得る。構成パラメータは、少なくともＵＬ  ＢＷＰ上の第１のＵＬ制御チャネル（例えば、ＰＵＣＣＨ）リソースの第１のパラメータと、少なくともＵＬ  ＢＷＰ上の第２のＵＬ制御チャネルリソースの第２のパラメータと、を含み得る。一実施例では、第１のＵＬ制御チャネルリソースは、第１のＤＬ  ＢＷＰの第１のＣＳＩレポートに関連付けられ得る。第２のＵＬ制御チャネルリソースは、第２のＤＬ  ＢＷＰの第２のＣＳＩレポートに関連付けられ得る。無線デバイスは、少なくともＵＬ  ＢＷＰのＵＬ  ＢＷＰの第１のＵＬ制御チャネルリソースを介して、第１のＤＬ  ＢＷＰの第１のＣＳＩレポートを伝送し得る。無線デバイスは、アクティブなＢＷＰとして第１のＤＬ  ＢＷＰから第２のＤＬ  ＢＷＰへ切り替えることを示すＤＣＩを受信し得る。無線デバイスは、ＤＣＩを受信した後、少なくともＵＬ  ＢＷＰのＵＬ  ＢＷＰの第２のＵＬ制御チャネルリソースを介して、第２のＤＬ  ＢＷＰの第２のＣＳＩレポートを伝送し得る。
【０２１８】
既存の３ＧＰＰ標準仕様では、無線デバイスは、ＰＵＳＣＨに関するＳＰ  ＣＳＩレポートのアクティブ化を示すＤＣＩを受信し得る。ＤＣＩの後、またはＤＣＩに応答して、無線デバイスは、ＤＣＩによって示されるＳＰ  ＣＳＩレポート構成に従って、ＰＵＳＣＨに関する１つ以上のＳＰ  ＣＳＩレポートを伝送し得る。一実施例では、無線デバイスは、ＰＵＣＣＨに関するＳＰ  ＣＳＩレポートのアクティブ化を示すＭＡＣ  ＣＥを受信し得る。ＭＡＣ  ＣＥの後、またはＭＡＣ  ＣＥに応答して、無線デバイスは、ＭＡＣ  ＣＥによって示されるＳＰ  ＣＳＩレポート構成に従って、ＰＵＣＣＨに関する１つ以上のＳＰ  ＣＳＩレポートを伝送し得る。既存の技術では、無線デバイスは、ＳＰ  ＣＳＩ例ポート構成の非アクティブ化を示す非アクティブ化コマンド（例えば、ＤＣＩまたはＭＡＣ  ＣＥ）を無線デバイスが受信するまで、ＳＰ  ＣＳＩレポート（例えば、ＰＵＣＣＨまたはＰＵＳＣＨに関する）を伝送し続け得る。一実施例では、無線デバイスは、１つ以上のＳＰ  ＣＳＩレポート（例えば、ＰＵＳＣＨまたはＰＵＣＣＨに関する）の進行中の伝送中にアクティブなＢＷＰ（例えば、ＤＬまたはＵＬまたは両方）の切り替えを実行し得る。無線デバイスは、無線デバイスがアクティブなＢＷＰとして第１のＢＷＰから第２のＢＷＰへ切り替わった後でも、第１のＢＷＰに対する（または第１のＢＷＰがＵＬ  ＢＷＰであるときは第１のＢＷＰに関する）ＳＰ  ＣＳＩレポートの伝送を維持し得る。既存の技術を実装することにより、無線デバイスが非アクティブなＢＷＰ（例の最初のＢＷＰ）に対するＳＰ  ＣＳＩレポートを不必要に伝送する可能性があり得る。一実施例では、基地局が、非アクティブなＢＷＰに対するＳＰ  ＣＳＩレポートを受信し得る。基地局は、無線デバイスが動作しているＢＷＰを判定することができない可能性があり得る。既存の技術を実装すると、無線デバイスの消費電力が増加し得る。既存の技術を実装すると、無線デバイスのアップリンクリソース（例えば、ＰＵＣＣＨまたはＰＵＳＣＨ）の消費を増加させ得る。無線デバイスがアクティブなＢＷＰの切り替えを実行するとき、ＳＰ  ＣＳＩレポートメカニズムを拡張する必要がある。拡張されたＳＰ  ＣＳＩレポートメカニズムの例示的な実施形態は、ＢＷＰの状態に関する基地局と無線デバイスとの間の不整合を低減し得る。例示的な実施形態は、基地局および／または無線デバイスのシグナリングオーバーヘッド、電力消費、伝送遅延、および／またはアップリンクリソース消費を改善し得る。例示的な実施形態は、ＳＰ  ＣＳＩレポートが構成されるとき、システムのスペクトル効率を改善し得る。
【０２１９】
図３８は、拡張されたＳＰ  ＣＳＩレポートメカニズムの例示的な実施形態を示す。一実施例では、基地局（例えば、図３８のｇＮＢ）は、無線デバイス（例えば、図３８のＵＥ）に、セルの１つ以上のＢＷＰの１つ以上のＢＷＰ構成パラメータを含む１つ以上のＲＲＣメッセージを伝送することができる。１つ以上のＲＲＣメッセージは、ＢＷＰ非アクティビティタイマのＢＷＰタイマ値をさらに示し得る。１つ以上のＢＷＰは、デフォルトのＢＷＰを含み得る。セルは、ＰＣｅｌｌまたはＳＣｅｌｌであり得る。１つ以上のＢＷＰのＢＷＰの１つ以上のＢＷＰ構成パラメータは、１つ以上のＲＳ（例えば、ＳＳＢ／ＣＳＩ−ＲＳ）のリソース設定、１つ以上のＣＳＩレポート設定、および１つのＣＳＩ測定設定、のうちの少なくとも１つを含み得る。
【０２２０】
一実施例では、第１のＤＬ  ＢＷＰ（例えば、図３８のＢＷＰ１）は、ｇＮＢがＵＥと通信し得るアクティブなＢＷＰであり得る。ＵＥは、アクティブなＵＬ  ＢＷＰを介して、第１のＤＬ  ＢＷＰに対する、レポート周期性を有する１つ以上のＳＰ  ＣＳＩレポートを伝送し得る。１つ以上のＳＰ  ＣＳＩレポートは、第１のＤＬ  ＢＷＰ上の１つ以上のＲＳ（例えば、ＳＳＢ／ＣＳＩ−ＲＳ）に基づいて測定され得る。１つ以上のＳＰ  ＣＳＩレポートの伝送は、ＤＣＩまたはＭＡＣ  ＣＥによってトリガされ得る。一実施例では、ＵＥは、ＰＵＳＣＨに関するＳＰ  ＣＳＩレポートのアクティブ化を示すＤＣＩを受信し得る。ＤＣＩの後、またはＤＣＩに応答して、ＵＥは、ＤＣＩによって示されるＳＰ  ＣＳＩレポート構成に従って、アクティブなＵＬ  ＢＷＰのＰＵＳＣＨに関する１つ以上のＳＰ  ＣＳＩレポートを伝送し得る。一実施例では、ＵＥは、ＰＵＣＣＨに関するＳＰ  ＣＳＩレポートのアクティブ化を示すＭＡＣ  ＣＥを受信し得る。ＭＡＣ  ＣＥの後、またはＭＡＣ  ＣＥに応答して、ＵＥは、ＭＡＣ  ＣＥによって示されるＳＰ  ＣＳＩレポート構成に従って、アクティブなＵＬ  ＢＷＰのＰＵＣＣＨに関する１つ以上のＳＰ  ＣＳＩレポートを伝送し得る。ＵＥは、第１のＤＬ  ＢＷＰを介してダウンリンク割り当てまたはアップリンク許可を受信した後、または受信することに応答して、ＢＷＰ非アクティビティタイマを始動し得る。
【０２２１】
一実施例では、図３８に示すように、基地局が、第１のＤＬ  ＢＷＰ（例えば、図３８のＢＷＰ１）から第２のＤＬ  ＢＷＰ（例えば、図３８のＢＷＰ２）へのアクティブなＢＷＰの切り替えを示すＤＣＩを伝送し得る。一実施例では、ＤＣＩを伝送することに応答して、基地局は、第１のＤＬ  ＢＷＰ上の１つ以上の第１のＲＳ（例えば、ＳＳＢ／ＣＳＩ−ＲＳ）の伝送を停止し得る。基地局は、例えば、ＤＣＩを伝送する前または後に、第２のＤＬ  ＢＷＰ上の１つ以上の第２のＲＳ（例えば、ＳＳＢ／ＣＳＩ−ＲＳ）の伝送を開始し得る。非アクティブなＢＷＰに対するＲＳ（例えば、ＳＳＢ／ＣＳＩ−ＲＳ）の伝送を停止することは、基地局の電力消費を節減し、および／または近隣の基地局／セルへの干渉を低減し得る。
【０２２２】
一実施例では、図３８に示すように、ＵＥは、第１のＢＷＰから第２のＤＬ  ＢＷＰ（例えば、図３８のＢＷＰ２）へのアクティブなＢＷＰの切り替えを示すＤＣＩを受信した後、または受信することに応答して、第１のＢＷＰ（例えば、図３８のＢＷＰ１）に対するＳＰ  ＣＳＩレポートの伝送を停止し得る。ＵＥは、ＢＷＰ非アクティビティタイマの満了後、または満了に応答して、第１のＢＷＰに対するＳＰ  ＣＳＩレポートの伝送を停止し得る。例示的な実施形態では、非アクティブなＢＷＰに対するＳＰ  ＣＳＩレポートの伝送を停止することは、電力消費、無線デバイスのアップリンクリソース消費を節約し得る、および／または他の無線デバイスへの干渉を低減し得る。ＳＰ  ＣＳＩレポートの例示的な実施形態は、ＢＷＰの状態に関する基地局と無線デバイスとの間の不整合を低減し得る。例示的な実施形態は、ＳＰ  ＣＳＩレポートが構成されるとき、システムのスペクトル効率を改善し得る。
【０２２３】
一実施例では、ＵＥは、第１のＤＬ  ＢＷＰから第２のＤＬ  ＢＷＰへのアクティブなＢＷＰの切り替えを示すＤＣＩを受信した後、または受信することに応答して、ＵＥがＳＰ  ＣＳＩレポート構成の非アクティブ化を示す非アクティブ化コマンドを受信するまで、第１のＢＷＰ（例えば、図３８のＢＷＰ１）に対するＳＰ  ＣＳＩレポートを伝送し続け得る。この実施形態では、非アクティブなＢＷＰに対するＳＰ  ＣＳＩレポートの伝送を維持することにより、例えば、アクティブなＢＷＰ切り替えが頻繁である場合に、ＳＰ  ＣＳＩアクティブ化／非アクティブ化シグナリングオーバーヘッド（例えば、ＤＣＩまたはＭＡＣ  ＣＥ）を低減し、第１のＤＬ  ＢＷＰおよび第２のＤＬ  ＢＷＰは、同じ数秘学、または重複する帯域幅、および／または同じＳＰ  ＣＳＩリソース設定および／またはＣＳＩレポート設定を有し得る。
【０２２４】
一実施例では、ＵＥは、ＤＣＩの後、またはＤＣＩに応答して、第２のＤＬ  ＢＷＰに対する、レポート周期性を有する１つ以上の第２のＳＰ  ＣＳＩレポートを伝送し得る。一実施例では、ＵＥは、例えば、第１のＤＬ  ＢＷＰおよび第２のＤＬ  ＢＷＰが、重複する帯域幅、同じ数秘学、および／または同じＳＰ  ＣＳＩリソース設定および／またはＣＳＩレポート設定を用いて構成される場合、第１のＤＬ  ＢＷＰおよび第２のＤＬ  ＢＷＰに対する、同じ周期性を有するＳＰ  ＣＳＩレポートを伝送し得る。一実施例では、第１のＤＬ  ＢＷＰから第２のＤＬ  ＢＷＰへのアクティブなＢＷＰの切り替えを示すＤＣＩを受信すると、ＵＥは、第２のＤＬ  ＢＷＰ上のＲＳ（例えば、ＳＳＢ／ＣＳＩ−ＲＳ）に基づいて、自律的にＣＳＩ測定を実行し得る。ＵＥは、ＣＳＩ測定に基づいて新たなＢＷＰのＳＰ  ＣＳＩレポートを伝送し得る。
【０２２５】
一実施例では、ＵＥが第２のＤＬ  ＢＷＰに対するＳＰ  ＣＳＩレポートのアクティブ化を示す第２のＭＡＣ  ＣＥまたはＤＣＩを受信することに応答して、ＵＥは、ＵＥがアクティブなＤＬ  ＢＷＰとして第２のＤＬ  ＢＷＰに切り替わった後に、第２のＤＬ  ＢＷＰに対する１つ以上の第２のＳＰ  ＣＳＩレポートを伝送し得る。例示的な実施形態では、第２のＢＷＰが、第１のＤＬ  ＢＷＰとは異なるＲＳ（例えば、ＳＳＢ／ＣＳＩ−ＲＳ）リソース設定、異なる中心周波数、異なる数秘学、および／または異なるＣＳＩレポート設定を有するとき、アクティブなＤＬ  ＢＷＰの切り替え後のＳＰ  ＣＳＩレポートの明示的なアクティブ化（例えば、ＤＣＩまたはＭＡＣ  ＣＥによる）は、ｇＮＢが、例えば、第２のＤＬ  ＢＷＰのＳＰ  ＣＳＩレポートを柔軟にアクティブ化することを可能にし得る。
【０２２６】
一実施例では、図３８に示す実施形態は、同様に、ＵＬ  ＢＷＰ切り替えが発生する場合に当てはまり得る。一実施例では、ＵＥは、第１のＵＬ  ＢＷＰから第２のＵＬ  ＢＷＰへのＵＬ  ＢＷＰ切り替えを示すＤＣＩを受信した後、または受信することに応答して、第１のＵＬ  ＢＷＰに関する１つ以上のＳＰ  ＣＳＩレポートの第１の伝送を停止し得る。ＵＥは、第２のＵＬ  ＢＷＰに関する１つ以上のＳＰ  ＣＳＩレポートを自律的に伝送し得る。ＵＥは、第２のＵＬ  ＢＷＰに関する１つ以上のＳＰ  ＣＳＩレポートに対するＳＰ  ＣＳＩレポート構成のアクティブ化を示すコマンドを受信した後、または受信することに応答して、第２のＵＬ  ＢＷＰに関する１つ以上のＳＰ  ＣＳＩレポートを伝送し得る。例示的な実施形態では、非アクティブなＢＷＰに関するＳＰ  ＣＳＩレポートの伝送を停止することは、電力消費、無線デバイスのアップリンクリソース消費を節約し得る、および／または他の無線デバイスへの干渉を低減し得る。ＳＰ  ＣＳＩレポートの例示的な実施形態は、ＢＷＰの状態に関する基地局と無線デバイスとの間の不整合を低減し得る。例示的な実施形態は、ＳＰ  ＣＳＩレポートが構成されるとき、システムのスペクトル効率を改善し得る。
【０２２７】
図３９は、拡張されたＳＰ  ＣＳＩレポートメカニズムの例示的な実施形態を示す。一実施例では、基地局（例えば、図３９のｇＮＢ）は、無線デバイス（例えば、図３９のＵＥ）に、セルの１つ以上のＢＷＰ（例えば、ＤＬまたはＵＬ）の１つ以上のＢＷＰ構成パラメータを含む１つ以上のＲＲＣメッセージを伝送し得る。１つ以上のＲＲＣメッセージは、ＢＷＰ非アクティビティタイマのＢＷＰタイマ値をさらに示し得る。１つ以上のＢＷＰは、デフォルトのＢＷＰを含み得る。セルは、ＰＣｅｌｌまたはＳＣｅｌｌであり得る。１つ以上のＢＷＰのＢＷＰの１つ以上のＢＷＰ構成パラメータは、１つ以上のＲＳ（例えば、ＳＳＢ／ＣＳＩ−ＲＳ）のリソース設定、１つ以上のＣＳＩレポート設定、および１つのＣＳＩ測定設定、のうちの少なくとも１つを含み得る。
【０２２８】
一実施例では、第１のＢＷＰ（例えば、図３９のＢＷＰ１）は、ｇＮＢがＵＥと通信し得るアクティブなＢＷＰであり得る。第１のＢＷＰは、ＤＬ  ＢＷＰまたはＵＬ  ＢＷＰであり得る。ＵＥは、例えば、第１のＢＷＰがＤＬ  ＢＷＰであるとき、第１のＢＷＰに対する、レポート周期性を有する１つ以上のＳＰ  ＣＳＩレポートを伝送し得る。ＵＥは、例えば、第１のＢＷＰがＵＬ  ＢＷＰであるとき、第１のＢＷＰに関する、レポート周期性を有する１つ以上のＳＰ  ＣＳＩレポートを伝送し得る。１つ以上のＳＰ  ＣＳＩレポートは、（例えば、第１のＢＷＰがＤＬ  ＢＷＰであるとき）第１のＢＷＰ上の１つ以上のＲＳ（例えば、ＳＳＢ／ＣＳＩ−ＲＳ）に基づいて測定され得る。１つ以上のＳＰ  ＣＳＩレポートの伝送は、ＤＣＩまたはＭＡＣ  ＣＥによってトリガされ得る。一実施例では、ＵＥは、ＰＵＳＣＨに関するＳＰ  ＣＳＩレポートのアクティブ化を示すＤＣＩを受信し得る。ＤＣＩの後、またはＤＣＩに応答して、ＵＥは、ＤＣＩによって示されるＳＰ  ＣＳＩレポート構成に従って、第１のＢＷＰのＰＵＳＣＨに関する１つ以上のＳＰ  ＣＳＩレポートを伝送し得る。一実施例では、ＵＥは、ＰＵＣＣＨに関するＳＰ  ＣＳＩレポートのアクティブ化を示すＭＡＣ  ＣＥを受信し得る。ＭＡＣ  ＣＥの後、またはＭＡＣ  ＣＥに応答して、ＵＥは、ＭＡＣ  ＣＥによって示されるＳＰ  ＣＳＩレポート構成に従って、第１のＢＷＰのＰＵＣＣＨに関する１つ以上のＳＰ  ＣＳＩレポートを伝送し得る。ＵＥは、アクティブなＤＬ  ＢＷＰを介してダウンリンク割り当てまたはアップリンク許可を受信した後、または受信することに応答して、ＢＷＰ非アクティビティタイマを始動（または再始動）させ得る。
【０２２９】
一実施例では、図３９に示すように、基地局が、第１のＢＷＰ（例えば、図３９のＢＷＰ１）から第２のＢＷＰ（例えば、図３９のＢＷＰ２）へのアクティブなＢＷＰの切り替えを示すＤＣＩを伝送し得る。一実施例では、ＤＣＩを伝送することに応答して、第１のＢＷＰおよび第２のＢＷＰがＤＬ  ＢＷＰであるとき、基地局は、第１のＢＷＰ上の１つ以上の第１のＲＳ（例えば、ＳＳＢ／ＣＳＩ−ＲＳ）の伝送を停止し得る。基地局は、例えば、ＤＣＩを伝送する前または後に、第２のＢＷＰ上の１つ以上の第２のＲＳ（例えば、ＳＳＢ／ＣＳＩ−ＲＳ）の伝送を開始し得る。無線デバイスの非アクティブなＤＬ  ＢＷＰ上のＲＳ（例えば、ＳＳＢ／ＣＳＩ−ＲＳ）の伝送を停止することは、基地局の電力消費を節減し、および／または近隣の基地局／セルへの干渉を低減し得る。
【０２３０】
一実施例では、図３９に示すように、ＵＥは、第１のＢＷＰから第２のＢＷＰ（例えば、図３９のＢＷＰ２）へのアクティブなＢＷＰの切り替えを示す第１のＤＣＩを受信した後、または受信することに応答して、第１のＢＷＰ（例えば、図３９のＢＷＰ１）に関するＳＰ  ＣＳＩレポートの伝送を中断し得る。ＵＥは、ＢＷＰ非アクティビティタイマの満了後、または満了に応答して、第１のＢＷＰに関するＳＰ  ＣＳＩレポートの伝送を停止し得る。
【０２３１】
ＵＥが第１のＢＷＰに関するＳＰ  ＣＳＩレポートの伝送を中断すると、ＵＥは、第１のＢＷＰに関するＳＰ  ＣＳＩレポートの伝送を停止し得る。ＵＥは、ＳＰ  ＣＳＩレポートのＲＲＣ、ＭＡＣ、および／またはＰＨＹ構成パラメータを維持し得る。例えば、ＵＥは、第１のＢＷＰのＳＰ  ＣＳＩレポートの構成パラメータを維持し、第１のＢＷＰに関するＳＰ  ＣＳＩレポート伝送を一時停止し得る。ＳＰ  ＣＳＩレポートの伝送を中断することは、ＳＰ  ＣＳＩレポートを解放することとは異なることが可能であり、構成パラメータのいくつかがクリア／解放され得る。
【０２３２】
一実施例では、第１のＢＷＰおよび第２のＢＷＰがＤＬ  ＢＷＰであるとき、ＵＥは、第１のＢＷＰから第２のＢＷＰへのアクティブなＢＷＰの切り替えを示す第１のＤＣＩを受信した後、または受信することに応答して、第１のＢＷＰに対するＳＰ  ＣＳＩレポートの伝送を中断し得る。ＵＥは、ＢＷＰ非アクティビティタイマの満了後、または満了に応答して、第１のＢＷＰに対するＳＰ  ＣＳＩレポートの伝送を停止し得る。
【０２３３】
一実施例では、ＵＥは、第２のＢＷＰから第１のＢＷＰへのアクティブなＢＷＰの切り替えを示す第２のＤＣＩを受信した後、または受信することに応答して、ＳＰ  ＣＳＩレポートの伝送を再開し得る。一実施例では、ＳＰ  ＣＳＩレポートの再アクティブ化のためのＭＡＣ  ＣＥを受信することなく、ＳＰレポートの伝送の再開を実し得る。一実施例では、ＳＰレポートの伝送を再開することは、ＳＰ  ＣＳＩレポートに関連付けられたアクティブ化されたＳＰ  ＣＳＩレポート構成に従って第１のＢＷＰに関するＳＰ  ＣＳＩレポートを伝送することを含み得る。一実施例では、基地局が、例えば、第２のＤＣＩを伝送する前または後に、第１のＢＷＰ（例えば、第１のＢＷＰがＤＬ  ＢＷＰであるとき）上のＲＳ（例えば、ＳＳＢ／ＣＳＩ−ＲＳ）の伝送を再開し得る。例示的な実施形態では、ＵＥは、ＵＥがＢＷＰから切り替わったときにＳＰ  ＣＳＩレポートを中断し、ＵＥがＢＷＰに再度切り替わったときにＳＰ  ＣＳＩレポートを再開し得る。中断および／または再開に基づく拡張されたＳＰ  ＣＳＩレポートメカニズムは、無線デバイスの電力消費、アップリンクリソース消費を改善し得る、および／または他の無線デバイスへの干渉を低減し得る。中断および／または再開に基づく拡張されたＳＰ  ＣＳＩレポートメカニズムは、ＳＰ  ＣＳＩレポートが設定されるとき、シグナリングオーバーヘッドを低減し得る、および／またはシステムのスペクトル効率を改善し得る。
【０２３４】
図４０は、ＭＡＣ  ＣＥによってＳＰ  ＣＳＩレポートがトリガされるとき、拡張されたＳＰ  ＣＳＩレポートメカニズムの例示的な実施形態を示す。一実施例では、基地局（例えば、図４０のｇＮＢ）は、無線デバイス（例えば、図４０のＵＥ）に、セルの１つ以上のＢＷＰの１つ以上のＢＷＰ構成パラメータを含む１つ以上のＲＲＣメッセージを伝送し得る。１つ以上のＲＲＣメッセージは、ＢＷＰ非アクティビティタイマのＢＷＰタイマ値をさらに示し得る。１つ以上のＢＷＰは、デフォルトのＢＷＰを含み得る。セルは、ＰＣｅｌｌまたはＳＣｅｌｌであり得る。１つ以上のＢＷＰのＢＷＰの１つ以上のＢＷＰ構成パラメータは、１つ以上のＲＳ（例えば、ＳＳＢ／ＣＳＩ−ＲＳ）のリソース設定、１つ以上のＣＳＩレポート設定、および１つのＣＳＩ測定設定、のうちの少なくとも１つを含み得る。
【０２３５】
一実施例では、第１のＢＷＰ（例えば、図４０のＢＷＰ１）は、ｇＮＢがＵＥと通信し得るアクティブなＢＷＰであり得る。第１のＢＷＰは、ＤＬ  ＢＷＰおよびＵＬ  ＢＷＰのうちの１つであり得る。一実施例では、図４０に示すように、ＵＥは、ＰＵＣＣＨに関するＳＰ  ＣＳＩレポートのアクティブ化を示すＭＡＣ  ＣＥを受信し得る。ＭＡＣ  ＣＥの後、またはＭＡＣ  ＣＥに応答して、ＵＥは、  ＭＡＣ  ＣＥによって示されるＳＰ  ＣＳＩレポート構成に従って、アクティブなＵＬ  ＢＷＰ（例えば、第１のＢＷＰがＵＬ  ＢＷＰであるときの第１のＢＷＰ）のＰＵＣＣＨリソースを介して１つ以上のＳＰ  ＣＳＩレポートを伝送し得る。ＵＥは、アクティブなＵＬ  ＢＷＰのＰＵＣＣＨリソースを介してレポート周期性を有する１つ以上のＳＰ  ＣＳＩレポートを伝送し得る。１つ以上のＳＰ  ＣＳＩレポートは、アクティブなＤＬ  ＢＷＰ上の１つ以上のＲＳ（例えば、ＳＳＢ／ＣＳＩ−ＲＳ）に基づいて測定され得る。一実施例では、ＭＡＣ  ＣＥの後、またはＭＡＣ  ＣＥに応答して、ＵＥは、第１のＢＷＰがＤＬ  ＢＷＰであるとき、第１のＢＷＰに関する１つ以上のＳＰ  ＣＳＩレポートを伝送し得る。ＵＥは、ＤＬ  ＢＷＰを介してダウンリンク割り当てまたはアップリンク許可を受信した後、または受信することに応答して、ＢＷＰ非アクティビティタイマを始動（または再始動）させ得る。
【０２３６】
一実施例では、図４０に示すように、基地局が、ＵＥに、第１のＢＷＰ（例えば、図４０のＢＷＰ１）から第２のＢＷＰ（例えば、図４０のＢＷＰ２）へのアクティブなＢＷＰの切り替えを示す第１のＤＣＩを伝送し得る。第１のＤＣＩの後、または第１のＤＣＩに応答して、ＵＥは、ＳＰ  ＣＳＩレポートの伝送を中断し得る。ＵＥは、ＢＷＰ非アクティビティタイマの満了後、または満了に応答して、ＳＰ  ＣＳＩレポートの伝送を中断し得る。一実施例では、ＵＥは、第２のＢＷＰから第１のＢＷＰへのアクティブなＢＷＰの切り替えを示す第２のＤＣＩを受信した後、または受信することに応答して、ＳＰ  ＣＳＩレポートの伝送を再開し得る。一実施例では、ＵＥは、ＢＷＰ非アクティビティタイマの満了後、または満了に応答して、ＳＰ  ＣＳＩレポートの伝送を再開し得る。例示的な実施形態では、ＭＡＣ  ＣＥに基づいてＳＰ  ＣＳＩレポートの伝送がトリガされると、ＵＥは、第２のＭＡＣ  ＣＥに対する信号オーバーヘッドを低減するために（例えば、ＳＰ  ＣＳＩレポートを再アクティブ化するために）、ＵＥがＢＷＰから切り替わったときにＳＰ  ＣＳＩレポートを中断し、ＵＥが再度ＢＷＰに切り替わったときにＳＰ  ＣＳＩレポートを再開するし得る。中断および再開メカニズムに基づく拡張されたＳＰ  ＣＳＩレポートは、シグナリングオーバーヘッドを改善し、および／またはＳＰ  ＣＳＩレポートのアクティブ化に対するレイテンシを遅延させ得る。例示的な実施形態は、ＭＡＣ  ＣＥに基づいてＳＰ  ＣＳＩレポートがトリガされるとき、システムのスペクトル効率を改善し得る。
【０２３７】
図４１は、ＳＰ  ＣＳＩレポートがＤＣＩによってトリガされるときの、拡張されたＳＰ  ＣＳＩレポートメカニズムの例示的な実施形態を示す。一実施例では、基地局（例えば、図４１のｇＮＢ）は、無線デバイス（例えば、図４１のＵＥ）に、セルの１つ以上のＢＷＰの１つ以上のＢＷＰ構成パラメータを含む１つ以上のＲＲＣメッセージを伝送し得る。１つ以上のＲＲＣメッセージは、ＢＷＰ非アクティビティタイマのＢＷＰタイマ値をさらに示し得る。１つ以上のＢＷＰは、デフォルトのＢＷＰを含み得る。セルは、ＰＣｅｌｌまたはＳＣｅｌｌであり得る。１つ以上のＢＷＰのＢＷＰの１つ以上のＢＷＰ構成パラメータは、１つ以上のＲＳ（例えば、ＳＳＢ／ＣＳＩ−ＲＳ）のリソース設定、１つ以上のＣＳＩレポート設定、および１つのＣＳＩ測定設定、のうちの少なくとも１つを含み得る。
【０２３８】
一実施例では、第１のＢＷＰ（例えば、図４１のＢＷＰ１）は、ｇＮＢがＵＥと通信し得るアクティブなＢＷＰであり得る。第１のＢＷＰは、ＤＬ  ＢＷＰまたはＵＬ  ＢＷＰであり得る。一実施例では、図４１に示すように、ＵＥは、ＰＵＳＣＨに関するＳＰ  ＣＳＩレポートのアクティブ化を示すＤＣＩを受信し得る。ＤＣＩの後、またはＤＣＩに応答して、ＵＥは、ＤＣＩによって示されるＳＰ  ＣＳＩレポート構成に従って、アクティブなＵＬ  ＢＷＰ（例えば、第１のＢＷＰがＵＬ  ＢＷＰであるときの第１のＢＷＰ）のＰＵＳＣＨリソースを介して１つ以上のＳＰ  ＣＳＩレポートを伝送し得る。ＵＥは、アクティブなＵＬ  ＢＷＰのＰＵＳＣＨリソースを介してレポート周期性を有する１つ以上のＳＰ  ＣＳＩレポートを伝送し得る。１つ以上のＳＰ  ＣＳＩレポートは、ＤＬ  ＢＷＰ上の１つ以上のＲＳ（例えば、ＳＳＢ／ＣＳＩ−ＲＳ）に基づいて測定され得る。ＵＥは、ＤＬ  ＢＷＰを介してダウンリンク割り当てまたはアップリンク許可を受信した後、または受信することに応答して、ＢＷＰ非アクティビティタイマを始動（または再始動）させ得る。
【０２３９】
一実施例では、図４１に示すように、基地局が、ＵＥに、第１のＢＷＰ（例えば、図４１のＢＷＰ１）から第２のＢＷＰ（例えば、図４１のＢＷＰ２）へのアクティブなＢＷＰの切り替えを示す第１のＤＣＩを伝送し得る。第２のＢＷＰは、ＤＬ  ＢＷＰまたはＵＬ  ＢＷＰであり得る。一実施例では、第１のＤＣＩの後、または第１のＤＣＩに応答して、ＵＥは、（例えば、第１のＤＣＩがアクティブなＵＬ  ＢＷＰの切り替えを示すとき）第１のＢＷＰに関するＳＰ  ＣＳＩレポートの伝送を中断し得る。一実施例では、第１のＤＣＩの後、または第１のＤＣＩに応答して、ＵＥは、（例えば、第１のＤＣＩがアクティブなＵＬ  ＢＷＰの切り替えを示すとき）第１のＢＷＰに関するＳＰ  ＣＳＩレポートの伝送を停止し得る。一実施例では、第１のＤＣＩの後、または第１のＤＣＩに応答して、ＵＥは、（例えば、第１のＤＣＩがアクティブなＵＬ  ＢＷＰの切り替えを示すとき）第１のＢＷＰに関するＳＰ  ＣＳＩレポートに関連付けられたアクティブなＳＰ  ＣＳＩレポート構成を非アクティブ化し得る。一実施例では、アクティブなＳＰ  ＣＳＩレポート構成を非アクティブ化することは、ＳＰ  ＣＳＩレポート構成の１つ以上の構成パラメータ（例えば、ＲＲＣ層、ＭＡＣ層、および／または物理層）をクリアまたは解放することを含み得る。一実施例では、ＵＥは、ＢＷＰ非アクティビティタイマの満了後、または満了に応答して、第１のＢＷＰに関するＳＰ  ＣＳＩレポートの伝送を中断し得る。一実施例では、第１のＤＣＩの後、または第１のＤＣＩに応答して、ＵＥは、（例えば、第１のＤＣＩがアクティブなＤＬ  ＢＷＰの切り替えを示すとき）第１のＢＷＰに関するＳＰ  ＣＳＩレポートの伝送を中断し得る。一実施例では、ＵＥは、ＢＷＰ非アクティビティタイマの満了後、または満了に応答して、第１のＢＷＰに対するＳＰ  ＣＳＩレポートの伝送を中断し得る。
【０２４０】
一実施例では、ＵＥは、第２のＢＷＰから第１のＢＷＰへのアクティブなＢＷＰの切り替えを示す第２のＤＣＩを受信し得る。ＵＥは、第２のＤＣＩを受信した後、または受信することに応答して、ＳＰ  ＣＳＩレポートの伝送を自動的に再開しないことが可能である。一実施例では、ＵＥは、ＳＰ  ＣＳＩレポートのアクティブ化を示す第２のＤＣＩおよび第３のＤＣＩを受信した後、または受信することに応答して、ＳＰ  ＣＳＩレポートの伝送を再開し得る。一実施例では、第２のＤＣＩおよび第３のＤＣＩは、第２のＢＷＰから第１のＢＷＰへのアクティブなＢＷＰの切り替えを示す第１のフィールド（複数可）と、ＳＰ  ＣＳＩレポートの再アクティブ化を示す第２のフィールド（複数可）と、を含むＤＣＩフォーマットで伝送され得る。一実施例では、第２のＤＣＩおよび第３のＤＣＩは、２つのＤＣＩフォーマットで伝送され得、第１のＤＣＩフォーマットは、第２のＢＷＰから第１のＢＷＰへのアクティブなＢＷＰ切り替えを示すフィールドを含み、第２のＤＣＩフォーマットは、ＳＰ  ＣＳＩレポートの（再）アクティブ化を示すフィールドを含む。例示的な実施形態では、ＤＣＩに基づいてＳＰ  ＣＳＩレポートの伝送がトリガされると、ＵＥは、ＵＥがＢＷＰから切り替わるときに、ＳＰ  ＣＳＩレポートを中断し、および／またはＳＰ  ＣＳＩレポートを非アクティブ化し、ＵＥが再度ＢＷＰに切り替わってＵＥがＳＰ  ＣＳＩレポートの（再）アクティブ化を受信すると、ＳＰ  ＣＳＩレポートを再開し、および／またはＳＰ  ＣＳＩレポートを（再）アクティブ化し得る。一実施例では、ＤＣＩによるＳＰ  ＣＳＩレポートの（再）アクティブ化は、ＳＰ  ＣＳＩレポートのＭＡＣ  ＣＥベースのアクティブ化と比較して、ｇＮＢにとって便利かつ効率的である。例えば、ＰＵＳＣＨに関するＳＰ  ＣＳＩレポートの（再）アクティブ化のコマンドは、アクティブなＢＷＰの切り替えのためのＤＣＩで搬送され得る。例示的な実施形態では、ＢＷＰに再度切り替わるときのＤＣＩによるＳＰ  ＣＳＩレポートの明示的な（再）アクティブ化は、ｇＮＢがＳＰ  ＣＳＩレポートのＵＥの伝送を柔軟に制御することを可能にし得る。例示的な実施形態では、ｇＮＢは、例えば第１のＢＷＰ  ＢＷＰがＤＬ  ＢＷＰであるときに、ｇＮＢが第１のＢＷＰに対するＳＰ  ＣＳＩレポートを（再）アクティブ化することを決定すると、第１のＢＷＰ上の１つ以上のＲＳ（例えば、ＳＳＢ／ＣＳＩーＲＳ）を伝送し得る。例示的な実施形態では、再度ＢＷＰに切り替わるときに、ＤＣＩによるＳＰ  ＣＳＩレポートの明示的な（再）アクティブ化により、ｇＮＢがＲＳ（例えば、ＳＳＢ／ＣＳＩ−ＲＳ）伝送に対する時間を柔軟に制御することを可能にし、基地局の電力消費を低減し、および／または近隣の基地局／セルへの干渉を低減し得る。例示的な実施形態は、ＵＥの電力消費を低減し得る。例示的な実施形態は、ＤＣＩに基づいてＳＰ  ＣＳＩレポートがトリガされるとき、システムのスペクトル効率を改善し得る。
【０２４１】
一実施例では、無線デバイスは、第１のＢＷＰ（例えば、ＤＬまたはＵＬ）の１つ以上のＳＰ  ＣＳＩレポートのアクティブ化を示す１つ以上のパラメータを含む１つ以上のＭＡＣ  ＣＥを受信し得る。一実施例では、無線デバイスは、第１のＢＷＰがアクティブＢＷＰであるとき、第１のＢＷＰで基地局と通信し得る。無線デバイスは、１つ以上のＭＡＣ  ＣＥの後、または１つ以上のＭＡＣ  ＣＥに応答して、１つ以上のＳＰ  ＣＳＩレポートを伝送し得る。一実施例では、１つ以上のＣＳＩパラメータは、ＣＱＩ、ＰＭＩ、Ｌ１−ＲＳＲＰ、および／またはＣＲＩ、のうちの少なくとも１つを含み得る。無線デバイスは、（例えば、第１のＢＷＰがＵＬ  ＢＷＰであるとき）第１のＢＷＰに関する１つ以上のＳＰ  ＣＳＩレポートを伝送し得る。無線デバイスは、（例えば、第１のＢＷＰがＤＬ  ＢＷＰであるとき）第１のＢＷＰに対する１つ以上のＳＰ  ＣＳＩレポートを伝送し得る。
【０２４２】
一実施例では、無線デバイスは、第２のＢＷＰをアクティブなＢＷＰとして示す１つ以上のパラメータを含む第１のＤＣＩを受信し得る。一実施例では、第２のＢＷＰは第１のＢＷＰとは異なる。無線デバイスは、第１のＤＣＩを受信した後、または受信することに応答して、１つ以上のＳＰ  ＣＳＩレポートの伝送を中断し得る。無線デバイスは、ＢＷＰ非アクティビティタイマの満了に応答して、１つ以上のＳＰ  ＣＳＩレポートの伝送を中断し得る。
【０２４３】
一実施例では、無線デバイスは、第１のＢＷＰをアクティブなＢＷＰとして示す１つ以上のパラメータを含む第２のＤＣＩを受信し得る。無線デバイスは、第２のＤＣＩを受信することに応答して、１つ以上のＳＰ  ＣＳＩレポートの伝送を再開し得る。無線デバイスは、ＢＷＰ非アクティビティタイマの満了に応答して、１つ以上のＳＰ  ＣＳＩレポートの伝送を再開し得る。無線デバイスは、ＢＷＰ非アクティビティタイマの満了と、第１のＢＷＰがデフォルトのＢＷＰであることと、に応答して、１つ以上のＳＰ  ＣＳＩレポートの伝送を再開し得る。
【０２４４】
一実施例では、無線デバイスは、第１のＢＷＰ（例えば、ＤＬまたはＵＬ）の１つ以上のＳＰ  ＣＳＩレポートのアクティブ化を示す１つ以上のパラメータを含む第１のＤＣＩを受信し得る。無線デバイスは、第１のＤＣＩの後、または第１のＤＣＩに応答して、１つ以上のＣＳＩパラメータを含む１つ以上のＳＰ  ＣＳＩレポートを伝送し得る。一実施例では、１つ以上のＣＳＩパラメータは、ＣＱＩ、ＰＭＩ、Ｌ１−ＲＳＲＰ、および／またはＣＲＩ、のうちの少なくとも１つを含み得る。
【０２４５】
一実施例では、無線デバイスは、第２のＢＷＰをアクティブなＢＷＰとして示す１つ以上のパラメータを含む第２のＤＣＩを受信し得る。一実施例では、第２のＢＷＰは第１のＢＷＰとは異なる。無線デバイスは、第２のＤＣＩを受信した後、または受信することに応答して、１つ以上のＳＰ  ＣＳＩレポートの伝送を中断し得る。無線デバイスは、ＢＷＰ非アクティビティタイマの満了に応答して、１つ以上のＳＰ  ＣＳＩレポートの伝送を中断し得る。無線デバイスは、第２のＤＣＩを受信した後、または受信することに応答して、１つ以上のＳＰ  ＣＳＩレポートを非アクティブ化し得る。無線デバイスは、第２のＤＣＩを受信した後、または受信することに応答して、１つ以上のＳＰ  ＣＳＩレポートの伝送を停止し得る。一実施例では、１つ以上のＳＰ  ＣＳＩレポートを非アクティブ化することは、１つ以上のＳＰ  ＣＳＩレポートに関連付けられたＳＰ  ＣＳＩレポート構成の１つ以上の構成パラメータ（例えば、ＲＲＣ層、ＭＡＣ層、および／または物理層）をクリアまたは解放することを含み得る。ＳＰ  ＣＳＩレポート構成は、ＤＣＩ（例えば、第１のＤＣＩ）でアクティブ化され得る。
【０２４６】
一実施例では、無線デバイスは、第１のＢＷＰをアクティブなＢＷＰとして示す１つ以上のパラメータと、１つ以上のＳＰ  ＣＳＩレポートの（再）アクティブ化と、を含む第３のＤＣＩ（複数可）を受信し得る。無線デバイスは、第３のＤＣＩ（複数可）を受信することに応答して、１つ以上のＳＰ  ＣＳＩレポートを伝送し得る。無線デバイスは、第３のＤＣＩ（複数可）を受信することに応答して、１つ以上のＳＰ  ＣＳＩレポートの伝送を再開し得る。無線デバイスは、ＢＷＰ非アクティビティタイマの満了に応答して、１つ以上のＳＰ  ＣＳＩレポートの伝送を再開し得る。無線デバイスは、ＢＷＰ非アクティビティタイマの満了と第１のＢＷＰがデフォルトのＢＷＰ（例えば、ＤＬまたはＵＬ）であることとに応答して、１つ以上のＳＰ  ＣＳＩレポートの伝送を再開し得る。
【０２４７】
様々な実施形態によれば、例えば、無線デバイス、オフネットワーク無線デバイス、基地局、コアネットワーク、および／または同様のものなどのデバイスは、１つ以上のプロセッサと、メモリと、を備えることができる。メモリは、１つ以上のプロセッサによって実行されると、デバイスに一連のアクションを実行させる命令を記憶することができる。例示的なアクションの実施形態は、添付の図および明細書に示されている。様々な実施形態からの特徴を組み合わせてさらに別の実施形態を作り出すことができる。
【０２４８】
図４２は、本開示の実施形態の態様のフロー図である。４２１０では、無線デバイスは、第１の帯域幅部分に関する半永続的ＣＳＩレポートのための半永続的チャネル状態情報（ＣＳＩ）レポート構成のアクティブ化を示す媒体アクセス制御制御要素を受信し得る。４２２０では、半永続的ＣＳＩレポート構成がアクティブ化され得る。４２３０では、半永続的ＣＳＩレポートは、半永続的ＣＳＩレポート構成の１つ以上のパラメータに基づいて伝送され得る。４２４０では、第１のダウンリンク制御情報が受信され得る。第１のダウンリンク制御情報は、アクティブな帯域幅部分として第１の帯域幅部分から第２の帯域幅部分への切り替えを示し得る。４２５０では、半永続的ＣＳＩレポートの伝送は、第１のダウンリンク制御情報を受信した後、または受信することに応答して中断され得る。４２６０では、第２のダウンリンク制御情報が受信され得る。第２のダウンリンク制御情報は、アクティブな帯域幅部分として第１の帯域幅部分への切り替えを示し得る。４２７０では、第２のダウンリンク制御情報を受信した後、または受信することに応答して、半永続的ＣＳＩレポートが伝送され得る。
【０２４９】
例示的な実施形態によれば、無線デバイスは、物理アップリンク共有チャネルを介して、半永続的ＣＳＩレポート構成の１つ以上のパラメータの少なくとも１つによって示される少なくとも１つの基準信号リソースに対して測定された半永続的ＣＳＩレポートを伝送し得る。例示的な実施形態によれば、半永続的ＣＳＩレポートは、チャネル品質インジケータの値であり得る。例示的な実施形態によれば、半永続的ＣＳＩレポートは、プリコーディング行列インデックスの値であり得る。例示的な実施形態によれば、半永続的ＣＳＩレポートは、ランクインジケータの値であり得る。例示的な実施形態によれば、半永続的ＣＳＩレポートは、レイヤ１基準信号受信電力の値であり得る。例示的な実施形態によれば、ＢＷＰ非アクティビティタイマは、アクティブな帯域幅部分として第１の帯域幅部分から第２の帯域幅部分への切り替えを示す第１のダウンリンク制御情報を受信することに応答して、タイマ値を用いて始動され得る。例示的な実施形態によれば、第２のダウンリンク制御情報は、半永続的ＣＳＩレポート構成のアクティブ化または非アクティブ化を示すフィールドを含まないことが可能である。例示的な実施形態によれば、無線リソース制御メッセージが受信され得る。無線リソース制御メッセージは、セルの複数の帯域幅部分の構成パラメータを含み得る。構成パラメータは、第１の帯域幅部分および第２の帯域幅部分を含む複数の帯域幅部分を示し得る。構成パラメータは、帯域幅部分の非アクティブタイマのタイマ値を示し得る。構成パラメータは、半永続的ＣＳＩレポート構成を含む複数の半永続的ＣＳＩレポート構成を示し得る。例示的な実施形態によれば、セルは、プライマリセルまたはセカンダリセルを含み得る。例示的な実施形態によれば、第１の帯域幅部分の１つ以上の帯域幅部分パラメータは、周波数位置のパラメータを含み得る。第１の帯域幅部分の１つ以上の帯域幅部分パラメータは、第１の帯域幅の値を含み得る。第１の帯域幅部分の１つ以上の帯域幅部分パラメータは、サブキャリア間隔の値を含み得る。第１の帯域幅部分の１つ以上の帯域幅部分パラメータは、サイクリックプレフィックスの値を含み得る。第１の帯域幅部分の１つ以上の帯域幅部分パラメータは、セルの第２の帯域幅の値以下であり得る第１の帯域幅部分の第１の帯域幅の値を含み得る。
【０２５０】
例示的な実施形態によれば、第２の帯域幅部分の１つ以上の帯域幅部分パラメータは、周波数位置のパラメータを含み得る。第２の帯域幅部分の１つ以上の帯域幅部分パラメータは、第１の帯域幅の値を含み得る。第２の帯域幅部分の１つ以上の帯域幅部分パラメータは、サブキャリア間隔の値を含み得る。第２の帯域幅部分の１つ以上の帯域幅部分パラメータは、サイクリックプレフィックスの値を含み得る。例示的な実施形態によれば、第２の帯域幅部分の第１の帯域幅の値は、セルの第２の帯域幅の値以下であり得る。
【０２５１】
例示的な実施形態によれば、無線デバイスは、半永続的ＣＳＩレポート構成の１つ以上のパラメータの少なくとも１つによって示される物理アップリンク制御チャネルリソースを介して半永続的ＣＳＩレポートを伝送し得る。例示的な実施形態によれば、物理アップリンク制御チャネルは、半永続的ＣＳＩレポート構成に関連付けられ得る。
【０２５２】
例示的な実施形態によれば、ＢＷＰ非アクティビティタイマは、アクティブな帯域幅部分として第１の帯域幅部分から第２の帯域幅部分への切り替えを示す第１のダウンリンク制御情報を受信することに応答して、タイマ値を用いて始動され得る。例示的な実施形態によれば、第２の帯域幅部分に関する第３のダウンリンク制御情報を受信することができる。例示的な実施形態によれば、データパケットは、第３のダウンリンク制御情報に基づいて受信されてもよい。
【０２５３】
例示的な実施形態によれば、半永続的ＣＳＩレポート構成の１つ以上のパラメータは、周期的、半永続的、または非周期的レポート構成を示すＣＳＩレポート構成タイプインジケータを含み得る。半永続的ＣＳＩレポート構成の１つ以上のパラメータは、１つ以上の基準信号リソース構成パラメータを含み得る。半永続的ＣＳＩレポート構成の１つ以上のパラメータは、１つ以上のレポート量パラメータを含み得る。半永続的ＣＳＩレポート構成の１つ以上のパラメータは、１つ以上のレポート周波数領域構成パラメータを含み得る。半永続的ＣＳＩレポート構成の１つ以上のパラメータは、１つ以上の物理アップリンク制御チャネルリソースを含み得る。半永続的ＣＳＩレポート構成の１つ以上のパラメータは、１つ以上のレポート時間領域構成パラメータを含み得る。例示的な実施形態によれば、半永続的ＣＳＩレポートは、１つ以上の基準信号リソース構成パラメータによって示される１つ以上の基準信号時間リソースに基づいて取得され得る。例示的な実施形態によれば、半永続的ＣＳＩレポートは、１つ以上のレポート周波数領域構成パラメータによって示される１つ以上の基準信号周波数リソースに基づいて取得され得る。例示的な実施形態によれば、１つ以上のレポート量パラメータは、１つ以上のレポート量を示し得る。１つ以上のレポート量は、チャネル品質インジケータを含み得る。１つ以上のレポート量は、プリコーディング行列インデックスを含み得る。１つ以上のレポート量は、ランクインジケータを含み得る。１つ以上のレポート量は、レイヤ１基準信号受信電力を含み得る。例示的な実施形態によれば、無線デバイスは、半永続的ＣＳＩレポート構成の１つ以上のレポート量パラメータによって示される、１つ以上のレポート量を含む半永続的ＣＳＩレポートを伝送し得る。例示的な実施形態によれば、無線デバイスは、半永続的ＣＳＩレポート構成の１つ以上の物理アップリンク制御チャネルリソースの物理アップリンク制御チャネルリソースを介して半永続的ＣＳＩレポートを伝送し得る。
【０２５４】
図４３は、本開示の実施形態の態様のフロー図である。４３１０では、基地局が、媒体アクセス制御制御要素を伝送し得る。媒体アクセス制御制御要素は、無線デバイスに対する第１の帯域幅部分に関する半永続的ＣＳＩレポートに対する半永続的ＣＳＩレポート構成のアクティブ化を示し得る。４３２０では、媒体アクセス制御制御要素を受信した後、または受信することに応答して、無線デバイスからの半永続的ＣＳＩレポートが受信され得る。４３３０では、第１のダウンリンク制御情報が伝送され得る。第１のダウンリンク制御情報は、無線デバイスに対して第２の帯域幅部分のアクティブ状態への切り替えを示し得る。４３４０では、第１のダウンリンク制御情報を伝送した後、または伝送することに応答して、半永続的ＣＳＩレポートの受信が中断され得る。４３５０では、第２のダウンリンク制御情報が伝送され得る。第２のダウンリンク制御情報は、無線デバイスに対して第１の帯域幅部分をアクティブ状態に切り替えることを示し得る。４３６０では、第２のダウンリンク制御情報を伝送した後、または伝送することに応答して、半永続的ＣＳＩレポートが受信され得る。
【０２５５】
例示的な実施形態によれば、基地局は、無線デバイスから、物理アップリンク共有チャネルを介して、半永続的なＣＳＩレポート構成の１つ以上のパラメータのうちの少なくとも１つによって示される少なくとも１つの基準信号リソースに対して測定された半永続的なＣＳＩレポートを受信し得る。例示的な実施形態によれば、半永続的ＣＳＩレポートは、チャネル品質インジケータの値を含み得る。例示的な実施形態によれば、半永続的ＣＳＩレポートは、プリコーディング行列インデックスの値を含み得る。例示的な実施形態によれば、半永続的ＣＳＩレポートは、ランクインジケータの値を含み得る。例示的な実施形態によれば、半永続的ＣＳＩレポートは、レイヤ１基準信号受信電力の値を含み得る。例示的な実施形態によれば、アクティブな帯域幅部分として第１の帯域幅部分から第２の帯域幅部分への切り替えを示す第１のダウンリンク制御情報を伝送することに応答して、無線デバイスに対してＢＷＰ非アクティビティタイマがタイマ値を用いて始動され得る。例示的な実施形態によれば、第２のダウンリンク制御情報は、半永続的ＣＳＩレポート構成のアクティブ化または非アクティブ化を示すフィールドを含まないことが可能である。例示的な実施形態によれば、無線リソース制御メッセージが伝送され得る。無線リソース制御メッセージは、セルの複数の帯域幅部分の構成パラメータを含み得る。構成パラメータは、第１の帯域幅部分および第２の帯域幅部分を含む複数の帯域幅部分を示し得る。構成パラメータは、帯域幅部分の非アクティブタイマのタイマ値を示し得る。構成パラメータは、半永続的ＣＳＩレポート構成を含む複数の半永続的ＣＳＩレポート構成を示し得る。例示的な実施形態によれば、セルは、プライマリセルまたはセカンダリセルを含み得る。例示的な実施形態によれば、第１の帯域幅部分の１つ以上の帯域幅部分パラメータは、周波数位置のパラメータを含み得る。例示的な実施形態によれば、第１の帯域幅部分の１つ以上の帯域幅部分パラメータは、第１の帯域幅の値を含み得る。例示的な実施形態によれば、第１の帯域幅部分の１つ以上の帯域幅部分パラメータは、サブキャリア間隔の値を含み得る。例示的な実施形態によれば、第１の帯域幅部分の１つ以上の帯域幅部分パラメータは、サイクリックプレフィックスの値を含み得る。例示的な実施形態によれば、第１の帯域幅部分の第１の帯域幅の値は、セルの第２の帯域幅の値以下であり得る。例示的な実施形態によれば、第２の帯域幅部分の１つ以上の帯域幅部分パラメータは、周波数位置のパラメータを含み得る。例示的な実施形態によれば、第２の帯域幅部分の１つ以上の帯域幅部分パラメータは、第２の帯域幅の値を含み得る。例示的な実施形態によれば、第２の帯域幅部分の１つ以上の帯域幅部分パラメータは、サブキャリア間隔の値を含み得る。例示的な実施形態によれば、第２の帯域幅部分の１つ以上の帯域幅部分パラメータは、サイクリックプレフィックスの値を含み得る。例示的な実施形態によれば、第２の帯域幅部分の第２の帯域幅の値は、セルの第２の帯域幅の値以下であり得る。例示的な実施形態によれば、基地局は、半永続的ＣＳＩレポート構成の１つ以上のパラメータのうちの少なくとも１つによって示される物理アップリンク制御チャネルリソースを介して半永続的ＣＳＩレポートを受信し得る。例示的な実施形態によれば、物理アップリンク制御チャネルリソースは、半永続的ＣＳＩレポート構成に関連付けられ得る。
【０２５６】
例示的な実施形態によれば、アクティブな帯域幅部分として第１の帯域幅部分から第２の帯域幅部分への切り替えを示す第１のダウンリンク制御情報を伝送することに応答して、ＢＷＰ非アクティビティタイマがタイマ値を用いて始動され得る。例示的な実施形態によれば、第３のダウンリンク制御情報は、第２の帯域幅部分で伝送され得る。例示的な実施形態によれば、データパケットは、第３のダウンリンク制御情報に基づいて伝送され得る。例示的な実施形態によれば、半永続的ＣＳＩレポート構成の１つ以上のパラメータは、周期的、半永続的、または非周期的レポート構成を示すＣＳＩレポート構成タイプインジケータを含み得る。例示的な実施形態によれば、半永続的ＣＳＩレポート構成の１つ以上のパラメータは、１つ以上の基準信号リソース構成パラメータを含み得る。例示的な実施形態によれば、半永続的ＣＳＩレポート構成の１つ以上のパラメータは、１つ以上のレポート量パラメータを含み得る。例示的な実施形態によれば、半永続的ＣＳＩレポート構成の１つ以上のパラメータは、１つ以上のレポート周波数領域構成パラメータを含み得る。例示的な実施形態によれば、半永続的ＣＳＩレポート構成の１つ以上のパラメータは、１つ以上の物理アップリンク制御チャネルリソースを含み得る。例示的な実施形態によれば、半永続的ＣＳＩレポート構成の１つ以上のパラメータは、１つ以上のレポート時間領域構成パラメータを含み得る。例示的な実施形態によれば、半永続的ＣＳＩレポートは、１つ以上の基準信号リソース構成パラメータによって示される１つ以上の基準信号時間リソースに基づいて取得され得る。例示的な実施形態によれば、半永続的ＣＳＩレポートは、１つ以上のレポート周波数領域構成パラメータによって示される１つ以上の基準信号周波数リソースに基づいて取得され得る。例示的な実施形態によれば、１つ以上のレポート量パラメータは、１つ以上のレポート量を示し得る。１つ以上のレポート量は、チャネル品質インジケータを含み得る。１つ以上のレポート量は、プリコーディング行列インデックスを含み得る。１つ以上のレポート量は、ランクインジケータを含み得る。１つ以上のレポート量は、レイヤ１基準信号受信電力を含み得る。例示的な実施形態によれば、基地局は、半永続的ＣＳＩレポート構成の１つ以上のレポート量パラメータによって示される、１つ以上のレポート量を含む半永続的ＣＳＩレポートを受信し得る。例示的な実施形態によれば、基地局は、半永続的ＣＳＩレポート構成の１つ以上の物理アップリンク制御チャネルリソースの物理アップリンク制御チャネルリソースを介して半永続的ＣＳＩレポートを受信し得る。
【０２５７】
図４４は、本開示の実施形態の態様のフロー図である。４４１０では、媒体アクセス制御制御要素が受信され得る。媒体アクセス制御制御要素は、第１の帯域幅部分に関する半永続的ＣＳＩレポートに対する半永続的チャネル状態情報（ＣＳＩ）レポート構成のアクティブ化を示し得る。４４２０では、媒体アクセス制御制御要素を受信した後、または受信することに応答して、半永続的ＣＳＩレポート構成の１つ以上のパラメータに基づいて半永続的ＣＳＩレポートが伝送され得る。４４３０では、第１のダウンリンク制御情報が受信され得る。第１のダウンリンク制御情報は、アクティブな帯域幅部分として第１の帯域幅部分から第２の帯域幅部分への切り替えを示し得る。４４４０では、第１のダウンリンク制御情報を受信した後、または受信することに応答して、半永続的ＣＳＩレポートの伝送が中断され得る。
【０２５８】
図４５は、本開示の実施形態の態様のフロー図である。４５１０では、第１の帯域幅部分に関する半永続的ＣＳＩレポート構成に対する半永続的ＣＳＩレポートが伝送され得る。４５２０では、第１のダウンリンク制御情報が受信され得る。第１のダウンリンク制御情報は、アクティブな帯域幅部分として第１の帯域幅部分から第２の帯域幅部分への切り替えを示し得る。４５３０では、半永続的ＣＳＩレポートの伝送は、第１のダウンリンク制御情報を受信した後、または受信することに応答して中断され得る。４５４０では、第２のダウンリンク制御情報が受信され得る。第２のダウンリンク制御情報は、アクティブな帯域幅部分として第１の帯域幅部分への切り替えを示し得る。４５５０では、第２のダウンリンク制御情報を受信した後、または受信することに応答して、半永続的ＣＳＩレポートが伝送され得る。例示的な実施形態によれば、媒体アクセス制御制御要素が受信され得る。媒体アクセス制御制御要素は、半永続的ＣＳＩレポート構成のアクティブ化を示し得る。例示的な実施形態によれば、半永続的ＣＳＩレポート構成は、媒体アクセス制御制御要素を受信した後、または受信することに応答してアクティブ化され得る。
【０２５９】
図４６は、本開示の実施形態の態様のフロー図である。４６１０では、第１のダウンリンク制御情報が受信され得る。第１のダウンリンク制御情報は、アクティブな帯域幅部分として第１の帯域幅部分から第２の帯域幅部分への切り替えを示し得る。４６２０では、第１のダウンリンク制御情報を受信した後、または受信することに応答して、第１の帯域幅部分に関する半永続的ＣＳＩレポートの伝送が中断され得る。４６３０では、第２のダウンリンク制御情報が受信され得る。第２のダウンリンク制御情報は、アクティブな帯域幅部分として第１の帯域幅部分への切り替えを示し得る。４６４０では、第２のダウンリンク制御情報を受信した後、または受信することに応答して、第１の帯域幅部分に関する半永続的ＣＳＩレポートが伝送され得る。
【０２６０】
例示的な実施形態によれば、媒体アクセス制御制御要素を受信することができる。媒体アクセス制御制御要素は、半永続的ＣＳＩレポート構成のアクティブ化を示し得る。例示的な実施形態によれば、半永続的ＣＳＩレポート構成は、媒体アクセス制御制御要素を受信した後、または受信することに応答してアクティブ化され得る。例示的な実施形態によれば、半永続的ＣＳＩレポートは、半永続的ＣＳＩレポート構成に基づいて伝送され得る。
【０２６１】
図４７は、本開示の実施形態の態様のフロー図である。４７１０では、１つ以上のメッセージが受信され得る。１つ以上のメッセージは、セルの構成パラメータを含むことができる。構成パラメータは、第１のＢＷＰに関する１つ以上の半永続的ＣＳＩレポート構成を示し得る。４７２０では、媒体アクセス制御制御要素が受信され得る。媒体アクセス制御制御要素は、１つ以上の半永続的ＣＳＩレポート構成のうちの１つのアクティブ化を示し得る。４７３０では、１つ以上の半永続的ＣＳＩレポート構成のうちの１つは、媒体アクセス制御制御要素を受信した後、または受信することに応答してアクティブ化され得る。４７４０では、半永続的ＣＳＩレポートは、１つ以上の半永続的ＣＳＩレポート構成のうちの１つに基づいて、第１のＢＷＰで伝送され得る。４７５０では、ダウンリンク制御情報が受信され得る。ダウンリンク制御情報は、アクティブＢＷＰとして第１のＢＷＰから第２のＢＷＰへの切り替えを示し得る。４７６０では、半永続的ＣＳＩレポートの伝送は、ダウンリンク制御情報を受信した後、または受信することに応答して中断され得る。
【０２６２】
例示的な実施形態によれば、第２のダウンリンク制御情報が受信され得る。第２のダウンリンク制御情報は、アクティブなＢＷＰとして第１のＢＷＰへの切り替えを示し得る。一実施形態によれば、第１のＢＷＰに関する半永続的ＣＳＩレポートの伝送は、第２のダウンリンク制御情報を受信した後、または受信することに応答して再開され得る。
【０２６３】
図４８は、本開示の実施形態の態様のフロー図である。４８１０では、無線デバイスは、第１のダウンリンク制御情報を受信することができる。第１のダウンリンク制御情報は、第１の帯域幅部分の半永続的ＣＳＩレポート構成のアクティブ化を示し得る。４８２０では、半永続的ＣＳＩレポート構成は、第１のダウンリンク制御情報を受信した後、または受信することに応答してアクティブ化され得る。４８３０では、ＣＳＩレポートは、半永続的ＣＳＩレポート構成に基づいて、第１の帯域幅部分で伝送され得る。４８４０では、第２のダウンリンク制御情報が受信され得る。第２のダウンリンク制御情報は、アクティブな帯域幅部分として第１の帯域幅部分から第２の帯域幅部分への切り替えを示し得る。４８５０では、ＣＳＩレポートの伝送は、第１のダウンリンク制御情報を受信した後、または受信することに応答して中断され得る。４８６０では、少なくとも第３のダウンリンク制御情報が受信され得る。少なくとも第３のダウンリンク制御情報は、アクティブな帯域幅部分として第２の帯域幅部分から第１の帯域幅部分への切り替えを示し得る。少なくとも第３のダウンリンク制御情報は、半永続的ＣＳＩレポート構成のアクティブ化を示し得る。４８７０では、第１の帯域幅部分に関するＣＳＩレポートは、少なくとも第３のダウンリンク制御情報を受信した後、または受信することに応答して伝送され得る。
【０２６４】
図４９は、本開示の実施形態の態様のフロー図である。４９１０では、無線デバイスは、第１のダウンリンク制御情報を受信し得る。第１のダウンリンク制御情報は、第１の帯域幅部分に対する半永続的ＣＳＩレポート構成のアクティブ化を示し得る。４９２０では、半永続的ＣＳＩレポート構成は、第１のダウンリンク制御情報を受信した後、または受信することに応答してアクティブ化され得る。４９３０では、第１の帯域幅部分に対するＣＳＩレポートは、半永続的ＣＳＩレポート構成に基づいて伝送され得る。４９４０では、第２のダウンリンク制御情報が受信され得る。第２のダウンリンク制御情報は、アクティブな帯域幅部分として第１の帯域幅部分から第２の帯域幅部分への切り替えを示し得る。４９５０では、第１のダウンリンク制御情報を受信した後、または受信することに応答して、第１の帯域幅部分に対するＣＳＩレポートの伝送が中断され得る。４９６０では、少なくとも第３のダウンリンク制御情報が受信され得る。少なくとも第３のダウンリンク制御情報は、アクティブな帯域幅部分として第２の帯域幅部分から第１の帯域幅部分への切り替えを示し得る。少なくとも第３のダウンリンク制御情報は、半永続的ＣＳＩレポート構成のアクティブ化を示し得る。４９７０では、第１の帯域幅部分に対するＣＳＩレポートは、少なくとも第３のダウンリンク制御情報を受信した後、または受信したことに応じて伝送され得る。
【０２６５】
図５０は、本開示の実施形態の態様のフロー図である。５０１０では、第１のダウンリンク制御情報が受信され得る。第１のダウンリンク制御情報は、第１の帯域幅部分に関する半永続的ＣＳＩレポート構成のアクティブ化を示し得る。５０２０では、第１のダウンリンク制御情報を受信した後、または受信することに応答して、第１の帯域幅部分を介して、半永続的ＣＳＩレポート構成に基づいて半永続的ＣＳＩレポートが伝送され得る。５０３０では、第２のダウンリンク制御情報が受信され得る。第２のダウンリンク制御情報は、アクティブな帯域幅部分として第１の帯域幅部分から第２の帯域幅部分への切り替えを示し得る。５０４０では、第２のダウンリンク制御情報を受信した後、または受信することに応答して、第１の帯域幅部分を介した半永続的ＣＳＩレポートの伝送が中断され得る。
【０２６６】
一実施形態によれば、第３のダウンリンク制御情報が受信され得る。第３のダウンリンク制御情報は、アクティブな帯域幅部分として第１の帯域幅部分への切り替えを示し得る。一実施形態によれば、半永続的ＣＳＩレポート構成の再アクティブ化を示す第４のダウンリンク制御情報が受信され得る。一実施形態によれば、第１の帯域幅部分を介した半永続的ＣＳＩレポートの伝送は、第３のダウンリンク制御情報および第４のダウンリンク制御情報に応答して再開され得る。一実施形態によれば、少なくとも第３のダウンリンク制御情報が受信され得る。少なくとも第３のダウンリンク制御情報は、アクティブな帯域幅部分として第１の帯域幅部分への切り替えを示し得る。少なくとも第３のダウンリンク制御情報は、半永続的ＣＳＩレポート構成のアクティブ化を示し得る。一実施形態によれば、第１の帯域幅部分を介した半永続的ＣＳＩレポートの伝送は、少なくとも第３のダウンリンク制御情報の後、または少なくとも第３のダウンリンク制御情報に応答して再開され得る。
【０２６７】
図５１は、本開示の実施形態の態様のフロー図である。５１１０では、１つ以上のメッセージが受信され得る。１つ以上のメッセージは、セルの構成パラメータを含むことができる。セルは、第１のダウンリンク帯域幅部分（ＢＷＰ）を含み得る。セルは、第２のダウンリンクＢＷＰを含み得る。セルは、少なくとも１つのアップリンクＢＷＰを含み得る。構成パラメータは、第１のダウンリンクＢＷＰの第１のチャネル状態情報レポートに対する少なくとも１つのアップリンクＢＷＰ上の第１のアップリンク制御チャネルリソースの第１のパラメータを含み得る。構成パラメータは、第２のダウンリンクＢＷＰの第２のチャネル状態情報レポートに対する少なくとも１つのアップリンクＢＷＰ上の第２のアップリンク制御チャネルリソースの第２のパラメータを含み得る。５１２０では、第１のダウンリンクＢＷＰの第１のチャネル状態情報レポートは、少なくとも１つのアップリンクＢＷＰのアップリンクＢＷＰ上の第１のアップリンク制御チャネルリソースを介して伝送され得る。５１３０では、アクティブなＢＷＰは、第１のダウンリンクＢＷＰから第２のダウンリンクＢＷＰへ切り替わり得る。５１４０では、切り替え後、第２のダウンリンクＢＷＰの第２のチャネル状態情報レポートは、少なくとも１つのアップリンクＢＷＰのアップリンクＢＷＰ上の第２のアップリンク制御チャネルリソースを介して伝送され得る。
【０２６８】
例示的な実施形態によれば、構成パラメータは、第１のダウンリンクＢＷＰの１つ以上のＢＷＰパラメータを含み得る。１つ以上のＢＷＰパラメータは、周波数位置のパラメータを含み得る。１つ以上のＢＷＰパラメータは、帯域幅の値を含み得る。１つ以上のＢＷＰパラメータは、サブキャリア間隔の値を含み得る。１つ以上のＢＷＰパラメータは、サイクリックプレフィックスの値を含み得る。
【０２６９】
例示的な実施形態によれば、構成パラメータは、第２のダウンリンクＢＷＰの１つ以上のＢＷＰパラメータを含み得る。１つ以上のＢＷＰパラメータは、周波数位置のパラメータを含み得る。１つ以上のＢＷＰパラメータは、帯域幅の値を含み得る。１つ以上のＢＷＰパラメータは、サブキャリア間隔の値を含み得る。１つ以上のＢＷＰパラメータは、サイクリックプレフィックスの値を含み得る。
【０２７０】
例示的な実施形態によれば、第１のダウンリンクＢＷＰは、アクティブＢＷＰとしてアクティブ化され得る。例示的な実施形態によれば、第１のチャネル状態情報レポートは、第１のダウンリンクＢＷＰを示すＢＷＰ識別子を含み得る。例示的な実施形態によれば、第２のチャネル状態情報レポートは、第２のダウンリンクＢＷＰを示すＢＷＰ識別子を含み得る。
【０２７１】
例示的な実施形態によれば、第１のチャネル状態情報レポートまたは第２のチャネル状態情報レポートのうちの少なくとも１つは、チャネル品質インジケータの値を含み得る。例示的な実施形態によれば、第１のチャネル状態情報レポートまたは第２のチャネル状態情報レポートのうちの少なくとも１つは、プリコーディング行列インデックスの値を含み得る。例示的な実施形態によれば、第１のチャネル状態情報レポートまたは第２のチャネル状態情報レポートのうちの少なくとも１つは、ランクインジケータの値を含み得る。例示的な実施形態によれば、第１のチャネル状態情報レポートまたは第２のチャネル状態情報レポートのうちの少なくとも１つは、レイヤ１基準信号受信電力の値を含み得る。
【０２７２】
例示的な実施形態によれば、アクティブなＢＷＰとして第２のダウンリンクＢＷＰへの切り替えを示すダウンリンク制御情報を受信することに応答して、第２のダウンリンクＢＷＰのダウンリンク制御チャネルが監視され得る。例示的な実施形態によれば、第１のチャネル状態情報レポートは、第１のダウンリンクＢＷＰの１つ以上の基準信号時間リソース構成に基づき得る。例示的な実施形態によれば、第１のチャネル状態情報レポートは、第１のダウンリンクＢＷＰの１つ以上の基準信号周波数リソース構成に基づき得る。例示的な実施形態によれば、第２のチャネル状態情報レポートは、第２のダウンリンクＢＷＰの１つ以上の基準信号時間リソース構成に基づき得る。例示的な実施形態によれば、第２のチャネル状態情報レポートは、第２のダウンリンクＢＷＰの１つ以上の基準信号周波数リソース構成に基づき得る。例示的な実施形態によれば、切り替えは、アクティブなＢＷＰとして第１のダウンリンクＢＷＰから第２のダウンリンクＢＷＰへの切り替えを示すダウンリンク制御情報を受信することに応答し得る。
【０２７３】
例示的な実施形態によれば、第１のチャネル状態情報レポート構成のアクティブ化を示すコマンドが受信され得る。例示的な実施形態によれば、第１のチャネル状態情報レポートに対する第１のチャネル状態情報レポート構成は、コマンドに応答してアクティブ化され得る。例示的な実施形態によれば、コマンドは、少なくとも媒体アクセス制御制御要素を含み得る。例示的な実施形態によれば、コマンドは、少なくともダウンリンク制御情報を含み得る。例示的な実施形態によれば、切り替えは、セルのＢＷＰ非アクティビティタイマの満了に応答し得る。例示的な実施形態によれば、第２のダウンリンクＢＷＰは、デフォルトのＢＷＰであり得る。例示的な実施形態によれば、ＢＷＰ非アクティブティタイマは、ＲＲＣメッセージで構成され得る。
【０２７４】
例示的な実施形態によれば、第２のチャネル状態情報レポート構成のアクティブ化を示すコマンドが受信され得る。例示的な実施形態によれば、第２のチャネル状態情報レポートに対する第２のチャネル状態情報レポート構成は、コマンドを受信することに応答してアクティブ化され得る。例示的な実施形態によれば、コマンドは、少なくとも媒体アクセス制御制御要素を含み得る。例示的な実施形態によれば、コマンドは、少なくともダウンリンク制御情報を含み得る。
【０２７５】
図５２は、本開示の実施形態の態様のフロー図である。５２１０では、基地局から無線デバイスに１つ以上のメッセージが伝送され得る。１つ以上のメッセージは、セルの構成パラメータを含むことができる。セルは、第１のダウンリンク帯域幅部分（ＢＷＰ）を含み得る。セルは、第２のダウンリンクＢＷＰを含み得る。セルは、少なくとも１つのアップリンクＢＷＰを含み得る。構成パラメータは、第１のダウンリンクＢＷＰの第１のチャネル状態情報レポートに対する少なくとも１つのアップリンクＢＷＰ上の第１のアップリンク制御チャネルリソースの第１のパラメータを含み得る。構成パラメータは、第２のダウンリンクＢＷＰの第２のチャネル状態情報レポートに対する少なくとも１つのアップリンクＢＷＰ上の第２のアップリンク制御チャネルリソースの第２のパラメータを含み得る。５２２０では、第１のダウンリンクＢＷＰの第１のチャネル状態情報レポートは、無線デバイスから、少なくとも１つのアップリンクＢＷＰのアップリンクＢＷＰ上の第１のアップリンク制御チャネルリソースを介して受信され得る。５２３０では、第２のダウンリンクＢＷＰは、無線デバイスに対するアクティブ状態に切り替わり得る。５２４０では、切り替え後、第２のダウンリンクＢＷＰの第２のチャネル状態情報レポートは、無線デバイスから、少なくとも１つのアップリンクＢＷＰのアップリンクＢＷＰ上の第２のアップリンク制御チャネルリソースを介して受信され得る。
【０２７６】
例示的な実施形態によれば、構成パラメータは、第１のダウンリンクＢＷＰの１つ以上のＢＷＰパラメータを含み得る。１つ以上のＢＷＰパラメータは、周波数位置のパラメータを含み得る。１つ以上のＢＷＰパラメータは、帯域幅の値を含み得る。１つ以上のＢＷＰパラメータは、サブキャリア間隔の値を含み得る。１つ以上のＢＷＰパラメータは、サイクリックプレフィックスの値を含み得る。
【０２７７】
例示的な実施形態によれば、構成パラメータは、第２のダウンリンクＢＷＰの１つ以上のＢＷＰパラメータを含み得る。１つ以上のＢＷＰパラメータは、周波数位置のパラメータを含み得る。１つ以上のＢＷＰパラメータは、帯域幅の値を含み得る。１つ以上のＢＷＰパラメータは、サブキャリア間隔の値を含み得る。１つ以上のＢＷＰパラメータは、サイクリックプレフィックスの値を含み得る。
【０２７８】
例示的な実施形態によれば、第１のダウンリンクＢＷＰは、無線デバイスのアクティブＢＷＰとしてアクティブ化され得る。例示的な実施形態によれば、第１のチャネル状態情報レポートは、第１のダウンリンクＢＷＰを示すＢＷＰ識別子を含み得る。例示的な実施形態によれば、第２のチャネル状態情報レポートは、第２のダウンリンクＢＷＰを示すＢＷＰ識別子を含み得る。例示的な実施形態によれば、第１のチャネル状態情報レポートまたは第２のチャネル状態情報レポートのうちの少なくとも１つは、チャネル品質インジケータの値を含み得る。例示的な実施形態によれば、第１のチャネル状態情報レポートまたは第２のチャネル状態情報レポートのうちの少なくとも１つは、プリコーディング行列インデックスの値を含み得る。例示的な実施形態によれば、第１のチャネル状態情報レポートまたは第２のチャネル状態情報レポートのうちの少なくとも１つは、ランクインジケータの値を含み得る。例示的な実施形態によれば、第１のチャネル状態情報レポートまたは第２のチャネル状態情報レポートのうちの少なくとも１つは、レイヤ１基準信号受信電力の値を含み得る。
【０２７９】
例示的な実施形態によれば、アクティブなＢＷＰとして第２のダウンリンクＢＷＰへの切り替えを示すダウンリンク制御情報を伝送することに応答して、第２のダウンリンクＢＷＰのダウンリンク制御チャネルが伝送され得る。
【０２８０】
例示的な実施形態によれば、第１のチャネル状態情報レポートは、第１のダウンリンクＢＷＰの１つ以上の基準信号時間リソース構成に基づき得る。例示的な実施形態によれば、第１のチャネル状態情報レポートは、第１のダウンリンクＢＷＰの１つ以上の基準信号周波数リソース構成に基づき得る。例示的な実施形態によれば、第２のチャネル状態情報レポートは、第２のダウンリンクＢＷＰの１つ以上の基準信号時間リソース構成に基づき得る。例示的な実施形態によれば、第２のチャネル状態情報レポートは、第２のダウンリンクＢＷＰの１つ以上の基準信号周波数リソース構成に基づき得る。
【０２８１】
例示的な実施形態によれば、切り替えは、アクティブＢＷＰとして第１のダウンリンクＢＷＰから第２のダウンリンクＢＷＰへの切り替えを示すダウンリンク制御情報を伝送することに応答し得る。
【０２８２】
例示的な実施形態によれば、第１のチャネル状態情報レポートに対する第１のチャネル状態情報レポート構成のアクティブ化を示すコマンドが伝送され得る。例示的な実施形態によれば、第１のチャネル状態情報レポートに対する第１のチャネル状態情報レポート構成は、コマンドに応答してアクティブ化され得る。例示的な実施形態によれば、コマンドは、少なくとも媒体アクセス制御制御要素を含み得る。例示的な実施形態によれば、コマンドは、少なくともダウンリンク制御情報を含み得る。例示的な実施形態によれば、切り替えは、セルのＢＷＰ非アクティビティタイマの満了に応答し得る。例示的な実施形態によれば、第２のダウンリンクＢＷＰは、デフォルトのＢＷＰであり得る。例示的な実施形態によれば、ＢＷＰ非アクティブティタイマは、ＲＲＣメッセージで構成され得る。
【０２８３】
例示的な実施形態によれば、無線デバイスに対する第２のチャネル状態情報レポート構成に対する第２のチャネル状態情報レポート構成のアクティブ化を示すコマンドが伝送され得る。例示的な実施形態によれば、第２のチャネル状態情報レポートに対する第２のチャネル状態情報レポート構成は、コマンドを伝送することに応答してアクティブ化され得る。例示的な実施形態によれば、コマンドは、少なくとも媒体アクセス制御制御要素を含み得る。例示的な実施形態によれば、コマンドは、少なくともダウンリンク制御情報を含み得る。
【０２８４】
図５３は、本開示の実施形態の態様のフロー図である。５３１０では、無線デバイスは、セルの第１のダウンリンクＢＷＰの第１の半永続的ＣＳＩ構成をアクティブ化し得る。無線デバイスは、セルの第２のダウンリンクＢＷＰの第２の半永続的ＣＳＩ構成をアクティブ化し得る。５３２０では、第１のダウンリンクＢＷＰの第１の半永続的ＣＳＩ構成に対する第１の半永続的ＣＳＩレポートは、アップリンクＢＷＰ上の第１のアップリンク制御チャネルリソースを介して伝送され得る。５３３０では、アクティブなＢＷＰは、第１のダウンリンクＢＷＰから第２のダウンリンクＢＷＰへ切り替わり得る。５３４０では、切り替え後、アップリンクＢＷＰ上の第２のアップリンク制御チャネルリソースを介して、第２のダウンリンクＢＷＰの第２の半永続的ＣＳＩ構成に対する第２の半永続的ＣＳＩレポートが伝送され得る。
【０２８５】
図５４は、本開示の実施形態の態様のフロー図である。５４１０では、無線デバイスは、アップリンクＢＷＰ上の第１のアップリンク制御チャネルリソースを介して、セルの第１のダウンリンクＢＷＰに関する第１の半永続的ＣＳＩレポートを伝送し得る。５４２０では、セルのアクティブなＢＷＰは、第１のダウンリンクＢＷＰから第２のダウンリンクＢＷＰに切り替わり得る。５４３０では、切り替え後、アップリンクＢＷＰ上の第２のアップリンク制御チャネルリソースを介して、第２のダウンリンクＢＷＰに対する第２の半永続的ＣＳＩレポートが伝送され得る。
【０２８６】
本開示において、「ａ」および「ａｎ」ならびに同様の成句は、「少なくとも１つ」または「１つ以上」と解釈されるべきである。同様に、接尾語「（ｓ）」で終わる任意の用語も、「少なくとも１つ」および「１つ以上」と解釈されるべきである。本開示において、用語「ｍａｙ」は、「場合があり、例えば」と解釈されるべきである。換言すれば、用語「ｍａｙ」は、用語「ｍａｙ」の後に続く成句が、様々な実施形態のうちの１つ以上に用いられ得る、または用いられ得ない多数の好適な可能性のうちの１つの例であることを暗示している。ＡおよびＢが集合であり、Ａの各要素もまた、Ｂの要素である場合、Ａは、Ｂの部分集合と呼ばれる。本明細書では、空でない集合および部分集合のみが考慮されている。例えば、Ｂ＝｛セル１、セル２｝の可能な部分集合は、｛セル１｝、｛セル２｝、および｛セル１、セル２｝である。成句「に基づいて」は、用語「に基づいて」の後に続く成句が、様々な実施形態のうちの１つ以上に使用され得る、または、され得ないという多数の好適な可能性のうちの１つの例であることを暗示している。成句「に応じて」は、成句「に応じて」の後に続く成句が、様々な実施形態のうちの１つ以上に使用され得る、または、され得ないという多数の好適な可能性のうちの１つの例であることを暗示している。「含む（ｉｎｃｌｕｄｉｎｇ）」および「含む（ｃｏｍｐｒｉｓｉｎｇ）」という用語は、「含むが、それに限定されない」という意味として解釈されるべきである。
【０２８７】
本開示および特許請求の範囲において、「第１」、「第２」、「第３」などの区別用語は、要素の順序または要素の機能性を意味することなく別個の要素を識別する。区別する用語は、実施形態を記載するときに、他の区別する用語で置き換えられる場合がある。
【０２８８】
本開示では、様々な実施形態が開示されている。開示された例示的な実施形態からの制限、特徴、および／または要素が組み合わせられ、本開示の範囲内でさらなる実施形態を作成することができる。
【０２８９】
本開示では、パラメータ（情報要素：ＩＥ）は、１つ以上のオブジェクトを含んでもよく、それらのオブジェクトの各々は、１つ以上の他のオブジェクトを含んでもよい。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的実施形態においては、１つ以上のメッセージが複数のパラメータを含むとき、それは、複数のパラメータのうちのパラメータが１つ以上のメッセージのうちの少なくとも１つに含まれるが、１つ以上のメッセージの各々に含まれる必要はないことを意味する。
【０２９０】
さらにまた、上記で提示された多くの特徴は、「ｍａｙ」の使用または括弧の使用により任意選択であるものとして説明されている。簡潔さおよび読みやすさのために、本開示は、任意選択の特徴のセットから選択することによって得られ得るありとあらゆる変更を明示的に記載していない。しかしながら、本開示は、そのような全ての変更を明示的に開示していると解釈されるべきである。例えば、３つの任意選択の特徴を有するものとして説明されたシステムは、７つの異なる方法、すなわち、３つの可能な特徴の１つのみ、３つの特徴のいずれか２つ、または３つの特徴の３つ全てによって具現化されることができる。
【０２９１】
開示される実施形態で説明される要素の多くは、モジュールとして実装されてもよい。モジュールは、本明細書では、定義された機能を実行し、他の要素への定義されたインターフェースを有する分離可能な要素として定義されている。本開示に記載されるモジュールは、ハードウェア、ハードウェアと組み合わせたソフトウェア、ファームウェア、ウェットウェア（すなわち、生物学的要素を有するハードウェア）、またはそれらの組み合わせにおいて実装され得、それらは全て挙動的に等価である。例えば、モジュールは、ハードウェアマシンによって実行されるように構成されたコンピュータ言語（Ｃ、Ｃ＋＋、Ｆｏｒｔｒａｎ、Ｊａｖａ、Ｂａｓｉｃ、Ｍａｔｌａｂ、もしくは同等物など）で書かれたソフトウェアルーチン、またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔなどのモデリング／シミュレーションプログラムとして実装され得る。さらに、ディスクリートまたはプログラム可能なアナログ、デジタル、および／または量子ハードウェアを組み込む物理ハードウェアを使用してモジュールを実装することも可能であり得る。プログラム可能なハードウェアの例には、コンピュータ、マイクロコントローラ、マイクロプロセッサ、特定用途向け集積回路（ＡＳＩＣ）、フィールドプログラマブルゲートアレイ（ＦＰＧＡ）、コンプレックスプログラマブルロジックデバイス（ＣＰＬＤ）が含まれる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、およびＣＰＬＤは、プログラマブルデバイスの機能がより少ない内部ハードウェアモジュール間の接続を構成する、ＶＨＳＩＣハードウェア記述言語（ＶＨＤＬ）またはＶｅｒｉｌｏｇなどのハードウェア記述言語（ＨＤＬ）を使用してプログラムされることが多い。最後に、上記の技術はしばしば機能モジュールの結果を達成するために組み合わせて使用されることを強調しておく必要がある。
【０２９２】
この特許文書の開示には、著作権保護の対象となる資料が組み込まれている。著作権所有者は、特許商標局の特許ファイルまたは記録にあるように、法律で要求される限られた目的のために、特許文書または特許開示のいずれかによるファクシミリ複製に異議を唱えないが、それ以外は全ての著作権を留保する。
【０２９３】
様々な実施形態が上記で説明されてきたが、それらは例として提示されており、限定ではないことを理解されたい。当業者には、範囲から逸脱することなく、形態および詳細の様々な変更を行うことができることは明らかであろう。実際、上記の説明を読んだ後、代替の実施形態を実装する方法が関連技術分野の当業者に明らかになるであろう。したがって、本実施形態は、上述の例示的な実施形態のいずれによっても限定されるべきではない。
【０２９４】
さらに、機能と利点を強調する図は、例示のみを目的として提示されていることを理解する必要がある。開示されたアーキテクチャは、示されている以外の方法で利用することができるように、十分に柔軟で構成可能である。例えば、いかなるフローチャートにリストされたアクションも、いくつかの実施形態で並べ替えられ、または任意選択としてのみ使用されてもよい。
【０２９５】
さらに、本開示の要約の目的は、米国特許商標庁および一般大衆、特に特許または法的用語または表現に精通していない当該技術分野の科学者、技術者および実務家が、一瞥して本出願の技術的な開示の性質と本質を迅速に判断できるようにすることである。本開示の要約は、多少なりとも範囲を限定することを意図するものではない。
【０２９６】
最後に、米国特許法第１１２条の下で、「のための手段」または「のためのステップ」という表現を含む特許請求の範囲のみを解釈することが出願人の意図である。「する手段」または「するステップ」という語句を明示的に含まない特許請求の範囲は、米国特許法第１１２条に基づいて解釈されるべきではない。
【図１】
2021503231.tif 000006
【図２】
2021503231.tif 000007
【図３】
2021503231.tif 000008
【図４】
2021503231.tif 000009
【図５Ａ】
2021503231.tif 000010
【図５Ｂ】
2021503231.tif 000011
【図５Ｃ】
2021503231.tif 000012
【図５Ｄ】
2021503231.tif 000013
【図６】
2021503231.tif 000014
【図７】
2021503231.tif 000015
【図８】
2021503231.tif 000016
【図９】
2021503231.tif 000017
【図１０Ａ】
2021503231.tif 000018
【図１０Ｂ】
2021503231.tif 000019
【図１１Ａ】
2021503231.tif 000020
【図１１Ｂ】
2021503231.tif 000021
【図１１Ｃ】
2021503231.tif 000022
【図１１Ｄ】
2021503231.tif 000023
【図１１Ｅ】
2021503231.tif 000024
【図１１Ｆ】
2021503231.tif 000025
【図１２Ａ】
2021503231.tif 000026
【図１２Ｂ】
2021503231.tif 000027
【図１２Ｃ】
2021503231.tif 000028
【図１３Ａ】
2021503231.tif 000029
【図１３Ｂ】
2021503231.tif 000030
【図１４】
2021503231.tif 000031
【図１５】
2021503231.tif 000032
【図１６Ａ】
2021503231.tif 000033
【図１６Ｂ】
2021503231.tif 000034
【図１７】
2021503231.tif 000035
【図１８Ａ】
2021503231.tif 000036
【図１８Ｂ】
2021503231.tif 000037
【図１８Ｃ】
2021503231.tif 000038
【図１９】
2021503231.tif 000039
【図２０】
2021503231.tif 000040
【図２１】
2021503231.tif 000041
【図２２】
2021503231.tif 000042
【図２３Ａ】
2021503231.tif 000043
【図２３Ｂ】
2021503231.tif 000044
【図２４Ａ】
2021503231.tif 000045
【図２４Ｂ】
2021503231.tif 000046
【図２５Ａ】
2021503231.tif 000047
【図２５Ｂ】
2021503231.tif 000048
【図２６】
2021503231.tif 000049
【図２７】
2021503231.tif 000050
【図２８】
2021503231.tif 000051
【図２９】
2021503231.tif 000052
【図３０】
2021503231.tif 000053
【図３１】
2021503231.tif 000054
【図３２】
2021503231.tif 000055
【図３３】
2021503231.tif 000056
【図３４】
2021503231.tif 000057
【図３５】
2021503231.tif 000058
【図３６】
2021503231.tif 000059
【図３７】
2021503231.tif 000060
【図３８】
2021503231.tif 000061
【図３９】
2021503231.tif 000062
【図４０】
2021503231.tif 000063
【図４１】
2021503231.tif 000064
【図４２】
2021503231.tif 000065
【図４３】
2021503231.tif 000066
【図４４】
2021503231.tif 000067
【図４５】
2021503231.tif 000068
【図４６】
2021503231.tif 000069
【図４７】
2021503231.tif 000070
【図４８】
2021503231.tif 000071
【図４９】
2021503231.tif 000072
【図５０】
2021503231.tif 000073
【図５１】
2021503231.tif 000074
【図５２】
2021503231.tif 000075
【図５３】
2021503231.tif 000076
【図５４】
2021503231.tif 000077
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
無線デバイスのための方法であって、
第１の帯域幅部分に関する半永続的ＣＳＩレポートのための半永続的チャネル状態情報（ＣＳＩ）レポート構成のアクティブ化を示す媒体アクセス制御制御要素（ＭＡＣ  ＣＥ）を受信することと、
前記ＭＡＣ  ＣＥに基づいて、前記半永続的ＣＳＩレポート構成のうちの１つ以上のパラメータに基づいて前記半永続的ＣＳＩレポートを伝送することと、
アクティブな帯域幅部分として前記第１の帯域幅部分から第２の帯域幅部分への切り替えを示す第１のダウンリンク制御情報を受信することに基づいて、前記半永続的ＣＳＩレポートの前記伝送を中断することと
を含む、方法。
【請求項２】
前記アクティブな帯域幅部分として前記第１の帯域幅部分への切り替えを示す第２のダウンリンク制御情報を受信することであって、前記第１の帯域幅部分および前記第２の帯域幅部分は、同一のセルに属する、ことと、
前記第２のダウンリンク制御情報を受信した後または受信することに応答して、前記半永続的ＣＳＩレポートを伝送することと
をさらに含む、請求項１に記載の方法。
【請求項３】
前記第２のダウンリンク制御情報は、前記半永続的ＣＳＩレポート構成のアクティブ化または非アクティブ化を示すフィールドを含まない、請求項２に記載の方法。
【請求項４】
セルの複数の帯域幅部分の構成パラメータを含む無線リソース制御メッセージを受信することをさらに含み、
前記構成パラメータは、
前記複数の帯域幅部分が前記第１の帯域幅部分および前記第２の帯域幅部分を含むことと、
帯域幅部分非アクティビティタイマのタイマ値と、
前記半永続的ＣＳＩレポート構成を含む複数の半永続的ＣＳＩレポート構成と
を示す、請求項１〜３のいずれかに記載の方法。
【請求項５】
前記無線デバイスは、物理アップリンク制御チャネルリソースを介して、前記半永続的ＣＳＩレポートを伝送する、請求項１〜４のいずれかに記載の方法。
【請求項６】
物理アップリンク制御チャネルは、前記半永続的ＣＳＩレポート構成の前記１つ以上のパラメータのうちの少なくとも１つによって示される、請求項５の記載の方法。
【請求項７】
無線デバイス（４０６）であって、
１つ以上のプロセッサ（４０３）と、
命令（４０５）を記憶するメモリ（４０４）と
を備え、
前記命令は、前記１つ以上のプロセッサによって実行されると、前記無線デバイスに、請求項１〜６のいずれか１項に記載の方法を行わせる、無線デバイス。
【請求項８】
基地局のための方法であって、
第１の帯域幅部分に関する半永続的ＣＳＩレポートのための半永続的チャネル状態情報（ＣＳＩ）レポート構成のアクティブ化を示す媒体アクセス制御制御要素（ＭＡＣ  ＣＥ）を伝送することと、
前記ＭＡＣ  ＣＥに基づいて、前記半永続的ＣＳＩレポートを受信することと、
アクティブな帯域幅部分として前記第１の帯域幅部分から第２の帯域幅部分への切り替えを示す第１のダウンリンク制御情報を伝送することに基づいて、前記半永続的ＣＳＩレポートの前記受信を中断することと
を含む、方法。
【請求項９】
前記アクティブな帯域幅部分として前記第１の帯域幅部分への切り替えを示す第２のダウンリンク制御情報を伝送することであって、前記第１の帯域幅部分および前記第２の帯域幅部分は、同一のセルに属する、ことと、
前記第２のダウンリンク制御情報を伝送した後または伝送することに応答して、前記半永続的ＣＳＩレポートを受信することと
をさらに含む、請求項８に記載の方法。
【請求項１０】
前記第２のダウンリンク制御情報は、前記半永続的ＣＳＩレポート構成のアクティブ化または非アクティブ化を示すフィールドを含まない、請求項９に記載の方法。
【請求項１１】
セルの複数の帯域幅部分の構成パラメータを含む無線リソース制御メッセージを伝送することをさらに含み、
前記構成パラメータは、
前記複数の帯域幅部分が前記第１の帯域幅部分および前記第２の帯域幅部分を含むことと、
帯域幅部分非アクティビティタイマのタイマ値と、
前記半永続的ＣＳＩレポート構成を含む複数の半永続的ＣＳＩレポート構成と
を示す、請求項８〜１０のいずれかに記載の方法。
【請求項１２】
前記半永続的ＣＳＩレポートは、物理アップリンク制御チャネルリソースを介して受信される、請求項８〜１１のいずれかに記載の方法。
【請求項１３】
物理アップリンク制御チャネルは、前記半永続的ＣＳＩレポート構成の前記１つ以上のパラメータのうちの少なくとも１つによって示される、請求項１２に記載の方法。
【請求項１４】
基地局（４０１）であって、
１つ以上のプロセッサ（４０３）と、
命令（４０５）を記憶するメモリ（４０４）と
を備え、
前記命令は、前記１つ以上のプロセッサによって実行されると、前記基地局に、請求項８〜１３のいずれか１項に記載の方法を行わせる、基地局。
【請求項１５】
命令（４０５）を備えるコンピュータ可読媒体（４０４）であって、前記命令は、請求項７に記載の無線デバイス（４０６）に、請求項１〜６のいずれか１項に記載の方法のステップを実行させる、コンピュータ可読媒体。
【手続補正２】
【補正対象書類名】明細書
【補正対象項目名】０００２
【補正方法】変更
【補正の内容】
【０００２】
本発明の例示的な実施形態は、キャリアアグリゲーションの動作を可能にする。本明細書で開示される技術の実施形態は、マルチキャリア通信システムの技術分野で用いられてもよい。より具体的には、本明細書で開示される技術の実施形態は、マルチキャリア通信システムにおける信号伝送に関連し得る。
本発明は、例えば、以下を提供する。
（項目１）
方法であって、
無線デバイスによって、第１の帯域幅部分に関する半永続的ＣＳＩレポートのための半永続的チャネル状態情報（ＣＳＩ）レポート構成のアクティブ化を示す媒体アクセス制御制御要素を受信することと、
前記半永続的ＣＳＩレポート構成をアクティブ化することと、
前記半永続的ＣＳＩレポート構成のうちの１つ以上のパラメータに基づいて前記半永続的ＣＳＩレポートを伝送することと、
アクティブな帯域幅部分として前記第１の帯域幅部分から第２の帯域幅部分への切り替えを示す第１のダウンリンク制御情報を受信することと、
前記第１のダウンリンク制御情報を受信した後、または受信することに応答して、前記半永続的ＣＳＩレポートの前記伝送を中断することと、
前記アクティブな帯域幅部分として前記第１の帯域幅部分への切り替えを示す第２のダウンリンク制御情報を受信することと、
前記第２のダウンリンク制御情報を受信した後、または受信することに応答して、前記半永続的ＣＳＩレポートを伝送することと、を含む方法。
（項目２）
前記無線デバイスが、物理アップリンク共有チャネルを介して、前記半永続的ＣＳＩレポート構成の前記１つ以上のパラメータのうちの少なくとも１つによって示される少なくとも１つの基準信号リソースに関して測定された前記半永続的ＣＳＩレポートを伝送する、項目１に記載の方法。
（項目３）
前記半永続的ＣＳＩレポートが、
チャネル品質インジケータの値、
プリコーディング行列インデックスの値、
ランクインジケータの値、および
レイヤ１基準信号受信電力の値、のうちの少なくとも１つを含む、項目１〜２のいずれかに記載の方法。
（項目４）
前記アクティブな帯域幅部分として前記第１の帯域幅部分から前記第２の帯域幅部分への切り替えを示す前記第１のダウンリンク制御情報を受信することに応答して、タイマ値でＢＷＰ非アクティビティタイマを開始することをさらに含む、項目１〜３のいずれかに記載の方法。
（項目５）
前記第２のダウンリンク制御情報が、前記半永続的ＣＳＩレポート構成のアクティブ化または非アクティブ化を示すフィールドを含まない、項目１〜４のいずれかに記載の方法。
（項目６）
セルの複数の帯域幅部分の構成パラメータを含む無線リソース制御メッセージを受信することをさらに含み、前記構成パラメータは、
前記複数の帯域幅部分が前記第１の帯域幅部分および前記第２の帯域幅部分を含むことと、
帯域幅部分非アクティビティタイマのタイマ値と、
前記半永続的ＣＳＩレポート構成を構成する複数の半永続的ＣＳＩレポート構成と、を示す、項目１〜５のいずれかに記載の方法。
（項目７）
前記セルがプライマリセルまたはセカンダリセルを含む、項目６に記載の方法。
（項目８）
前記第１の帯域幅部分のうちの１つ以上の帯域幅部分パラメータが、
周波数位置のパラメータ、
第１の帯域幅の値、
サブキャリア間隔の値、および
サイクリックプレフィックスの値、のうちの少なくとも１つを含む、項目１〜６のいずれかに記載の方法。
（項目９）
前記第１の帯域幅部分の前記第１の帯域幅の前記値が、セルの第２の帯域幅の値以下である、項目８に記載の方法。
（項目１０）
前記第２の帯域幅部分のうちの１つ以上の帯域幅部分パラメータが、
周波数位置のパラメータ、
第１の帯域幅の値、
サブキャリア間隔の値、および
サイクリックプレフィックスの値、のうちの少なくとも１つを含む、項目１〜６または項目８のいずれかに記載の方法。
（項目１１）
前記第２の帯域幅部分の前記第１の帯域幅の前記値が、セルの第２の帯域幅の値以下である、項目１０に記載の方法。
（項目１２）
前記無線デバイスが、前記半持続的ＣＳＩレポート構成のうちの１つ以上のパラメータのうちの少なくとも１つによって示される物理アップリンク制御チャネルリソースを介して前記半永続的ＣＳＩレポートを伝送する、項目１〜６、項目８、または項目１０のいずれかに記載の方法。
（項目１３）
前記物理アップリンク制御チャネルが、前記半永続的ＣＳＩレポート構成に関連付けられる、項目１２に記載の方法。
（項目１４）
前記アクティブな帯域幅部分として前記第１の帯域幅部分から前記第２の帯域幅部分への切り替えを示す前記第１のダウンリンク制御情報を受信することに応答して、タイマ値でＢＷＰ非アクティビティタイマを始動することをさらに含む、項目１〜６、項目８、項目１０、または項目１２のいずれかに記載の方法。
（項目１５）
前記第２の帯域幅部分で第３のダウンリンク制御情報を受信することと、
前記第３のダウンリンク制御情報に基づいてデータパケットを受信することと、をさらに含む、項目１４に記載の方法。
（項目１６）
前記半永続的ＣＳＩレポート構成のうちの１つ以上のパラメータが、
周期的、半永続的、または非周期的レポート構成を示すＣＳＩレポート構成タイプインジケータ、
１つ以上の基準信号リソース構成パラメータ、
１つ以上のレポート量パラメータ、
１つ以上のレポート周波数領域構成パラメータ、
１つ以上の物理アップリンク制御チャネルリソース、および
１つ以上のレポート時間領域構成パラメータ、のうちの少なくとも１つを含む、項目１〜６、項目８、項目１０、項目１２、または項目１４のいずれかに記載の方法。
（項目１７）
前記半永続的ＣＳＩレポートが、
前記１つ以上の基準信号リソース構成パラメータによって示される１つ以上の基準信号時間リソースと、
前記１つ以上のレポート周波数領域構成パラメータによって示される１つ以上の基準信号周波数リソースと、に基づいて取得される、項目１６に記載の方法。
（項目１８）
前記１つ以上のレポート量パラメータが、
チャネル品質インジケータ
プリコーディング行列インデックス、
ランクインジケータ、および
レイヤ１基準信号受信電力、のうちの少なくとも１つを含む１つ以上のレポート量を示す、項目１６に記載の方法。
（項目１９）
前記無線デバイスが、前記半永続的ＣＳＩレポート構成の前記１つ以上のレポート量パラメータによって示される１つ以上のレポート量を含む前記半永続的ＣＳＩレポートを伝送する、項目１６に記載の方法。
（項目２０）
前記無線デバイスが、前記半持続的ＣＳＩレポート構成の１つ以上の物理アップリンク制御チャネルリソースの物理アップリンク制御チャネルリソースを介して前記半永続的ＣＳＩレポートを伝送する、項目１６に記載の方法。
（項目２１）
無線デバイスであって、
１つ以上のプロセッサと、
命令を記憶するメモリと、を備え、前記命令は、前記１つ以上のプロセッサによって実行されると、前記無線デバイスに、
第１の帯域幅部分に関する半永続的ＣＳＩレポートのための半永続的チャネル状態情報（ＣＳＩ）レポート構成のアクティブ化を示す媒体アクセス制御制御要素を受信することと、
前記媒体アクセス制御制御要素を受信した後、または受信することに応答して、前記半永続的ＣＳＩレポートを伝送することと、
アクティブな帯域幅部分として前記第１の帯域幅部分から第２の帯域幅部分への切り替えを示す第１のダウンリンク制御情報を受信することと、
前記第１のダウンリンク制御情報の前記受信後、または前記受信に応答して、前記半永続的ＣＳＩレポートの前記伝送を中断することと、
前記アクティブな帯域幅部分として前記第１の帯域幅部分への切り替えを示す第２のダウンリンク制御情報を受信することと、
前記第２のダウンリンク制御情報の前記受信後、または前記受信に応答して、前記半永続的ＣＳＩレポートを伝送することと、を行わせる、無線デバイス。
（項目２２）
方法であって、
基地局によって、無線デバイスの第１の帯域幅部分での半永続的ＣＳＩレポートのための半永続的ＣＳＩレポート構成のアクティブ化を示す媒体アクセス制御制御要素を伝送することと、
前記媒体アクセス制御制御要素を受信した後、または受信することに応答して、前記無線デバイスから前記半永続的ＣＳＩレポートを受信することと、
前記無線デバイスに対して第２の帯域幅部分をアクティブ状態に切り替えることを示す第１のダウンリンク制御情報を伝送することと、
前記第１のダウンリンク制御情報を伝送した後、または伝送することに応答して、前記半永続的ＣＳＩレポートの前記受信を中断することと、
前記無線デバイスに対して前記第１の帯域幅部分をアクティブ状態に切り替えることを示す第２のダウンリンク制御情報を伝送することと、
前記第２のダウンリンク制御情報を伝送した後、または伝送することに応答して、前記半永続的ＣＳＩレポートを受信することと、を含む方法。
（項目２３）
前記基地局が、前記無線デバイスから、かつ物理アップリンク共有チャネルを介して、前記半永続的ＣＳＩレポート構成のうちの１つ以上のパラメータのうちの少なくとも１つによって示される少なくとも１つの基準信号リソースに関して測定された前記半永続的ＣＳＩレポートを受信する、項目２２に記載の方法。
（項目２４）
前記半永続的ＣＳＩレポートが、
チャネル品質インジケータの値、
プリコーディング行列インデックスの値、
ランクインジケータの値、および
レイヤ１基準信号受信電力の値、のうちの少なくとも１つを含む、項目２２〜２３のいずれかに記載の方法。
（項目２５）
アクティブな帯域幅部分として前記第１の帯域幅部分から前記第２の帯域幅部分への切り替えを示す前記第１のダウンリンク制御情報を伝送することに応答して、前記無線デバイスに対するタイマ値でＢＷＰ非アクティビティタイマを始動することをさらに含む、項目２２〜２４のいずれかに記載の方法。
（項目２６）
前記第２のダウンリンク制御情報が、前記半永続的ＣＳＩレポート構成のアクティブ化または非アクティブ化を示すフィールドを含まない、項目２２〜２５のいずれかに記載の方法。
（項目２７）
セルの複数の帯域幅部分の構成パラメータを含む無線リソース制御メッセージを伝送することをさらに含み、前記構成パラメータが、
前記複数の帯域幅部分が前記第１の帯域幅部分および前記第２の帯域幅部分を含むことと、
帯域幅部分非アクティビティタイマのタイマ値と、
前記半永続的ＣＳＩレポート構成を含む複数の半永続的ＣＳＩレポート構成と、を示す、項目２２〜２６のいずれかに記載の方法。
（項目２８）
前記セルがプライマリセルまたはセカンダリセルを含む、項目２７に記載の方法。
（項目２９）
前記第１の帯域幅部分のうちの１つ以上の帯域幅部分パラメータが、
周波数位置のパラメータ、
第１の帯域幅の値、
サブキャリア間隔の値、および
サイクリックプレフィックスの値、のうちの少なくとも１つを含む、項目２２〜２７のいずれかに記載の方法。
（項目３０）
前記第１の帯域幅部分の前記第１の帯域幅の前記値が、セルの第２の帯域幅の値以下である、項目２９に記載の方法。
（項目３１）
前記第２の帯域幅部分のうちの１つ以上の帯域幅部分パラメータが、
周波数位置のパラメータ、
第２の帯域幅の値、
サブキャリア間隔の値、および
サイクリックプレフィックスの値、のうちの少なくとも１つを含む、項目２２〜２７または項目２９のいずれかに記載の方法。
（項目３２）
前記第２の帯域幅部分の前記第２の帯域幅の前記値は、セルの第２の帯域幅の値以下である、項目３１に記載の方法。
（項目３３）
前記基地局が、前記半永続的ＣＳＩレポート構成のうちの１つ以上のパラメータのうちの少なくとも１つによって示される物理アップリンク制御チャネルリソースを介して前記半永続的ＣＳＩレポートを受信する、項目２２〜２７、項目２９、または項目３１のいずれかに記載の方法。
（項目３４）
前記物理アップリンク制御チャネルリソースが、前記半永続的ＣＳＩレポート構成に関連付けられる、項目３３に記載の方法。
（項目３５）
アクティブな帯域幅部分として前記第１の帯域幅部分から前記第２の帯域幅部分への切り替えを示す前記第１のダウンリンク制御情報を伝送することに応答して、タイマ値でＢＷＰ非アクティビティタイマを始動することをさらに含む、項目２２〜２７、項目２９、項目３１、または項目３３のいずれかに記載の方法。
（項目３６）
前記第２の帯域幅部分で第３のダウンリンク制御情報を伝送することと、
前記第３のダウンリンク制御情報に基づいてデータパケットを伝送することと、をさらに含む、項目３５に記載の方法。
（項目３７）
前記半永続的ＣＳＩレポート構成のうちの１つ以上のパラメータが、
周期的、半永続的、または非周期的レポート構成を示すＣＳＩレポート構成タイプインジケータ、
１つ以上の基準信号リソース構成パラメータ、
１つ以上のレポート量パラメータ、
１つ以上のレポート周波数領域構成パラメータ、
１つ以上の物理アップリンク制御チャネルリソース、および
１つ以上のレポート時間領域構成パラメータ、のうちの少なくとも１つを含む、項目２２〜２７、項目２９、項目３１、項目３３、または項目３５のいずれかに記載の方法。
（項目３８）
前記半永続的ＣＳＩレポートが、
前記１つ以上の基準信号リソース構成パラメータによって示される１つ以上の基準信号時間リソースと、
前記１つ以上のレポート周波数領域構成パラメータによって示される１つ以上の基準信号周波数リソースと、に基づいて取得される、項目３７に記載の方法。
（項目３９）
前記１つ以上のレポート量パラメータが、
チャネル品質インジケータ
プリコーディング行列インデックス、
ランクインジケータ、および
レイヤ１基準信号受信電力、のうちの少なくとも１つを含む１つ以上のレポート量を示す、項目３７に記載の方法。
（項目４０）
前記基地局が、前記半永続的ＣＳＩレポート構成の前記１つ以上のレポート量パラメータによって示される１つ以上のレポート量を含む前記半永続的ＣＳＩレポートを受信する、項目３７に記載の方法。
（項目４１）
前記基地局が、前記半持続的ＣＳＩレポート構成のうちの１つ以上の物理アップリンク制御チャネルリソースの物理アップリンク制御チャネルリソースを介して前記半永続的ＣＳＩレポートを受信する、項目３７に記載の方法。
（項目４２）
方法であって、
第１の帯域幅部分に関する半永続的ＣＳＩレポートのための半永続的チャネル状態情報（ＣＳＩ）レポート構成のアクティブ化を示す媒体アクセス制御制御要素を受信することと、
前記媒体アクセス制御制御要素を受信した後、または受信することに応答して、前記半永続的ＣＳＩレポート構成のうちの１つ以上のパラメータに基づいて前記半永続的ＣＳＩレポートを伝送することと、
アクティブな帯域幅部分として前記第１の帯域幅部分から第２の帯域幅部分への切り替えを示す第１のダウンリンク制御情報を受信することと、
前記第１のダウンリンク制御情報を受信した後、または受信することに応答して、前記半永続的ＣＳＩレポートの前記伝送を中断することと、を含む方法。
（項目４３）
方法であって、
第１の帯域幅部分で半永続的ＣＳＩレポート構成の半永続的ＣＳＩレポートを伝送することと、
アクティブな帯域幅部分として前記第１の帯域幅部分から第２の帯域幅部分への切り替えを示す第１のダウンリンク制御情報を受信することと、
前記第１のダウンリンク制御情報を受信した後、または受信することに応答して、前記半永続的ＣＳＩレポートの前記伝送を中断することと、
前記アクティブな帯域幅部分として前記第１の帯域幅部分への切り替えを示す第２のダウンリンク制御情報を受信することと、
前記第２のダウンリンク制御情報を受信した後、または受信することに応答して、前記半永続的ＣＳＩレポートを伝送することと、を含む方法。
（項目４４）
前記前記半永続的ＣＳＩレポート構成のアクティブ化を示す媒体アクセス制御制御要素を受信することと、
前記媒体アクセス制御制御要素を受信した後、または受信することに応答して、前記半永続的ＣＳＩレポート構成をアクティブ化することと、をさらに含む、項目４３に記載の方法。
（項目４５）
方法であって、
アクティブな帯域幅部分として第１の帯域幅部分から第２の帯域幅部分への切り替えを示す第１のダウンリンク制御情報を受信することと、
前記第１のダウンリンク制御情報を受信した後、または受信することに応答して、前記第１の帯域幅部分に関する半永続的ＣＳＩレポートの伝送を中断することと、
前記アクティブな帯域幅部分として前記第１の帯域幅部分への切り替えを示す第２のダウンリンク制御情報を受信することと、
前記第２のダウンリンク制御情報を受信した後、または受信することに応答して、前記第１の帯域幅部分に関する前記半永続的ＣＳＩレポートを伝送することと、を含む方法。
（項目４６）
半永続的ＣＳＩレポート構成のアクティブ化を示す媒体アクセス制御制御要素を受信することと、
前記媒体アクセス制御制御要素を受信した後、または受信することに応答して、前記半永続的ＣＳＩレポート構成をアクティブ化することと、
前記半永続的ＣＳＩレポート構成に基づいて前記半永続的ＣＳＩレポートを伝送することと、をさらに含む、項目４５に記載の方法。
（項目４７）
方法であって、
セルの構成パラメータを含む１つ以上のメッセージを受信することであって、前記構成パラメータが、第１のＢＷＰで１つ以上の半永続的ＣＳＩレポート構成を示す、受信することと、
前記１つ以上の半永続的ＣＳＩレポート構成のうちの１つのアクティブ化を示す媒体アクセス制御制御要素を受信することと、
前記媒体アクセス制御制御要素を受信した後、または受信することに応答して、前記１つ以上の半永続的ＣＳＩレポート構成のうちの前記１つをアクティブ化することと、
前記第１のＢＷＰで、前記１つ以上の半永続的ＣＳＩレポート構成のうちの前記１つに基づいて半永続的ＣＳＩレポートを伝送することと、
アクティブなＢＷＰとして前記第１のＢＷＰから第２のＢＷＰへの切り替えを示すダウンリンク制御情報を受信することと、
前記ダウンリンク制御情報を受信した後、または受信することに応答して、前記半永続的ＣＳＩレポートの前記伝送を中断することと、を含む方法。
（項目４８）
前記アクティブなＢＷＰとして前記第１のＢＷＰへの切り替えを示す第２のダウンリンク制御情報を受信することと、
前記第２のダウンリンク制御情報を受信した後、または受信することに応答して、前記第１のＢＷＰに関する前記半永続的ＣＳＩレポートを伝送することと、をさらに含む、項目４７に記載の方法。
（項目４９）
方法であって、
無線デバイスによって、第１の帯域幅部分の半永続的ＣＳＩレポート構成のアクティブ化を示す第１のダウンリンク制御情報を受信することと、
前記第１のダウンリンク制御情報を受信した後、または受信することに応答して、前記半永続的ＣＳＩレポート構成をアクティブ化することと、
前記第１の帯域幅部分で、前記半永続的ＣＳＩレポート構成に基づいてＣＳＩレポートを伝送することと、
アクティブな帯域幅部分として前記第１の帯域幅部分から第２の帯域幅部分への切り替えを示す第２のダウンリンク制御情報を受信することと、
前記第１のダウンリンク制御情報を受信した後、または受信することに応答して、前記ＣＳＩレポートの前記伝送を停止することと、
少なくとも第３のダウンリンク制御情報を受信することであって、前記第３のダウンリンク制御情報が、
前記アクティブな帯域幅部分として前記第２の帯域幅部分から前記第１の帯域幅部分へ切り替えること、および
前記半永続的ＣＳＩレポート構成の前記アクティブ化を示す、受信することと、
前記少なくとも前記第３のダウンリンク制御情報を受信した後、または受信することに応答して、前記第１の帯域幅部分に関する前記ＣＳＩレポートを伝送することと、を含む、方法。
（項目５０）
方法であって、
無線デバイスによって、第１の帯域幅部分の半永続的ＣＳＩレポート構成のアクティブ化を示す第１のダウンリンク制御情報を受信することと、
前記第１のダウンリンク制御情報を受信した後、または受信することに応答して、前記半永続的ＣＳＩレポート構成をアクティブ化することと、
前記第１の帯域幅部分で、前記半永続的ＣＳＩレポート構成に基づいてＣＳＩレポートを伝送することと、
アクティブな帯域幅部分として前記第１の帯域幅部分から第２の帯域幅部分への切り替えを示す第２のダウンリンク制御情報を受信することと、
前記第１のダウンリンク制御情報を受信した後、または受信することに応答して、前記第１の帯域幅部分に対する前記ＣＳＩレポートの前記伝送を停止することと、
少なくとも第３のダウンリンク制御情報を受信することであって、前記第３のダウンリンク制御情報が、
前記アクティブな帯域幅部分として前記第２の帯域幅部分から前記第１の帯域幅部分へ切り替えること、および
前記半永続的ＣＳＩレポート構成の前記アクティブ化を示す、受信することと、
前記少なくとも前記第３のダウンリンク制御情報を受信した後、または受信することに応答して、前記第１の帯域幅部分に対する前記ＣＳＩレポートを伝送することと、を含む、方法。
（項目５１）
方法であって、
第１の帯域幅部分の半永続的ＣＳＩレポート構成のアクティブ化を示す第１のダウンリンク制御情報を受信することと、
第１のダウンリンク制御情報を受信した後、または受信することに応答して、前記第１の帯域幅部分を介して、前記半永続的ＣＳＩレポート構成に基づいて半永続的ＣＳＩレポートを伝送することと、
アクティブな帯域幅部分として前記第１の帯域幅部分から第２の帯域幅部分への切り替えを示す第２のダウンリンク制御情報を受信することと、
前記第２のダウンリンク制御情報を受信した後、または受信することに応答して、前記第１の帯域幅部分を介した前記半永続的ＣＳＩレポートの前記伝送を非アクティブ化することと、を含む方法。
（項目５２）
前記アクティブな帯域幅部分として前記第１の帯域幅部分への切り替えを示す第３のダウンリンク制御情報を受信することと、
前記半永続的ＣＳＩレポート構成の再アクティブ化を示す第４のダウンリンク制御情報を受信することと、
前記第３のダウンリンク制御情報および前記第４のダウンリンク制御情報に応答して、前記第１の帯域幅部分を介して前記半永続的ＣＳＩレポートを伝送することと、をさらに含む、項目５１に記載の方法。
（項目５３）
少なくとも第３のダウンリンク制御情報を受信することであって、前記第３のダウンリンク制御情報が、
前記アクティブな帯域幅部分として前記第１の帯域幅部分へ切り替えること、および
前記半永続的ＣＳＩレポート構成の前記アクティブ化、を示す、受信することと、
前記少なくとも前記第３のダウンリンク制御情報を受信した後、または受信することに応答して、前記第１の帯域幅部分を介して前記半永続的ＣＳＩレポートを伝送することと、をさらに含む、項目５１〜５２に記載の方法。
（項目５４）
方法であって、
セルの構成パラメータを含む１つ以上のメッセージを受信することであって、
前記セルが、第１のダウンリンク帯域幅部分（ＢＷＰ）、第２のダウンリンクＢＷＰ、および少なくとも１つのアップリンクＢＷＰを含み、
前記構成パラメータが、
前記第１のダウンリンクＢＷＰの第１のチャネル状態情報レポートのための、前記少なくとも１つのアップリンクＢＷＰ上の第１のアップリンク制御チャネルリソースの第１のパラメータと、
前記第２のダウンリンクＢＷＰの第２のチャネル状態情報レポートのための、前記少なくとも１つのアップリンクＢＷＰ上の第２のアップリンク制御チャネルリソースの第２のパラメータと、を含む、受信することと、
前記少なくとも１つのアップリンクＢＷＰのアップリンクＢＷＰ上の前記第１のアップリンク制御チャネルリソースを介して、前記第１のダウンリンクＢＷＰの前記第１のチャネル状態情報レポートを伝送することと、
アクティブＢＷＰとして前記第１のダウンリンクＢＷＰから前記第２のダウンリンクＢＷＰへ切り替えることと、
前記切り替え後、前記少なくとも１つのアップリンクＢＷＰの前記アップリンクＢＷＰ上の前記第２のアップリンク制御チャネルリソースを介して前記第２のダウンリンクＢＷＰの前記第２のチャネル状態情報レポートを伝送することと、を含む方法。
（項目５５）
前記構成パラメータが、前記第１のダウンリンクＢＷＰのうちの１つ以上のＢＷＰパラメータをさらに含み、前記１つ以上のＢＷＰパラメータが、
周波数位置のパラメータ、
帯域幅の値、
サブキャリア間隔の値、および
サイクリックプレフィックスの値、のうちの少なくとも１つを含む、項目５４に記載の方法。
（項目５６）
前記構成パラメータが、前記第２のダウンリンクＢＷＰのうちの１つ以上のＢＷＰパラメータをさらに含み、前記１つ以上のＢＷＰパラメータが、
周波数位置のパラメータ、
帯域幅の値、
サブキャリア間隔の値、および
サイクリックプレフィックスの値、のうちの少なくとも１つを含む、項目５４〜５５のいずれかに記載の方法。
（項目５７）
前記第１のダウンリンクＢＷＰを前記アクティブなＢＷＰとしてアクティブ化することをさらに含む、項目５４〜５６のいずれかに記載の方法。
（項目５８）
前記第１のチャネル状態情報レポートが、前記第１のダウンリンクＢＷＰを示すＢＷＰ識別子を含む、項目５４〜５７のいずれかに記載の方法。
（項目５９）
前記第２のチャネル状態情報レポートが、前記第２のダウンリンクＢＷＰを示すＢＷＰ識別子を含む、項目５４〜５８のいずれかに記載の方法。
（項目６０）
少なくとも１つの前記第１のチャネル状態情報レポートまたは前記第２のチャネル状態情報レポートが、
チャネル品質インジケータの値、
プリコーディング行列インデックスの値、
ランクインジケータの値、または
レイヤ１基準信号受信電力の値、のうちの少なくとも１つを含む、項目５４〜５９のいずれかに記載の方法。
（項目６１）
前記アクティブＢＷＰとして前記第２のダウンリンクＢＷＰへの切り替えを示すダウンリンク制御情報を受信することに応答して、前記第２のダウンリンクＢＷＰのダウンリンク制御チャネルを監視することをさらに含む、項目５４〜６０のいずれかに記載の方法。
（項目６２）
前記第１のチャネル状態情報レポートが、
前記第１のダウンリンクＢＷＰの１つ以上の基準信号時間リソース構成と、
前記第１のダウンリンクＢＷＰの１つ以上の基準信号周波数リソース構成と、に基づく、項目５４〜６１のいずれかに記載の方法。
（項目６３）
前記第２のチャネル状態情報レポートが、
前記第２のダウンリンクＢＷＰの１つ以上の基準信号時間リソース構成と、
前記第２のダウンリンクＢＷＰの１つ以上の基準信号周波数リソース構成と、に基づく、項目５４〜６２のいずれかに記載の方法。
（項目６４）
前記切り替えが、前記アクティブなＢＷＰとして前記第１のダウンリンクＢＷＰから前記第２のダウンリンクＢＷＰへの切り替えを示すダウンリンク制御情報を受信することに応答する、項目５４〜６３のいずれかに記載の方法。
（項目６５）
第１のチャネル状態情報レポート構成のアクティブ化を示すコマンドを受信することと、
前記コマンドに応答して、前記第１のチャネル状態情報レポートに対する前記第１のチャネル状態情報レポート構成をアクティブ化することと、をさらに含む、項目５４〜６４のいずれかに記載の方法。
（項目６６）
前記コマンドが、少なくとも媒体アクセス制御制御要素を含む、項目６５に記載の方法。
（項目６７）
前記コマンドが、少なくともダウンリンク制御情報を含む、項目６５に記載の方法。
（項目６８）
前記切り替えが、前記セルのＢＷＰ非アクティビティタイマの満了に応答する、項目５４〜６５のいずれかに記載の方法。
（項目６９）
前記第２のダウンリンクＢＷＰが、デフォルトのＢＷＰである、項目６８に記載の方法。
（項目７０）
前記ＢＷＰ非アクティビティタイマが、ＲＲＣメッセージで構成される、項目６８に記載の方法。
（項目７１）
第２のチャネル状態情報レポート構成のアクティブ化を示すコマンドを受信することと、
前記コマンドを受信することに応答して、前記第２のチャネル状態情報レポートに対する前記第２のチャネル状態情報レポート構成をアクティブ化することと、をさらに含む、項目５４〜６５または項目６８のいずれかに記載の方法。
（項目７２）
前記コマンドが、少なくとも媒体アクセス制御制御要素を含む、項目７１に記載の方法。
（項目７３）
前記コマンドが、少なくともダウンリンク制御情報を含む、項目７１に記載の方法。
（項目７４）
無線デバイスであって、
１つ以上のプロセッサと、
命令を記憶するメモリと、を備え、前記命令は、前記１つ以上のプロセッサによって実行されると、前記無線デバイスに、
セルの構成パラメータを含む１つ以上のメッセージを受信することであって、
前記セルが、第１のダウンリンクＢＷＰ、第２のダウンリンクＢＷＰ、および少なくとも１つのアップリンクＢＷＰを含み、
前記構成パラメータが、
前記第１のダウンリンクＢＷＰの第１のチャネル状態情報レポートのための、前記少なくとも１つのアップリンクＢＷＰ上の第１のアップリンク制御チャネルリソースの第１のパラメータと、
前記第２のダウンリンクＢＷＰの第２のチャネル状態情報レポートのための、前記少なくとも１つのアップリンクＢＷＰ上の第２のアップリンク制御チャネルリソースの第２のパラメータと、を含む、受信することと、
前記少なくとも１つのアップリンクＢＷＰのアップリンクＢＷＰ上の前記第１のアップリンク制御チャネルリソースを介して、前記第１のダウンリンクＢＷＰの前記第１のチャネル状態情報レポートを伝送することと、
アクティブＢＷＰとして前記第１のダウンリンクＢＷＰから前記第２のダウンリンクＢＷＰへ切り替えることと、
前記切り替え後、前記少なくとも１つのアップリンクＢＷＰの前記アップリンクＢＷＰ上の前記第２のアップリンク制御チャネルリソースを介して前記第２のダウンリンクＢＷＰの前記第２のチャネル状態情報レポートを伝送することと、を行わせる、無線デバイス。
（項目７５）
方法であって、
基地局から無線デバイスに、セルの構成パラメータを含む１つ以上のメッセージを伝送することであって、
前記セルが、第１のダウンリンク帯域幅部分（ＢＷＰ）、第２のダウンリンクＢＷＰ、および少なくとも１つのアップリンクＢＷＰを含み、
前記構成パラメータが、
前記第１のダウンリンクＢＷＰの第１のチャネル状態情報レポートのための、前記少なくとも１つのアップリンクＢＷＰ上の第１のアップリンク制御チャネルリソースの第１のパラメータと、
前記第２のダウンリンクＢＷＰの第２のチャネル状態情報レポートのための、前記少なくとも１つのアップリンクＢＷＰ上の第２のアップリンク制御チャネルリソースの第２のパラメータと、を含む、伝送することと、
前記無線デバイスから、前記少なくとも１つのアップリンクＢＷＰのアップリンクＢＷＰ上の前記第１のアップリンク制御チャネルリソースを介して、前記第１のダウンリンクＢＷＰの前記第１のチャネル状態情報レポートを受信することと、
前記無線デバイスに対して前記第２のダウンリンクＢＷＰをアクティブ状態に切り替えることと、
前記無線デバイスから、前記切り替え後、前記少なくとも１つのアップリンクＢＷＰの前記アップリンクＢＷＰ上の前記第２のアップリンク制御チャネルリソースを介して前記第２のダウンリンクＢＷＰの前記第２のチャネル状態情報レポートを受信することと、を含む方法。
（項目７６）
前記構成パラメータが、前記第１のダウンリンクＢＷＰの１つ以上のＢＷＰパラメータをさらに含み、前記１つ以上のＢＷＰパラメータが、
周波数位置のパラメータ、
帯域幅の値、
サブキャリア間隔の値、および
サイクリックプレフィックスの値、のうちの少なくとも１つを含む、項目７５に記載の方法。
（項目７７）
前記構成パラメータが、前記第２のダウンリンクＢＷＰの１つ以上のＢＷＰパラメータをさらに含み、前記１つ以上のＢＷＰパラメータが、
周波数位置のパラメータ、
帯域幅の値、
サブキャリア間隔の値、および
サイクリックプレフィックスの値、のうちの少なくとも１つを含む、項目７５〜７６のいずれかに記載の方法。
（項目７８）
前記無線デバイスに対して前記アクティブなＢＷＰとして前記第１のダウンリンクＢＷＰをアクティブ化することをさらに含む、項目７５〜７７のいずれかに記載の方法。
（項目７９）
前記第１のチャネル状態情報レポートが、前記第１のダウンリンクＢＷＰを示すＢＷＰ識別子を含む、項目７５〜７８のいずれかに記載の方法。
（項目８０）
前記第２のチャネル状態情報レポートが、前記第２のダウンリンクＢＷＰを示すＢＷＰ識別子を含む、項目７５〜７９のいずれかに記載の方法。
（項目８１）
前記第１のチャネル状態情報レポートまたは前記第２のチャネル状態情報レポートのうちの少なくとも１つが、
チャネル品質インジケータの値、
プリコーディング行列インデックスの値、
ランクインジケータの値、または
レイヤ１基準信号受信電力の値、のうちの少なくとも１つを含む、項目７５〜８０のいずれかに記載の方法。
（項目８２）
アクティブＢＷＰとして前記第２のダウンリンクＢＷＰへの切り替えを示すダウンリンク制御情報を伝送することに応答して、前記第２のダウンリンクＢＷＰのダウンリンク制御チャネルを伝送することをさらに含む、項目７５〜８１のいずれかに記載の方法。
（項目８３）
前記第１のチャネル状態情報レポートが、
前記第１のダウンリンクＢＷＰの１つ以上の基準信号時間リソース構成と、
前記第１のダウンリンクＢＷＰの１つ以上の基準信号周波数リソース構成と、に基づく、項目７５〜８２のいずれかに記載の方法。
（項目８４）
前記第２のチャネル状態情報レポートが、
前記第２のダウンリンクＢＷＰの１つ以上の基準信号時間リソース構成と、
前記第２のダウンリンクＢＷＰの１つ以上の基準信号周波数リソース構成と、に基づく、項目７５〜８３のいずれかに記載の方法。
（項目８５）
前記切り替えが、アクティブなＢＷＰとして前記第１のダウンリンクＢＷＰから前記第２のダウンリンクＢＷＰへの切り替えを示すダウンリンク制御情報を伝送することに応答する、項目７５〜８４のいずれかに記載の方法。
（項目８６）
第１のチャネル状態情報レポートのための第１のチャネル状態情報レポート構成のアクティブ化を示すコマンドを伝送することと、
前記コマンドに応答して、前記第１のチャネル状態情報レポートに対する前記第１のチャネル状態情報レポート構成をアクティブ化することと、のうちの少なくとも１つをさらに含む、項目７５〜８５のいずれかに記載の方法。
（項目８７）
前記コマンドが、少なくとも媒体アクセス制御制御要素を含む、項目８６に記載の方法。
（項目８８）
前記コマンドが、少なくともダウンリンク制御情報を含む、項目８６に記載の方法。
（項目８９）
前記切り替えが、前記セルのＢＷＰ非アクティビティタイマの満了に応答する、項目７５〜８６のいずれかに記載の方法。
（項目９０）
前記第２のダウンリンクＢＷＰが、デフォルトのＢＷＰである、項目８９に記載の方法。
（項目９１）
前記ＢＷＰ非アクティビティタイマが、ＲＲＣメッセージで構成される、項目８９に記載の方法。
（項目９２）
前記無線デバイスに対する前記第２のチャネル状態情報レポートに対する第２のチャネル状態情報レポート構成のアクティブ化を示すコマンドを伝送することと、
前記コマンドを伝送することに応答して、前記第２のチャネル状態情報レポートに対する前記第２のチャネル状態情報レポート構成をアクティブ化することと、のうちの少なくとも１つをさらに含む、項目７５〜８６または項目８９のいずれかに記載の方法。
（項目９３）
前記コマンドが、少なくとも媒体アクセス制御制御要素を含む、項目９２に記載の方法。
（項目９４）
前記コマンドが、少なくともダウンリンク制御情報を含む、項目９２に記載の方法。
（項目９５）
方法であって、
無線デバイスによって、セルの第１のダウンリンクＢＷＰの第１の半永続的ＣＳＩ構成、および前記セルの第２のダウンリンクＢＷＰの第２の半永続的ＣＳＩ構成をアクティブ化することと、
アップリンクＢＷＰ上の第１のアップリンク制御チャネルリソースを介して、前記第１のダウンリンクＢＷＰの前記第１の半永続的ＣＳＩ構成に対する第１の半永続的ＣＳＩレポートを伝送することと、
アクティブなＢＷＰとして前記第１のダウンリンクＢＷＰから第２のダウンリンクＢＷＰへ切り替えることと、
前記切り替え後、前記アップリンクＢＷＰ上の第２のアップリンク制御チャネルリソースを介して、前記第２のダウンリンクＢＷＰの前記第２の半永続的ＣＳＩ構成に対する第２の半永続的ＣＳＩレポートを伝送することと、を含む方法。
（項目９６）
方法であって、
無線デバイスによって、アップリンクＢＷＰ上の第１のアップリンク制御チャネルリソースを介して、セルの第１のダウンリンクＢＷＰに対する第１の半永続的ＣＳＩレポートを伝送することと、
アクティブなＢＷＰとして前記第１のダウンリンクＢＷＰから前記セルの第２のダウンリンクＢＷＰへ切り替えることと、
前記切り替え後、前記アップリンクＢＷＰ上の第２のアップリンク制御チャネルリソースを介して、前記第２のダウンリンクＢＷＰに対する第２の半永続的ＣＳＩレポートを伝送することと、を含む方法。
【国際調査報告】
2021503231.tif 000078
2021503231.tif 000079
2021503231.tif 000080